(57)【要約】  本発明の実施形態は、変調方法であって、符号化処理を生データに対して実行して、符号化シーケンスを取得するステップと、コンステレーションマッピングを前記符号化シーケンスに対してプリセットコンステレーション図に基づき実行して、M個のシンボルを取得するステップと、前記M個のシンボルをN個のセグメントに分割するステップと、前記N個のセグメントの中の各シンボルのコンステレーション位相を取得するステップと、各セグメント内のシンボルのコンステレーション位相を、プリセット位相調整ルールに従い調整するステップであって、前記N個のセグメントは同時に調整される、ステップと、位相調整を通じて取得されたM個のシンボルを変調して、変調信号を取得し、前記変調信号を送信するステップと、を含む方法を開示する。相応して、本願は、復調方法、送信装置、受信装置、及び通信システムを更に提供する。本発明によると、シンボル処理効率が向上可能であり、遅延が低減可能である。
2019537853.tif 000002
【特許請求の範囲】
【請求項１】
変調方法であって、
符号化処理を生データに対して実行して、符号化シーケンスを取得するステップと、
コンステレーションマッピングを前記符号化シーケンスに対してプリセットコンステレーション図に基づき実行して、M個のシンボルを取得するステップであって、Mは１より大きい整数である、ステップと、
前記M個のシンボルをN個のセグメントに分割するステップであって、Nは１より大きい整数である、ステップと、
前記N個のセグメントの中の各シンボルのコンステレーション位相を取得するステップと、
各セグメント内のシンボルのコンステレーション位相を、プリセット位相調整ルールに従い調整するステップであって、前記N個のセグメントは同時に調整される、ステップと、
位相調整を通じて取得されたM個のシンボルを変調して、変調信号を取得し、前記変調信号を送信するステップと、
を含む方法。
【請求項２】
各セグメント内のシンボルのコンステレーション位相を、プリセット位相調整ルールに従い調整する前記ステップは、
前記N個のセグメントの各々の中のセグメント内基準シンボルを決定するステップであって、前記セグメント内基準シンボルは２≦Ri≦Mi−１を満たす、ステップと、
前記N個のセグメントの中で１≦i≦N且つRi<j≦Miを満たすシンボルについて、該シンボルのコンステレーション位相をφij=θij+θi(j−１)+・・・θi(Ri−１)+θiRiに従い調整するステップであって、iはセグメントのシーケンス番号を表し、jは前記N個のセグメントの中のシンボルのシーケンス番号を表し、Miはi番目のセグメントの中のシンボルの数を表し、M１+M２+・・・MN=M、Riは前記i番目のセグメントの中のセグメント内基準シンボルのシーケンス番号を表し、θijは前記i番目のセグメントの中のj番目のシンボルのコンステレーション位相を表し、φijはθijが調整される位相を表し、i、j、Ri、及びMiは全て正整数であり、Mi≧３である、ステップと、
前記N個のセグメントの中で１≦i≦N且つ１≦j<Riを満たすシンボルについて、該シンボルのコンステレーション位相をφij=θij+θi(j+１)+・・・+θiRiに従い調整するステップと、
前記N個のセグメントの中で１≦i≦N且つj=Riを満たすシンボルについて、該シンボルのコンステレーション位相をφij=θijに従い調整するステップと、
を含む、請求項１に記載の方法。
【請求項３】
各セグメント内のシンボルのコンステレーション位相を、プリセット位相調整ルールに従い調整する前記ステップは、
前記N個のセグメントの各々の中のセグメント内基準シンボルを決定するステップであって、前記セグメント内基準シンボルはRi=１を満たす、ステップと、
前記N個のセグメントの中で１≦i≦N且つ１<j≦Miを満たすシンボルについて、該シンボルのコンステレーション位相をφij=θij+θi(j−１)+・・・θi(Ri−１)+θiRiに従い調整するステップであって、iはセグメントのシーケンス番号を表し、jは前記N個のセグメントの中のシンボルのシーケンス番号を表し、Miはi番目のセグメントの中のシンボルの数を表し、M１+M２+・・・MN=M、Riは前記i番目のセグメントの中のセグメント内基準シンボルのシーケンス番号を表し、θijは前記i番目のセグメントの中のj番目のシンボルのコンステレーション位相を表し、φijはθijが調整される位相を表し、i、j、Ri、及びMiは全て正整数であり、Mi≧２である、ステップと、
前記N個のセグメントの中で１≦i≦N且つj=１を満たすシンボルについて、該シンボルのコンステレーション位相をφij=θijに従い調整するステップと、
を含む、請求項１に記載の方法。
【請求項４】
各セグメント内のシンボルのコンステレーション位相を、プリセット位相調整ルールに従い調整する前記ステップは、
前記N個のセグメントの各々の中のセグメント内基準シンボルを決定するステップであって、前記セグメント内基準シンボルは２≦Ri≦Mi−１を満たす、ステップと、
前記N個のセグメントの中で１≦i≦N、１≦j≦Mi、且つj≠Riを満たすシンボルについて、該シンボルのコンステレーション位相をφij=θij+θiRiに従い調整するステップであって、Nはセグメントの数を表し、iはセグメントのシーケンス番号を表し、Miはi番目のセグメントの中のシンボルの数を表し、M１+M２+・・・MN=M、Riは前記i番目のセグメントの中のセグメント内基準シンボルのシーケンス番号を表し、jは前記N個のセグメントの中のシンボルのシーケンス番号を表し、θijは前記i番目のセグメントの中のj番目のシンボルのコンステレーション位相を表し、φijはθijが調整される位相を表し、i、j、Ri、及びMiは全て正整数であり、Mi≧３である、ステップと、
前記N個のセグメントの中で１≦i≦N且つj=Riを満たすシンボルについて、該シンボルのコンステレーション位相をφij=θijに従い調整するステップと、
を含む、請求項１に記載の方法。
【請求項５】
各セグメント内のシンボルのコンステレーション位相を、プリセット位相調整ルールに従い調整する前記ステップは、
前記N個のセグメントの各々の中のセグメント内基準シンボルを決定するステップであって、前記セグメント内基準シンボルはRi=１を満たす、ステップと、
前記N個のセグメントの中の１≦i≦N且つ１<j≦Miを満たすシンボルについて、該シンボルのコンステレーション位相をφij=θij+θiRiに従い調整するステップであって、Nはセグメントの数を表し、iはセグメントのシーケンス番号を表し、Miはi番目のセグメントの中のシンボルの数を表し、M１+M２+・・・MN=M、Mは前記N個のセグメントの中のシンボルの総数を表し、Riは前記i番目のセグメントの中のセグメント内基準シンボルのシーケンス番号を表し、jは前記N個のセグメントの中のシンボルのシーケンス番号を表し、θijは前記i番目のセグメントの中のj番目のシンボルのコンステレーション位相を表し、φijはθijが調整される位相を表し、i、j、Ri、及びMiは全て正整数であり、Mi≧２である、ステップと、
前記N個のセグメントの中の１≦i≦N且つj=Riを満たすシンボルについて、該シンボルのコンステレーション位相をφij=θijに従い調整するステップと、
を含む請求項１に記載の方法。
【請求項６】
各セグメント内のシンボルのコンステレーション位相を、プリセット位相調整ルールに従い調整する前記ステップは、
前記N個のセグメントの各々の中のセグメント内基準シンボルを決定するステップであって、前記セグメント内基準シンボルは２≦Ri≦Mi−１を満たす、ステップと、
前記N個のセグメントの中の１≦i≦Nを満たすセグメント内基準シンボルについて、該セグメント内基準シンボルのコンステレーション位相をφiRi=θiRi+θ(i−１)(Ri−１)+・・・θ２R２+θ１R１に従い調整するステップであって、Nはセグメントの数を表し、iはセグメントのシーケンス番号を表し、Riはi番目のセグメントの中のセグメント内基準シンボルのシーケンス番号を表し、θiRiは前記i番目のセグメントの中の前記基準シンボルのコンステレーション位相を表し、φiRiはθiRiが調整されるセグメント内基準シンボルの位相を表す、ステップと、
前記N個のセグメントの中の１≦i≦N且つRi<j≦Miを満たすシンボルについて、該シンボルのコンステレーション位相をφij=θij+θi(j−１)+・・・θi(Ri−１)+θiRiに従い調整するステップであって、Miは前記i番目のセグメントの中のシンボルの数を表し、M１+M２+・・・MN=M、Mは前記N個のセグメントの中のシンボルの総数を表し、jは前記N個のセグメントの中のシンボルのシーケンス番号を表し、θijは前記i番目のセグメントのj番目のシンボルのコンステレーション位相を表し、φijはθijがプリセット位相ルールに従い調整される位相を表し、i、j、Ri、及びMiは全て正整数であり、Mi≧２である、ステップと、
前記N個のセグメントの中の１≦i≦N且つ１≦j<Riを満たすシンボルについて、該シンボルのコンステレーション位相を式φij=θij+θi(j+１)+・・・φiRiに従い調整するステップと、
前記N個のセグメントの中の１≦i≦N且つj=Riを満たすシンボルについて、該シンボルの位相をφij=θijに従い調整するステップと、
を含む、請求項１に記載の方法。
【請求項７】
各セグメント内のシンボルのコンステレーション位相を、プリセット位相調整ルールに従い調整する前記ステップは、
前記N個のセグメントの各々の中のセグメント内基準シンボルを決定するステップであって、前記セグメント内基準シンボルはRi=１を満たす、ステップと、
前記N個のセグメントの中の１≦i≦Nを満たすセグメント内基準シンボルについて、該セグメント内基準シンボルのコンステレーション位相をφiRi=θiRi+θ(i−１)(Ri−１)+・・・θ２R２+θ１R１に従い調整するステップであって、Nはセグメントの数を表し、iはセグメントのシーケンス番号を表し、Riはi番目のセグメントの中のセグメント内基準シンボルのシーケンス番号を表し、θiRiは前記i番目のセグメントの中の前記基準シンボルのコンステレーション位相を表し、φiRiはθiRiが調整されるセグメント内基準シンボルの位相を表す、ステップと、
前記N個のセグメントの中の１≦i≦N且つ１<j≦Miを満たすシンボルについて、該シンボルのコンステレーション位相をφij=θij+θi(j−１)+・・・θi(Ri−１)+φiRiに従い調整するステップであって、Miは前記i番目のセグメントの中のシンボルの数を表し、M１+M２+・・・MN=M、jは前記N個のセグメントの中のシンボルのシーケンス番号を表し、θijは前記i番目のセグメントのj番目のシンボルのコンステレーション位相を表し、φijはθijがプリセット位相調整ルールに従い調整される位相を表し、i、j、Ri、及びMiは全て正整数であり、Mi≧２である、ステップと、
前記N個のセグメントの中の１≦i≦N且つj=Riを満たすシンボルについて、該シンボルの位相をφij=θijに従い調整するステップと、
を含む、請求項１に記載の方法。
【請求項８】
各セグメント内のシンボルのコンステレーション位相を、プリセット位相調整ルールに従い調整する前記ステップは、
前記N個のセグメントの中の各シンボル内のセグメント内基準シンボルを決定するステップであって、前記セグメント内基準シンボルは２≦Ri≦Mi−１を満たす、ステップと、
前記N個のセグメントの中の１≦i≦Nを満たすセグメント内基準シンボルについて、該セグメント内基準シンボルのコンステレーション位相をφiRi=θiRi+θ(i−１)(Ri−１)+・・・θ２R２+θ１R１に従い調整するステップであって、Nはセグメントの数を表し、iはセグメントのシーケンス番号を表し、Riはi番目のセグメントの中のセグメント内基準シンボルのシーケンス番号を表し、θiRiは前記i番目のセグメントの中の前記基準シンボルのコンステレーション位相を表し、φiRiはθiRiが調整されるセグメント内基準シンボルの位相を表す、ステップと、
前記N個のセグメントの中の１≦i≦N、１≦j≦Ri、且つj≠Riを満たすシンボルについて、該シンボルのコンステレーション位相をφij=θij+φiRiに従い調整するステップであって、Miは前記i番目のセグメントの中のシンボルの数を表し、M１+M２+・・・MN=M、jは前記N個のセグメントの中のシンボルのシーケンス番号を表し、θijは前記i番目のセグメントのj番目のシンボルのコンステレーション位相を表し、φijはθijがプリセット位相調整ルールに従い調整される位相を表し、i、j、Ri、及びMiは全て正整数であり、Mi≧３である、ステップと、
前記N個のセグメントの中の１≦i≦N且つj=Riを満たすシンボルについて、該シンボルの位相をφij=θijに従い調整するステップと、
を含む、請求項１に記載の方法。
【請求項９】
各セグメント内のシンボルのコンステレーション位相を、プリセット位相調整ルールに従い調整する前記ステップは、
前記N個のセグメントの中の各シンボル内のセグメント内基準シンボルを決定するステップであって、前記セグメント内基準シンボルはRi=１を満たす、ステップと、
前記N個のセグメントの中の１≦i≦Nを満たすセグメント内基準シンボルについて、該セグメント内基準シンボルのコンステレーション位相をφiRi=θiRi+θ(i−１)(Ri−１)+・・・θ２R２+θ１R１に従い調整するステップであって、Nはセグメントの数を表し、iはセグメントのシーケンス番号を表し、Riはi番目のセグメントの中のセグメント内基準シンボルのシーケンス番号を表し、θiRiは前記i番目のセグメントの中の前記基準シンボルのコンステレーション位相を表し、φijはθiRiが調整される前記セグメント内基準シンボルの位相を表す、ステップと、
前記N個のセグメントの中の１≦i≦N且つ１<j≦Mを満たすシンボルについて、該シンボルのコンステレーション位相をφij=θij+φiRiに従い調整するステップであって、Miは前記i番目のセグメントの中のシンボルの数を表し、M１+M２+・・・MN=M、jはシンボルのシーケンス番号を表し、θijは前記i番目のセグメントのj番目のシンボルのコンステレーション位相を表し、φijはθijがプリセット位相調整ルールに従い調整される位相を表し、i、j、Ri、及びMiは全て正整数であり、Mi≧２である、ステップと、
前記N個のセグメントの中の１≦i≦N且つj=１を満たすシンボルについて、該シンボルの位相をφij=θijに従い調整するステップと、
を含む、請求項１に記載の方法。
【請求項１０】
前記セグメント内基準シンボルはパイロットシンボルである、請求項２乃至９のいずれか一項に記載の方法。
【請求項１１】
送信装置であって、
符号化処理を生データに対して実行して、符号化シーケンスを取得するよう構成される符号化モジュールと、
コンステレーションマッピングを前記符号化シーケンスに対してプリセットコンステレーション図に基づき実行して、M個のシンボルを取得するよう構成されるマッピングモジュールであって、Mは１より大きい整数である、マッピングモジュールと、
前記M個のシンボルをN個のセグメントに分割するよう構成されるグルーピングモジュールであって、Nは１より大きい整数である、グルーピングモジュールと、
前記N個のセグメントの中の各シンボルのコンステレーション位相を取得するよう構成される取得モジュールと、
各セグメント内のシンボルのコンステレーション位相を、プリセット位相調整ルールに従い調整するよう構成される調整モジュールであって、前記N個のセグメントは同時に調整される、調整モジュールと、
位相調整を通じて取得されたM個のシンボルを変調して、変調信号を取得し、前記変調信号を送信するよう構成される変調モジュールと、
を含む送信装置。
【請求項１２】
前記調整モジュールは、
前記N個のセグメントの各々の中のセグメント内基準シンボルを決定し、前記セグメント内基準シンボルは２≦Ri≦Mi−１を満たし、
前記N個のセグメントの中の１≦i≦N且つRi<j≦Miを満たすシンボルについて、該シンボルのコンステレーション位相をφij=θij+θi(j−１)+・・・θi(Ri−１)+θiRiに従い調整し、iはセグメントのシーケンス番号を表し、jは前記N個のセグメントの中のシンボルのシーケンス番号を表し、Miはi番目のセグメントの中のシンボルの数を表し、M１+M２+・・・MN=M、Riは前記i番目のセグメントの中のセグメント内基準シンボルのシーケンス番号を表し、θijは前記i番目のセグメントの中のj番目のシンボルのコンステレーション位相を表し、φijはθijが調整される位相を表し、i、j、Ri、及びMiは全て正整数であり、Mi≧３であり、
前記N個のセグメントの中の１≦i≦N且つ１≦j<Riを満たすシンボルについて、該シンボルのコンステレーション位相をφij=θij+θi(j+１)+・・・+θiRiに従い調整し、
前記N個のセグメントの中の１≦i≦N且つj=Riを満たすシンボルについて、該シンボルのコンステレーション位相をφij=θijに従い調整する、
よう構成される、請求項１１に記載の送信装置。
【請求項１３】
前記調整モジュールは、
前記N個のセグメントの各々の中のセグメント内基準シンボルを決定し、前記セグメント内基準シンボルはRi=１を満たし、
前記N個のセグメントの中の１≦i≦N且つ１<j≦Miを満たすシンボルについて、該シンボルのコンステレーション位相をφij=θij+θi(j−１)+・・・θi(Ri−１)+θiRiに従い調整し、iはセグメントのシーケンス番号を表し、jは前記N個のセグメントの中のシンボルのシーケンス番号を表し、Miはi番目のセグメントの中のシンボルの数を表し、M１+M２+・・・MN=M、Riは前記i番目のセグメントの中のセグメント内基準シンボルのシーケンス番号を表し、θijは前記i番目のセグメントの中のj番目のシンボルのコンステレーション位相を表し、φijはθijが調整される位相を表し、i、j、Ri、及びMiは全て正整数であり、Mi≧２であり、
前記N個のセグメントの中の１≦i≦N且つj=１を満たすシンボルについて、該シンボルのコンステレーション位相をφij=θijに従い調整する、
よう構成される、請求項１１に記載の送信装置。
【請求項１４】
前記調整モジュールは、
前記N個のセグメントの各々の中のセグメント内基準シンボルを決定し、前記セグメント内基準シンボルは２≦Ri≦Mi−１を満たし、
前記N個のセグメントの中の１≦i≦N、１≦j≦Mi、且つj≠Riを満たすシンボルについて、該シンボルのコンステレーション位相をφij=θij+θiRiに従い調整し、Nはセグメントの数を表し、iはセグメントのシーケンス番号を表し、Miはi番目のセグメントの中のシンボルの数を表し、M１+M２+・・・MN=M、Riは前記i番目のセグメントの中のセグメント内基準シンボルのシーケンス番号を表し、jは前記N個のセグメントの中のシンボルのシーケンス番号を表し、θijは前記i番目のセグメントの中のj番目のシンボルのコンステレーション位相を表し、φijはθijが調整される位相を表し、i、j、Ri、及びMiは全て正整数であり、Mi≧３であり、
前記N個のセグメントの中の１≦i≦N且つj=Riを満たすシンボルについて、該シンボルのコンステレーション位相をφij=θijに従い調整する、
よう構成される、請求項１１に記載の送信装置。
【請求項１５】
前記調整モジュールは、
前記N個のセグメントの各々の中のセグメント内基準シンボルを決定し、前記セグメント内基準シンボルはRi=１を満たし、
前記N個のセグメントの中の１≦i≦N且つ１<j≦Miを満たすシンボルについて、該シンボルのコンステレーション位相をφij=θij+θiRiに従い調整し、Nはセグメントの数を表し、iはセグメントのシーケンス番号を表し、Miはi番目のセグメントの中のシンボルの数を表し、M１+M２+・・・MN=M、Mは前記N個のセグメントの中のシンボルの総数を表し、Riは前記i番目のセグメントの中のセグメント内基準シンボルのシーケンス番号を表し、jは前記N個のセグメントの中のシンボルのシーケンス番号を表し、θijは前記i番目のセグメントの中のj番目のシンボルのコンステレーション位相を表し、φijはθijが調整される位相を表し、i、j、Ri、及びMiは全て正整数であり、Mi≧２であり、
前記N個のセグメントの中の１≦i≦N且つj=Riを満たすシンボルについて、該シンボルのコンステレーション位相をφij=θijに従い調整する、
よう構成される、請求項１１に記載の送信装置。
【請求項１６】
前記調整モジュールは、
前記N個のセグメントの各々の中のセグメント内基準シンボルを決定し、前記セグメント内基準シンボルは２≦Ri≦Mi−１を満たし、
前記N個のセグメントの中の１≦i≦Nを満たすセグメント内基準シンボルについて、該セグメント内基準シンボルのコンステレーション位相をφiRi=θiRi+θ(i−１)(Ri−１)+・・・θ２R２+θ１R１に従い調整し、Nはセグメントの数を表し、iはセグメントのシーケンス番号を表し、Riはi番目のセグメントの中のセグメント内基準シンボルのシーケンス番号を表し、θiRiは前記i番目のセグメントの中の前記基準シンボルのコンステレーション位相を表し、φiRiはθiRiが調整される前記セグメント内基準シンボルの位相を表し、
前記N個のセグメントの中の１≦i≦N且つRi<j≦Miを満たすシンボルについて、該シンボルのコンステレーション位相をφij=θij+θi(j−１)+・・・θi(Ri−１)+φiRiに従い調整し、Miは前記i番目のセグメントの中のシンボルの数を表し、M１+M２+・・・MN=M、Mは前記N個のセグメントの中のシンボルの総数を表し、jは前記N個のセグメントの中のシンボルのシーケンス番号を表し、θijは前記i番目のセグメントの中のj番目のシンボルのコンステレーション位相を表し、φijはφijがプリセット位相調整ルールに従い調整される位相を表し、i、j、Ri、及びMiは全て正整数であり、Mi≧２であり、
前記N個のセグメントの中の１≦i≦N且つ１≦j<Riを満たすシンボルについて、該シンボルのコンステレーション位相を式φij=θij+θi(j+１)+・・・+φiRiに従い調整し、
前記N個のセグメントの中の１≦i≦N且つj=Riを満たすシンボルについて、該シンボルの位相をφij=θijに従い調整する、
よう構成される、請求項１１に記載の送信装置。
【請求項１７】
前記調整モジュールは、
前記N個のセグメントの各々の中のセグメント内基準シンボルを決定し、前記セグメント内基準シンボルはRi=１を満たし、
前記N個のセグメントの中の１≦i≦Nを満たすセグメント内基準シンボルについて、該セグメント内基準シンボルのコンステレーション位相をφiRi=θiRi+θ(i−１)(Ri−１)+・・・θ２R２+θ１R１に従い調整し、Nはセグメントの数を表し、iはセグメントのシーケンス番号を表し、Riはi番目のセグメントの中のセグメント内基準シンボルのシーケンス番号を表し、θiRiは前記i番目のセグメントの中の前記基準シンボルのコンステレーション位相を表し、φiRiはθiRiが調整される前記セグメント内基準シンボルの位相を表し、
前記N個のセグメントの中の１≦i≦N且つ１<j≦Miを満たすシンボルについて、該シンボルのコンステレーション位相をφij=θij+θi(j−１)+・・・θi(Ri−１)+φiRiに従い調整し、Miは前記i番目のセグメントの中のシンボルの数を表し、M１+M２+・・・MN=M、jは前記N個のセグメントの中のシンボルのシーケンス番号を表し、θijは前記i番目のセグメントの中のj番目のシンボルのコンステレーション位相を表し、φijはθijがプリセット位相調整ルールに従い調整される位相を表し、i、j、Ri、及びMiは全て正整数であり、Mi≧２であり、
前記N個のセグメントの中の１≦i≦N且つj=Riを満たすシンボルについて、該シンボルの位相をφij=θijに従い調整する、
よう構成される、請求項１１に記載の送信装置。
【請求項１８】
前記調整モジュールは、
前記N個のセグメントの中の各シンボルの中のセグメント内基準シンボルを決定し、前記セグメント内基準シンボルは２≦Ri≦Mi−１を満たし、
前記N個のセグメントの中の１≦i≦Nを満たすセグメント内基準シンボルについて、該セグメント内基準シンボルのコンステレーション位相をφiRi=θiRi+θ(i−１)(Ri−１)+・・・θ２R２+θ１R１に従い調整し、Nはセグメントの数を表し、iはセグメントのシーケンス番号を表し、Riはi番目のセグメントの中のセグメント内基準シンボルのシーケンス番号を表し、θiRiは前記i番目のセグメントの中の前記基準シンボルのコンステレーション位相を表し、φiRiはθiRiが調整される前記セグメント内基準シンボルの位相を表し、
前記N個のセグメントの中の１≦i≦N、１≦j≦Ri且つj≠Riを満たすシンボルについて、該シンボルのコンステレーション位相をφij=θij+φiRiに従い調整し、Miは前記i番目のセグメントの中のシンボルの数を表し、M１+M２+・・・MN=M、jは前記N個のセグメントの中のシンボルのシーケンス番号を表し、θijは前記i番目のセグメントの中のj番目のシンボルのコンステレーション位相を表し、φijはθijがプリセット位相調整ルールに従い調整される位相を表し、i、j、Ri、及びMiは全て正整数であり、Mi≧３であり、
前記N個のセグメントの中の１≦i≦N且つj=Riを満たすシンボルについて、該シンボルの位相をφij=θijに従い調整する、
よう構成される、請求項１１に記載の送信装置。
【請求項１９】
前記調整モジュールは、
前記N個のセグメントの各シンボルの中のセグメント内基準シンボルを決定し、前記セグメント内基準シンボルはRi=１を満たし、
前記N個のセグメントの中の１≦i≦Nを満たすセグメント内基準シンボルについて、該セグメント内基準シンボルのコンステレーション位相をφiRi=θiRi+θ(i−１)(Ri−１)+・・・θ２R２+θ１R１に従い調整し、Nはセグメントの数を表し、iはセグメントのシーケンス番号を表し、Riはi番目のセグメントの中のセグメント内基準シンボルのシーケンス番号を表し、θiRiは前記i番目のセグメントの中の前記基準シンボルのコンステレーション位相を表し、φiRiはθiRiが調整される前記セグメント内基準シンボルの位相を表し、
前記N個のセグメントの中の１≦i≦N且つ１<j≦Miを満たすシンボルについて、該シンボルのコンステレーション位相をφij=θij+φiRiに従い調整し、Miは前記i番目のセグメントの中のシンボルの数を表し、M１+M２+・・・MN=M、jはシンボルのシーケンス番号を表し、θijは前記i番目のセグメントの中のj番目のシンボルのコンステレーション位相を表し、φijはθijがプリセット位相調整ルールに従い調整される位相を表し、i、j、Ri、及びMiは全て正整数であり、Mi≧２であり、
前記N個のセグメントの中の１≦i≦N且つj=１を満たすシンボルについて、該シンボルの位相をφij=θijに従い調整する、
よう構成される、請求項１１に記載の送信装置。
【請求項２０】
前記セグメント内基準シンボルはパイロットシンボルである、請求項１１乃至１９のいずれか一項に記載の送信装置。
【請求項２１】
受信装置であって、
変調信号を受信し、前記調整信号を復調してM個のシンボルを取得するよう構成される受信モジュールであって、Mは１より大きい正整数である、受信モジュールと、
前記M個のシンボルをN個のグループに分割するよう構成される再グルーピングモジュールであって、Nは１より大きい正整数である、再グルーピングモジュールと、
前記N個のセグメントの中の各シンボルの位相を取得するよう構成される位相取得モジュールと、
各セグメント内のシンボルの位相をプリセット位相逆調整ルールに従い調整するよう構成される逆調整モジュールであって、位相調整は前記N個のセグメントに対して同時に実行される、逆調整モジュールと、
プリセットコンステレーション図に基づき、コンステレーション逆マッピングを位相調整を通じて取得されたM個のシンボルに対して実行し、符号化シーケンスを取得するよう構成される逆マッピングモジュールと、
復号処理を前記符号化シーケンスに対して実行して生データを取得するよう構成される復号モジュールと、
を含む受信装置。
【請求項２２】
前記逆調整モジュールは、
前記N個のセグメントの各々の中のセグメント内基準シンボルを決定し、前記セグメント内基準シンボルは２≦Ri≦Mi−１を満たし、
前記N個のセグメントの中の１≦i≦N且つRi<j≦Miを満たすシンボルについて、該シンボルの位相をθij=φij−φi(j−１)に従い調整し、Nはセグメントの数を表し、iはセグメントのシーケンス番号を表し、Miはi番目のセグメントの中のシンボルの数を表し、M１+M２+・・・MN=M、Riは前記i番目のセグメントの中のセグメント内基準シンボルのシーケンス番号を表し、jはシンボルのシーケンス番号を表し、φijは前記i番目のセグメントの中のj番目のシンボルの位相を表し、θijはφijが調整される位相を表し、i、j、Ri、及びMiは全て正整数であり、Mi≧３であり、
前記N個のセグメントの中の１≦i≦N且つ１≦j<Riを満たすシンボルについて、該シンボルの位相をθij=φij−φi(j+１)に従い調整し、
前記N個のセグメントの中の１≦i≦N且つj=Riを満たすシンボルについて、該シンボルの位相をθij=φijに従い調整する、
よう構成される、請求項２１に記載の受信装置。
【請求項２３】
前記逆調整モジュールは、
前記N個のセグメントの各々の中のセグメント内基準シンボルを決定し、前記セグメント内基準シンボルはRi=１を満たし、
前記N個のセグメントの中の１≦i≦N且つ１<j≦Miを満たすシンボルについて、該シンボルの位相をθij=φij−φi(j−１)に従い調整し、Nはセグメントの数を表し、iはセグメントのシーケンス番号を表し、Miはi番目のセグメントの中のシンボルの数を表し、M１+M２+・・・MN=M、Riは前記i番目のセグメントの中のセグメント内基準シンボルのシーケンス番号を表し、jはシンボルのシーケンス番号を表し、φijは前記i番目のセグメントの中のj番目のシンボルの位相を表し、θijはφijが調整される位相を表し、i、j、Ri、及びMiは全て正整数であり、Mi≧２であり、
前記N個のセグメントの中の１≦i≦N且つj=１を満たすシンボルについて、該シンボルの位相をθij=φijに従い調整する、
よう構成される、請求項２１に記載の受信装置。
【請求項２４】
前記逆調整モジュールは、
前記N個のセグメントの各々の中のセグメント内基準シンボルを決定し、前記セグメント内基準シンボルは２≦Ri≦Mi−１を満たし、
前記N個のセグメントの中の１≦i≦N、１≦j≦Mi且つj≠Riを満たすシンボルについて、該シンボルの位相をθij=φij−φiRiに従い調整し、Nはセグメントの数を表し、iはセグメントのシーケンス番号を表し、Miはi番目のセグメントの中のシンボルの数を表し、M１+M２+・・・MN=M、Riは前記i番目のセグメントの中のセグメント内基準シンボルのシーケンス番号を表し、jはシンボルのシーケンス番号を表し、φijは前記i番目のセグメントの中のj番目のシンボルの位相を表し、θijはφijが調整される位相を表し、i、j、Ri、及びMiは全て正整数であり、Mi≧２であり、
前記N個のセグメントの中の１≦i≦N且つj=Riを満たすシンボルについて、該シンボルの位相をθij=φijに従い調整する、
よう構成される、請求項２１に記載の受信装置。
【請求項２５】
前記逆調整モジュールは、
前記N個のセグメントの各々の中のセグメント内基準シンボルを決定し、前記セグメント内基準シンボルはRi=１を満たし、
前記N個のセグメントの中の１≦i≦N且つ１<j≦Miを満たすシンボルについて、該シンボルの位相をθij=φij−φiRiに従い調整し、Nはセグメントの数を表し、iはセグメントのシーケンス番号を表し、Miはi番目のセグメントの中のシンボルの数を表し、M１+M２+・・・MN=M、Riは前記i番目のセグメントの中のセグメント内基準シンボルのシーケンス番号を表し、jはシンボルのシーケンス番号を表し、φijは前記i番目のセグメントの中のj番目のシンボルの位相を表し、θijはφijが調整される位相を表し、i、j、Ri、及びMiは全て正整数であり、Mi≧２であり、
前記N個のセグメントの中の１≦i≦N且つj=１を満たすシンボルについて、該シンボルの位相をθij=φijに従い調整する、
よう構成される、請求項２１に記載の受信装置。
【請求項２６】
前記逆調整モジュールは、
前記N個のセグメントの各々の中のセグメント内基準シンボルを決定し、前記セグメント内基準シンボルは２≦Ri≦Mi−１を満たし、
前記N個のセグメントの中の１≦i≦Nを満たすセグメント内基準シンボルについて、該セグメント内基準シンボルの位相をθiRi=φiRi−φ(i−１)(Ri−１)に従い調整し、Nはセグメントの数を表し、iはセグメントのシーケンス番号を表し、Riはi番目のセグメントの中のセグメント内基準シンボルのシーケンス番号を表し、φiRiは前記i番目のセグメントの中の前記基準シンボルの位相を表し、θiRiはφiRiが調整される位相を表し、
前記N個のセグメントの中のRi+１<j≦Miを満たすシンボルについて、該シンボルのコンステレーション位相を式θij=φij−φi(j−１)に従い調整し、Miは前記i番目のセグメントの中のシンボルの数を表し、M１+M２+・・・MN=M、jはシンボルのシーケンス番号を表し、φijは前記i番目のセグメントの中のj番目のシンボルのコンステレーション位相を表し、θijはφijが調整される位相を表し、i、j、Ri、及びMiは全て正整数であり、Mi≧３であり、
前記N個のセグメントの中の１≦i≦N且つj=Ri+１を満たすシンボルについて、該シンボルの位相をθi(Ri+１)=φi(Ri+１)−θiRiに従い調整し、
前記N個のセグメントの中の１≦i≦N且つ１≦j<Ri−１を満たすシンボルについて、該シンボルの位相をθij=φij−φi(j+１)に従い調整し、
前記N個のセグメントの中の１≦i≦N且つj=Ri−１を満たすシンボルについて、該シンボルの位相をθi(Ri−１)=φi(Ri−１)−θiRiに従い調整し、
前記N個のセグメントの中の１≦i≦N且つj=Riを満たすシンボルについて、該シンボルの位相をθij=φijに従い調整する、
よう構成される、請求項２１に記載の受信装置。
【請求項２７】
前記逆調整モジュールは、
前記N個のセグメントの各々の中のセグメント内基準シンボルを決定し、前記セグメント内基準シンボルはRi=１を満たし、
前記N個のセグメントの中の１≦i≦Nを満たすセグメント内基準シンボルについて、該セグメント内基準シンボルの位相をθiRi=φiRi−φ(i−１)(Ri−１)に従い調整し、Nはセグメントの数を表し、iはセグメントのシーケンス番号を表し、Riはi番目のセグメントの中のセグメント内基準シンボルのシーケンス番号を表し、φiRiは前記i番目のセグメントの中の前記基準シンボルの位相を表し、θiRiはφiRiが調整される位相を表し、
前記N個のセグメントの中の２<j≦Miを満たすシンボルについて、該シンボルのコンステレーション位相を式θij=φij−φi(j−１)に従い調整し、Miは前記i番目のセグメントの中のシンボルの数を表し、M１+M２+・・・MN=M、jはシンボルのシーケンス番号を表し、φijは前記i番目のセグメントの中のj番目のシンボルのコンステレーション位相を表し、θijはφijが調整される位相を表し、i、j、Ri、及びMiは全て正整数であり、Mi≧３であり、
前記N個のセグメントの中の１≦i≦N且つj=２を満たすシンボルについて、該シンボルの位相をθi(Ri+１)=φi(Ri+１)−θiRiに従い調整し、
前記N個のセグメントの中の１≦i≦N且つj=１を満たすシンボルについて、該シンボルの位相をθij=φijに従い調整する、
よう構成される、請求項２１に記載の受信装置。
【請求項２８】
前記逆調整モジュールは、
前記N個のセグメントの中の各シンボルの中のセグメント内基準シンボルを決定し、前記セグメント内基準シンボルは２≦Ri≦Mi−１を満たし、
前記N個のセグメントの中の１≦i≦Nを満たすセグメント内基準シンボルについて、該セグメント内基準シンボルの位相をθiRi=φiRi−φ(i−１)(Ri−１)に従い調整し、Nはセグメントの数を表し、iはセグメントのシーケンス番号を表し、Riはi番目のセグメントの中のセグメント内基準シンボルのシーケンス番号を表し、φiRiは前記i番目のセグメントの中の前記基準シンボルのコンステレーション位相を表し、θiRiはφiRiが調整される前記セグメント内基準シンボルの位相を表し、
前記N個のセグメントの中の１≦i≦N、１≦j≦Mi、且つj≠Riを満たすシンボルについて、該シンボルの位相を式θij=φij−θiRiに従い調整し、Miは前記i番目のセグメントの中のシンボルの数を表し、M１+M２+・・・MN=M、jはシンボルのシーケンス番号を表し、φijは前記i番目のセグメントの中のj番目のシンボルのコンステレーション位相を表し、θijはφijが調整される位相を表し、i、j、Ri、及びMiは全て正整数であり、Mi≧３であり、
前記N個のセグメントの中の１≦i≦N且つj=Riを満たすシンボルについて、該シンボルの位相をθij=φijに従い調整する、
よう構成される、請求項２１に記載の受信モジュール。
【請求項２９】
前記逆調整モジュールは、
前記N個のセグメントの中の各シンボルの中のセグメント内基準シンボルを決定し、前記セグメント内基準シンボルはRi=１を満たし、
前記N個のセグメントの中の１≦i≦Nを満たすセグメント内基準シンボルについて、該セグメント内基準シンボルの位相をθiRi=φiRi−φ(i−１)(Ri−１)に従い調整し、Nはセグメントの数を表し、iはセグメントのシーケンス番号を表し、Riはi番目のセグメントの中のセグメント内基準シンボルのシーケンス番号を表し、φiRiは前記i番目のセグメントの中の前記基準シンボルのコンステレーション位相を表し、θiRiはφiRiが調整される前記セグメント内基準シンボルの位相を表し、
前記N個のセグメントの中の１≦i≦N且つ１<j≦Miを満たすシンボルについて、該シンボルの位相を式θij=φij−θiRiに従い調整し、Miは前記i番目のセグメントの中のシンボルの数を表し、M１+M２+・・・MN=M、jはシンボルのシーケンス番号を表し、φijは前記i番目のセグメントの中のj番目のシンボルのコンステレーション位相を表し、θijはφijが調整される位相を表し、i、j、Ri、及びMiは全て正整数であり、Mi≧２であり、
前記N個のセグメントの中の１≦i≦N且つj=１を満たすシンボルについて、該シンボルの位相をθij=φijに従い調整する、
よう構成される、請求項２１に記載の受信装置。
【請求項３０】
通信システムであって、送信装置と受信装置とを含み、
前記送信装置は、符号化処理を生データに対して実行して、符号化シーケンスを取得し、コンステレーションマッピングを前記符号化シーケンスに対してプリセットコンステレーション図に基づき実行して、M個のシンボルを取得し、前記M個のシンボルをN個のセグメントに分割し、前記N個のセグメントの中の各シンボルのコンステレーション位相を取得し、
各セグメントの中のシンボルのコンステレーション位相を、プリセット位相調整ルールに従い調整し、前記N個のセグメントは同時に調整され、位相調整を通じて取得されたM個のシンボルを変調して、変調信号を取得し、前記変調信号を送信し、Nは１より大きい整数であり、Mは１より大きい整数である、よう構成され、
前記受信装置は、前記送信装置により送信された前記変調信号を受信し、前記調整信号を復調してM個のシンボルを取得し、前記M個のシンボルをN個のグループに分割し、前記N個のセグメントの中の各シンボルの位相を取得し、各セグメントの中のシンボルの位相をプリセット位相逆調整ルールに従い調整し、位相調整は前記N個のセグメントに対して同時に実行され、プリセットコンステレーション図に基づき、コンステレーション逆マッピングを位相調整を通じて取得されたM個のシンボルに対して実行して符号化シーケンスを取得し、復号処理を前記符号化シーケンスに対して実行して前記生データを取得する、よう構成される、
通信システム。
【発明の詳細な説明】
【技術分野】
【０００１】
本発明は、通信分野に関し、特に変調方法、復調方法、関連装置、及びシステムに関する。
【背景技術】
【０００２】
非線形チャネルのために使用される必要のある変調方法は、比較的小さな包絡線変動を有する。スペクトル帯域幅利用を向上するために、信号送信は、一般的に、振幅及び位相を組み合わせるより高次の変調方法を使用する。キャリアの周波数及び変調次数が比較的高いとき、位相ノイズは比較的大きな影響を変調方法に与える。
【０００３】
例えば、IEEE（Institute  of  Electrical  and  Electronics  Engineers、電気電子技術者協会、略称：IEEE）８０２．１１ad通信プロトコルでは、キャリアの動作帯域は６０GHz（ギガヘルツ）である。SC  PHY（Single  Carrier  Physics、シングルキャリア物理レイヤ、略称：SC  PHY）及びOFDM  PHY（Orthogonal  Frequency  Division  Multiplexing  Physical  Layer、直交周波数分割多重物理レイヤ、略称：OFDM  PHY）は、IEEE８０２．１１ad通信プロトコルで定められる。比較的高いPAPR（Peak  to  Average  Power  Ratio、ピーク対平均電力比、略称：PAPR）により、OFDM  PHYは電力増幅器に対して高い要件を有し、工業化されていない。電力増幅器に対する要件を低減するために、SC  PHYは、最大１６QAM（Quadrature  Amplitude  Modulation、直交振幅変調、略称：QAM）の変調方法しかサポートしない。変調次数が増大される場合、位相ノイズは大きな干渉を引き起こすことがあり、復号後に、ビット誤り率がデータ送信要件に適合しないことがある。
【０００４】
従来技術では、送信処理に導入される位相ノイズを抑制するために、位相調整が、パイロット推定位相ノイズ制御アルゴリズム、例えば線形PNC（Phase  Noise  Cancel、位相ノイズ除去、略称：PNC）アルゴリズムを用いて、データシンボルに対して更に実行されて、変調信号の位相ノイズ抑制能力を拡張する。しかしながら、このような方法では、位相ノイズ抑制能力は限られ、より高次の変調要件を満たすことができない。
【発明の概要】
【０００５】
本発明の実施形態は、変調処理速度を向上するために、変調方法、復調方法、関連装置、及びシステムを開示する。
【０００６】
第１の態様によると、本願は、信号ソースにより、生データを生成するステップであって、前記生データはデジタル信号又はアナログ信号であって良い、ステップと、ビット変換を前記生データに対して実行して、バイナリビットシーケンスを生成するステップと、送信装置により、符号化処理を前記生成したビットシーケンスに対して実行するステップであって、前記符号化処理は限定ではないがソース符号化、チャネル符号化処理、インターリービング符号化、等を含み、符号化シーケンスは前記符号化処理を通じて取得される、ステップと、を含む変調方法を提供する。本願の送信装置は、基地局、移動局、ルータ、ゲートウェイ、又は別のネットワーク装置を含むが、これらに限定されない。送信装置は、符号化シーケンスを変調次数に基づきグループ化してM個のグループを取得する。ここで、各グループ内のビットはシンボル（symbol）であり、各グループ内のビットの数は変調次数に等しい。送信装置は、コンステレーションマッピングを各グループに対してプリセットコンステレーション図により実行する。ここで、コンステレーション図は、ビットグループと振幅との間のマッピング関係、及びビットグループと位相との間のマッピング関係を表す。例えば、コンステレーション図は６４QAMコンステレーション図、１２８APSKコンステレーション図、等であって良い。コンステレーションマッピングを通じて取得されたM個のシンボルのコンステレーション位相及び振幅は、全て知られている。送信装置は、コンステレーションマッピングを通じて取得したM個のシンボルをN個のセグメントに分割する。ここで、Nは１より大きい整数であり、全てのセグメントの中のシンボルの数は同じであって良い。次に、送信装置は、各セグメントに対応するセグメント内基準シンボルを決定する。ここで、各セグメントは１つのセグメント内基準シンボルに対応する。例えば、セグメント内基準シンボルは、セグメントの中の先頭シンボル、最終シンボル、又は中間シンボルである。送信装置は、各セグメント内のコンステレーション位相を、前述のコンステレーションマッピングの結果に基づきプリセット位相調整ルールに従い調整する。位相調整ルールは位相ノイズ抑制能力を拡張するために使用される。位相調整は、N個のセグメントに対して同時に実行される。例えば、４個のセグメントが存在する場合、送信装置は、４個のスレッドを同時に開始して、位相調整を４個のセグメントに対して同時に実行する。位相調整を完了した後に、送信装置は、M個のシンボルを高周波数キャリアにロードし、M個のシンボルを受信装置へ送信して良い。前述の実施形態によると、送信装置の信号の位相ノイズ抑制能力が向上される必要のあるとき、送信装置はコンステレーションマッピングを通じて取得されたシンボルをセグメントに分割する。シンボルの位相は、セグメントに対して同時に調整される。それにより、送信装置の変調効率を向上し、処理時間を削減する。
【０００７】
可能な実装では、送信装置はN個のセグメントの各々の中のセグメント内基準シンボルを決定する。セグメント内基準シンボルはセグメント内の任意の位置にあるシンボルであって良い。例えば、セグメント内の先頭シンボルがセグメント内基準シンボルとして使用され、セグメント内の中間シンボルがセグメント内基準シンボルとして使用され、又はセグメント内の最終シンボルがセグメント内基準シンボルとして使用される。N個のセグメントのいずれか１つについて、送信装置は、セグメント内のシンボルのコンステレーション位相をプリセット位相調整ルールに従い調整する必要がある。調整方法は、セグメント内のセグメント内基準シンボルのコンステレーション位相を不変に保つステップと、セグメント内のシンボルを２つの部分：セグメント内基準シンボルの前のシンボル及びセグメント内基準シンボルの後のシンボルに分割するステップと、セグメント内基準シンボルの前のシンボルについて、該シンボルからセグメント内基準シンボルまで全てのシンボルのコンステレーション位相を加算して該シンボルの新しい位相を取得するステップと、セグメント内基準シンボルの後のシンボルついて、該シンボルからセグメント内基準シンボルまで全てのシンボルのコンステレーション位相を加算して該シンボルの新しい位相を取得するステップと、である。例えば、セグメントは５個のシンボル：Ｓ１、Ｓ２、Ｓ３、Ｓ４、及びＳ５を有し、送信装置によりコンステレーションマッピングを通じて取得された該５個のシンボルのコンステレーション位相は、θ１、θ２、θ３、θ４、及びθ５である。送信装置が、シンボルＳ３はセグメント内基準シンボルであると決定すると仮定すると、シンボルＳ３のコンステレーション位相は不変のままである。シンボルＳ３の後のシンボルＳ４及びシンボルＳ５について、送信装置は、シンボルＳ４のコンステレーション位相を新しい位相φ４＝θ４＋θ３に調整し、送信装置は、シンボルＳ５のコンステレーション位相を新しい位相φ５＝θ５＋θ４＋θ３に調整する。シンボルＳ３の前のシンボルＳ２及びシンボルＳ１について、送信装置は、シンボルＳ２のコンステレーション位相を新しい位相φ２＝θ２＋θ３に調整し、送信装置は、シンボルＳ１のコンステレーション位相を新しい位相φ１＝θ１＋θ２＋θ３に調整する。留意すべきことに、送信装置は、位相調整をセグメント内基準シンボルの前のシンボル及びセグメント内基準シンボルの後のシンボルに対して同時に実行して良い。セグメント内基準シンボルがセグメント内の先頭シンボルであるとき、送信装置は、先頭シンボルの後のシンボルの位相を調整する必要があるだけであり、或いは、セグメント内基準シンボルがセグメント内の最終シンボルであるとき、送信装置は、シンボルの前のシンボルの位相を調整する必要があるだけであることが理解され得る。前述の位相調整ルールは、２つの特別な場合にも適用可能である。前述の実施形態によると、セグメントの数が比較的多いとき、変調信号の位相ノイズ抑制性能に与える影響は小さい。
【０００８】
本願の可能な実装では、送信装置はN個のセグメントの各々の中のセグメント内基準シンボルを決定する。セグメント内基準シンボルはセグメント内の任意の位置に配置されて良い。例えば、セグメント内基準シンボルは、セグメントの中の先頭シンボル、中間シンボル、又は最終シンボルである。N個のセグメントのいずれか１つについて、送信装置は、セグメント内のシンボルのコンステレーション位相をプリセット位相調整ルールに従い調整する必要がある。調整方法は、セグメント内のセグメント内基準シンボルのコンステレーション位相を不変に保つステップと、セグメント内基準シンボルと異なるシンボルについて、該シンボルのコンステレーション位相及びセグメント内基準シンボルのコンステレーション位相を加算して、該シンボルの新しい位相を取得するステップと、である。例えば、セグメントは５個のシンボル：Ｓ１、Ｓ２、Ｓ３、Ｓ４、及びＳ５を含み、送信装置によりコンステレーションマッピングを通じて取得された該５個のシンボルのコンステレーション位相は、それぞれθ１、θ２、θ３、θ４、及びθ５である。送信装置は、Ｓ３がセグメント内基準シンボルであると決定すると仮定すると、セグメント内基準シンボルＳ３と異なる他のシンボルＳ１、Ｓ２、Ｓ４、及びＳ５について、送信装置は、シンボルＳ１のコンステレーション位相を新しい位相φ１＝θ１＋θ３に調整し、送信装置は、シンボルＳ２のコンステレーション位相を新しい位相φ２＝θ２＋θ３に調整し、送信装置は、シンボルＳ４のコンステレーション位相を新しい位相φ４＝θ４＋θ３に調整し、送信装置は、シンボルＳ５のコンステレーション位相を新しい位相φ５＝θ５＋θ３に調整する。留意すべきことに、送信装置は、セグメント内のセグメント内基準シンボルと異なるシンボルの位相を、シンボルを粒度として用いて同時に調整して良い。前述の実施形態によると、送信装置は、セグメント内のシンボルのコンステレーション位相を、セグメントを粒度として用いて同時に調整し、各セグメント内のシンボルのコンステレーション位相を、シンボルを粒度として用いて調整して、処理速度及び処理効率を更に向上する。
【０００９】
本願の可能な実装では、送信装置が、各セグメント内のシンボルのコンステレーション位相を、プリセット位相調整ルールに従い調整することは、以下を含む：送信装置はN個のセグメントの各々の中のセグメント内基準シンボルを決定する。セグメント内基準シンボルは、セグメントの中の先頭シンボル、中間シンボル、又は最終シンボルであって良い。送信装置は先ず、N個のセグメントの各々の中のセグメント内基準シンボルの位相を調整する必要がある。セグメント内基準シンボルの位相を調整する方法は、第１セグメント内基準シンボルのコンステレーション位相を不変に保つステップと、第１末尾基準シンボルの後の別のセグメント内基準シンボルについて、送信装置により、該別のセグメント内基準シンボルのコンステレーション位相及び該別のセグメント内基準シンボルの前のセグメント内基準シンボルのコンステレーション位相を加算し、和を新しい位相として使用するステップと、である。セグメント内基準シンボルに対する位相調整の後に、送信装置は、各セグメント内にあり且つセグメント内基準シンボルと異なる別のシンボルのコンステレーション位相を調整する。N個のセグメントのうちの任意の１つを一例として用いると、セグメント内にあり且つセグメント内基準シンボルと異なる他のシンボルの位相を調整する方法は、セグメント内のシンボルを２つの部分：セグメント内基準シンボルの後のシンボルを含む第１部分、及びセグメント内基準シンボルの前のシンボルを含む第２部分に分割するステップであって、セグメント内基準シンボルがセグメント内の先頭シンボル又は最終シンボルである特別な場合があり、これはセグメント内基準シンボルの前のシンボルの数が０であり、又はセグメント内基準シンボルの後のシンボルの数が０であることと等しい、ステップと、第１部分の中のシンボルについて、送信装置により、該シンボルからセグメント内基準シンボルまで全てのシンボルのコンステレーション位相を加算して該シンボルの新しい位相を取得するステップと、第２部分の中のシンボルについて、送信装置により、該シンボルからセグメント内基準シンボルまで全てのシンボルのコンステレーション位相を加算して該シンボルの新しい位相を取得するステップと、である。例えば、送信装置は１６個のシンボルを４個のセグメントに分割する。ここで、各セグメントは４個のシンボルを含み、セグメント１はＳ１１、Ｓ１２、Ｓ１３、及びＳ１４を含み、シンボルのコンステレーション位相はそれぞれθ１１、θ１２、θ１３、及びθ１４であり、セグメント２はＳ２１、Ｓ２２、Ｓ２３、及びＳ２４を含み、シンボルのコンステレーション位相はそれぞれθ２１、θ２２、θ２３、及びθ２４であり、セグメント３はＳ３１、Ｓ３２、Ｓ３３、及びＳ３４を含み、シンボルのコンステレーション位相はそれぞれθ３１、θ３２、θ３３、及びθ３４であり、セグメント４はＳ４１、Ｓ４２、Ｓ４３、及びＳ４４を含み、シンボルのコンステレーション位相はそれぞれθ４１、θ４２、θ４３、及びθ４４である。送信装置は、４個のセグメントの各々の中のセグメント内基準シンボルが第２シンボルであると決定する。具体的に言うと、セグメント１内のセグメント内基準シンボルはＳ１２であり���セグメント２内のセグメント内基準シンボルはＳ２２であり、セグメント３内のセグメント内基準シンボルはＳ３２であり、セグメント４内のセグメント内基準シンボルはＳ４２である。送信装置は、先ず、４個のセグメント内基準シンボルのコンステレーション位相を調整する。ここで、第１セグメント内基準シンボルＳ１２のコンステレーション位相θ１２は不変のままであり、つまりφ１２＝θ１２である。位相調整後の第２セグメント内基準シンボルＳ２２の新しい位相はφ２２＝θ２２+θ１２である。位相調整後の第３セグメント内基準シンボルＳ３２の新しい位相はφ３２＝θ３２+θ２２+θ１２である。位相調整後の第４セグメント内基準シンボルＳ４２の新しい位相はφ４２＝θ４２+θ３２+θ２２+θ１２である。次に、送信装置は、他のシンボルの位相を、セグメント内基準シンボルの新しい位相に基づき調整する。ここで、セグメント１はφ１１＝θ１１+φ１２、φ１３＝θ１３+φ１２、φ１４＝θ１４+θ１３+φ１２に従い調整される。セグメント２はφ２１＝θ２１+φ２２、φ２３＝θ２３+φ２２、φ２４＝θ２４+θ２３+φ２２に従い調整される。セグメント３はφ３１＝θ３１+φ３２、φ３３＝θ３３+φ３２、φ３４＝θ３４+θ３３+φ３２に従い調整される。セグメント４はφ４１＝θ４１+φ４２、φ１３＝θ１３+φ１２、φ１４＝θ１４+θ１３+φ１２に従い調整される。位相調整は、セグメント１、セグメント２、セグメント３、及びセグメント４に対して同時に実行されて良い。前述の実施形態によると、セグメント内基準シンボルの位相は加算され、位相調整はセグメントに対して同時に実行される。変調信号に対する位相ノイズ抑制能力が更に向上され、同時に効率が考慮される。
【００１０】
本願の可能な実装では、送信装置が、各セグメント内のシンボルのコンステレーション位相を、プリセット位相調整ルールに従い調整することは、N個のセグメントの各々の中のセグメント内基準シンボルを決定することを含む。ここで、セグメント内基準シンボルはセグメント内の任意の位置にあるシンボル、例えばセグメント内の先頭シンボル、中間シンボル、又は最終シンボルであって良く、全てのセグメント内のセグメント内基準シンボルの位置は同じ又は異なって良い。本願においていかなる限定も課されない。送信装置は先ず、N個のセグメントの各々の中のセグメント内基準シンボルのコンステレーション位相を調整する必要がある。調整方法は、第１セグメント内基準シンボルのコンステレーション位相を不変に保つステップと、第１セグメント内基準シンボルと異なる別のセグメント内基準シンボルについて、セグメント内基準シンボルから第１セグメント内基準シンボルまで全てのセグメント内基準シンボルのコンステレーション位相を加算して、セグメント内基準シンボルの新しい位相を取得するステップと、である。セグメント内基準シンボルのコンステレーションシンボルを調整した後に、送信装置は、調整した新しい位相に基づき、セグメント内にあり且つセグメント内基準シンボルと異なる別のシンボルのコンステレーション位相を調整する。任意のセグメントを説明のための一例として用いると、調整方法は、シンボルについて、シンボルのコンステレーション位相及びセグメント内基準シンボルの位相を加算して、シンボルの新しい位相を取得するステップであって、位相調整はセグメントに対して同時に実行され、位相調整もセグメント内のシンボルに対して同時に実行される、ステップであって良い。例えば、送信装置は、１２個のシンボルを３個のセグメントに分割する。ここで、各セグメントは４個のシンボルを含み、セグメント１はＳ１１、Ｓ１２、Ｓ１３、及びＳ１４を含み、シンボルのコンステレーション位相はそれぞれθ１１、θ１２、θ１３、及びθ１４であり、セグメント２はＳ２１、Ｓ２２、Ｓ２３、及びＳ２４を含み、シンボルのコンステレーション位相はそれぞれθ２１、θ２２、θ２３、及びθ２４であり、セグメント３はシンボルＳ３１、Ｓ３２、Ｓ３３、及びＳ３４を含む。送信装置は、セグメント１内のセグメント内基準シンボルがS１１であり、セグメント２内のセグメント内基準シンボルがＳ２２であり、セグメント３内のセグメント内基準シンボルがＳ３３であることを決定する。送信装置は、先ず、セグメント内基準シンボルのコンステレーション位相を調整する。調整方法は、第１セグメント内基準シンボルのコンステレーション位相を不変に、つまりφ１１＝θ１１を保つステップと、送信装置により、位相調整を第２セグメント内基準シンボルＳ２２に対して実行して、新しい位相φ２２=θ２２+θ１１を取得するステップと、送信装置により、位相調整を第３セグメント内基準シンボルＳ３３に対して実行して、新しい位相φ３３=θ３３+θ２２+θ１１を取得するステップと、である。セグメント内基準シンボルの新しい位相に基づき、送信装置は、次に、位相調整をセグメント内の他のシンボルに対して実行する。ここで、セグメント１はφ１２=θ１２+φ１���、φ１３=θ１３+φ１１、φ１４=θ１４+φ１１に従い調整され、セグメント２はφ２１=θ２１+φ２２、φ２３=θ２３+φ２２、φ２４=θ２４+φ２２に従い調整され、セグメント３はφ３２=θ３２+φ３３、φ３１=θ３１+φ３３に従い調整される。前述の実施形態によると、送信装置は、位相調整をセグメント内基準シンボルに対して実行して、調整信号の位相ノイズ抑制能力を更に向上する。さらに、位相調整は、セグメントに対して同時に実行可能であり、位相調整は、セグメント内のシンボルに対しても同時に実行可能である。位相ノイズ抑制能力及び変調速度の両方が考慮される。
【００１１】
本願の可能な実装では、N個のセグメントの各々の中のセグメント内基準シンボルは先頭シンボルである。言い換えると、セグメント内のセグメント内基準シンボルのシンボルシーケンス番号は１である。
【００１２】
本願の可能な実装では、セグメント内基準シンボルはパイロットシンボルである。したがって、位相ノイズ抑制性能に与える影響は軽減され得る。
【００１３】
可能な実装では、各セグメント内のシンボルのコンステレーション位相を、プリセット位相調整ルールに従い調整するステップは、
N個のセグメントの各々の中のセグメント内基準シンボルを決定するステップであって、セグメント内基準シンボルはRi=Miを満たす、ステップと、
N個のセグメントの中の１≦i≦N且つ１≦j<Miを満たすシンボルについて、該シンボルのコンステレーション位相をφij=θij+θi(j+１)+・・・θi(Ri+１)+θiRiに従い調整するステップであって、iはセグメントのシーケンス番号を表し、jはN個のセグメントの中のシンボルのシーケンス番号を表し、Miはi番目のセグメントの中のシンボルの数を表し、つまりM１+M２+・・・MN=Mが満たされ、Riはi番目のセグメントの中のセグメント内基準シンボルのシーケンス番号を表し、θijはi番目のセグメントの中のj番目のシンボルのコンステレーション位相を表し、φijはθijが調整される位相を表し、i、j、Ri、及びMiは全て整数であり、Mi≧２である、ステップと、
N個のセグメントの中の１≦i≦N且つj=Miを満たすシンボルについて、該シンボルのコンステレーション位相をφij=θijに従い調整するステップと、を含む。
【００１４】
本願の可能な実装では、各セグメント内のシンボルのコンステレーション位相を、プリセット位相調整ルールに従い調整するステップは、
N個のセグメントの各々の中のセグメント内基準シンボルを決定するステップであって、セグメント内基準シンボルはRi=Miを満たす、ステップと、
N個のセグメントの中の１≦i≦N且つ１≦j<Miを満たすシンボルについて、該シンボルのコンステレーション位相をφij=θij+θiRiに従い調整するステップであって、Nはセグメントの数を表し、iはセグメントのシーケンス番号を表し、Miはi番目のセグメントの中のシンボルの数を表し、M１+M２+・・・MN=M、MはN個のセグメントの中のシンボルの総数を表し、Riはi番目のセグメントの中のセグメント内基準シンボルのシーケンス番号を表し、jはN個のセグメントの中のシンボルのシーケンス番号を表し、θijはi番目のセグメントの中のj番目のシンボルのコンステレーション位相を表し、φijはθijが調整される位相を表し、i、j、Ri、及びMiは全て整数であり、Mi≧２である、ステップと、
N個のセグメントの中の１≦i≦N且つj=Riを満たすシンボルについて、該シンボルのコンステレーション位相をφij=θijに従い調整するステップと、を含む。
【００１５】
本願の可能な実装では、各セグメント内のシンボルのコンステレーション位相を、プリセット位相調整ルールに従い調整するステップは、
N個のセグメントの各々の中のセグメント内基準シンボルを決定するステップであって、セグメント内基準シンボルはRi=Miを満たす、ステップと、
N個のセグメントの中の１≦i≦Nを満たすセグメント内基準シンボルについて、該セグメント内基準シンボルのコンステレーション位相をφiRi=θiRi+θ(i−１)(Ri−１)+・・・θ２R２+θ１R１に従い調整するステップであって、Nはセグメントの数を表し、iはセグメントのシーケンス番号を表し、Riはi番目のセグメントの中のセグメント内基準シンボルのシーケンス番号を表し、θiRiはi番目のセグメントの中の基準シンボルのコンステレーション位相を表し、φiRiはθiRiが調整されるセグメント内基準シンボルの位相を表す、ステップと、
N個のセグメントの中の１≦i≦N且つ１≦j<Miを満たすシンボルについて、該シンボルのコンステレーション位相を式φij=θij+θi(j+１)+・・・+φiRiに従い調整するステップであって、Miはi番目のセグメントの中のシンボルの数を表し、M１+M２+・・・MN=M、MはN個のセグメントの中のシンボルの総数を表し、jはN個のセグメントの中のシンボルのシーケンス番号を表し、θijはi番目のセグメントの中のj番目のシンボルのコンステレーション位相を表し、φijはθijがプリセット位相調整ルールに従い調整される位相を表し、i、j、Ri、及びMiは全て整数であり、Mi≧２である、ステップと、
N個のセグメントの中の１≦i≦N且つj=Riを満たすシンボルについて、該シンボルの位相をφij=θijに従い調整するステップと、を含む。
【００１６】
本願の可能な実装では、各セグメント内のシンボルのコンステレーション位相を、プリセット位相調整ルールに従い調整するステップは、
N個のセグメントの中の各シンボルの中のセグメント内基準シンボルを決定するステップであって、セグメント内基準シンボルはRi=Miを満たす、ステップと、
N個のセグメントの中の１≦i≦Nを満たすセグメント内基準シンボルについて、該セグメント内基準シンボルのコンステレーション位相をφiRi=θiRi+θ(i−１)(Ri−１)+・・・θ２R２+θ１R１に従い調整するステップであって、Nはセグメントの数を表し、iはセグメントのシーケンス番号を表し、Riはi番目のセグメントの中のセグメント内基準シンボルのシーケンス番号を表し、θiRiはi番目のセグメントの中の基準シンボルのコンステレーション位相を表し、φiRiはθiRiが調整されるセグメント内基準シンボルの位相を表す、ステップと、
N個のセグメントの中の１≦i≦N且つ１≦j<Miを満たすシンボルについて、該シンボルのコンステレーション位相をφij=θij+φiRiに従い調整するステップであって、Miはi番目のセグメントの中のシンボルの数を表し、M１+M２+・・・MN=M、MはN個のセグメントの中のシンボルの総数を表し、jはシンボルのシーケンス番号を表し、θijはi番目のセグメントの中のj番目のシンボルのコンステレーション位相を表し、φijはθijがプリセット位相調整ルールに従い調整される位相を表し、i、j、Ri、及びMiは全て整数であり、Mi≧２である、ステップと、
N個のセグメントの中の１≦i≦N且つj=Miを満たすシンボルについて、該シンボルの位相をφij=θijに従い調整するステップと、を含む。
【００１７】
第２の態様によると、本願は、受信装置により、送信装置により送信された変調信号を受信するステップであって、前記変調信号のチャネル上の送信処理において、ノイズ干渉がシンボルの位相により引き起こされることがある、ステップと、前記受信装置により、前記変調信号をパースして、M個のシンボルの位相を取得するステップであって、前記受信装置は前記M個のシンボルをN個のセグメントに所定ルールに従い分割して良く、前記所定ルールは前記送信装置のものと同じである、ステップと、前記受信装置により、位相差分を各セグメント内のシンボルの位相に対してプリセット位相逆調整ルールに従い実行するステップであって、位相差分は前記N個のセグメントに対して同時に実行される、ステップと、前記受信装置により、コンステレーション逆マッピングを位相差分を通じて取得した前記M個のシンボルに対して実行して、符号化シーケンスを取得するステップであって、各シンボルに対応するビットの数はコンステレーション図次数に等しい、ステップと、前記受信装置により、復号処理を前記符号化シーケンスに対して実行して、生データを取得するステップと、を含む復調方法を提供する。前述の実施形態によると、セグメントを同時に処理する方法で処理遅延が低減され、位相差分方法を用いて位相ノイズの影響が抑制される。
【００１８】
可能な実装では、受信装置により、位相差分を各セグメント内のシンボルの位相に対してプリセット位相逆調整ルールに従い実行するステップは、N個のセグメントの各々の中のセグメント内基準シンボルを決定するステップであって、セグメント内基準シンボルの位置は、送信装置及び受信装置の予め合意したルールに従い定められて良く、セグメント内基準シンボルはセグメント内の先頭シンボル、中間シンボル、又は最終シンボルであって良い、ステップを含む。N個のセグメントのいずれか１つについて、位相調整をセグメント内のシンボルに対して実行する方法は、セグメント内基準シンボルの位相を不変に保つステップと、セグメント内基準シンボルの後のシンボルについて、受信装置により、シンボルの位相を前の隣接シンボルの位相から減算して、シンボルの新しい位相を取得するステップと、セグメント内基準シンボルの前のシンボルについて、受信装置により、シンボルの位相を後の隣接シンボルの位相から減算して、シンボルの新しい位相を取得するステップと、である。例えば、第１分割セグメントは４個のシンボル：Ｓ１１、Ｓ１２、Ｓ１３、及びＳ１４を含み、シンボルの位相はそれぞれφ１１、φ１２、φ１３、及びφ１４である。セグメント１内のセグメント内基準シンボルがＳ１２であると仮定すると、Ｓ１２の位相は不変のままである。つまりθ１２=φ１２。送信装置は、位相差分をＳ１１に対して実行して、新しい位相θ１１=φ１１−φ１２を取得し、位相差分をＳ１３の位相に対して実行して新しい位相θ１３=φ１３−φ１２を取得し、位相差分をＳ１４の位相に対して実行して新しい位相θ１４=φ１４−φ１３を取得する。前述の実施形態によると、信号の位相ノイズ抑制能力は、位相差分方法を用いて向上される。さらに、位相調整はセグメントに対して同時に実行される。それにより処理効率を向上する。
【００１９】
本願の可能な実装では、受信装置により、位相差分を各セグメント内のシンボルの位相に対してプリセット位相逆調整ルールに従い実行するステップは、受信装置により、N個のセグメントの各々の中のセグメント内基準シンボルを決定するステップであって、受信装置は、セグメント内基準シンボルを、受信装置及び送信装置の予め合意したルールにより決定して良く、セグメント内基準シンボルはセグメント内の先頭シンボル、中間シンボル、又は最終シンボルであって良い、ステップを含む。N個のセグメントのうちのいずれか１つの中のシンボルについて、位相差分方法は、セグメント内のセグメント内基準シンボルの位相を不変に保つステップと、セグメント内基準シンボルと異なる別のシンボルについて、該シンボルの位相及びセグメント内基準シンボルの位相との間の位相差分を、該シンボルの新しい位相として用いるステップと、である。例えば、受信装置により分割された第１セグメントは４個のシンボル：Ｓ１１、Ｓ１２、Ｓ１３、及びＳ１４を含み、シンボルの位相はそれぞれφ１１、φ１２、φ１３、及びφ１４である。セグメント内のセグメント内基準シンボルがＳ１２であると仮定すると、Ｓ１２の位相は不変のままである。つまりθ１２=φ１２。受信装置は、位相差分をＳ１１の位相に対して実行して、新しい位相θ１１=φ１１−φ１２を取得し、位相差分をＳ１３の位相に対して実行して新しい位相θ１３=φ１３−φ１２を取得し、位相差分をＳ１４の位相に対して実行して新しい位相θ１４=φ１４−φ１２を取得する。前述の実施形態によると、位相調整はセグメントに対して同時に実行され、位相調整はシンボルに対しても実行されて、処理効率を更に向上する。
【００２０】
本願の可能な実装では、送信装置により、位相差分を各セグメント内のシンボルの位相に対してプリセット位相逆調整ルールに従い実行するステップは、受信装置により、N個のセグメントの各々の中のセグメント内基準シンボルを所定ルールに従い決定するステップであって、各セグメント内基準シンボルについて、受信装置は先ず差分をセグメント内基準シンボルの位相に対して実行する、ステップを含んで良い。差分方法は、第１セグメント内基準シンボルの位相を不変に保つステップと、後のセグメント内基準シンボルについて、位相差分を現在のセグメント内基準シンボルの位相及び前のセグメント内基準シンボルの位相に対して実行して、新しい位相を取得するステップ、である。セグメント内基準シンボルに対する前述の位相差分に基づき、受信装置は、次に、位相差分をセグメント内の他のシンボルに対して実行する。N個のセグメントのいずれか１つの中のシンボルに対する位相差分方法は、セグメント内基準シンボルを境界として使用するステップと、セグメント内基準シンボルの後のシンボルについて、位相差分をシンボルの位相及び前の隣接シンボルの位相に対して実行して、シンボルの新しい位相を取得するステップと、セグメント内基準シンボルの前のシンボルについて、位相差分をシンボルの位相及び後の隣接シンボルの位相に対して実行して、シンボルの新しい位相を取得するステップと、である。例えば、受信装置は、１２個のシンボルを４個のグループに分割する。ここで、各グループは４個のシンボルを含み、グループ１はＳ１１、Ｓ１２、Ｓ１３、及びＳ１４を含み、シンボルの位相はそれぞれφ１１、φ１２、φ１３、及びφ１４であり、グループ２はＳ２１、Ｓ２２、Ｓ２３、及びＳ２４を含み、シンボルの位相はそれぞれφ２１、φ２２、φ２３、及びφ２４であり、グループ３はＳ３１、Ｓ３２、Ｓ３３、及びＳ３４を含み、シンボルの位相はそれぞれφ３１、φ３２、φ３３、及びφ３４であり、グループ４はＳ４１、Ｓ４２、Ｓ４３、及びＳ４４を含み、シンボルの位相はそれぞれφ４１、φ４２、φ４３、及びφ４４である。セグメント内基準シンボルは第２シンボルであると仮定する。具体的に言うと、セグメント１内のセグメント内基準シンボルはＳ１２であり、セグメント２内のセグメント内基準シンボルはＳ２２であり、セグメント３内のセグメント内基準シンボルはＳ３２であり、セグメント４内のセグメント内基準シンボルはＳ４２である。セグメント内基準シンボルの間で受信装置により実行される位相差分は次の通りである。第１セグメント内基準シンボルの新しい位相はθ１２=φ１２であり、第２セグメント内基準シンボルの新しい位相はθ２２=φ２２−φ１２であり、第３セグメント内基準シンボルの新しい位相はθ３２=φ３２−φ２２であり、第４セグメント内基準シンボルの新しい位相はθ４２=φ４２−φ３２である。位相差分を通じて取得されたセグメント内基準シンボルの位相に基づき、受信装置は他のシンボルの位相を以下の通り調整する。セグメント１では、Ｓ１１の新しい位相はθ１１=φ１１−θ１２であり、Ｓ１３の新しい位相はθ１３=φ１３−θ１２であり、Ｓ１４の新しい位相はθ１４=φ１４−φ１３である。セグメント２では、Ｓ２１の新しい位相はθ���１=φ２１−θ２２であり、Ｓ２３の新しい位相はθ２３=φ２３−θ２２であり、Ｓ２４の新しい位相はθ２４=φ２４−φ２３である。セグメント４では、Ｓ４１の新しい位相はθ４１=φ４１−θ４２であり、Ｓ４３の新しい位相はθ４３=φ４３−θ４２であり、Ｓ４４の新しい位相はθ４４=φ４４−φ４３である。位相差分は、各セグメント内のシンボルに対して同時に実行されて良い。前述の実施形態によると、位相差分は、セグメント内基準シンボルに対して実行されて、位相ノイズ抑制能力を更に向上する。
【００２１】
本願の可能な実装では、受信装置により、位相差分を各セグメント内のシンボルの位相に対してプリセット位相逆調整ルールに従い実行するステップは、N個のセグメントの各々の中のセグメント内基準シンボルを決定するステップであって、受信装置により、N個のセグメントの各々の中のセグメント内基準シンボルを所定ルールに従い決定し、セグメント内基準シンボルはセグメント内の先頭シンボル、中間シンボル、又は最終シンボルとして定められて良い、ステップを含む。各セグメント内基準シンボルについて、受信装置は、先ず、差分をセグメント内基準シンボルの位相に対して実行する。差分方法は、第１セグメント内基準シンボルの位相を不変に保つステップと、後のセグメント内基準シンボルについて、位相差分を現在のセグメント内基準シンボルの位相及び前のセグメント内基準シンボルの位相に対して実行して、新しい位相を取得するステップ、である。セグメント内基準シンボルに対する前述の位相差分に基づき、受信装置は、次に、位相差分をセグメント内のセグメント内基準シンボル以外のシンボルに対して実行する。N個のセグメントのうちのいずれか１つの中のシンボルに対する位相差分方法は、差分をシンボルの位相とセグメント内基準シンボルの新しい位相との間で実行して、シンボルの新しい位相を取得するステップである。例えば、受信装置は、１２個のシンボルを４個のグループに分割する。ここで、各グループは４個のシンボルを含み、グループ１はＳ１１、Ｓ１２、Ｓ１３、及びＳ１４を含み、シンボルの位相はそれぞれφ１１、φ１２、φ１３、及びφ１４であり、グループ２はＳ２１、Ｓ２２、Ｓ２３、及びＳ２４を含み、シンボルの位相はそれぞれφ２１、φ２２、φ２３、及びφ２４であり、グループ３はＳ３１、Ｓ３２、Ｓ３３、及びＳ３４を含み、シンボルの位相はそれぞれφ３１、φ３２、φ３３、及びφ３４であり、グループ４はＳ４１、Ｓ４２、Ｓ４３、及びＳ４４を含み、シンボルの位相はそれぞれφ４１、φ４２、φ４３、及びφ４４である。セグメント内基準シンボルは第２シンボルであると仮定する。具体的に言うと、セグメント１内のセグメント内基準シンボルはＳ１２であり、セグメント２内のセグメント内基準シンボルはＳ２２であり、セグメント３内のセグメント内基準シンボルはＳ３２であり、セグメント４内のセグメント内基準シンボルはＳ４２である。セグメント内基準シンボルの間で受信装置により実行される位相差分は次の通りである。第１セグメント内基準シンボルの新しい位相はθ１２=φ１２であり、第２セグメント内基準シンボルの新しい位相はθ２２=φ２２−φ１２であり、第３セグメント内基準シンボルの新しい位相はθ３２=φ３２−φ２２であり、第４セグメント内基準シンボルの新しい位相はθ４２=φ４２−φ３２である。位相差分を通じて取得されたセグメント内基準シンボルの位相に基づき、受信装置は他のシンボルの位相を以下の通り調整する。セグメント１では、Ｓ１１の新しい位相はθ１１=φ１１−θ１２であり、Ｓ１３の新しい位相はθ１３=φ１３−θ１２であり、Ｓ１４の新しい位相はθ１４=φ１４−θ１２である。セグメント２では、Ｓ２１の新しい位相はθ２１=φ２１−θ２２であり、Ｓ２３の新しい位相はθ２３=φ２３−θ２２であり、Ｓ２４の新しい位相はθ２４=φ２４−θ２２である。セグメント４では、Ｓ４１の新しい位相はθ４１=φ４１−θ４２であり、Ｓ４３の新しい位相はθ４３=φ４３−θ４２であり、Ｓ４４の新しい位相はθ４４=φ４４−θ４２である。位相差分は、各セグメント内のシンボルの間で同時に実行されて良い。前述の実施形態によると、処理効率が更に向上され、さらに、位相差分はセグメント内基準シンボルの間で実行されて、ある程度、位相ノイズ抑制能力を更に考慮する。
【００２２】
本願の可能な実装では、N個のセグメントの各々の中のセグメント内基準シンボルは先頭シンボルである。
【００２３】
本願の可能な実装では、セグメント内基準シンボルはパイロットシンボルである。
【００２４】
本願の可能な実装では、プリセットコンステレーション図は、QAM、APSK、又はMASKを含むが、これらに限定されず、変調次数は限定されない。
【００２５】
本願の可能な実装では、各セグメント内のシンボルの位相を、プリセット位相逆調整ルールに従い調整するステップは、
N個のセグメントの各々の中のセグメント内基準シンボルを決定するステップであって、セグメント内基準シンボルは２≦Ri≦Mi−１を満たす、ステップと、
N個のセグメントの中の１≦i≦N且つRi<j≦Miを満たすシンボルについて、該シンボルの位相をθij=φij−φi(j−１)に従い調整するステップであって、Nはセグメントの数を表し、iはセグメントのシーケンス番号を表し、Miはi番目のセグメントの中のシンボルの数を表し、M１+M２+・・・MN=M、MはN個のセグメントの中のシンボルの総数を表し、Riはi番目のセグメントの中のセグメント内基準シンボルのシーケンス番号を表し、jはシンボルのシーケンス番号を表し、φijはi番目のセグメントの中のj番目のシンボルの位相を表し、θijはφijがプリセット位相調整ルールに従い調整される位相を表し、i、j、Ri、及びMiは全て整数であり、Mi≧３である、ステップと、
N個のセグメントの中の１≦i≦N且つ１≦j<Riを満たすシンボルについて、該シンボルの位相をθij=φij−φi(j+１)に従い調整するステップと、
N個のセグメントの中の１≦i≦N且つj=Riを満たすシンボルについて、該シンボルの位相をθij=φijに従い調整するステップと、を含む。
【００２６】
本願の可能な実装では、各セグメント内のシンボルの位相を、プリセット位相逆調整ルールに従い調整するステップは、
N個のセグメントの各々の中のセグメント内基準シンボルを決定するステップであって、セグメント内基準シンボルはRi=Miを満たす、ステップと、
N個のセグメントの中の１≦i≦N且つ１≦j<Miを満たすシンボルについて、該シンボルの位相をθij=φij−φi(j+１)に従い調整するステップであって、Nはセグメントの数を表し、iはセグメントのシーケンス番号を表し、Miはi番目のセグメントの中のシンボルの数を表し、M１+M２+・・・MN=M、MはN個のセグメントの中のシンボルの総数を表し、Riはi番目のセグメントの中のセグメント内基準シンボルのシーケンス番号を表し、jはシンボルのシーケンス番号を表し、φijはi番目のセグメントの中のj番目のシンボルの位相を表し、θijはφijがプリセット位相調整ルールに従い調整される位相を表し、i、j、Ri、及びMiは全て整数であり、Mi≧２である、ステップと、
N個のセグメントの中の１≦i≦N且つj=Miを満たすシンボルについて、該シンボルの位相をθij=φijに従い調整するステップと、を含む。
【００２７】
本願の可能な実装では、各セグメント内のシンボルの位相を、プリセット位相逆調整ルールに従い調整するステップは、
N個のセグメントの各々の中のセグメント内基準シンボルを決定するステップであって、セグメント内基準シンボルはRi=１を満たす、ステップと、
N個のセグメントの中の１≦i≦N且つ１<j≦Miを満たすシンボルについて、該シンボルの位相をθij=φij−φi(j−１)に従い調整するステップであって、Nはセグメントの数を表し、iはセグメントのシーケンス番号を表し、Miはi番目のセグメントの中のシンボルの数を表し、M１+M２+・・・MN=M、MはN個のセグメントの中のシンボルの総数を表し、Riはi番目のセグメントの中のセグメント内基準シンボルのシーケンス番号を表し、jはシンボルのシーケンス番号を表し、φijはi番目のセグメントの中のj番目のシンボルの位相を表し、θijはφijがプリセット位相調整ルールに従い調整される位相を表し、i、j、Ri、及びMiは全て整数であり、Mi≧２である、ステップと、
N個のセグメントの中の１≦i≦N且つj=１を満たすシンボルについて、該シンボルの位相をθij=φijに従い調整するステップと、を含む。
【００２８】
本願の可能な実装では、各セグメント内のシンボルの位相を、プリセット位相逆調整ルールに従い調整するステップは、
N個のセグメントの各々の中のセグメント内基準シンボルを決定するステップであって、セグメント内基準シンボルは２≦Ri≦Mi−１を満たす、ステップと、
N個のセグメントの中の１≦i≦N、１≦j≦Mi、且つj≠Riを満たすシンボルについて、該シンボルの位相をθij=φij−φiRiに従い調整するステップであって、Nはセグメントの数を表し、iはセグメントのシーケンス番号を表し、Miはi番目のセグメントの中のシンボルの数を表し、M１+M２+・・・MN=M、MはN個のセグメントの中のシンボルの総数を表し、Riはi番目のセグメントの中のセグメント内基準シンボルのシーケンス番号を表し、jはシンボルのシーケンス番号を表し、φijはi番目のセグメントの中のj番目のシンボルの位相を表し、θijはφijが調整される位相を表し、i、j、Ri、及びMiは全て整数であり、Mi≧２である、ステップと、
N個のセグメントの中の１≦i≦N且つj=Riを満たすシンボルについて、該シンボルの位相をθij=φijに従い調整するステップと、を含む。
【００２９】
本願の可能な実装では、各セグメント内のシンボルの位相を、プリセット位相逆調整ルールに従い調整するステップは、
N個のセグメントの各々の中のセグメント内基準シンボルを決定するステップであって、セグメント内基準シンボルはRi=Miを満たす、ステップと、
N個のセグメントの中の１≦i≦N且つ１≦j<Miを満たすシンボルについて、該シンボルの位相をθij=φij−φiRiに従い調整するステップであって、Nはセグメントの数を表し、iはセグメントのシーケンス番号を表し、Miはi番目のセグメントの中のシンボルの数を表し、M１+M２+・・・MN=M、MはN個のセグメントの中のシンボルの総数を表し、Riはi番目のセグメントの中のセグメント内基準シンボルのシーケンス番号を表し、jはシンボルのシーケンス番号を表し、φijはi番目のセグメントの中のj番目のシンボルの位相を表し、θijはφijが調整される位相を表し、i、j、Ri、及びMiは全て整数であり、Mi≧２である、ステップと、
N個のセグメントの中の１≦i≦N且つj=Miを満たすシンボルについて、該シンボルの位相をθij=φijに従い調整するステップと、を含む。
【００３０】
本願の可能な実装では、各セグメント内のシンボルの位相を、プリセット位相逆調整ルールに従い調整するステップは、
N個のセグメントの各々の中のセグメント内基準シンボルを決定するステップであって、セグメント内基準シンボルはRi=１を満たす、ステップと、
N個のセグメントの中の１≦i≦N且つ１<j≦Miを満たすシンボルについて、該シンボルの位相をθij=φij−φiRiに従い調整するステップであって、Nはセグメントの数を表し、iはセグメントのシーケンス番号を表し、Miはi番目のセグメントの中のシンボルの数を表し、M１+M２+・・・MN=M、MはN個のセグメントの中のシンボルの総数を表し、Riはi番目のセグメントの中のセグメント内基準シンボルのシーケンス番号を表し、jはシンボルのシーケンス番号を表し、φijはi番目のセグメントの中のj番目のシンボルの位相を表し、θijはφijが調整される位相を表し、i、j、Ri、及びMiは全て整数であり、Mi≧２である、ステップと、
N個のセグメントの中の１≦i≦N且つj=１を満たすシンボルについて、該シンボルの位相をθij=φijに従い調整するステップと、を含む。
【００３１】
本願の可能な実装では、各セグメント内のシンボルの位相を、プリセット位相逆調整ルールに従い調整するステップは、
N個のセグメントの各々の中のセグメント内基準シンボルを決定するステップであって、セグメント内基準シンボルは２≦Ri≦Mi−１を満たす、ステップと、
N個のセグメントの中の１≦i≦Nを満たすセグメント内基準シンボルについて、該セグメント内基準シンボルの位相をθiRi=φiRi−φ(i−１)(Ri−１)に従い調整するステップであって、Nはセグメントの数を表し、iはセグメントのシーケンス番号を表し、Riはi番目のセグメントの中のセグメント内基準シンボルのシーケンス番号を表し、φiRiはi番目のセグメントの中の基準シンボルの位相を表し、θiRiはφiRiが調整される位相を表すステップと、
N個のセグメントの中のRi+１<j≦Miを満たすシンボルについて、該シンボルのコンステレーション位相をθij=φij−φi(j−１)に従い調整するステップであって、Miはi番目のセグメントの中のシンボルの数を表し、M１+M２+・・・MN=M、MはN個のセグメントの中のシンボルの総数を表し、jはシンボルのシーケンス番号を表し、φijはi番目のセグメントの中のj番目のシンボルのコンステレーション位相を表し、θijはφijがプリセット位相調整ルールに従い調整される位相を表し、i、j、Ri、及びMiは全て整数であり、Mi≧３である、ステップと、
N個のセグメントの中の１≦i≦N且つj=Ri+１を満たすシンボルについて、該シンボルの位相をθi(Ri+１)=φi(Ri+１)−θiRiに従い調整するステップと、
N個のセグメントの中の１≦i≦N且つ１≦j<Ri−１を満たすシンボルについて、該シンボルの位相をθij=φij−φi(j+１)に従い調整するステップと、
N個のセグメントの中の１≦i≦N且つj=Ri−１を満たすシンボルについて、該シンボルの位相をθi(Ri−１)=φi(Ri−１)−θiRiに従い調整するステップと、
N個のセグメントの中の１≦i≦N且つj=Riを満たすシンボルについて、該シンボルの位相をθij=φijに従い調整するステップと、を含む。
【００３２】
本願の可能な実装では、各セグメント内のシンボルの位相を、プリセット位相逆調整ルールに従い調整するステップは、
N個のセグメントの中のセグメント内基準シンボルを決定するステップであって、セグメント内基準シンボルはRi=Miを満たす、ステップと、
N個のセグメントの中の１≦i≦Nを満たすセグメント内基準シンボルについて、該セグメント内基準シンボルの位相をθiRi=φiRi−φ(i−１)(Ri−１)に従い調整するステップであって、Nはセグメントの数を表し、iはセグメントのシーケンス番号を表し、Riはi番目のセグメントの中のセグメント内基準シンボルのシーケンス番号を表し、φiRiはi番目のセグメントの中の基準シンボルの位相を表し、θiRiはφiRiが調整される位相を表すステップと、
N個のセグメントの中の１≦i≦N且つ１≦j<Mi−１を満たすシンボルについて、該シンボルの位相をθij=φij−φi(j+１)に従い調整するステップであって、Miはi番目のセグメントの中のシンボルの数を表し、M１+M２+・・・MN=M、MはN個のセグメントの中のシンボルの総数を表し、jはシンボルのシーケンス番号を表し、φijはi番目のセグメントの中のj番目のシンボルのコンステレーション位相を表し、θijはφijがプリセット位相調整ルールに従い調整される位相を表し、i、j、Ri、及びMiは全て整数であり、Mi≧３である、ステップと、
N個のセグメントの中の１≦i≦N且つj=Mi−１を満たすシンボルについて、該シンボルの位相をθi(Ri−１)=φi(Ri−１)−θiRiに従い調整するステップと、
N個のセグメントの中の１≦i≦N且つj=Miを満たすシンボルについて、該シンボルの位相をθij=φijに従い調整するステップと、を含む。
【００３３】
本願の可能な実装では、各セグメント内のシンボルの位相を、プリセット位相逆調整ルールに従い調整するステップは、
N個のセグメントの各々の中のセグメント内基準シンボルを決定するステップであって、セグメント内基準シンボルはRi=１を満たす、ステップと、
N個のセグメントの中の１≦i≦Nを満たすセグメント内基準シンボルについて、該セグメント内基準シンボルの位相をθiRi=φiRi−φ(i−１)(Ri−１)に従い調整するステップであって、Nはセグメントの数を表し、iはセグメントのシーケンス番号を表し、Riはi番目のセグメントの中のセグメント内基準シンボルのシーケンス番号を表し、φiRiはi番目のセグメントの中の基準シンボルの位相を表し、θiRiはφiRiが調整される位相を表す、ステップと、
N個のセグメントの中の２<j≦Miを満たすシンボルについて、該シンボルのコンステレーション位相をθij=φij−φi(j−１)に従い調整するステップであって、Miはi番目のセグメントの中のシンボルの数を表し、M１+M２+・・・MN=M、MはN個のセグメントの中のシンボルの総数を表し、jはシンボルのシーケンス番号を表し、φijはi番目のセグメントの中のj番目のシンボルのコンステレーション位相を表し、θijはφijがプリセット位相調整ルールに従い調整される位相を表し、i、j、Ri、及びMiは全て整数であり、Mi≧３である、ステップと、
N個のセグメントの中の１≦i≦N且つj=２を満たすシンボルについて、該シンボルの位相をθi(Ri+１)=φi(Ri+１)−θiRiに従い調整するステップと、
N個のセグメントの中の１≦i≦N且つj=１を満たすシンボルについて、該シンボルの位相をθij=φijに従い調整するステップと、を含む。
【００３４】
本願の可能な実装では、各セグメント内のシンボルの位相を、プリセット位相逆調整ルールに従い調整するステップは、
N個のセグメントの中の各シンボルの中のセグメント内基準シンボルを決定するステップであって、セグメント内基準シンボルは２≦Ri≦Mi−１を満たす、ステップと、
N個のセグメントの中の１≦i≦Nを満たすセグメント内基準シンボルについて、該セグメント内基準シンボルの位相をθiRi=φiRi−φ(i−１)(Ri−１)に従い調整するステップであって、Nはセグメントの数を表し、iはセグメントのシーケンス番号を表し、Riはi番目のセグメントの中のセグメント内基準シンボルのシーケンス番号を表し、φiRiはi番目のセグメントの中の基準シンボルのコンステレーション位相を表し、θiRiはφiRiが調整されるセグメント内基準シンボルの位相を表す、ステップと、
N個のセグメントの中の１≦i≦N、１≦j≦Mi、且つj≠Riを満たすシンボルについて、該シンボルの位相をθij=φij−θiRiに従い調整するステップであって、Miはi番目のセグメントの中のシンボルの数を表し、M１+M２+・・・MN=M、MはN個のセグメントの中のシンボルの総数を表し、jはシンボルのシーケンス番号を表し、φijはi番目のセグメントの中のj番目のシンボルのコンステレーション位相を表し、θijはφijが調整される位相を表し、i、j、Ri、及びMiは全て整数であり、Mi≧３である、ステップと、
N個のセグメントの中の１≦i≦N且つj=Riを満たすシンボルについて、該シンボルの位相をθij=φijに従い調整するステップと、を含む。
【００３５】
本願の可能な実装では、各セグメント内のシンボルの位相を、プリセット位相逆調整ルールに従い調整するステップは、
N個のセグメントの中の各シンボルの中のセグメント内基準シンボルを決定するステップであって、セグメント内基準シンボルはRi=Miを満たす、ステップと、
N個のセグメントの中の１≦i≦Nを満たすセグメント内基準シンボルについて、該セグメント内基準シンボルの位相をθiRi=φiRi−φ(i−１)(Ri−１)に従い調整するステップであって、Nはセグメントの数を表し、iはセグメントのシーケンス番号を表し、Riはi番目のセグメントの中のセグメント内基準シンボルのシーケンス番号を表し、φiRiはi番目のセグメントの中の基準シンボルのコンステレーション位相を表し、θiRiはφiRiが調整されるセグメント内基準シンボルの位相を表す、ステップと、
N個のセグメントの中の１≦i≦N且つ１≦j<Miを満たすシンボルについて、該シンボルの位相をθij=φij−θiRiに従い調整するステップであって、Miはi番目のセグメントの中のシンボルの数を表し、M１+M２+・・・MN=M、MはN個のセグメントの中のシンボルの総数を表し、jはシンボルのシーケンス番号を表し、φijはi番目のセグメントの中のj番目のシンボルのコンステレーション位相を表し、θijはφijが調整される位相を表し、i、j、Ri、及びMiは全て整数であり、Mi≧２である、ステップと、
N個のセグメントの中の１≦i≦N且つj=Miを満たすシンボルについて、該シンボルの位相をθij=φijに従い調整するステップと、を含む。
【００３６】
本願の可能な実装では、各セグメント内のシンボルの位相を、プリセット位相逆調整ルールに従い調整するステップは、
N個のセグメントの中の各シンボルの中のセグメント内基準シンボルを決定するステップであって、セグメント内基準シンボルはRi=１を満たす、ステップと、
N個のセグメントの中の１≦i≦Nを満たすセグメント内基準シンボルについて、該セグメント内基準シンボルの位相をθiRi=φiRi−φ(i−１)(Ri−１)に従い調整するステップであって、Nはセグメントの数を表し、iはセグメントのシーケンス番号を表し、Riはi番目のセグメントの中のセグメント内基準シンボルのシーケンス番号を表し、φiRiはi番目のセグメントの中の基準シンボルのコンステレーション位相を表し、θiRiはφiRiが調整されるセグメント内基準シンボルの位相を表す、ステップと、
N個のセグメントの中の１≦i≦N且つ１<j≦Miを満たすシンボルについて、該シンボルの位相をθij=φij−θiRiに従い調整するステップであって、Miはi番目のセグメントの中のシンボルの数を表し、M１+M２+・・・MN=M、MはN個のセグメントの中のシンボルの総数を表し、jはシンボルのシーケンス番号を表し、φijはi番目のセグメントの中のj番目のシンボルのコンステレーション位相を表し、θijはφijが調整される位相を表し、i、j、Ri、及びMiは全て整数であり、Mi≧２である、ステップと、
N個のセグメントの中の１≦i≦N且つj=１を満たすシンボルについて、該シンボルの位相をθij=φijに従い調整するステップと、を含む。
【００３７】
第３の態様によると、本願は、
符号化処理を生データに対して実行して、符号化シーケンスを取得するよう構成される符号化モジュールと、
コンステレーションマッピングを前記符号化シーケンスに対してプリセットコンステレーション図に基づき実行して、M個のシンボルを取得するよう構成され、Mは１より大きい整数である、マッピングモジュールと、
前記M個のシンボルをN個のセグメントに分割するよう構成され、Nは１より大きい整数である、グルーピングモジュールと、
前記N個のセグメントの中の各シンボルのコンステレーション位相を取得するよう構成される取得モジュールと、
各セグメント内のシンボルのコンステレーション位相を、プリセット位相調整ルールに従い調整するよう構成され、前記N個のセグメントは同時に調整される、調整モジュールと、
位相調整を通じて取得されたM個のシンボルを変調して、変調信号を取得し、前記変調信号を送信するよう構成される変調モジュールと、を含む送信装置を提供する。
【００３８】
本願の可能な実装では、調整モジュールは、
N個のセグメントの各々の中のセグメント内基準シンボルを決定し、セグメント内基準シンボルは２≦Ri≦Mi−１を満たし、
N個のセグメントの中の１≦i≦N且つRi<j≦Miを満たすシンボルについて、該シンボルのコンステレーション位相をφij=θij+θi(j−１)+・・・θi(Ri−１)+θiRiに従い調整し、iはセグメントのシーケンス番号を表し、jはN個のセグメントの中のシンボルのシーケンス番号を表し、Miはi番目のセグメントの中のシンボルの数を表し、つまりM１+M２+・・・MN=Mが満たされ、Riはi番目のセグメントの中のセグメント内基準シンボルのシーケンス番号を表し、θijはi番目のセグメントの中のj番目のシンボルのコンステレーション位相を表し、φijはθijが調整される位相を表し、i、j、Ri、及びMiは全て整数であり、Mi≧３であり、
N個のセグメントの中の１≦i≦N且つ１≦j<Riを満たすシンボルについて、該シンボルのコンステレーション位相をφij=θij+θi(j+１)+・・・θiRiに従い調整し、
N個のセグメントの中の１≦i≦N且つj=Riを満たすシンボルについて、該シンボルのコンステレーション位相をφij=θijに従い調整する、よう構成される。
【００３９】
本願の可能な実装では、調整モジュールは、
N個のセグメントの各々の中のセグメント内基準シンボルを決定し、セグメント内基準シンボルはRi=１を満たし、
N個のセグメントの中の１≦i≦N且つ１<j≦Miを満たすシンボルについて、該シンボルのコンステレーション位相をφij=θij+θi(j−１)+・・・θi(Ri−１)+θiRiに従い調整し、iはセグメントのシーケンス番号を表し、jはN個のセグメントの中のシンボルのシーケンス番号を表し、Miはi番目のセグメントの中のシンボルの数を表し、つまりM１+M２+・・・MN=Mが満たされ、Riはi番目のセグメントの中のセグメント内基準シンボルのシーケンス番号を表し、θijはi番目のセグメントの中のj番目のシンボルのコンステレーション位相を表し、φijはθijが調整される位相を表し、i、j、Ri、及びMiは全て整数であり、Mi≧２であり、
N個のセグメントの中の１≦i≦N且つj=１を満たすシンボルについて、該シンボルのコンステレーション位相をφij=θijに従い調整する、よう構成される。
【００４０】
本願の可能な実装では、調整モジュールは、
N個のセグメントの各々の中のセグメント内基準シンボルを決定し、セグメント内基準シンボルは２≦Ri≦Mi−１を満たし、
N個のセグメントの中の１≦i≦N、１≦j≦Mi、且つj≠Riを満たすシンボルについて、該シンボルのコンステレーション位相をφij=θij+θiRiに従い調整し、Nはセグメントの数を表し、iはセグメントのシーケンス番号を表し、Miはi番目のセグメントの中のシンボルの数を表し、M１+M２+・・・MN=M、MはN個のセグメントの中のシンボルの総数を表し、Riはi番目のセグメントの中のセグメント内基準シンボルのシーケンス番号を表し、jはN個のセグメントの中のシンボルのシーケンス番号を表し、θijはi番目のセグメントの中のj番目のシンボルのコンステレーション位相を表し、φijはθijが調整される位相を表し、i、j、Ri、及びMiは全て整数であり、Mi≧３であり、
N個のセグメントの中の１≦i≦N且つj=Riを満たすシンボルについて、該シンボルのコンステレーション位相をφij=θijに従い調整する、よう構成される。
【００４１】
本願の可能な実装では、調整モジュールは、
N個のセグメントの各々の中のセグメント内基準シンボルを決定し、セグメント内基準シンボルはRi=１を満たし、
N個のセグメントの中の１≦i≦N且つ１<j≦Miを満たすシンボルについて、該シンボルのコンステレーション位相をφij=θij+θiRiに従い調整し、Nはセグメントの数を表し、iはセグメントのシーケンス番号を表し、Miはi番目のセグメントの中のシンボルの数を表し、M１+M２+・・・MN=M、MはN個のセグメントの中のシンボルの総数を表し、Riはi番目のセグメントの中のセグメント内基準シンボルのシーケンス番号を表し、jはN個のセグメントの中のシンボルのシーケンス番号を表し、θijはi番目のセグメントの中のj番目のシンボルのコンステレーション位相を表し、φijはθijが調整される位相を表し、i、j、Ri、及びMiは全て整数であり、Mi≧２であり、
N個のセグメントの中の１≦i≦N且つj=Riを満たすシンボルについて、該シンボルのコンステレーション位相をφij=θijに従い調整する、よう構成される。
【００４２】
本願の可能な実装では、調整モジュールは、
N個のセグメントの各々の中のセグメント内基準シンボルを決定し、セグメント内基準シンボルは２≦Ri≦Mi−１を満たし、
N個のセグメントの中の１≦i≦Nを満たすセグメント内基準シンボルについて、該セグメント内基準シンボルのコンステレーション位相をφiRi=θiRi+θ(i−１)(Ri−１)+・・・θ２R２+θ１R１に従い調整し、Nはセグメントの数を表し、iはセグメントのシーケンス番号を表し、Riはi番目のセグメントの中のセグメント内基準シンボルのシーケンス番号を表し、θiRiはi番目のセグメントの中の基準シンボルのコンステレーション位相を表し、φiRiはθiRiが調整されるセグメント内基準シンボルの位相を表し、
N個のセグメントの中の１≦i≦N且つRi<j≦Miを満たすシンボルについて、該シンボルのコンステレーション位相をφij=θij+θi(j−１)+・・・θi(Ri−１)+φiRiに従い調整し、Miはi番目のセグメントの中のシンボルの数を表し、M１+M２+・・・MN=M、MはN個のセグメントの中のシンボルの総数を表し、jはN個のセグメントの中のシンボルのシーケンス番号を表し、θijはi番目のセグメントの中のj番目のシンボルのコンステレーション位相を表し、φijはθijがプリセット位相調整ルールに従い調整される位相を表し、i、j、Ri、及びMiは全て整数であり、Mi≧２であり、
N個のセグメントの中の１≦i≦N且つ１≦j<Riを満たすシンボルについて、該シンボルのコンステレーション位相を式φij=θij+θi(j+１)+・・・+φiRiに従い調整し、
N個のセグメントの中の１≦i≦N且つj=Riを満たすシンボルについて、該シンボルの位相をφij=θijに従い調整する、よう構成される。
【００４３】
本願の可能な実装では、調整モジュールは、
N個のセグメントの各々の中のセグメント内基準シンボルを決定し、セグメント内基準シンボルはRi=１を満たし、
N個のセグメントの中の１≦i≦Nを満たすセグメント内基準シンボルについて、該セグメント内基準シンボルのコンステレーション位相をφiRi=θiRi+θ(i−１)(Ri−１)+・・・θ２R２+θ１R１に従い調整し、Nはセグメントの数を表し、iはセグメントのシーケンス番号を表し、Riはi番目のセグメントの中のセグメント内基準シンボルのシーケンス番号を表し、θiRiはi番目のセグメントの中の基準シンボルのコンステレーション位相を表し、φiRiはθiRiが調整されるセグメント内基準シンボルの位相を表し、
N個のセグメントの中の１≦i≦N且つ１<j≦Miを満たすシンボルについて、該シンボルのコンステレーション位相をφij=θij+θi(j−１)+・・・θi(Ri−１)+φiRiに従い調整し、Miはi番目のセグメントの中のシンボルの数を表し、M１+M２+・・・MN=M、MはN個のセグメントの中のシンボルの総数を表し、jはN個のセグメントの中のシンボルのシーケンス番号を表し、θijはi番目のセグメントの中のj番目のシンボルのコンステレーション位相を表し、φijはθijがプリセット位相調整ルールに従い調整される位相を表し、i、j、Ri、及びMiは全て整数であり、Mi≧２であり、
N個のセグメントの中の１≦i≦N且つj=Riを満たすシンボルについて、該シンボルの位相をφij=θijに従い調整する、よう構成される。
【００４４】
本願の可能な実装では、調整モジュールは、
N個のセグメントの中の各シンボルの中のセグメント内基準シンボルを決定し、セグメント内基準シンボルは２≦Ri≦Mi−１を満たし、
N個のセグメントの中の１≦i≦Nを満たすセグメント内基準シンボルについて、該セグメント内基準シンボルのコンステレーション位相をφiRi=θiRi+θ(i−１)(Ri−１)+・・・θ２R２+θ１R１に従い調整し、Nはセグメントの数を表し、iはセグメントのシーケンス番号を表し、Riはi番目のセグメントの中のセグメント内基準シンボルのシーケンス番号を表し、θiRiはi番目のセグメントの中の基準シンボルのコンステレーション位相を表し、φiRiはθiRiが調整されるセグメント内基準シンボルの位相を表し、
N個のセグメントの中の１≦i≦N、１≦j≦Ri、且つj≠Riを満たすシンボルについて、該シンボルのコンステレーション位相をφij=θij+φiRiに従い調整し、Miはi番目のセグメントの中のシンボルの数を表し、M１+M２+・・・MN=M、MはN個のセグメントの中のシンボルの総数を表し、jはN個のセグメントの中のシンボルのシーケンス番号を表し、θijはi番目のセグメントの中のj番目のシンボルのコンステレーション位相を表し、φijはθijがプリセット位相調整ルールに従い調整される位相を表し、i、j、Ri、及びMiは全て整数であり、Mi≧３であり、
N個のセグメントの中の１≦i≦N且つj=Riを満たすシンボルについて、該シンボルの位相をφij=θijに従い調整する、よう構成される。
【００４５】
本願の可能な実装では、調整モジュールは、
N個のセグメントの各シンボルの中のセグメント内基準シンボルを決定し、セグメント内基準シンボルはRi=１を満たし、
N個のセグメントの中の１≦i≦Nを満たすセグメント内基準シンボルについて、該セグメント内基準シンボルのコンステレーション位相をφiRi=θiRi+θ(i−１)(Ri−１)+・・・θ２R２+θ１R１に従い調整し、Nはセグメントの数を表し、iはセグメントのシーケンス番号を表し、Riはi番目のセグメントの中のセグメント内基準シンボルのシーケンス番号を表し、θiRiはi番目のセグメントの中の基準シンボルのコンステレーション位相を表し、φiRiはθiRiが調整されるセグメント内基準シンボルの位相を表し、
N個のセグメントの中の１≦i≦N且つ１<j≦Miを満たすシンボルについて、該シンボルのコンステレーション位相をφij=θij+φiRiに従い調整し、Miはi番目のセグメントの中のシンボルの数を表し、M１+M２+・・・MN=M、MはN個のセグメントの中のシンボルの総数を表し、jはシンボルのシーケンス番号を表し、θijはi番目のセグメントの中のj番目のシンボルのコンステレーション位相を表し、φijはθijがプリセット位相調整ルールに従い調整される位相を表し、i、j、Ri、及びMiは全て整数であり、Mi≧２であり、
N個のセグメントの中の１≦i≦N且つj=１を満たすシンボルについて、該シンボルの位相をφij=θijに従い調整する、よう構成される。
【００４６】
本願の可能な実装では、セグメント内基準シンボルはパイロットシンボルである。
【００４７】
第４の態様によると、本願は、
変調信号を受信し、調整信号を復調してM個のシンボルを取得するよう構成される受信モジュールと、
前記M個のシンボルをN個のグループに分割するよう構成され、Nは１より大きい整数である、グルーピングモジュールと、
前記N個のセグメントの中の各シンボルの位相を取得するよう構成される位相取得モジュールと、
各セグメント内のシンボルの位相を、プリセット位相逆調整ルールに従い調整するよう構成され、位相調整は前記N個のセグメントに対して同時に実行される、逆調整モジュールと、
プリセットコンステレーション図に基づき、コンステレーション逆マッピングを位相調整を通じて取得されたM個のシンボルに対して実行して、符号化シーケンスを取得するよう構成される逆マッピングモジュールと、
復号処理を前記符号化シーケンスに対して実行して、生データを取得するよう構成される復号モジュールと、を含む受信装置を提供する。
【００４８】
本願の可能な実装では、逆調整モジュールは、
N個のセグメントの各々の中のセグメント内基準シンボルを決定し、セグメント内基準シンボルは２≦Ri≦Mi−１を満たし、
N個のセグメントの中の１≦i≦N且つRi<j≦Miを満たすシンボルについて、該シンボルの位相をθij=φij−φi(j−１)に従い調整し、Nはセグメントの数を表し、iはセグメントのシーケンス番号を表し、Miはi番目のセグメントの中のシンボルの数を表し、M１+M２+・・・MN=M、MはN個のセグメントの中のシンボルの総数を表し、Riはi番目のセグメントの中のセグメント内基準シンボルのシーケンス番号を表し、jはシンボルのシーケンス番号を表し、φijはi番目のセグメントの中のj番目のシンボルの位相を表し、θijはφijがプリセット位相調整ルールに従い調整される位相を表し、i、j、Ri、及びMiは全て整数であり、Mi≧３であり、
N個のセグメントの中の１≦i≦N且つ１≦j<Riを満たすシンボルについて、該シンボルの位相をθij=φij−φi(j+１)に従い調整し、
N個のセグメントの中の１≦i≦N且つj=Riを満たすシンボルについて、該シンボルの位相をθij=φijに従い調整する、よう構成される。
【００４９】
本願の可能な実装では、逆調整モジュールは、
N個のセグメントの各々の中のセグメント内基準シンボルを決定し、セグメント内基準シンボルはRi=１を満たし、
N個のセグメントの中の１≦i≦N且つ１<j≦Miを満たすシンボルについて、該シンボルの位相をθij=φij−φi(j−１)に従い調整し、Nはセグメントの数を表し、iはセグメントのシーケンス番号を表し、Miはi番目のセグメントの中のシンボルの数を表し、M１+M２+・・・MN=M、MはN個のセグメントの中のシンボルの総数を表し、Riはi番目のセグメントの中のセグメント内基準シンボルのシーケンス番号を表し、jはシンボルのシーケンス番号を表し、φijはi番目のセグメントの中のj番目のシンボルの位相を表し、θijはφijがプリセット位相調整ルールに従い調整される位相を表し、i、j、Ri、及びMiは全て整数であり、Mi≧２であり、
N個のセグメントの中の１≦i≦N且つj=１を満たすシンボルについて、該シンボルの位相をθij=φijに従い調整する、よう構成される。
【００５０】
本願の可能な実装では、逆調整モジュールは、
N個のセグメントの各々の中のセグメント内基準シンボルを決定し、セグメント内基準シンボルは２≦Ri≦Mi−１を満たし、
N個のセグメントの中の１≦i≦N、１≦j≦Mi、且つj≠Riを満たすシンボルについて、該シンボルの位相をθij=φij−φiRiに従い調整し、Nはセグメントの数を表し、iはセグメントのシーケンス番号を表し、Miはi番目のセグメントの中のシンボルの数を表し、M１+M２+・・・MN=M、MはN個のセグメントの中のシンボルの総数を表し、Riはi番目のセグメントの中のセグメント内基準シンボルのシーケンス番号を表し、jはシンボルのシーケンス番号を表し、φijはi番目のセグメントの中のj番目のシンボルの位相を表し、θijはφijが調整される位相を表し、i、j、Ri、及びMiは全て整数であり、Mi≧２であり、
N個のセグメントの中の１≦i≦N且つj=Riを満たすシンボルについて、該シンボルの位相をθij=φijに従い調整する、よう構成される。
【００５１】
本願の可能な実装では、逆調整モジュールは、
N個のセグメントの各々の中のセグメント内基準シンボルを決定し、セグメント内基準シンボルはRi=１を満たし、
N個のセグメントの中の１≦i≦N且つ１<j≦Miを満たすシンボルについて、該シンボルの位相をθij=φij−φiRiに従い調整し、Nはセグメントの数を表し、iはセグメントのシーケンス番号を表し、Miはi番目のセグメントの中のシンボルの数を表し、M１+M２+・・・MN=M、MはN個のセグメントの中のシンボルの総数を表し、Riはi番目のセグメントの中のセグメント内基準シンボルのシーケンス番号を表し、jはシンボルのシーケンス番号を表し、φijはi番目のセグメントの中のj番目のシンボルの位相を表し、θijはφijが調整される位相を表し、i、j、Ri、及びMiは全て整数であり、Mi≧２であり、
N個のセグメントの中の１≦i≦N且つj=１を満たすシンボルについて、該シンボルの位相をθij=φijに従い調整する、よう構成される。
【００５２】
本願の可能な実装では、逆調整モジュールは、
N個のセグメントの各々の中のセグメント内基準シンボルを決定し、セグメント内基準シンボルは２≦Ri≦Mi−１を満たし、
N個のセグメントの中の１≦i≦Nを満たすセグメント内基準シンボルについて、該セグメント内基準シンボルの位相をθiRi=φiRi−φ(i−１)(Ri−１)に従い調整し、Nはセグメントの数を表し、iはセグメントのシーケンス番号を表し、Riはi番目のセグメントの中のセグメント内基準シンボルのシーケンス番号を表し、φiRiはi番目のセグメントの中の基準シンボルの位相を表し、θiRiはφiRiが調整される位相を表し、
N個のセグメントの中のRi+１<j≦Miを満たすシンボルについて、該シンボルのコンステレーション位相をθij=φij−φi(j−１)に従い調整し、Miはi番目のセグメントの中のシンボルの数を表し、M１+M２+・・・MN=M、MはN個のセグメントの中のシンボルの総数を表し、jはシンボルのシーケンス番号を表し、φijはi番目のセグメントの中のj番目のシンボルのコンステレーション位相を表し、θijはφijがプリセット位相調整ルールに従い調整される位相を表し、i、j、Ri、及びMiは全て整数であり、Mi≧３であり、
N個のセグメントの中の１≦i≦N且つj=Ri+１を満たすシンボルについて、該シンボルの位相をθi(Ri+１)=φi(Ri+１)−θijに従い調整し、
N個のセグメントの中の１≦i≦N且つ１≦j<Ri−１を満たすシンボルについて、該シンボルの位相をθij=φij−φi(j+１)に従い調整し、
N個のセグメントの中の１≦i≦N且つj=Ri−１を満たすシンボルについて、該シンボルの位相をθi(Ri−１)=φi(Ri−１)−θiRiに従い調整し、
N個のセグメントの中の１≦i≦N且つj=Riを満たすシンボルについて、該シンボルの位相をθij=φijに従い調整する、よう構成される。
【００５３】
本願の可能な実装では、逆調整モジュールは、
N個のセグメントの各々の中のセグメント内基準シンボルを決定し、セグメント内基準シンボルはRi=１を満たし、
N個のセグメントの中の１≦i≦Nを満たすセグメント内基準シンボルについて、該セグメント内基準シンボルの位相をθiRi=φiRi−φ(i−１)(Ri−１)に従い調整し、Nはセグメントの数を表し、iはセグメントのシーケンス番号を表し、Riはi番目のセグメントの中のセグメント内基準シンボルのシーケンス番号を表し、φiRiはi番目のセグメントの中の基準シンボルの位相を表し、θiRiはφiRiが調整される位相を表し、
N個のセグメントの中の２<j≦Miを満たすシンボルについて、該シンボルのコンステレーション位相をθij=φij−φi(j−１)に従い調整し、Miはi番目のセグメントの中のシンボルの数を表し、M１+M２+・・・MN=M、MはN個のセグメントの中のシンボルの総数を表し、jはシンボルのシーケンス番号を表し、φijはi番目のセグメントの中のj番目のシンボルのコンステレーション位相を表し、θijはφijがプリセット位相調整ルールに従い調整される位相を表し、i、j、Ri、及びMiは全て整数であり、Mi≧３であり、
N個のセグメントの中の１≦i≦N且つj=２を満たすシンボルについて、該シンボルの位相をθi(Ri+１)=φi(Ri+１)−θiRiに従い調整し、
N個のセグメントの中の１≦i≦N且つj=１を満たすシンボルについて、該シンボルの位相をθij=φijに従い調整する、よう構成される。
【００５４】
本願の可能な実装では、逆調整モジュールは、
N個のセグメントの各シンボルの中のセグメント内基準シンボルを決定し、セグメント内基準シンボルは２≦Ri≦Mi−１を満たし、
N個のセグメントの中の１≦i≦Nを満たすセグメント内基準シンボルについて、該セグメント内基準シンボルの位相をθiRi=φiRi−φ(i−１)(Ri−１)に従い調整し、Nはセグメントの数を表し、iはセグメントのシーケンス番号を表し、Riはi番目のセグメントの中のセグメント内基準シンボルのシーケンス番号を表し、φiRiはi番目のセグメントの中の基準シンボルのコンステレーション位相を表し、θiRiはφiRiが調整されるセグメント内基準シンボルの位相を表し、
N個のセグメントの中の１≦i≦N、１≦j≦Mi、且つj≠Riを満たすシンボルについて、該シンボルの位相をθij=φij−θiRiに従い調整し、Miはi番目のセグメントの中のシンボルの数を表し、M１+M２+・・・MN=M、MはN個のセグメントの中のシンボルの総数を表し、jはシンボルのシーケンス番号を表し、φijはi番目のセグメントの中のj番目のシンボルのコンステレーション位相を表し、θijはφijが調整される位相を表し、i、j、Ri、及びMiは全て整数であり、Mi≧３であり、
N個のセグメントの中の１≦i≦N且つj=Riを満たすシンボルについて、該シンボルの位相をθij=φijに従い調整する、よう構成される。
【００５５】
本願の可能な実装では、逆調整モジュールは、
N個のセグメントの各シンボルの中のセグメント内基準シンボルを決定し、セグメント内基準シンボルはRi=１を満たし、
N個のセグメントの中の１≦i≦Nを満たすセグメント内基準シンボルについて、該セグメント内基準シンボルの位相をθiRi=φiRi−φ(i−１)(Ri−１)に従い調整し、Nはセグメントの数を表し、iはセグメントのシーケンス番号を表し、Riはi番目のセグメントの中のセグメント内基準シンボルのシーケンス番号を表し、φiRiはi番目のセグメントの中の基準シンボルのコンステレーション位相を表し、θiRiはφiRiが調整されるセグメント内基準シンボルの位相を表し、
N個のセグメントの中の１≦i≦N且つ１<j≦Miを満たすシンボルについて、該シンボルの位相をθij=φij−θiRiに従い調整し、Miはi番目のセグメントの中のシンボルの数を表し、M１+M２+・・・MN=M、MはN個のセグメントの中のシンボルの総数を表し、jはシンボルのシーケンス番号を表し、φijはi番目のセグメントの中のj番目のシンボルのコンステレーション位相を表し、θijはφijが調整される位相を表し、i、j、Ri、及びMiは全て整数であり、Mi≧２であり、
N個のセグメントの中の１≦i≦N且つj=１を満たすシンボルについて、該シンボルの位相をθij=φijに従い調整する、よう構成される。
【００５６】
第５の態様によると、本願は、送信装置と受信装置とを含むデジタル通信システムであって、前記送信装置は符号化処理を生データに対して実行して、符号化シーケンスを取得し、前記送信装置はコンステレーションマッピングを前記符号化シーケンスに対してプリセットコンステレーション図に基づき実行して、M個のシンボルを取得し、Mは１より大きい整数であり、前記送信装置は前記M個のシンボルをN個のセグメントに分割し、Nは１より大きい整数であり、前記送信装置は前記N個のセグメントの中の各シンボルのコンステレーション位相を取得し、前記送信装置は各セグメント内のシンボルのコンステレーション位相を、プリセット位相調整ルールに従い調整し、前記N個のセグメントは同時に調整され、前記送信装置は位相調整を通じて取得されたM個のシンボルを変調して、変調信号を取得し、前記変調信号を送信する、デジタル通信システムを提供する。前記受信装置は、前記送信装置により送信された前記変調信号を受信し、前記調整信号を復調してM個のシンボルを取得し、前記受信装置は前記M個のシンボルをN個のグループに分割し、前記受信装置が前記M個のシンボルを分割する方法は前記送信装置の方法と同じであり、Nは１より大きい整数であり、前記受信装置は前記N個のセグメント内の各シンボルの位相を取得し、前記受信装置は各セグメント内のシンボルの位相をプリセット位相逆調整ルールに従い調整し、前記受信装置の前記位相逆調整ルールは前記送信装置の位相調整ルールの逆処理であり、位相調整は前記N個のセグメントに対して同時に実行され、前記受信装置はプリセットコンステレーション図に基づき、位相調整を通じて取得された前記M個のシンボルに対してコンステレーション逆マッピングを実行して、符号化シーケンスを取得し、前記受信装置により使用される前記コンステレーション図は前記送信装置により使用されるものと同じであり、前記受信装置は復号処理を前記符号化シーケンスに対して実行して、前記生データを取得する。前述の実施形態によると、送信装置及び受信装置は、位相ノイズ抑制のための調整を同時に実行し、それにより処理効率を向上する。
【図面の簡単な説明】
【００５７】
本発明の実施形態の又は従来技術の技術的ソリューションをより明確に説明するために、以下は、実施形態又は従来技術を説明するために必要な添付の図面を簡単に記載する。明らかに、以下の説明中の添付の図面は、本発明の一部の実施形態を示し、当業者は、これらの添付の図面から創造的労力を有しないで他の図面を更に導出し得る。
【００５８】
【図１】本発明の一実施形態によるデジタル通信システムの概略構造図である。
【００５９】
【図２】本発明の一実施形態による調整方法の概略フローチャートである。
【００６０】
【図３Ａ】本発明の一実施形態によるシンボルをグループ化する概略図である。
【００６１】
【図３Ｂ】本発明の一実施形態によるシンボルをグループ化する別の概略図である。
【００６２】
【図３Ｃ】本発明の一実施形態によるシンボルをグループ化する更に別の概略図である。
【００６３】
【図４Ａ】本発明の一実施形態によるシンボルをグループ化する概略図である。
【００６４】
【図４Ｂ】本発明の一実施形態によるシンボルをグループ化する別の概略図である。
【００６５】
【図４Ｃ】本発明の一実施形態によるシンボルをグループ化する更に別の概略図である。
【００６６】
【図５Ａ】本発明の一実施形態によるシンボルをグループ化する概略図である。
【００６７】
【図５Ｂ】本発明の一実施形態によるシンボルをグループ化する別の概略図である。
【００６８】
【図５Ｃ】本発明の一実施形態によるシンボルをグループ化する更に別の概略図である。
【００６９】
【図６Ａ】本発明の一実施形態によるシンボルをグループ化する概略図である。
【００７０】
【図６Ｂ】本発明の一実施形態によるシンボルをグループ化する別の概略図である。
【００７１】
【図６Ｃ】本発明の一実施形態によるシンボルをグループ化する更に別の概略図である。
【００７２】
【図７】本発明の一実施形態によるコンステレーション図の概略図である。
【００７３】
【図８】本発明の一実施形態による復調方法の概略フローチャートである。
【００７４】
【図９】本発明の一実施形態による送信装置の概略構造図である。
【００７５】
【図１０】本発明の一実施形態による受信装置の概略構造図である。
【００７６】
【図１１】本発明の一実施形態による別の送信装置の概略構造図である。
【００７７】
【図１２】本発明の一実施形態による別の受信装置の概略構造図である。
【発明を実施するための形態】
【００７８】
留意すべきことに、本発明の実施形態で使用される用語は、特定の実施形態を記載する目的のためであり、本発明を限定することを意図しない。本発明の実施形態及び添付の請求項で使用される単数形の用語「１つの」、「前述の」、及び「該」は、文脈上明確に特に指定されない限り、複数形も含むことを意図する。また、明細書中の用語「及び／又は」は、１又は複数の関連する列挙された項目のうちの任意の又は全ての可能な組合せを示し及び含むことが理解されるべきである。さらに、本発明の明細書、請求項、及び添付の図面において、用語「第１」、「第２」、「第３」、「第４」等は、異なるオブジェクト間を区別することを意図し、特定の順序を示さない。さらに、用語「含む」、「有する」、又はそれらの任意の変形は、非排他的包含をカバーすることを意図する。例えば、一連のステップ若しくはユニットを含む処理、方法、システム、プロダクト、又は装置は、列挙されたステップ又はユニットに限定されず、任意で、列挙されないステップ又はユニットを更に含み、或いは任意で、処理、方法、プロダクト、若しくは装置のような別の固有のステップ又はユニットを更に含む。
【００７９】
実装で提供されるデジタル変調方法及びデジタル復調方法は、GSM（Global  System  of  Mobile  communication、グローバルシステム・フォー・モバイルコミュニケーションズ）又はCDMA（Code  Division  Multiple  Access、符号分割多重接続）を含むがそれらに限定されない複数の通信標準に適用されて良く、又はWCDMA（Wideband  Code  Division  Multiple  Access、広帯域符号分割多重接続）、LTE（Long  Term  Evolution、ロングタームエボリューション）、将来の５Gネットワーク標準、又は無線ローカルエリアネットワーク（Wireless  Local  Area  Networks、WLAN）、ワールドワイド・インターオペラビリティ・フォー・マイクロウェイブ・アクセス（Worldwide  Interoperability  for  Microwave  Access、WiMAX）、ブルートゥース、又は赤外線のような別の通信標準であって良い。
【００８０】
図１は、本発明の一実施形態によるデジタル通信システムの概略構造図である。本発明の本実施形態では、デジタル通信システムは、送信装置１１及び受信装置１２を含む。デジタル通信システムの動作処理は次の通りである。
【００８１】
送信装置１１は、符号化処理、シンボルグループ化、同時セグメント内位相調整符号化処理、及びシンボル変調を実行する。符号化処理：送信装置１１は、符号化処理を生データに対して実行して、符号化シーケンスを取得する。ここで、生データは、バイナリ形式のデータであって良い。送信装置は、ソース符号化、チャネル符号化処理、及びインターリービング符号化のような処理を、生データに対して実行する。送信装置は、符号化処理の後に、バイナリビットシーケンスを取得する。送信装置は、ビットシーケンスをM個のビットグループに、変調次数に基づき分割する。ここで、符号化シーケンスはM個のビットグループを含み、各ビットグループに含まれるビットの数は、変調次数と同じである。コンステレーションマッピング：送信装置は、コンステレーションマッピングをM個のビットグループに対してプリセットコンステレーション図に基づき実行して、M個のシンボルを取得する。ここで、Mは１より大きい整数である。シンボルグループ化：送信装置は、M個のシンボルをN個のセグメントに分割する。ここで、Nは１より大きい整数である。セグメント内位相調整：送信装置は、N個のセグメントの中の各シンボルのコンステレーション位相を取得する。送信装置は、各セグメント内のシンボルのコンステレーション位相を、プリセット位相調整ルールに基づき調整する。ここで、N個のセグメントは同時に調整される。同時の方法は、具体的に、ソフトウェア方法又はハードウェア方法であって良い。ソフトウェア方法：マルチスレッド方法は、位相調整をN個のセグメントに対して実行するために使用される。ここで、生成されるスレッドの数はセグメントの数Nに等しく、各スレッドは対応するセグメント内のシンボルのコンステレーション位相を調整するために使用される。ハードウェア方法：直列−並列変換が、N個のセグメントに対して実行されて、N個の並列シンボルストリームを取得する。N個の並列シンボルストリームは、それぞれN個の位相調整回路に入力される。ここで、各シンボルストリームは、１つの位相調整回路に一意に対応する。位相調整回路は、入力シンボルのコンステレーション位相をプリセット位相調整ルールに従い調整するよう構成される。シンボル変調：送信装置は、位相調整を通じて取得されたM個のシンボルを変調して、変調信号を取得し、変調信号を送信する。
【００８２】
受信装置１２の処理過程は、シンボル復調、シンボル再グループ化、セグメント内位相逆調整、コンステレーション逆マッピング、及び復号処理を含む。シンボル復調：受信装置は、送信装置により送信された変調信号を受信し、調整信号を復調して、M個のシンボルを取得する。シンボル再グループ化：受信装置は、M個のシンボルをN個のグループに分割する。ここで、受信装置がM個のシンボルを分割する方法は、送信装置の方法と同じであり、Nは１より大きい整数である。セグメント内位相逆調整：受信装置は、N個のセグメント内の各シンボルの位相を取得し、受信装置は、各セグメント内のシンボルの位相をプリセット位相逆調整ルールに従い調整する。ここで、受信装置の位相逆調整ルールは、送信装置の位相調整ルールの逆過程である。位相調整は、N個のセグメントに対して同時に実行される。コンステレーション逆マッピング：受信装置は、プリセットコンステレーション図に基づき、コンステレーション逆マッピングを、位相調整を通じて取得されたM個のシンボルに対して実行して、符号化シーケンスを取得する。ここで、受信装置により使用されるコンステレーション図は、送信装置により使用されるものと同じである。復号処理：受信装置は、復号処理を符号化シーケンスに対して実行して、生データを取得する。前述の実施形態では、送信装置の信号の位相ノイズ抑制能力が向上される必要のあるとき、送信装置はコンステレーションマッピングを通じて取得されたシンボルをセグメントに分割する。シンボルの位相は、セグメントに対して同時に調整される。それにより、送信装置の変調効率を向上し、処理時間を削減する。
【００８３】
図２は、本発明の一実施形態による変調方法の概略フローチャートである。方法は、以下のステップを含むが、これに限定されない。
【００８４】
Ｓ２０１。符号化処理を生データに対して実行して、符号化シーケンスを取得する。
【００８５】
具体的に、送信装置は、信号ソースにより出力される生データを取得する。送信装置は、基地局、移動局、ルータ、サイト、ゲートウェイ、又は別のネットワーク装置を含むが、これらに限定されない。生データは、バイナリ形式のデータであって良い。送信装置は、ソース符号化、チャネル符号化処理、又はインターリービング符号化のような処理を生データに対して実行する。ここで、ソース符号化方法は、シャノン符号化、ファノ符号化、ハフマン符号化を含むがこれらに限定されず、チャネル符号化方法は、パリティチェック符号化、CRC符号化、Turbo符号化、等を含むがこれらに限定されない。送信装置は、符号化処理の後に、バイナリビットシーケンスを取得する。送信装置は、ビットシーケンスをM個のビットグループに、変調次数に基づき分割する。ここで、符号化シーケンスはM個のビットグループを含み、各ビットグループに含まれるビットの数は、変調次数と同じである。例えば、ビットシーケンスは、１６ビットを含み、変調次数は２であり、送信装置は１６ビットを８個のビットグループに分割し、各ビットグループは２ビットを含む。
【００８６】
Ｓ２０２。コンステレーションマッピングを符号化シーケンスに対して、プリセットコンステレーション図に基づき実行して、M個のシンボルを取得する。
【００８７】
具体的に、符号化シーケンスは、M個のビットグループを含み、ビットグループはそれぞれ同数のビットを含み、ビットの数は変調次数に等しい。コンステレーション図は、変調次数に基づきプリセットされる。例えば、変調次数N=２のときコンステレーション図は４点コンステレーション図であり、変調次数が４のときコンステレーション図は１６点コンステレーション図であり、又は、変調次数が６のときコンステレーション図は６４点コンステレーション図である。コンステレーション図は、標準APSKコンステレーション図又はQAMコンステレーション図、又は別の形式の対称コンステレーション図、又はカスタマイズされた非対称コンステレーション図であって良い。コンステレーション図中のコンステレーション点の位置は、本発明の本実施形態において限定されない。コンステレーション図は、ビットグループとコンステレーション点の座標との間のマッピング関係を表すために使用される。ビットグループとコンステレーション点の座標との間のマッピング関係も、本発明の本実施形態において限定されない。コンステレーション点の座標は、振幅及びコンステレーション位相を含む。任意で、グレイ符号マッピング方法がQAMコンステレーション図のために使用され、準グレイ符号マッピング方法が、APSKコンステレーション図のために使用される。
【００８８】
Ｓ２０３。M個のシンボルをN個のセグメントに分割する。
【００８９】
具体的に、M及びNは１より大きい整数であり、N個のセグメントの各々に含まれるシンボルの数は同じ又は異なって良い。例えば、無線ローカルエリアネットワークでは、M個のシンボルは無線フレームであり、無線フレームは５１２個のシンボルを含み、送信装置は無線フレームを８個のセグメントに分割し、８個のセグメントの各々は６４個のシンボルを含む。
【００９０】
Ｓ２０４。N個のセグメントの中の各シンボルのコンステレーション位相を取得する。
【００９１】
具体的に、コンステレーション図は、シンボルとコンステレーション座標との間のマッピング関係を表す。送信装置は、M個のシンボルのコンステレーション位相を、Ｓ２０３におけるコンステレーション図上のシンボルの位置を用いて学習して良い。
【００９２】
Ｓ２０５。各セグメント内のシンボルのコンステレーション位相を、プリセット位相調整ルールに従い同時に調整する。
【００９３】
具体的に、位相調整ルールは位相ノイズを抑制するために使用される。送信装置が位相調整をN個のセグメントの各々に対してプリセット位相調整ルールに従い実行するとき、位相調整はセグメントに対して同時に実行される。同時の方法は、具体的に、ソフトウェア方法又はハードウェア方法であって良い。ソフトウェア方法：マルチスレッド方法は、位相調整をN個のセグメントに対して実行するために使用される。ここで、生成されるスレッドの数はセグメントの数Nに等しく、各スレッドは対応するセグメント内のシンボルのコンステレーション位相を調整するために使用される。ハードウェア方法：直列−並列変換が、N個のセグメントに対して実行されて、N個の並列シンボルストリームを取得する。N個の並列シンボルストリームは、それぞれN個の位相調整回路に入力される。ここで、各シンボルストリームは、１つの位相調整回路に一意に対応する。位相調整回路は、入力シンボルのコンステレーション位相をプリセット位相調整ルールに従い調整して、変調効率を向上し及び処理期間を短縮するよう構成される。
【００９４】
可能な実装では、送信装置により、各セグメント内のシンボルのコンステレーション位相を、プリセット位相調整ルールに従い調整するステップは、
N個のセグメントの各々の中のセグメント内基準シンボルを決定するステップであって、セグメント内基準シンボルは２≦Ri≦Mi−１を満たすステップと、
N個のセグメントの中の１≦i≦N且つRi<j≦Miを満たすシンボルについて、該シンボルのコンステレーション位相をφij=θij＋θi(j−１)＋・・・θi(Ri−１)+θiRiに従い調整するステップであって、iはセグメントのシーケンス番号を表し、jはN個のセグメントの中のシンボルのシーケンス番号を表し、Miはi番目のセグメントの中のシンボルの数を表し、つまりM１+M２+・・・MN=Mが満たされ、Riはi番目のセグメントの中のセグメント内基準シンボルのシーケンス番号を表し、θijはi番目のセグメントの中のj番目のシンボルのコンステレーション位相を表し、φijはθijが調整される位相を表し、i、j、Ri、及びMiは全て整数であり、Mi≧３である、ステップと、
N個のセグメントの中の１≦i≦N且つ１≦j<Riを満たすシンボルについて、該シンボルのコンステレーション位相をφij=θij＋θi(j+１)＋・・・+θiRiに従い調整するステップと、
N個のセグメントの中の１≦i≦N且つj=Riを満たすシンボルについて、該シンボルのコンステレーション位相をφij=θijに従い調整するステップと、を含む。
【００９５】
具体的に、セグメント内基準シンボルはセグメントの中の中間シンボルであって良く、セグメント内基準シンボルは２≦Ri≦Mi−１を満たす。言い換えると、セグメント内基準シンボルは、セグメントの中の先頭シンボル又は最終シンボルであり得る。全てのセグメントの中のセグメント内基準シンボルの位置は、同じ又は異なって良い。あるセグメントでは、セグメント内基準シンボルは、セグメントの中のシンボルを２種類：セグメント内基準シンボルの前のシンボル及びセグメント内基準シンボルの後のシンボルに分割するために境界として使用される。コンステレーションマッピングの後に、N個のセグメントの各々の中のシンボルのコンステレーション位相は以下のように表される。第１セグメントの中のシンボルのコンステレーション位相はθ１１、θ１２、θ１３、．．．、θ１R１、．．．、θ１(M１−１)、θ１M１であり、第２セグメントの中のシンボルのコンステレーション位相はθ２１、θ２２、θ２３、．．．、θ２R２、．．．、θ２(M２−１)、θ２M２であり、第３セグメントの中のシンボルのコンステレーション位相はθ３１、θ３２、θ３３、．．．、θ３R３、．．．、θ３(M３−１)、θ３M３であり、同様に、第Nセグメントの中のシンボルのコンステレーション位相はθN１、θN２、θN３、．．．、θNRN、．．．、θN(MN−１)、θNMN、である。ここで、θijはN個のセグメントの中の任意のシンボルのコンステレーション位相であり、Nはセグメントの数を表し、iはセグメントのシーケンス番号を表し、Miはi番目のセグメントの中のシンボルの数を表し、M１+M２+・・・MN=M、MはN個のセグメントの中のシンボルの総数を表し、Riはi番目のセグメントの中のセグメント内基準シンボルのシーケンス番号を表し、jはシンボルのシーケンス番号を表し、φijはθijに対する位相調整を通じて取得される。１≦i≦N且つj=Ri、つまり被調整シンボルがセグメント内基準シンボルであるとき、φiRi=θiRiであり、１≦i≦N且つRi<j≦Miのとき、φij=θij+θi(j−１)+・・・θi(Ri−１)+θiRiであり、又は、１≦i≦N且つ１≦j<Riのとき、φij=θij+θi(j+１)+・・・+θiRiである。
【００９６】
例えば、図３Ａのグループ化方法を参照すると、N=４である。セグメント１に含まれるシンボルはS１１、S１２、S１３、S１４及びS１５であり、前述のシンボルのコンステレーション位相はそれぞれθ１１、θ１２、θ１３、θ１４及びθ１５である。セグメント２に含まれるシンボルはS２１、S２２、S２３及びS２４であり、前述のシンボルのコンステレーション位相はそれぞれθ２１、θ２２、θ２３及びθ２４である。セグメント３に含まれるシンボルはS３１、S３２、S３３及びS３４であり、前述のシンボルのコンステレーション位相はそれぞれθ３１、θ３２、θ３３及びθ３４である。セグメント４に含まれるシンボルはS４１、S４２、S４３及びS４４であり、前述の４個のシンボルのコンステレーション位相はそれぞれθ４１、θ４２、θ４３及びθ４４である。図３Ａで太線ボックスを有するシンボルは、セグメント内基準シンボルであり、セグメント内基準シンボルはセグメントの中の中間シンボルである。送信装置は、セグメント１内のセグメント内基準シンボルがS１３であり、セグメント２内のセグメント内基準シンボルがS２２であり、セグメント３内のセグメント内基準シンボルがS３３であり、セグメント４内のセグメント内基準シンボルがS４３であることを決定する。送信装置により、４個のセグメント内の１７個のシンボルのコンステレーション位相をプリセット位相調整ルールに従い調整する方法は、４個のセグメント内のセグメント内基準シンボルのコンステレーション位相を不変に保つステップ、つまり、φ１３=θ１３、φ２２=θ２２、φ３３=θ３３、及びφ４３=θ４３を保つステップと、送信装置により、セグメント内のセグメント内基準シンボル以外のシンボルのコンステレーション位相を以下の通り調整するステップと、である：セグメント１ではφ１１=θ１１+θ１２+θ１３、φ１２=θ１２+θ１３、φ１４=θ１４+θ１３、及びφ１５=θ１５+θ１４+θ１３、セグメント２ではφ２１=θ２１+θ２２、φ２３=θ２３+θ２２、及びφ２４=θ２４+θ２３+θ２２、セグメント３ではφ３１=θ３１+θ３２+θ３３、φ３２=θ３２+θ３３、及びφ３４=θ３４+θ３３、セグメント４ではφ４４=θ４４+θ４３、φ４２=θ４２+θ４３+θ４４、及びφ４１=θ４１+θ４２+θ４３+θ４４。
【００９７】
可能な実装では、各セグメント内のシンボルのコンステレーション位相を、プリセット位相調整ルールに従い調整するステップは、N個のセグメントの各々の中のセグメント内基準シンボルを決定するステップであって、セグメント内基準シンボルはRi=Miを満たす、ステップと、
N個のセグメントの中の１≦i≦N且つ１≦j<Miを満たすシンボルについて、該シンボルのコンステレーション位相をφij=θij+θi(j+１)+・・・θi(Ri+１)+θiRiに従い調整するステップであって、iはセグメントのシーケンス番号を表し、jはN個のセグメントの中のシンボルのシーケンス番号を表し、Miはi番目のセグメントの中のシンボルの数を表し、つまりM１+M２+・・・MN=Mが満たされ、Riはi番目のセグメントの中のセグメント内基準シンボルのシーケンス番号を表し、θijはi番目のセグメントの中のj番目のシンボルのコンステレーション位相を表し、φijはθijが調整される位相を表し、i、j、Ri、及びMiは全て整数であり、Mi≧２である、ステップと、
N個のセグメントの中の１≦i≦N且つj=Miを満たすシンボルについて、該シンボルのコンステレーション位相をφij=θijに従い調整するステップと、を含む。
【００９８】
本願の可能な実装では、各セグメント内のシンボルのコンステレーション位相を、プリセット位相調整ルールに従い調整するステップは、
N個のセグメントの各々の中のセグメント内基準シンボルを決定するステップであって、セグメント内基準シンボルはRi=Miを満たす、ステップと、
N個のセグメントの中の１≦i≦N且つ１≦j<Miを満たすシンボルについて、該シンボルのコンステレーション位相をφij=θij+θiRiに従い調整するステップであって、Nはセグメントの数を表し、iはセグメントのシーケンス番号を表し、Miはi番目のセグメントの中のシンボルの数を表し、M１+M２+・・・MN=M、MはN個のセグメントの中のシンボルの総数を表し、Riはi番目のセグメントの中のセグメント内基準シンボルのシーケンス番号を表し、jはN個のセグメントの中のシンボルのシーケンス番号を表し、θijはi番目のセグメントの中のj番目のシンボルのコンステレーション位相を表し、φijはθijが調整される位相を表し、i、j、Ri、及びMiは全て整数であり、Mi≧２である、ステップと、
N個のセグメントの中の１≦i≦N且つj=Riを満たすシンボルについて、該シンボルのコンステレーション位相をφij=θijに従い調整するステップと、を含む。
【００９９】
例えば、図３Ｂのグループ化方法を参照すると、N=４である。セグメント１に含まれるシンボルはS１１、S１２、S１３、S１４及びS１５であり、前述のシンボルのコンステレーション位相はそれぞれθ１１、θ１２、θ１３、θ１４及びθ１５である。セグメント２に含まれるシンボルはS２１、S２２、S２３及びS２４であり、前述のシンボルのコンステレーション位相はそれぞれθ２１、θ２２、θ２３及びθ２４である。セグメント３に含まれるシンボルはS３１、S３２、S３３及びS３４であり、前述のシンボルのコンステレーション位相はそれぞれθ３１、θ３２、θ３３及びθ３４である。セグメント４に含まれるシンボルはS４１、S４２、S４３及びS４４であり、前述の４個のシンボルのコンステレーション位相はそれぞれθ４１、θ４２、θ４３及びθ４４である。図３Ｂで太線ボックスを有するシンボルは、セグメント内基準シンボルであり、セグメント内基準シンボルはセグメントの中の最終シンボルである。送信装置は、セグメント１内のセグメント内基準シンボルがS１５であり、セグメント２内のセグメント内基準シンボルがS２４であり、セグメント３内のセグメント内基準シンボルがS３４であり、セグメント４内のセグメント内基準シンボルがS４４であることを決定する。送信装置により、４個のセグメント内の１７個のシンボルのコンステレーション位相をプリセット位相調整ルールに従い調整する方法は、４個のセグメント内のセグメント内基準シンボルのコンステレーション位相を不変に保つステップ、つまり、φ１５=θ１５、φ２４=θ２４、φ３４=θ３４、及びφ４４=θ４４を保つステップと、送信装置により、セグメント内のセグメント内基準シンボル以外のシンボルのコンステレーション位相を以下の通り調整するステップと、である：セグメント１ではφ１１=θ１１+θ１２+θ１３+θ１４+θ１５、φ１２=θ１２+θ１３+θ１４+θ１５、φ１３=θ１３+θ１４+θ１５、及びφ１４=θ１４+θ１５、セグメント２ではφ２１=θ２１+θ２２+θ２３+θ２４、φ２２=θ２２+θ２３+θ２４、及びφ２３=θ２３+θ２４、セグメント３ではφ３１=θ３１+θ３２+θ３３+θ３４、φ３２=θ３２+θ３３+θ３４、及びφ３３=θ３３+θ３４、セグメント４ではφ４１=θ４１+θ４２+θ４３+θ４４、φ４２=θ４２+θ４３+θ４４、及びφ４３=θ４３+θ４４。
【０１００】
本願の可能な実装では、各セグメント内のシンボルのコンステレーション位相を、プリセット位相調整ルールに従い調整するステップは、
N個のセグメントの各々の中のセグメント内基準シンボルを決定するステップであって、セグメント内基準シンボルはRi=１を満たす、ステップと、
N個のセグメントの中の１≦i≦N且つ１<j≦Miを満たすシンボルについて、該シンボルのコンステレーション位相をφij=θij+θi(j−１)+・・・θi(Ri−１)+θiRiに従い調整するステップであって、iはセグメントのシーケンス番号を表し、jはN個のセグメントの中のシンボルのシーケンス番号を表し、Miはi番目のセグメントの中のシンボルの数を表し、つまりM１+M２+・・・MN=Mが満たされ、Riはi番目のセグメントの中のセグメント内基準シンボルのシーケンス番号を表し、θijはi番目のセグメントの中のj番目のシンボルのコンステレーション位相を表し、φijはθijが調整される位相を表し、i、j、Ri、及びMiは全て整数であり、Mi≧２である、ステップと、
N個のセグメントの中の１≦i≦N且つj=１を満たすシンボルについて、該シンボルのコンステレーション位相をφij=θijに従い調整するステップと、を含む。
【０１０１】
例えば、図３Ｃのグループ化方法を参照すると、N=４である。セグメント１に含まれるシンボルはS１１、S１２、S１３、S１４及びS１５であり、前述のシンボルのコンステレーション位相はそれぞれθ１１、θ１２、θ１３、θ１４及びθ１５である。セグメント２に含まれるシンボルはS２１、S２２、S２３及びS２４であり、前述のシンボルのコンステレーション位相はそれぞれθ２１、θ２２、θ２３及びθ２４である。セグメント３に含まれるシンボルはS３１、S３２、S３３及びS３４であり、前述のシンボルのコンステレーション位相はそれぞれθ３１、θ３２、θ３３及びθ３４である。セグメント４に含まれるシンボルはS４１、S４２、S４３及びS４４であり、前述の４個のシンボルのコンステレーション位相はそれぞれθ４１、θ４２、θ４３及びθ４４である。図３Ｃで太線ボックスを有するシンボルは、セグメント内基準シンボルであり、セグメント内基準シンボルはセグメントの中の先頭シンボルである。送信装置は、セグメント１内のセグメント内基準シンボルがS１１であり、セグメント２内のセグメント内基準シンボルがS２１であり、セグメント３内のセグメント内基準シンボルがS３１であり、セグメント４内のセグメント内基準シンボルがS４１であることを決定する。送信装置により、４個のセグメント内の１７個のシンボルのコンステレーション位相をプリセット位相調整ルールに従い調整する方法は、４個のセグメント内のセグメント内基準シンボルのコンステレーション位相を不変に保つステップ、つまり、φ１１=θ１１、φ２１=θ２１、φ３１=θ３１、及びφ４１=θ４１を保つステップと、送信装置により、セグメント内のセグメント内基準シンボル以外のシンボルのコンステレーション位相を以下の通り調整するステップと、である：セグメント１ではφ１２=θ１２+θ１１、φ１３=θ１３+θ１２+θ１１、φ１４=θ１４+θ１３+θ１２+θ１１、及びφ１５=θ１５+θ１４+θ１３+θ１２+θ１１、セグメント２ではφ２２=θ２２+θ２１、φ２３=θ２３+θ２２+θ２１、及びφ２４=θ２４+θ２３+θ２２+θ２１、セグメント３ではφ３２=θ３２+θ３１、φ３３=θ３３+θ３２+θ３１、及びφ３４=θ３４+θ３３+θ３２+θ３１、セグメント４ではφ４２=θ４２+θ４１、φ４３=θ４３+θ４２+θ４１、及びφ４４=θ４４+θ４３+θ４２+θ４１。
【０１０２】
本願の可能な実装では、各セグメント内のシンボルのコンステレーション位相を、プリセット位相調整ルールに従い調整するステップは、
N個のセグメントの各々の中のセグメント内基準シンボルを決定するステップであって、セグメント内基準シンボルは２≦Ri≦Mi−１を満たす、ステップと、
N個のセグメントの中の１≦i≦N、１≦j≦Mi、且つj≦Riを満たすシンボルについて、該シンボルのコンステレーション位相をφij=θij+θiRiに従い調整するステップであって、Nはセグメントの数を表し、iはセグメントのシーケンス番号を表し、Miはi番目のセグメントの中のシンボルの数を表し、M１+M２+・・・MN=M、MはN個のセグメントの中のシンボルの総数を表し、Riはi番目のセグメントの中のセグメント内基準シンボルのシーケンス番号を表し、jはN個のセグメントの中のシンボルのシーケンス番号を表し、θijはi番目のセグメントの中のj番目のシンボルのコンステレーション位相を表し、φijはθijが調整される位相を表し、i、j、Ri、及びMiは全て整数であり、Mi≧３である、ステップと、
N個のセグメントの中の１≦i≦N且つj=Riを満たすシンボルについて、該シンボルのコンステレーション位相をφij=θijに従い調整するステップと、を含む。
【０１０３】
具体的に、セグメント内基準シンボルはセグメントの中の中間シンボルであって良く、セグメント内基準シンボルは２≦Ri≦Mi−１を満たす。言い換えると、セグメント内基準シンボルは、セグメントの中の先頭シンボル又は最終シンボルであり得ない。N個のセグメントの中のセグメント内基準シンボルの位置は、同じ又は異なって良く、これは本願において限定されない。全てのセグメントに含まれるシンボルの数も同じ又は異なって良く、これは本願において限定されない。コンステレーションマッピングの後に、N個のセグメントの各々の中のシンボルのコンステレーション位相は以下のように表されて良い。第１セグメントの中のシンボルのコンステレーション位相はθ１１、θ１２、θ１３、．．．、θ１R１、．．．、θ１(M１−１)、θ１M１であり、第２セグメントの中のシンボルのコンステレーション位相はθ２１、θ２２、θ２３、．．．、θ２R２、．．．、θ２(M２−１)、θ２M２であり、第３セグメントの中のシンボルのコンステレーション位相はθ３１、θ３２、θ３３、．．．、θ３R３、．．．、θ３(M３−１)、θ３M３であり、同様に、第Nセグメントの中のシンボルのコンステレーション位相はθN１、θN２、θN３、．．．、θNRN、．．．、θN(MN−１)、θNMN、である。ここで、θijはN個のセグメントの中の任意のシンボルのコンステレーション位相であり、Nはセグメントの数を表し、iはセグメントのシーケンス番号を表し、Miはi番目のセグメントの中のシンボルの数を表し、M１+M２+・・・MN=M、MはN個のセグメントの中のシンボルの総数を表し、Riはi番目のセグメントの中のセグメント内基準シンボルのシーケンス番号を表し、jはシンボルのシーケンス番号を表し、φijはθijに対する位相調整を通じて取得される。１≦i≦N且つj=Ri、つまり被調整シンボルがセグメント内基準シンボルであるとき、φiRi=θiRiであり、又は１≦i≦N、１≦j≦Mi、且つj≠Riのとき、φij=θij+θiRiである。
【０１０４】
例えば、図４Ａのグループ化方法を参照すると、N=４であり、各セグメントは４個のシンボルを含む。セグメント１に含まれるシンボルはS１１、S１２、S１３、及びS１４であり、前述のシンボルのコンステレーション位相はそれぞれθ１１、θ１２、θ１３、及びθ１４である。セグメント２に含まれるシンボルはS２１、S２２、S２３及びS２４であり、前述のシンボルのコンステレーション位相はそれぞれθ２１、θ２２、θ２３及びθ２４である。セグメント３に含まれるシンボルはS３１、S３２、S３３及びS３４であり、前述のシンボルのコンステレーション位相はそれぞれθ３１、θ３２、θ３３及びθ３４である。セグメント４に含まれるシンボルはS４１、S４２、S４３及びS４４であり、前述の４個のシンボルのコンステレーション位相はそれぞれθ４１、θ４２、θ４３及びθ４４である。図４Ａで太線ボックスを有するシンボルは、セグメント内基準シンボルであり、セグメント内基準シンボルはセグメントの中の中間シンボルである。送信装置は、セグメント１内のセグメント内基準シンボルがS１２であり、セグメント２内のセグメント内基準シンボルがS２２であり、セグメント３内のセグメント内基準シンボルがS３３であり、セグメント４内のセグメント内基準シンボルがS４３であることを決定する。送信装置により、４個のセグメント内の１６個のシンボルのコンステレーション位相をプリセット位相調整ルールに従い調整する方法は、４個のセグメント内のセグメント内基準シンボルのコンステレーション位相を不変に保つステップ、つまり、φ１２=θ１２、φ２２=θ２２、φ３３=θ３３、及びφ４３=θ４３を保つステップと、送信装置により、セグメント内のセグメント内基準シンボル以外のシンボルのコンステレーション位相を以下の通り調整するステップと、である：セグメント１ではφ１１=θ１１+θ１２、φ１３=θ１３+θ１２、及びφ１４=θ１４+θ１２、セグメント２ではφ２１=θ２１+θ２２、φ２３=θ２３+θ２２、及びφ２４=θ２４+θ２２、セグメント３ではφ３２=θ３２+θ３３、φ３１=θ３１+θ３３、及びφ３４=θ３４+θ３３、セグメント４ではφ４４=θ４４+θ４３、φ４２=θ４２+θ４３、及びφ４１=θ４１+θ４３。
【０１０５】
本願の可能な実装では、各セグメント内のシンボルのコンステレーション位相を、プリセット位相調整ルールに従い調整するステップは、
N個のセグメントの各々の中のセグメント内基準シンボルを決定するステップであって、セグメント内基準シンボルはRi=１を満たす、ステップと、
N個のセグメントの中の１≦i≦N且つ１<j≦Miを満たすシンボルについて、該シンボルのコンステレーション位相をφij=θij+θiRiに従い調整するステップであって、Nはセグメントの数を表し、iはセグメントのシーケンス番号を表し、Miはi番目のセグメントの中のシンボルの数を表し、M１+M２+・・・MN=M、MはN個のセグメントの中のシンボルの総数を表し、Riはi番目のセグメントの中のセグメント内基準シンボルのシーケンス番号を表し、jはN個のセグメントの中のシンボルのシーケンス番号を表し、θijはi番目のセグメントの中のj番目のシンボルのコンステレーション位相を表し、φijはθijが調整される位相を表し、i、j、Ri、及びMiは全て整数であり、Mi≧２である、ステップと、
N個のセグメントの中の１≦i≦N且つj=Riを満たすシンボルについて、該シンボルのコンステレーション位相をφij=θijに従い調整するステップと、を含む。
【０１０６】
例えば、図４Ｂのグループ化方法を参照すると、N=４であり、各セグメントは４個のシンボルを含む。セグメント１に含まれるシンボルはS１１、S１２、S１３、及びS１４であり、前述のシンボルのコンステレーション位相はそれぞれθ１１、θ１２、θ１３、及びθ１４である。セグメント２に含まれるシンボルはS２１、S２２、S２３及びS２４であり、前述のシンボルのコンステレーション位相はそれぞれθ２１、θ２２、θ２３及びθ２４である。セグメント３に含まれるシンボルはS３１、S３２、S３３及びS３４であり、前述のシンボルのコンステレーション位相はそれぞれθ３１、θ３２、θ３３及びθ３４である。セグメント４に含まれるシンボルはS４１、S４２、S４３及びS４４であり、前述の４個のシンボルのコンステレーション位相はそれぞれθ４１、θ４２、θ４３及びθ４４である。図４Ｂで太線ボックスを有するシンボルは、セグメント内基準シンボルであり、セグメント内基準シンボルはセグメントの中の先頭シンボルである。送信装置は、セグメント１内のセグメント内基準シンボルがS１１であり、セグメント２内のセグメント内基準シンボルがS２１であり、セグメント３内のセグメント内基準シンボルがS３１であり、セグメント４内のセグメント内基準シンボルがS４１であることを決定する。送信装置により、４個のセグメント内の１６個のシンボルのコンステレーション位相をプリセット位相調整ルールに従い調整する方法は、４個のセグメント内のセグメント内基準シンボルのコンステレーション位相を不変に保つステップ、つまり、φ１１=θ１１、φ２１=θ２１、φ３１=θ３１、及びφ４１=θ４１を保つステップと、送信装置により、セグメント内のセグメント内基準シンボル以外のシンボルのコンステレーション位相を以下の通り調整するステップと、である：セグメント１ではφ１２=θ１２+θ１１、φ１３=θ１３+θ１１、及びφ１４=θ１４+θ１１、セグメント２ではφ２２=θ２２+θ２１、φ２３=θ２３+θ２１、及びφ２４=θ２４+θ２１、セグメント３ではφ３２=θ３２+θ３１、φ３３=θ３３+θ３１、及びφ３４=θ３４+θ３１、セグメント４ではφ４２=θ４２+θ４１、φ４３=θ４３+θ４１、及びφ４４=θ４４+θ４１。
【０１０７】
本願の可能な実装では、各セグメント内のシンボルのコンステレーション位相を、プリセット位相調整ルールに従い調整するステップは、
N個のセグメントの各々の中のセグメント内基準シンボルを決定するステップであって、セグメント内基準シンボルはRi=Miを満たす、ステップと、
N個のセグメントの中の１≦i≦N且つ１≦j<Miを満たすシンボルについて、該シンボルのコンステレーション位相をφij=θij+θiRiに従い調整するステップであって、Nはセグメントの数を表し、iはセグメントのシーケンス番号を表し、Miはi番目のセグメントの中のシンボルの数を表し、M１+M２+・・・MN=M、MはN個のセグメントの中のシンボルの総数を表し、Riはi番目のセグメントの中のセグメント内基準シンボルのシーケンス番号を表し、jはN個のセグメントの中のシンボルのシーケンス番号を表し、θijはi番目のセグメントの中のj番目のシンボルのコンステレーション位相を表し、φijはθijが調整される位相を表し、i、j、Ri、及びMiは全て整数であり、Mi≧２である、ステップと、
N個のセグメントの中の１≦i≦N且つj=Riを満たすシンボルについて、該シンボルのコンステレーション位相をφij=θijに従い調整するステップと、を含む。
【０１０８】
例えば、図４Ｃのグループ化方法を参照すると、N=４であり、各セグメントは４個のシンボルを含む。セグメント１に含まれるシンボルはS１１、S１２、S１３、及びS１４であり、前述のシンボルのコンステレーション位相はそれぞれθ１１、θ１２、θ１３、及びθ１４である。セグメント２に含まれるシンボルはS２１、S２２、S２３及びS２４であり、前述のシンボルのコンステレーション位相はそれぞれθ２１、θ２２、θ２３及びθ２４である。セグメント３に含まれるシンボルはS３１、S３２、S３３及びS３４であり、前述のシンボルのコンステレーション位相はそれぞれθ３１、θ３２、θ３３及びθ３４である。セグメント４に含まれるシンボルはS４１、S４２、S４３及びS４４であり、前述の４個のシンボルのコンステレーション位相はそれぞれθ４１、θ４２、θ４３及びθ４４である。図４Ｃで太線ボックスを有するシンボルは、セグメント内基準シンボルであり、セグメント内基準シンボルはセグメントの中の最終シンボルである。送信装置は、セグメント１内のセグメント内基準シンボルがS１４であり、セグメント２内のセグメント内基準シンボルがS２４であり、セグメント３内のセグメント内基準シンボルがS３４であり、セグメント４内のセグメント内基準シンボルがS４４であることを決定する。送信装置により、４個のセグメント内の１６個のシンボルのコンステレーション位相をプリセット位相調整ルールに従い調整する方法は、４個のセグメント内のセグメント内基準シンボルのコンステレーション位相を不変に保つステップ、つまり、φ１４=θ１４、φ２４=θ２４、φ３４=θ３４、及びφ４４=θ４４を保つステップと、送信装置により、セグメント内のセグメント内基準シンボル以外のシンボルのコンステレーション位相を以下の通り調整するステップと、である：セグメント１ではφ１１=θ１１+θ１４、φ１２=θ１２+θ１４、及びφ１３=θ１３+θ１４、セグメント２ではφ２１=θ２１+θ２４、φ２２=θ２２+θ２４、及びφ２３=θ２３+θ２４、セグメント３ではφ３１=θ３１+θ３４、φ３２=θ３２+θ３４、及びφ３３=θ３３+θ３４、セグメント４ではφ４１=θ４１+θ４４、φ４２=θ４２+θ４４、及びφ４３=θ４３+θ４４。
【０１０９】
本願の可能な実装では、各セグメント内のシンボルのコンステレーション位相を、プリセット位相調整ルールに従い調整するステップは、
N個のセグメントの各々の中のセグメント内基準シンボルを決定するステップであって、セグメント内基準シンボルは２≦Ri≦Mi−１を満たす、ステップと、
N個のセグメントの中の１≦i≦Nを満たすセグメント内基準シンボルについて、該セグメント内基準シンボルのコンステレーション位相をφiRi=θiRi+θ(i−１)(Ri−１)+・・・θ２R２+θ１R１に従い調整するステップであって、Nはセグメントの数を表し、iはセグメントのシーケンス番号を表し、Riはi番目のセグメントの中のセグメント内基準シンボルのシーケンス番号を表し、θiRiはi番目のセグメントの中の基準シンボルのコンステレーション位相を表し、φiRiはθiRiが調整されるセグメント内基準シンボルの位相を表す、ステップと、
N個のセグメントの中の１≦i≦N且つRi<j≦Miを満たすシンボルについて、該シンボルのコンステレーション位相をφij=θij+θi(j−１)+・・・θi(Ri−１)+φiRiに従い調整するステップであって、Miはi番目のセグメントの中のシンボルの数を表し、M１+M２+・・・MN=M、MはN個のセグメントの中のシンボルの総数を表し、jはN個のセグメントの中のシンボルのシーケンス番号を表し、θijはi番目のセグメントの中のj番目のシンボルのコンステレーション位相を表し、φijはθijがプリセット位相調整ルールに従い調整される位相を表し、i、j、Ri、及びMiは全て整数であり、Mi≧２である、ステップと、
N個のセグメントの中の１≦i≦N且つ１≦j<Riを満たすシンボルについて、該シンボルのコンステレーション位相を式φij=θij+θi(j+１)+・・・+φiRiに従い調整するステップと、
N個のセグメントの中の１≦i≦N且つj=Riを満たすシンボルについて、該シンボルの位相をφij=θijに従い調整するステップと、を含む。
【０１１０】
具体的に、セグメント内基準シンボルはセグメントの中の中間シンボルであって良く、セグメント内基準シンボルは２≦Ri≦Mi−１を満たす。言い換えると、セグメント内基準シンボルは、セグメントの中の先頭シンボル又は最終シンボルのいずれでもない。セグメントの中のセグメント内基準シンボルの位置は、同じ又は異なって良い。コンステレーションマッピングが符号化シーケンスに含まれるM個のビットグループに対して実行された後に、N個のセグメントの各々の中のシンボルのコンステレーション位相は以下のように表される。第１セグメントの中のシンボルのコンステレーション位相はθ１１、θ１２、θ１３、．．．、θ１R１、．．．、θ１(M１−１)、θ１M１であり、第２セグメントの中のシンボルのコンステレーション位相はθ２１、θ２２、θ２３、．．．、θ２R２、．．．、θ２(M２−１)、θ２M２であり、第３セグメントの中のシンボルのコンステレーション位相はθ３１、θ３２、θ３３、．．．、θ３R３、．．．、θ３(M３−１)、θ３M３であり、同様に、第Nセグメントの中のシンボルのコンステレーション位相はθN１、θN２、θN３、．．．、θNRN、．．．、θN(MN−１)、θNMNである。ここで、θijはN個のセグメントの中の任意のシンボルのコンステレーション位相であり、Nはセグメントの数を表し、iはセグメントのシーケンス番号を表し、Miはi番目のセグメントの中のシンボルの数を表し、M１+M２+・・・MN=M、MはN個のセグメントの中のシンボルの総数を表し、Riはi番目のセグメントの中のセグメント内基準シンボルのシーケンス番号を表し、jはシンボルのシーケンス番号を表し、φijはθijに対する位相調整を通じて取得される。１≦i≦N且つj=Ri、つまり被調整シンボルがセグメント内基準シンボルであるとき、φiRi=θiRi+θ(i−１)(Ri−１)+・・・θ２R２+θ１R１である。セグメント内基準シンボルは、セグメントの中のシンボルを２種類：セグメント内基準シンボルの前のシンボル及びセグメント内基準シンボルの後のシンボルに分割するために境界として使用される。セグメント内基準シンボルの後のシンボルは１≦i≦N且つRi<j≦Miを満たし、該シンボルのコンステレーション位相は式φij=θij+θi(j−１)+・・・θi(Ri−１)+φiRiに従い調整される。セグメント内基準シンボルの前のシンボルは１≦i≦N且つ１≦j<Riを満たし、該シンボルのコンステレーション位相は式φij=θij+θi(j+１)+・・・+φiRiに従い調整される。
【０１１１】
例えば、図５Ａのグループ化方法を参照すると、N=３である。セグメント１に含まれるシンボルはS１１、S１２、S１３、S１４及びS１５であり、前述のシンボルのコンステレーション位相はそれぞれθ１１、θ１２、θ１３、θ１４及びθ１５である。セグメント２に含まれるシンボルはS２１、S２２、S２３、S２４及びS２５であり、前述のシンボルのコンステレーション位相はそれぞれθ２１、θ２２、θ２３、θ２４及びθ２５である。セグメント３に含まれるシンボルはS３１、S３２、S３３、S３４及びS３５であり、前述のシンボルのコンステレーション位相はそれぞれθ３１、θ３２、θ３３、θ３４及びθ３５である。図５Ａで太線ボックスを有するシンボルは、セグメント内基準シンボルであり、セグメント内基準シンボルは中間シンボルである。送信装置は、セグメント１内のセグメント内基準シンボルがS１３であり、セグメント２内のセグメント内基準シンボルがS２３であり、セグメント３内のセグメント内基準シンボルがS３３であることを決定する。送信装置により、３個のセグメント内の１５個のシンボルのコンステレーション位相をプリセット位相調整ルールに従い調整する方法は、先ず、送信装置により、３個のセグメント内のセグメント内基準シンボルのコンステレーション位相をφ１３=θ１３、φ２３=θ２３+θ１３、及びφ３３=θ３３+θ２３+θ１３に従い調整するステップと、次に、送信装置により、セグメント内のセグメント内基準シンボル以外のシンボルのコンステレーション位相を以下の通り調整するステップと、である：セグメント１ではφ１１=θ１１+θ１２+φ１３、φ１２=θ１２+φ１３、φ１４=θ１４+φ１３、及びφ１５=θ１５+θ１４+φ１３、セグメント２ではφ２１=θ２１+θ２２+φ２３、φ２２=θ２２+φ２３、φ２４=θ２４+φ２３、及びφ２５=θ２５+θ２４+φ２３、セグメント３ではφ３１=θ３１+θ３２+φ３３、φ３２=θ３２+φ３３、φ３４=θ３４+φ３３、及びφ３５=θ３５+θ３４+φ３３。
【０１１２】
本願の可能な実装では、各セグメント内のシンボルのコンステレーション位相を、プリセット位相調整ルールに従い調整するステップは、
N個のセグメントの各々の中のセグメント内基準シンボルを決定するステップであって、セグメント内基準シンボルはRi=１を満たす、ステップと、
N個のセグメントの中の１≦i≦Nを満たすセグメント内基準シンボルについて、該セグメント内基準シンボルのコンステレーション位相をφiRi=θiRi+θ(i−１)(Ri−１)+・・・θ２R２+θ１R１に従い調整するステップであって、Nはセグメントの数を表し、iはセグメントのシーケンス番号を表し、Riはi番目のセグメントの中のセグメント内基準シンボルのシーケンス番号を表し、θiRiはi番目のセグメントの中の基準シンボルのコンステレーション位相を表し、φiRiはθiRiが調整されるセグメント内基準シンボルの位相を表す、ステップと、
N個のセグメントの中の１≦i≦N且つ１<j≦Miを満たすシンボルについて、該シンボルのコンステレーション位相をφij=θij+θi(j−１)+・・・θi(Ri−１)+φiRiに従い調整するステップであって、Miはi番目のセグメントの中のシンボルの数を表し、M１+M２+・・・MN=M、MはN個のセグメントの中のシンボルの総数を表し、jはN個のセグメントの中のシンボルのシーケンス番号を表し、θijはi番目のセグメントの中のj番目のシンボルのコンステレーション位相を表し、φijはθijがプリセット位相調整ルールに従い調整される位相を表し、i、j、Ri、及びMiは全て整数であり、Mi≧２である、ステップと、
N個のセグメントの中の１≦i≦N且つj=Riを満たすシンボルについて、該シンボルの位相をφij=θijに従い調整するステップと、を含む。
【０１１３】
例えば、図５Ｂのグループ化方法を参照すると、N=３である。セグメント１に含まれるシンボルはS１１、S１２、S１３、S１４及びS１５であり、前述のシンボルのコンステレーション位相はそれぞれθ１１、θ１２、θ１３、θ１４及びθ１５である。セグメント２に含まれるシンボルはS２１、S２２、S２３、S２４及びS２５であり、前述のシンボルのコンステレーション位相はそれぞれθ２１、θ２２、θ２３、θ２４及びθ２５である。セグメント３に含まれるシンボルはS３１、S３２、S３３、S３４及びS３５であり、前述のシンボルのコンステレーション位相はそれぞれθ３１、θ３２、θ３３、θ３４及びθ３５である。図５Ｂで太線ボックスを有するシンボルは、セグメント内基準シンボルであり、セグメント内基準シンボルは先頭シンボルである。送信装置は、セグメント１内のセグメント内基準シンボルがS１１であり、セグメント２内のセグメント内基準シンボルがS２１であり、セグメント３内のセグメント内基準シンボルがS３１であることを決定する。送信装置により、３個のセグメント内の１５個のシンボルのコンステレーション位相をプリセット位相調整ルールに従い調整する方法は、先ず、送信装置により、３個のセグメント内のセグメント内基準シンボルのコンステレーション位相をφ１１=θ１１、φ２１=θ２１+θ１１、及びφ３１=θ３１+θ２１+θ１１に従い調整するステップと、次に、送信装置により、セグメント内のセグメント内基準シンボル以外のシンボルのコンステレーション位相を以下の通り調整するステップと、である：セグメント１ではφ１２=θ１２+φ１１、φ１３=θ１３+θ１２+φ１１、φ１４=θ１４+θ１３+θ１２+φ１１、及びφ１５=θ１５+θ１４+θ１３+θ１２+φ１１、セグメント２ではφ２２=θ２２+φ２１、φ２３=θ２３+θ２２+φ２１、φ２４=θ２４+θ２３+θ２２+φ２１、及びφ２５=θ２５+θ２４+θ２３+θ２２+φ２１、セグメント３ではφ３２=θ３２+φ３１、φ３３=θ３３+θ３２+φ３１、φ３４=θ３４+θ３３+θ３２+φ３１、及びφ１５=θ１５+θ１４+θ１３+θ１２+φ１１。
【０１１４】
本願の可能な実装では、各セグメント内のシンボルのコンステレーション位相を、プリセット位相調整ルールに従い調整するステップは、N個のセグメントの各々の中のセグメント内基準シンボルを決定するステップであって、セグメント内基準シンボルはRi=Miを満たす、ステップと、
N個のセグメントの中の１≦i≦Nを満たすセグメント内基準シンボルについて、該セグメント内基準シンボルのコンステレーション位相をφiRi=θiRi+θ(i−１)(Ri−１)+・・・θ２R２+θ１R１に従い調整するステップであって、Nはセグメントの数を表し、iはセグメントのシーケンス番号を表し、Riはi番目のセグメントの中のセグメント内基準シンボルのシーケンス番号を表し、θiRiはi番目のセグメントの中の基準シンボルのコンステレーション位相を表し、φiRiはθiRiが調整されるセグメント内基準シンボルの位相を表す、ステップと、
N個のセグメントの中の１≦i≦N且つ１≦j<Miを満たすシンボルについて、該シンボルのコンステレーション位相を式φij=θij+θi(j+１)+・・・+φiRiに従い調整するステップであって、Miはi番目のセグメントの中のシンボルの数を表し、M１+M２+・・・MN=M、MはN個のセグメントの中のシンボルの総数を表し、jはN個のセグメントの中のシンボルのシーケンス番号を表し、θijはi番目のセグメントの中のj番目のシンボルのコンステレーション位相を表し、φijはθijがプリセット位相調整ルールに従い調整される位相を表し、i、j、Ri、及びMiは全て整数であり、Mi≧２である、ステップと、
N個のセグメントの中の１≦i≦N且つj=Riを満たすシンボルについて、該シンボルの位相をφij=θijに従い調整するステップと、を含む。
【０１１５】
例えば、図５Ｃのグループ化方法を参照すると、N=３である。セグメント１に含まれるシンボルはS１１、S１２、S１３、S１４及びS１５であり、前述のシンボルのコンステレーション位相はそれぞれθ１１、θ１２、θ１３、θ１４及びθ１５である。セグメント２に含まれるシンボルはS２１、S２２、S２３、S２４及びS２５であり、前述のシンボルのコンステレーション位相はそれぞれθ２１、θ２２、θ２３、θ２４及びθ２５である。セグメント３に含まれるシンボルはS３１、S３２、S３３、S３４及びS３５であり、前述のシンボルのコンステレーション位相はそれぞれθ３１、θ３２、θ３３、θ３４及びθ３５である。図５Ｃで太線ボックスを有するシンボルは、セグメント内基準シンボルであり、セグメント内基準シンボルは最終シンボルである。送信装置は、セグメント１内のセグメント内基準シンボルがS１５であり、セグメント２内のセグメント内基準シンボルがS２５であり、セグメント３内のセグメント内基準シンボルがS３５であることを決定する。送信装置により、３個のセグメント内の１５個のシンボルのコンステレーション位相をプリセット位相調整ルールに従い調整する方法は、先ず、送信装置により、３個のセグメント内のセグメント内基準シンボルのコンステレーション位相をφ１５=θ１５、φ２５=θ２５+θ１５、及びφ３５=θ３５+θ２５+θ１５に従い調整するステップと、次に、送信装置により、セグメント内のセグメント内基準シンボル以外のシンボルのコンステレーション位相を以下の通り調整するステップと、である：セグメント１ではφ１４=θ１４+φ１５、φ１３=θ１３+θ１４+φ１５、φ１２=θ１２+θ１３+θ１４+φ１５、及びφ１１=θ１１+θ１２+θ１３+θ１４+φ１５、セグメント２ではφ２４=θ２４+φ２５、φ２３=θ２３+θ２４+φ２５、φ２２=θ２２+θ２３+θ２４+φ２５、及びφ２１=θ２１+θ２２+θ２３+θ２４+φ２５、セグメント３ではφ３４=θ３４+φ３５、φ３３=θ３３+θ３４+φ３５、φ３２=θ３２+θ３３+θ３４+φ３５、及びφ１１=θ１１+θ１２+θ１３+θ１４+φ１５。
【０１１６】
本願の可能な実装では、各セグメント内のシンボルのコンステレーション位相を、プリセット位相調整ルールに従い調整するステップは、
N個のセグメントの中の各シンボルの中のセグメント内基準シンボルを決定するステップであって、セグメント内基準シンボルは２≦Ri≦Mi−１を満たす、ステップと、
N個のセグメントの中の１≦i≦Nを満たすセグメント内基準シンボルについて、該セグメント内基準シンボルのコンステレーション位相をφiRi=θiRi+θ(i−１)(Ri−１)+・・・θ２R２+θ１R１に従い調整するステップであって、Nはセグメントの数を表し、iはセグメントのシーケンス番号を表し、Riはi番目のセグメントの中のセグメント内基準シンボルのシーケンス番号を表し、θiRiはi番目のセグメントの中の基準シンボルのコンステレーション位相を表し、φiRiはθiRiが調整されるセグメント内基準シンボルの位相を表す、ステップと、
N個のセグメントの中の１≦i≦N、１≦j≦Ri、且つj≠Riを満たすシンボルについて、該シンボルのコンステレーション位相をφij=θij+φiRiに従い調整するステップであって、Miはi番目のセグメントの中のシンボルの数を表し、M１+M２+・・・MN=M、MはN個のセグメントの中のシンボルの総数を表し、jはN個のセグメントの中のシンボルのシーケンス番号を表し、θijはi番目のセグメントの中のj番目のシンボルのコンステレーション位相を表し、φijはθijがプリセット位相調整ルールに従い調整される位相を表し、i、j、Ri、及びMiは全て整数であり、Mi≧３である、ステップと、
N個のセグメントの中の１≦i≦N且つj=Riを満たすシンボルについて、該シンボルの位相をφij=θijに従い調整するステップと、を含む。
【０１１７】
具体的に、セグメント内基準シンボルはセグメントの中の中間シンボルであって良く、セグメント内基準シンボルは２≦Ri≦Mi−１を満たす。言い換えると、セグメント内基準シンボルは、セグメントの中の先頭シンボル又は最終シンボルのいずれでもない。N個のセグメントの中のセグメント内基準シンボルの位置は、同じ又は異なって良く、これは本願において限定されない。全てのセグメントに含まれるシンボルの数も同じ又は異なって良く、これは本願において限定されない。コンステレーションマッピングの後に、N個のセグメントの各々の中のシンボルのコンステレーション位相は以下のように表されて良い。第１セグメントの中のシンボルのコンステレーション位相はθ１１、θ１２、θ１３、．．．、θ１R１、．．．、θ１(M１−１)、θ１M１であり、第２セグメントの中のシンボルのコンステレーション位相はθ２１、θ２２、θ２３、．．．、θ２R２、．．．、θ２(M２−１)、θ２M２であり、第３セグメントの中のシンボルのコンステレーション位相はθ３１、θ３２、θ３３、．．．、θ３R３、．．．、θ３(M３−１)、θ３M３であり、同様に、第Nセグメントの中のシンボルのコンステレーション位相はθN１、θN２、θN３、．．．、θNRN、．．．、θN(MN−１)、θNMNである。ここで、θijはN個のセグメントの中の任意のシンボルのコンステレーション位相であり、Nはセグメントの数を表し、iはセグメントのシーケンス番号を表し、Miはi番目のセグメントの中のシンボルの数を表し、M１+M２+・・・MN=M、MはN個のセグメントの中のシンボルの総数を表し、Riはi番目のセグメントの中のセグメント内基準シンボルのシーケンス番号を表し、jはシンボルのシーケンス番号を表し、φijはθijに対する位相調整を通じて取得される。１≦i≦N且つj=Ri、つまり被調整シンボルがセグメント内基準シンボルであるとき、φiRi=θiRi+θ(i−１)(Ri−１)+・・・θ２R２+θ１R１である。N個のセグメントの中の１≦i≦N、１≦j≦Ri、且つj≠Riを満たすシンボルについて、該シンボルのコンステレーション位相は式φij=θij+φiRiに従い調整される。
【０１１８】
例えば、図６Ａのグループ化方法を参照すると、N=３である。セグメント１に含まれるシンボルはS１１、S１２、S１３、S１４及びS１５であり、前述のシンボルのコンステレーション位相はそれぞれθ１１、θ１２、θ１３、θ１４及びθ１５である。セグメント２に含まれるシンボルはS２１、S２２、S２３、S２４及びS２５であり、前述のシンボルのコンステレーション位相はそれぞれθ２１、θ２２、θ２３、θ２４及びθ２５である。セグメント３に含まれるシンボルはS３１、S３２、S３３、S３４及びS３５であり、前述のシンボルのコンステレーション位相はそれぞれθ３１、θ３２、θ３３、θ３４及びθ３５である。図６Ａで太線ボックスを有するシンボルは、セグメント内基準シンボルである。送信装置は、セグメント１内のセグメント内基準シンボルがS１３であり、セグメント２内のセグメント内基準シンボルがS２３であり、セグメント３内のセグメント内基準シンボルがS３３であることを決定する。送信装置により、３個のセグメント内の１５個のシンボルのコンステレーション位相をプリセット位相調整ルールに従い調整する方法は、先ず、送信装置により、３個のセグメント内のセグメント内基準シンボルのコンステレーション位相をφ１３=θ１３、φ２３=θ２３+θ１３、及びφ３３=θ３３+θ２３+θ１３に従い調整するステップと、次に、送信装置により、セグメント内のセグメント内基準シンボル以外のシンボルのコンステレーション位相を以下の通り調整するステップと、である：セグメント１ではφ１１=θ１１+φ１３、φ１２=θ１２+φ１３、φ１４=θ１４+φ１３、及びφ１５=θ１５+φ１３、セグメント２ではφ２１=θ２１+φ２３、φ２２=θ２２+φ２３、φ２４=θ２４+φ２３、及びφ２５=θ２５+φ２３、セグメント３ではφ３１=θ３１+φ３３、φ３２=θ３２+φ３３、φ３４=θ３４+φ３３、及びφ３５=θ３５+φ３３。
【０１１９】
本願の可能な実装では、各セグメント内のシンボルのコンステレーション位相を、プリセット位相調整ルールに従い調整するステップは、
N個のセグメントの中の各シンボルの中のセグメント内基準シンボルを決定するステップであって、セグメント内基準シンボルはRi=１を満たす、ステップと、
N個のセグメントの中の１≦i≦Nを満たすセグメント内基準シンボルについて、該セグメント内基準シンボルのコンステレーション位相をφiRi=θiRi+θ(i−１)(Ri−１)+・・・θ２R２+θ１R１に従い調整するステップであって、Nはセグメントの数を表し、iはセグメントのシーケンス番号を表し、Riはi番目のセグメントの中のセグメント内基準シンボルのシーケンス番号を表し、θiRiはi番目のセグメントの中の基準シンボルのコンステレーション位相を表し、φiRiはθiRiが調整されるセグメント内基準シンボルの位相を表す、ステップと、
N個のセグメントの中の１≦i≦N且つ１<j≦Miを満たすシンボルについて、該シンボルのコンステレーション位相をφij=θij+φiRiに従い調整するステップであって、Miはi番目のセグメントの中のシンボルの数を表し、M１+M２+・・・MN=M、MはN個のセグメントの中のシンボルの総数を表し、jはシンボルのシーケンス番号を表し、θijはi番目のセグメントの中のj番目のシンボルのコンステレーション位相を表し、φijはθijがプリセット位相調整ルールに従い調整される位相を表し、i、j、Ri、及びMiは全て整数であり、Mi≧２である、ステップと、
N個のセグメントの中の１≦i≦N且つj=１を満たすシンボルについて、該シンボルの位相をφij=θijに従い調整するステップと、を含む。
【０１２０】
例えば、図６Ｂのグループ化方法を参照すると、N=３である。セグメント１に含まれるシンボルはS１１、S１２、S１３、S１４及びS１５であり、前述のシンボルのコンステレーション位相はそれぞれθ１１、θ１２、θ１３、θ１４及びθ１５である。セグメント２に含まれるシンボルはS２１、S２２、S２３、S２４及びS２５であり、前述のシンボルのコンステレーション位相はそれぞれθ２１、θ２２、θ２３、θ２４及びθ２５である。セグメント３に含まれるシンボルはS３１、S３２、S３３、S３４及びS３５であり、前述のシンボルのコンステレーション位相はそれぞれθ３１、θ３２、θ３３、θ３４及びθ３５である。図６Ｂで太線ボックスを有するシンボルは、セグメント内基準シンボルであり、セグメント内基準シンボルはセグメントの中の先頭シンボルである。送信装置は、セグメント１内のセグメント内基準シンボルがS１１であり、セグメント２内のセグメント内基準シンボルがS２１であり、セグメント３内のセグメント内基準シンボルがS３１であることを決定する。送信装置により、３個のセグメント内の１５個のシンボルのコンステレーション位相をプリセット位相調整ルールに従い調整する方法は、先ず、送信装置により、３個のセグメント内のセグメント内基準シンボルのコンステレーション位相をφ１１=θ１１、φ２１=θ２１+θ１１、及びφ３１=θ３１+θ２１+θ１１に従い調整するステップと、次に、送信装置により、セグメント内のセグメント内基準シンボル以外のシンボルのコンステレーション位相を以下の通り調整するステップと、である：セグメント１ではφ１２=θ１２+φ１１、φ１３=θ１３+φ１１、φ１４=θ１４+φ１１、及びφ１５=θ１５+φ１１、セグメント２ではφ２２=θ２２+φ２１、φ２３=θ２３+φ２１、φ２４=θ２４+φ２１、及びφ２５=θ２５+φ２１、セグメント３ではφ３２=θ３２+φ３１、φ３３=θ３３+φ３１、φ３４=θ３４+φ３１、及びφ３５=θ３５+φ３１。
【０１２１】
本願の可能な実装では、各セグメント内のシンボルのコンステレーション位相を、プリセット位相調整ルールに従い調整するステップは、
N個のセグメントの中の各シンボルの中のセグメント内基準シンボルを決定するステップであって、セグメント内基準シンボルはRi=Miを満たす、ステップと、
N個のセグメントの中の１≦i≦Nを満たすセグメント内基準シンボルについて、該セグメント内基準シンボルのコンステレーション位相をφiRi=θiRi+θ(i−１)(Ri−１)+・・・θ２R２+θ１R１に従い調整するステップであって、Nはセグメントの数を表し、iはセグメントのシーケンス番号を表し、Riはi番目のセグメントの中のセグメント内基準シンボルのシーケンス番号を表し、θiRiはi番目のセグメントの中の基準シンボルのコンステレーション位相を表し、φiRiはθiRiが調整されるセグメント内基準シンボルの位相を表す、ステップと、
N個のセグメントの中の１≦i≦N且つ１≦j<Miを満たすシンボルについて、該シンボルのコンステレーション位相をφij=θij+φiRiに従い調整するステップであって、Miはi番目のセグメントの中のシンボルの数を表し、M１+M２+・・・MN=M、MはN個のセグメントの中のシンボルの総数を表し、jはシンボルのシーケンス番号を表し、θijはi番目のセグメントの中のj番目のシンボルのコンステレーション位相を表し、φijはθijがプリセット位相調整ルールに従い調整される位相を表し、i、j、Ri、及びMiは全て整数であり、Mi≧２である、ステップと、
N個のセグメントの中の１≦i≦N且つj=Miを満たすシンボルについて、該シンボルの位相をφij=θijに従い調整するステップと、を含む。
【０１２２】
例えば、図６Ｃのグループ化方法を参照すると、N=３である。セグメント１に含まれるシンボルはS１１、S１２、S１３、S１４及びS１５であり、前述のシンボルのコンステレーション位相はそれぞれθ１１、θ１２、θ１３、θ１４及びθ１５である。セグメント２に含まれるシンボルはS２１、S２２、S２３、S２４及びS２５であり、前述のシンボルのコンステレーション位相はそれぞれθ２１、θ２２、θ２３、θ２４及びθ２５である。セグメント３に含まれるシンボルはS３１、S３２、S３３、S３４及びS３５であり、前述のシンボルのコンステレーション位相はそれぞれθ３１、θ３２、θ３３、θ３４及びθ３５である。図６Ｃで太線ボックスを有するシンボルは、セグメント内基準シンボルであり、セグメント内基準シンボルはセグメントの中の最終シンボルである。送信装置は、セグメント１内のセグメント内基準シンボルがS１５であり、セグメント２内のセグメント内基準シンボルがS２５であり、セグメント３内のセグメント内基準シンボルがS３５であることを決定する。送信装置により、３個のセグメント内の１５個のシンボルのコンステレーション位相をプリセット位相調整ルールに従い調整する方法は、先ず、送信装置により、３個のセグメント内のセグメント内基準シンボルのコンステレーション位相をφ１５=θ１５、φ２５=θ２５+θ１５、及びφ３５=θ３５+θ２５+θ１５に従い調整するステップと、次に、送信装置により、セグメント内のセグメント内基準シンボル以外のシンボルのコンステレーション位相を以下の通り調整するステップと、である：セグメント１ではφ１１=θ１１+φ１５、φ１２=θ１２+φ１５、φ１３=θ１３+φ１５、及びφ１４=θ１４+φ１５、セグメント２ではφ２１=θ２１+φ２５、φ２２=θ２２+φ２５、φ２３=θ２３+φ２５、及びφ２４=θ２４+φ２５、セグメント３ではφ３１=θ３１+φ３５、φ３２=θ３２+φ３５、φ３３=θ３３+φ３５、及びφ３４=θ３４+φ３５。
【０１２３】
留意すべきことに、セグメント内基準シンボルは、前述の実施形態では、全てのセグメント内基準シンボルがセグメント内の中間シンボル、最終シンボル、又は先頭シンボルである場合に限定されず、代替として、混合形式でセグメント内に分散されて良い。言い換えると、N個のセグメントでは、セグメント内基準シンボルは、中間シンボル、最終シンボル、及び先頭シンボルのうちの１つ又は組み合わせであって良い。
【０１２４】
Ｓ２０６。位相調整を通じて取得されたM個のシンボルを変調して、変調信号を取得する。
【０１２５】
具体的に、送信装置は、IQ（In−phase  Quadrature、同相直交、略称：IQ）変調方法を用いて高周波数キャリアの振幅、位相、又は振幅及び位相を制御して、変調信号を取得し、非線形増幅を変調信号に対して実行し、及び増幅信号をアンテナを用いて送信して良い。
【０１２６】
任意で、N個のセグメントの各々の中のセグメント内基準シンボルは、先頭シンボルである。
【０１２７】
任意で、セグメント内基準シンボルはパイロットシンボルである。この場合、セグメント内の、データを送信するために使用されるシンボルの占有は回避され、データ送信への影響が軽減される。
【０１２８】
任意で、送信装置により、コンステレーションマッピングを符号化シーケンスに対して、プリセットコンステレーション図に基づき実行して、M個のシンボルを取得するステップは以下の通りである。
【０１２９】
具体的に、コンステレーション図は、ビットグループとコンステレーション点の座標との間のマッピング関係を表す。コンステレーション点の座標は、振幅及びコンステレーション位相を含む。プリセットコンステレーション図は、既存のQAMコンステレーション図又はAPSKコンステレーション図、又は既存のQAMコンステレーション図若しくはAPSKコンステレーション図に対する最適化を通じて取得されたコンステレーション図であって良い。既存のQAMコンステレーション図の中のコンステレーション点は、矩形に配置されて良く、隣接するコンステレーション点の間の距離は同じである。
【０１３０】
既存のAPSKコンステレーション図は複数の同心円を含む。等間隔を有するコンステレーション点が各円上にある。同心円の数がKである場合、APSKコンステレーション図の信号セットは、
X=rk*exp(２π*ik/nk+θk)であり、ここで、k=１、２、．．．、Ｋ、rkはk番目の円周の半径であり、nkはk番目の円周上のコンステレーション点の数であり、ikはk番目の円周上のコンステレーション点のシーケンス番号であり、ik=０、１、２、．．．、nk−１、θkはk番目の円周上のコンステレーション点の位相である。コンステレーション図中の信号空間を十分に利用するために、nk<nk+１が満たされるべきである。言い換えると、外側の円周上のコンステレーション点の数は、内側の円周上のコンステレーション点の数より大きい。
【０１３１】
例えば、図７の６４APSKコンステレーション図の中のコンステレーション点の分布例を参照すると、６４APSKコンステレーション図の中の円の数は４である。円の半径比は、内側から外側へ１：２：３：４である。円上のコンステレーション点の数は、内側から外側へそれぞれ８、１６、２０、及び２０である。６４個の６ビットグループが、準グレイコードマッピング方法で６４APSKコンステレーション図の６４個のコンステレーション点にマッピングされる。
【０１３２】
図２に記載の方法では、送信装置の信号の位相ノイズ抑制能力が向上される必要のあるとき、送信装置はコンステレーションマッピングを通じて取得されたシンボルをセグメントに分割する。シンボルの位相は、セグメントに対して同時に調整される。それにより、送信装置の変調効率を向上し、処理時間を削減する。
【０１３３】
図８は、本発明の一実施形態による復調方法の概略フローチャートである。方法は、以下のステップを含むが、これに限定されない。
【０１３４】
Ｓ８０１。受信装置は、送信装置により送信された変調信号を復調して、M個のシンボルを取得する。
【０１３５】
具体的に、受信装置は、送信装置により送信された調整信号に対してチャネル等化、ダウンコンバージョン、及び復調処理を実行して、M個のシンボルを取得する。受信装置は、パースを通じてM個のシンボルの位相を取得する。位相ノイズは、調整信号がチャネル上で送信されるとき、導入される。したがって、位相ノイズは、パースを通じて取得されたM個のシンボルの位相に重畳され得る。
【０１３６】
Ｓ８０２。受信装置は、M個のシンボルをN個のグループに分割する。
【０１３７】
具体的に、受信装置は、M個のシンボルをN個のグループに、送信装置の指示に従い分割して良い。又は、受信装置は、M個のシンボルをN個のグループに、受信装置及び送信装置が予め合意した分割ルールに従い分割して良い。N個のグループの各々に含まれるシンボルの数は同じ又は異なって良い。本願においていかなる限定も課されない。
【０１３８】
Ｓ８０３。受信装置は、位相差分を、各セグメント内のシンボルの位相に対して、プリセット位相逆調整ルールに従い同時に実行する。
【０１３９】
具体的に、受信装置は、位相差分処理をN個のグループの中の各シンボルに対して、プリセット位相差分ルールに従い実行して、位相ノイズからの影響を軽減する。位相差分処理をN個のグループに対して実行するとき、受信装置は位相差分をグループに対して同時に実行して良い。言い換えると、受信装置は、差分処理をN個のグループに対して同時に実行して良い。
【０１４０】
本願の可能な実装では、受信装置により、位相差分を各セグメント内のシンボルの位相に対してプリセット位相差分調整ルールに従い実行するステップは、N個のセグメントの各々の中のセグメント内基準シンボルを決定するステップであって、セグメント内基準シンボルは２≦Ri≦Mi−１を満たす、ステップと、
N個のセグメントの中の１≦i≦N且つRi<j≦Miを満たすシンボルについて、該シンボルの位相をθij=φij−φi(j−１)に従い調整するステップであって、Nはセグメントの数を表し、iはセグメントのシーケンス番号を表し、Miはi番目のセグメントの中のシンボルの数を表し、M１+M２+・・・MN=M、MはN個のセグメントの中のシンボルの総数を表し、Riはi番目のセグメントの中のセグメント内基準シンボルのシーケンス番号を表し、jはシンボルのシーケンス番号を表し、φijはi番目のセグメントの中のj番目のシンボルの位相を表し、θijはφijがプリセット位相調整ルールに従い調整される位相を表し、i、j、Ri、及びMiは全て整数であり、Mi≧３である、ステップと、
N個のセグメントの中の１≦i≦N且つ１≦j<Riを満たすシンボルについて、該シンボルの位相をθij=φij−φi(j+１)に従い調整するステップと、
N個のセグメントの中の１≦i≦N且つj=Riを満たすシンボルについて、該シンボルの位相をθij=φijに従い調整するステップと、を含む。
【０１４１】
本願の可能な実装では、各セグメント内のシンボルの位相を、プリセット位相逆調整ルールに従い調整するステップは、
N個のセグメントの各々の中のセグメント内基準シンボルを決定するステップであって、セグメント内基準シンボルはRi=Miを満たす、ステップと、
N個のセグメントの中の１≦i≦N且つ１≦j<Miを満たすシンボルについて、該シンボルの位相をθij=φij−φi(j+１)に従い調整するステップであって、Nはセグメントの数を表し、iはセグメントのシーケンス番号を表し、Miはi番目のセグメントの中のシンボルの数を表し、M１+M２+・・・MN=M、MはN個のセグメントの中のシンボルの総数を表し、Riはi番目のセグメントの中のセグメント内基準シンボルのシーケンス番号を表し、jはシンボルのシーケンス番号を表し、φijはi番目のセグメントの中のj番目のシンボルの位相を表し、θijはφijがプリセット位相調整ルールに従い調整される位相を表し、i、j、Ri、及びMiは全て整数であり、Mi≧２である、ステップと、
N個のセグメントの中の１≦i≦N且つj=Miを満たすシンボルについて、該シンボルの位相をθij=φijに従い調整するステップと、を含む。
【０１４２】
本願の可能な実装では、各セグメント内のシンボルの位相を、プリセット位相逆調整ルールに従い調整するステップは、
N個のセグメントの各々の中のセグメント内基準シンボルを決定するステップであって、セグメント内基準シンボルはRi=１を満たす、ステップと、
N個のセグメントの中の１≦i≦N且つ１<j≦Miを満たすシンボルについて、該シンボルの位相をθij=φij−φi(j−１)に従い調整するステップであって、Nはセグメントの数を表し、iはセグメントのシーケンス番号を表し、Miはi番目のセグメントの中のシンボルの数を表し、M１+M２+・・・MN=M、MはN個のセグメントの中のシンボルの総数を表し、Riはi番目のセグメントの中のセグメント内基準シンボルのシーケンス番号を表し、jはシンボルのシーケンス番号を表し、φijはi番目のセグメントの中のj番目のシンボルの位相を表し、θijはφijがプリセット位相調整ルールに従い調整される位相を表し、i、j、Ri、及びMiは全て整数であり、Mi≧２である、ステップと、
N個のセグメントの中の１≦i≦N且つj=１を満たすシンボルについて、該シンボルの位相をθij=φijに従い調整するステップと、を含む。
【０１４３】
具体的に、受信装置は、N個のセグメントの各々の中のセグメント内基準シンボルを送信装置の指示に従い決定して良く、又はN個のセグメントの各々の中のセグメント内基準シンボルを、受信装置及び送信装置の予め合意したセグメント内基準シンボル位置情報に基づき決定して良い。セグメント内基準シンボルは、セグメント内の任意の位置にあるシンボルであって良い。例えば、セグメント内基準シンボルは、セグメントの中の先頭シンボル、中間シンボル、又は最終シンボルである。全てのセグメントの中のセグメント内基準シンボルの位置は、同じ又は異なって良い。あるセグメントでは、セグメント内基準シンボルは、セグメント内のシンボルを２種類：セグメント内基準シンボルの前のシンボル及びセグメント内基準シンボルの後のシンボルに分割するために境界として使用される。コンステレーションマッピングの後に、N個のセグメントの各々の中のシンボルの位相は以下のように表される。第１セグメントの中のシンボルの位相はφ１１、φ１２、φ１３、．．．、φ１R１、．．．、φ１(M１−１)、φ１M１であり、第２セグメントの中のシンボルの位相はφ２１、φ２２、φ２３、．．．、φ２R２、．．．、φ２(M２−１)、φ２M２であり、第３セグメントの中のシンボルの位相はφ３１、φ３２、φ３３、．．．、φ３R３、．．．、φ３(M３−１)、φ３M３であり、同様に、第Nセグメントの中のシンボルの位相はφN１、φN２、φN３、．．．、φNRN、．．．、φN(MN−１)、φNMN、である。ここで、φijはN個のセグメントの中の任意のシンボルの位相であり、Nはセグメントの数を表し、iはセグメントのシーケンス番号を表し、Miはi番目のセグメントの中のシンボルの数を表し、M１+M２+・・・MN=M、MはN個のセグメントの中のシンボルの総数を表し、Riはi番目のセグメントの中のセグメント内基準シンボルのシーケンス番号を表し、jはシンボルのシーケンス番号を表し、θijはφijに対する位相調整を通じて取得される。１≦i≦N且つj=Ri、つまり被調整シンボルがセグメント内基準シンボルであるとき、θiRi=φiRiである。１≦i≦N且つRi<j≦Miのとき、θiｊ=φiｊ−φi(j−１)である。又は、１≦i≦N且つ１≦j<Riのとき、θiｊ=φiｊ−φi(j+１)である。
【０１４４】
例えば、N=４である。セグメント１に含まれるシンボルはS１１、S１２、S１３、S１４及びS１５であり、前述のシンボルの位相はそれぞれφ１１、φ１２、φ１３、φ１４及びφ１５である。セグメント２に含まれるシンボルはS２１、S２２、S２３及びS２４であり、前述のシンボルの位相はそれぞれφ２１、φ２２、φ２３及びφ２４である。セグメント３に含まれるシンボルはS３１、S３２、S３３及びS３４であり、前述のシンボルの位相はそれぞれφ３１、φ３２、φ３３及びφ３４である。セグメント４に含まれるシンボルはS４１、S４２、S４３及びS４４であり、前述の４個のシンボルの位相はそれぞれφ４１、φ４２、φ４３及びφ４４である。送信装置は、セグメント１内のセグメント内基準シンボルがS１１であり、セグメント２内のセグメント内基準シンボルがS２２であり、セグメント３内のセグメント内基準シンボルがS３３であり、セグメント４内のセグメント内基準シンボルがS４４であることを決定する。送信装置により、４個のセグメント内の１７個のシンボルの位相をプリセット位相調整ルールに従い調整する方法は、４個のセグメント内のセグメント内基準シンボルの位相を不変に保つステップ、つまり、θ１１=φ１１、θ２２=φ２２、θ３３=φ３３、及びθ４４=φ４４を保つステップと、送信装置により、セグメント内のセグメント内基準シンボル以外のシンボルの位相を以下の通り調整するステップと、である：セグメント１ではθ１２=φ１２−φ１１、θ１３=φ１３−φ１２、θ１４=φ１４−φ１３及びθ１５=φ１５−φ１４、セグメント２ではθ２１=φ２１−φ２２、θ２３=φ２３−φ２２、及びθ２４=φ２４−φ２３、セグメント３ではθ３１=φ３１−φ３２、θ３２=φ３２−φ３３、及びθ３４=φ３４−φ３３、セグメント４ではθ４３=φ４３−φ４４、θ４２=φ４２−φ４３、及びθ４１=φ４１−φ４２。
【０１４５】
本願の可能な実装では、各セグメント内のシンボルの位相を、プリセット位相逆調整ルールに従い調整するステップは、
N個のセグメントの各々の中のセグメント内基準シンボルを決定するステップであって、セグメント内基準シンボルは２≦Ri≦Mi−１を満たすステップと、
N個のセグメントの中の１≦i≦N、１≦j≦Mi、且つj≠Riを満たすシンボルについて、該シンボルの位相をθij=φij−φiRiに従い調整するステップであって、Nはセグメントの数を表し、iはセグメントのシーケンス番号を表し、Miはi番目のセグメントの中のシンボルの数を表し、M１+M２+・・・MN=M、MはN個のセグメントの中のシンボルの総数を表し、Riはi番目のセグメントの中のセグメント内基準シンボルのシーケンス番号を表し、jはシンボルのシーケンス番号を表し、φijはi番目のセグメントの中のj番目のシンボルの位相を表し、θijはφijが調整される位相を表し、i、j、Ri、及びMiは全て整数であり、Mi≧２である、ステップと、
N個のセグメントの中の１≦i≦N且つj=Riを満たすシンボルについて、該シンボルの位相をθij=φijに従い調整するステップと、を含む。
【０１４６】
本願の可能な実装では、各セグメント内のシンボルの位相を、プリセット位相逆調整ルールに従い調整するステップは、
N個のセグメントの各々の中のセグメント内基準シンボルを決定するステップであって、セグメント内基準シンボルはRi=Miを満たす、ステップと、
N個のセグメントの中の１≦i≦N且つ１≦j<Miを満たすシンボルについて、該シンボルの位相をθij=φij−φiRiに従い調整するステップであって、Nはセグメントの数を表し、iはセグメントのシーケンス番号を表し、Miはi番目のセグメントの中のシンボルの数を表し、M１+M２+・・・MN=M、MはN個のセグメントの中のシンボルの総数を表し、Riはi番目のセグメントの中のセグメント内基準シンボルのシーケンス番号を表し、jはシンボルのシーケンス番号を表し、φijはi番目のセグメントの中のj番目のシンボルの位相を表し、θijはφijが調整される位相を表し、i、j、Ri、及びMiは全て整数であり、Mi≧２である、ステップと、
N個のセグメントの中の１≦i≦N且つj=Miを満たすシンボルについて、該シンボルの位相をθij=φijに従い調整するステップと、を含む。
【０１４７】
本願の可能な実装では、各セグメント内のシンボルの位相を、プリセット位相逆調整ルールに従い調整するステップは、
N個のセグメントの各々の中のセグメント内基準シンボルを決定するステップであって、セグメント内基準シンボルはRi=１を満たす、ステップと、
N個のセグメントの中の１≦i≦N且つ１<j≦Miを満たすシンボルについて、該シンボルの位相をθij=φij−φiRiに従い調整するステップであって、Nはセグメントの数を表し、iはセグメントのシーケンス番号を表し、Miはi番目のセグメントの中のシンボルの数を表し、M１+M２+・・・MN=M、MはN個のセグメントの中のシンボルの総数を表し、Riはi番目のセグメントの中のセグメント内基準シンボルのシーケンス番号を表し、jはシンボルのシーケンス番号を表し、φijはi番目のセグメントの中のj番目のシンボルの位相を表し、θijはφijが調整される位相を表し、i、j、Ri、及びMiは全て整数であり、Mi≧２である、ステップと、
N個のセグメントの中の１≦i≦N且つj=１を満たすシンボルについて、該シンボルの位相をφij=θijに従い調整するステップと、を含む。
【０１４８】
具体的に、受信装置は、N個のセグメントの各々の中のセグメント内基準シンボルを送信装置の指示に従い決定して良く、又はN個のセグメントの各々の中のセグメント内基準シンボルを、受信装置及び送信装置の予め合意したセグメント内基準シンボル位置情報に基づき決定して良い。セグメント内基準シンボルはセグメント内の任意の位置にあるシンボルであって良い。例えば、セグメント内基準シンボルは、セグメントの中の先頭シンボル、中間シンボル、又は最終シンボルである。セグメントの中のセグメント内基準シンボルの位置は、同じ又は異なって良い。あるセグメントでは、セグメント内基準シンボルは、セグメントの中のシンボルを２種類：セグメント内基準シンボルの前のシンボル及びセグメント内基準シンボルの後のシンボルに分割するために境界として使用される。コンステレーションマッピングの後に、N個のセグメントの各々の中のシンボルの位相は以下のように表される。第１セグメントの中のシンボルの位相はφ１１、φ１２、φ１３、．．．、φ１R１、．．．、φ１(M１−１)、φ１M１であり、第２セグメントの中のシンボルの位相はφ２１、φ２２、φ２３、．．．、φ２R２、．．．、φ２(M２−１)、φ２M２であり、第３セグメントの中のシンボルの位相はφ３１、φ３２、φ３３、．．．、φ３R３、．．．、φ３(M３−１)、φ３M３であり、同様に、第Nセグメントの中のシンボルの位相はφN１、φN２、φN３、．．．、φNRN、．．．、φN(MN−１)、φNMNである。ここで、φijはN個のセグメントの中の任意のシンボルの位相であり、Nはセグメントの数を表し、iはセグメントのシーケンス番号を表し、Miはi番目のセグメントの中のシンボルの数を表し、M１+M２+・・・MN=M、MはN個のセグメントの中のシンボルの総数を表し、Riはi番目のセグメントの中のセグメント内基準シンボルのシーケンス番号を表し、jはシンボルのシーケンス番号を表し、θijはφijに対する位相調整を通じて取得される。１≦i≦N且つj=Riを満たすとき、θij=φiRi、つまりセグメント内基準シンボルの位相は不変のままである。N個のセグメントの中の１≦i≦N、１≦j≦Mi、且つj≠Riを満たすシンボルについて、該シンボル位相は式θij=φij−φiRiに従い調整される。
【０１４９】
例えば、N=４であり、各セグメントは４個のシンボルを含む。セグメント１に含まれるシンボルはS１１、S１２、S１３、及びS１４であり、前述のシンボルの位相はそれぞれφ１１、φ１２、φ１３、及びφ１４である。セグメント２に含まれるシンボルはS２１、S２２、S２３及びS２４であり、前述のシンボルの位相はそれぞれφ２１、φ２２、φ２３及びφ２４である。セグメント３に含まれるシンボルはS３１、S３２、S３３及びS３４であり、前述のシンボルの位相はそれぞれφ３１、φ３２、φ３３及びφ３４である。セグメント４に含まれるシンボルはS４１、S４２、S４３及びS４４であり、前述の４個のシンボルの位相はそれぞれφ４１、φ４２、φ４３及びφ４４である。図２で太線ボックスを有するシンボルは、セグメント内基準シンボルである。送信装置は、セグメント１内のセグメント内基準シンボルがS１１であり、セグメント２内のセグメント内基準シンボルがS２１であり、セグメント３内のセグメント内基準シンボルがS３１であり、セグメント４内のセグメント内基準シンボルがS４１であることを決定する。送信装置により、４個のセグメント内の１６個のシンボルの位相をプリセット位相差分調整ルールに従い調整する方法は、４個のセグメント内のセグメント内基準シンボルの位相を不変に保つステップ、つまり、θ１１=φ１１、θ２２=φ２１、θ３１=φ３１、及びθ４１=φ４１を保つステップと、送信装置により、セグメント内のセグメント内基準シンボル以外のシンボルの位相を以下の通り調整するステップと、である：セグメント１ではθ１２=φ１２−φ１１、θ１３=φ１３−φ１１、及びθ１４=φ１４−φ１１、セグメント２ではθ２２=φ２２−φ２１、θ２３=φ２３−φ２１、及びθ２４=φ２４−φ２１、セグメント３ではθ３２=φ３２−φ３１、θ３３=φ３３−φ３１、及びθ３４=φ３４−φ３１、セグメント４ではθ４４=φ４４−φ４１、θ４３=φ４３−φ４１、及びθ４２=φ４２−φ４１。
【０１５０】
本願の可能な実装では、各セグメント内のシンボルの位相を、プリセット位相逆調整ルールに従い調整するステップは、
N個のセグメントの各々の中のセグメント内基準シンボルを決定するステップであって、セグメント内基準シンボルは２≦Ri≦Mi−１を満たす、ステップと、
N個のセグメントの中の１≦i≦Nを満たすセグメント内基準シンボルについて、該セグメント内基準シンボルの位相をθiRi=φiRi−φ(i−１)(Ri−１)に従い調整するステップであって、Nはセグメントの数を表し、iはセグメントのシーケンス番号を表し、Riはi番目のセグメントの中のセグメント内基準シンボルのシーケンス番号を表し、φiRiはi番目のセグメントの中の基準シンボルの位相を表し、θiRiはφiRiが調整される位相を表す、ステップと、
N個のセグメントの中のRi+１<j≦Miを満たすシンボルについて、該シンボルのコンステレーション位相をθij=φij−φi(j−１)に従い調整するステップであって、Miはi番目のセグメントの中のシンボルの数を表し、M１+M２+・・・MN=M、MはN個のセグメントの中のシンボルの総数を表し、jはシンボルのシーケンス番号を表し、φijはi番目のセグメントの中のj番目のシンボルのコンステレーション位相を表し、θijはφijがプリセット位相調整ルールに従い調整される位相を表し、i、j、Ri、及びMiは全て整数であり、Mi≧３である、ステップと、
N個のセグメントの中の１≦i≦N且つj=Ri+１を満たすシンボルについて、該シンボルの位相をθi(Ri+１)=φi(Ri+１)−θiRiに従い調整するステップと、
N個のセグメントの中の１≦i≦N且つ１≦j<Ri−１を満たすシンボルについて、該シンボルの位相をθij=φij−φi(j+１)に従い調整するステップと、
N個のセグメントの中の１≦i≦N且つj=Ri−１を満たすシンボルについて、該シンボルの位相をθi(Ri−１)=φi(Ri−１)−θiRiに従い調整するステップと、
N個のセグメントの中の１≦i≦N且つj=Riを満たすシンボルについて、該シンボルの位相をθij=φijに従い調整するステップと、を含む。
【０１５１】
本願の可能な実装では、各セグメント内のシンボルの位相を、プリセット位相逆調整ルールに従い調整するステップは、
N個のセグメントの各々の中のセグメント内基準シンボルを決定するステップであって、セグメント内基準シンボルはRi=Miを満たす、ステップと、
N個のセグメントの中の１≦i≦Nを満たすセグメント内基準シンボルについて、該セグメント内基準シンボルの位相をθiRi=φiRi−φ(i−１)(Ri−１)に従い調整するステップであって、Nはセグメントの数を表し、iはセグメントのシーケンス番号を表し、Riはi番目のセグメントの中のセグメント内基準シンボルのシーケンス番号を表し、φiRiはi番目のセグメントの中の基準シンボルの位相を表し、θiRiはφiRiが調整される位相を表す、ステップと、
N個のセグメントの中の１≦i≦N且つ１≦j<Mi−１を満たすシンボルについて、該シンボルの位相をθij=φij−φi(j+１)に従い調整するステップであって、Miはi番目のセグメントの中のシンボルの数を表し、M１+M２+・・・MN=M、MはN個のセグメントの中のシンボルの総数を表し、jはシンボルのシーケンス番号を表し、φijはi番目のセグメントの中のj番目のシンボルのコンステレーション位相を表し、θijはφijがプリセット位相逆調整ルールに従い調整される位相を表し、i、j、Ri、及びMiは全て整数であり、Mi≧３である、ステップと、
N個のセグメントの中の１≦i≦N且つj=Mi−１を満たすシンボルについて、該シンボルの位相をθi(Ri−１)=φi(Ri−１)−θiRiに従い調整するステップと、
N個のセグメントの中の１≦i≦N且つj=Miを満たすシンボルについて、該シンボルの位相をθij=φijに従い調整するステップと、を含む。
【０１５２】
本願の可能な実装では、各セグメント内のシンボルの位相を、プリセット位相逆調整ルールに従い調整するステップは、
N個のセグメントの各々の中のセグメント内基準シンボルを決定するステップであって、セグメント内基準シンボルはRi=１を満たす、ステップと、
N個のセグメントの中の１≦i≦Nを満たすセグメント内基準シンボルについて、該セグメント内基準シンボルの位相をθiRi=φiRi−φ(i−１)(Ri−１)に従い調整するステップであって、Nはセグメントの数を表し、iはセグメントのシーケンス番号を表し、Riはi番目のセグメントの中のセグメント内基準シンボルのシーケンス番号を表し、φiRiはi番目のセグメントの中の基準シンボルの位相を表し、θiRiはφiRiが調整される位相を表す、ステップと、
N個のセグメントの中の２<j≦Miを満たすシンボルについて、該シンボルのコンステレーション位相をθij=φij−φi(j−１)に従い調整するステップであって、Miはi番目のセグメントの中のシンボルの数を表し、M１+M２+・・・MN=M、MはN個のセグメントの中のシンボルの総数を表し、jはシンボルのシーケンス番号を表し、φijはi番目のセグメントの中のj番目のシンボルのコンステレーション位相を表し、θijはφijがプリセット位相逆調整ルールに従い調整される位相を表し、i、j、Ri、及びMiは全て整数であり、Mi≧３である、ステップと、
N個のセグメントの中の１≦i≦N且つj=２を満たすシンボルについて、該シンボルの位相をθi(Ri+１)=φi(Ri+１)−θiRiに従い調整するステップと、
N個のセグメントの中の１≦i≦N且つj=１を満たすシンボルについて、該シンボルの位相をθij=φijに従い調整するステップと、を含む。
【０１５３】
例えば、N=３である。セグメント１に含まれるシンボルはS１１、S１２、S１３、S１４及びS１５であり、前述のシンボルの位相はそれぞれφ１１、φ１２、φ１３、φ１４及びφ１５である。セグメント２に含まれるシンボルはS２１、S２２、S２３、S２４及びS２５であり、前述のシンボルの位相はそれぞれφ２１、φ２２、φ２３、φ２４及びφ２５である。セグメント３に含まれるシンボルはS３１、S３２、S３３、S３４及びS３５であり、前述のシンボルの位相はそれぞれφ３１、φ３２、φ３３、φ３４及びφ３５である。送信装置は、セグメント１内のセグメント内基準シンボルがS１１であり、セグメント２内のセグメント内基準シンボルがS２２であり、セグメント３内のセグメント内基準シンボルがS３３であることを決定する。送信装置により、３個のセグメント内の１５個のシンボルの位相をプリセット位相調整ルールに従い調整する方法は、先ず、送信装置により、３個のセグメント内のセグメント内基準シンボルの位相をθ１１=φ１１、θ２２=φ２２−φ１１、及びθ３３=φ３３−θ２２に従い調整するステップと、次に、送信装置により、セグメント内のセグメント内基準シンボル以外のシンボルの位相を以下の通り調整するステップと、である：セグメント１ではθ１２=φ１２−θ１１、θ１３=φ１３−φ１２、θ１４=φ１４−φ１３、及びθ１５=φ１５−φ１４、セグメント２ではθ２１=φ２１−θ２２、θ２３=φ２３−θ２２、θ２４=φ２４−φ２３、及びθ２５=φ２５−φ２４、セグメント３ではθ３１=φ３１−φ３２、θ３２=φ３２−θ３３、θ３４=φ３４−θ３３、及びθ３５=φ３５−φ３４。
【０１５４】
本願の可能な実装では、各セグメント内のシンボルの位相を、プリセット位相逆調整ルールに従い調整するステップは、
N個のセグメントの中の各シンボルの中のセグメント内基準シンボルを決定するステップであって、セグメント内基準シンボルは２≦Ri≦Mi−１を満たす、ステップと、
N個のセグメントの中の１≦i≦Nを満たすセグメント内基準シンボルについて、該セグメント内基準シンボルの位相をθiRi=φiRi−φ(i−１)(Ri−１)に従い調整するステップであって、Nはセグメントの数を表し、iはセグメントのシーケンス番号を表し、Riはi番目のセグメントの中のセグメント内基準シンボルのシーケンス番号を表し、φiRiはi番目のセグメントの中の基準シンボルのコンステレーション位相を表し、θiRiはφiRiが調整されるセグメント内基準シンボルの位相を表す、ステップと、
N個のセグメントの中の１≦i≦N、１≦j≦Mi、且つj≠Riを満たすシンボルについて、該シンボルの位相をθij=φij−θiRiに従い調整するステップであって、Miはi番目のセグメントの中のシンボルの数を表し、M１+M２+・・・MN=M、MはN個のセグメントの中のシンボルの総数を表し、jはシンボルのシーケンス番号を表し、φijはi番目のセグメントの中のj番目のシンボルのコンステレーション位相を表し、θijはφijが調整される位相を表し、i、j、Ri、及びMiは全て整数であり、Mi≧３である、ステップと、
N個のセグメントの中の１≦i≦N且つj=Riを満たすシンボルについて、該シンボルの位相をθij=φijに従い調整するステップと、を含む。
【０１５５】
本願の可能な実装では、各セグメント内のシンボルの位相を、プリセット位相逆調整ルールに従い調整するステップは、
N個のセグメントの中の各シンボルの中のセグメント内基準シンボルを決定するステップであって、セグメント内基準シンボルはRi=Miを満たす、ステップと、
N個のセグメントの中の１≦i≦Nを満たすセグメント内基準シンボルについて、該セグメント内基準シンボルの位相をθiRi=φiRi−φ(i−１)(Ri−１)に従い調整するステップであって、Nはセグメントの数を表し、iはセグメントのシーケンス番号を表し、Riはi番目のセグメントの中のセグメント内基準シンボルのシーケンス番号を表し、φiRiはi番目のセグメントの中の基準シンボルのコンステレーション位相を表し、θiRiはφiRiが調整されるセグメント内基準シンボルの位相を表す、ステップと、
N個のセグメントの中の１≦i≦N且つ１≦j<Miを満たすシンボルについて、該シンボルの位相をθij=φij−θiRiに従い調整するステップであって、Miはi番目のセグメントの中のシンボルの数を表し、M１+M２+・・・MN=M、MはN個のセグメントの中のシンボルの総数を表し、jはシンボルのシーケンス番号を表し、φijはi番目のセグメントの中のj番目のシンボルのコンステレーション位相を表し、θijはφijが調整される位相を表し、i、j、Ri、及びMiは全て整数であり、Mi≧２である、ステップと、
N個のセグメントの中の１≦i≦N且つj=Miを満たすシンボルについて、該シンボルの位相をθij=φijに従い調整するステップと、を含む。
【０１５６】
本願の可能な実装では、各セグメント内のシンボルの位相を、プリセット位相逆調整ルールに従い調整するステップは、
N個のセグメントの中の各シンボルの中のセグメント内基準シンボルを決定するステップであって、セグメント内基準シンボルはRi=１を満たす、ステップと、
N個のセグメントの中の１≦i≦Nを満たすセグメント内基準シンボルについて、該セグメント内基準シンボルの位相をθiRi=φiRi−φ(i−１)(Ri−１)に従い調整するステップであって、Nはセグメントの数を表し、iはセグメントのシーケンス番号を表し、Riはi番目のセグメントの中のセグメント内基準シンボルのシーケンス番号を表し、φiRiはi番目のセグメントの中の基準シンボルのコンステレーション位相を表し、θiRiはφiRiが調整されるセグメント内基準シンボルの位相を表す、ステップと、
N個のセグメントの中の１≦i≦N且つ１<j≦Miを満たすシンボルについて、該シンボルの位相をθij=φij−θiRiに従い調整するステップであって、Miはi番目のセグメントの中のシンボルの数を表し、M１+M２+・・・MN=M、MはN個のセグメントの中のシンボルの総数を表し、jはシンボルのシーケンス番号を表し、φijはi番目のセグメントの中のj番目のシンボルのコンステレーション位相を表し、θijはφijが調整される位相を表し、i、j、Ri、及びMiは全て整数であり、Mi≧２である、ステップと、
N個のセグメントの中の１≦i≦N且つj=１を満たすシンボルについて、該シンボルの位相をθij=φijに従い調整するステップと、を含む。
【０１５７】
例えば、N=３である。セグメント１に含まれるシンボルはS１１、S１２、S１３、S１４及びS１５であり、前述のシンボルの位相はそれぞれφ１１、φ１２、φ１３、φ１４及びφ１５である。セグメント２に含まれるシンボルはS２１、S２２、S２３、S２４及びS２５であり、前述のシンボルの位相はそれぞれφ２１、φ２２、φ２３、φ２４及びφ２５である。セグメント３に含まれるシンボルはS３１、S３２、S３３、S３４及びS３５であり、前述のシンボルの位相はそれぞれφ３１、φ３２、φ３３、φ３４及びφ３５である。送信装置は、セグメント１内のセグメント内基準シンボルがS１１であり、セグメント２内のセグメント内基準シンボルがS２２であり、セグメント３内のセグメント内基準シンボルがS３３であることを決定する。送信装置により、３個のセグメント内の１５個のシンボルの位相をプリセット位相調整ルールに従い調整する方法は、先ず、送信装置により、３個のセグメント内のセグメント内基準シンボルの位相をθ１１=φ１１、θ２２=φ２２−φ１１、及びθ３３=φ３３−φ２２に従い調整するステップと、次に、送信装置により、セグメント内のセグメント内基準シンボル以外のシンボルの位相を以下の通り調整するステップと、である：セグメント１ではθ１２=φ１２−θ１１、θ１３=φ１３−θ１１、θ１４=φ１４−θ１１、及びθ１５=φ１５−θ１１、セグメント２ではθ２１=φ２１−θ２２、θ２３=φ２３−θ２２、θ２４=φ２４−θ２２、及びθ２５=φ２５−θ２２、セグメント３ではθ３１=φ３１−θ３３、θ３２=φ３２−θ３３、θ３４=φ３４−θ３３、及びθ３５=φ３５−θ３３。
【０１５８】
Ｓ８０４。プリセットコンステレーション図に基づき、コンステレーション逆マッピングを位相調整を通じて取得されたM個のシンボルに対して実行して、符号化シーケンスを取得する。
【０１５９】
具体的に、コンステレーション図は、ビットグループとコンステレーション点の座標との間のマッピング関係を表す。受信装置は、送信装置により使用されたものと同じコンステレーション図を用いて、コンステレーション逆マッピングを位相調整を通じて取得されたM個のシンボルに対して実行して、M個のビットグループを取得する。各ビットグループの中のシンボルの数は、コンステレーション図の次数に関連付けられる。
【０１６０】
Ｓ８０５。復号処理を符号化シーケンスに対して実行して、生データを取得する。
【０１６１】
具体的に、受信装置は、ソース復号、チャネル復号処理、逆インターリービング復号、等を符号化シーケンスに対して実行して、生データを取得する。生データは、バイナリビットシーケンスであって良い。
【０１６２】
図８に記載の方法によると、セグメントを同時に処理する方法で処理遅延が低減され、位相差分方法を用いて位相ノイズの影響が抑制される。
【０１６３】
以上は、本発明の実施形態における方法を詳細に記載した。本発明の実施形態の前述のソリューションをより良好に実施するために、相応して、以下は本発明の一実施形態における機器を提供する。
【０１６４】
図９は、本発明の一実施形態による送信装置の概略構造図である。送信装置９は、符号化モジュール９０１、マッピングモジュール９０２、グルーピングモジュール９０３、取得モジュール９０４、調整モジュール９０５、及び変調モジュール９０６を含み得る。ユニットの詳細な説明は以下の通りである。
【０１６５】
符号化モジュール９０１は、符号化処理を生データに対して実行して、符号化シーケンスを取得するよう構成される。
【０１６６】
マッピングモジュール９０２は、コンステレーションマッピングを符号化シーケンスに対してプリセットコンステレーション図に基づき実行して、M個のシンボルを取得するよう構成される。ここで、Mは１より大きい整数である。
【０１６７】
グルーピングモジュール９０３は、M個のシンボルをN個のセグメントに分割するよう構成される。ここで、Nは１より大きい整数である。
【０１６８】
取得モジュール９０４は、N個のセグメントの中の各シンボルのコンステレーション位相を取得するよう構成される。
【０１６９】
調整モジュール９０５は、各セグメント内のシンボルのコンステレーション位相を、プリセット位相調整ルールに従い調整するよう構成される。ここで、N個のセグメントは同時に調整される。
【０１７０】
変調モジュール９０６は、位相調整を通じて取得されたM個のシンボルを変調して、変調信号を取得し、変調信号を送信するよう構成される。
【０１７１】
任意で、調整モジュール９０５は、
N個のセグメントの各々の中のセグメント内基準シンボルを決定し、セグメント内基準シンボルは２≦Ri≦Mi−１を満たし、
N個のセグメントの中の１≦i≦N且つRi<j≦Miを満たすシンボルについて、該シンボルのコンステレーション位相をφij=θij+θi(j−１)+・・・θi(Ri−１)+θiRiに従い調整し、iはセグメントのシーケンス番号を表し、jはN個のセグメントの中のシンボルのシーケンス番号を表し、Miはi番目のセグメントの中のシンボルの数を表し、つまりM１+M２+・・・MN=Mが満たされ、Riはi番目のセグメントの中のセグメント内基準シンボルのシーケンス番号を表し、θijはi番目のセグメントの中のj番目のシンボルのコンステレーション位相を表し、φijはθijが調整される位相を表し、i、j、Ri、及びMiは全て整数であり、Mi≧３であり、
N個のセグメントの中の１≦i≦N且つ１≦j<Riを満たすシンボルについて、該シンボルのコンステレーション位相をφij=θij+θi(j+１)+・・・θiRiに従い調整し、
N個のセグメントの中の１≦i≦N且つj=Riを満たすシンボルについて、該シンボルのコンステレーション位相をφij=θijに従い調整する、よう構成される。
【０１７２】
任意で、調整モジュール９０５は、
N個のセグメントの各々の中のセグメント内基準シンボルを決定し、セグメント内基準シンボルはRi=１を満たし、
N個のセグメントの中の１≦i≦N且つ１<j≦Miを満たすシンボルについて、該シンボルのコンステレーション位相をφij=θij+θi(j−１)+・・・θi(Ri−１)+θiRiに従い調整し、iはセグメントのシーケンス番号を表し、jはN個のセグメントの中のシンボルのシーケンス番号を表し、Miはi番目のセグメントの中のシンボルの数を表し、つまりM１+M２+・・・MN=Mが満たされ、Riはi番目のセグメントの中のセグメント内基準シンボルのシーケンス番号を表し、θijはi番目のセグメントの中のj番目のシンボルのコンステレーション位相を表し、φijはθijが調整される位相を表し、i、j、Ri、及びMiは全て整数であり、Mi≧２であり、
N個のセグメントの中の１≦i≦N且つj=１を満たすシンボルについて、該シンボルのコンステレーション位相をφij=θijに従い調整する、よう構成される。
【０１７３】
任意で、調整モジュール９０５は、
N個のセグメントの各々の中のセグメント内基準シンボルを決定し、セグメント内基準シンボルは２≦Ri≦Mi−１を満たし、
N個のセグメントの中の１≦i≦N且つ１≦j≦Miを満たすシンボルについて、該シンボルのコンステレーション位相をφij=θij+θiRiに従い調整し、Nはセグメントの数を表し、iはセグメントのシーケンス番号を表し、Miはi番目のセグメントの中のシンボルの数を表し、M１+M２+・・・MN=M、MはN個のセグメントの中のシンボルの総数を表し、Riはi番目のセグメントの中のセグメント内基準シンボルのシーケンス番号を表し、θijはi番目のセグメントの中のj番目のシンボルのコンステレーション位相を表し、φijはθijが調整される位相を表し、i、j、Ri、及びMiは全て整数であり、Mi≧３であり、
N個のセグメントの中の１≦i≦N且つj=Riを満たすシンボルについて、該シンボルのコンステレーション位相をφij=θijに従い調整する、よう構成される。
【０１７４】
任意で、調整モジュール９０５は、
N個のセグメントの各々の中のセグメント内基準シンボルを決定し、セグメント内基準シンボルはRi=１を満たし、
N個のセグメントの中の１≦i≦N、１<j≦Mi、且つj≠Riを満たすシンボルについて、該シンボルのコンステレーション位相をφij=θij+θiRiに従い調整し、Nはセグメントの数を表し、iはセグメントのシーケンス番号を表し、Miはi番目のセグメントの中のシンボルの数を表し、M１+M２+・・・MN=M、MはN個のセグメントの中のシンボルの総数を表し、Riはi番目のセグメントの中のセグメント内基準シンボルのシーケンス番号を表し、jはN個のセグメントの中のシンボルのシーケンス番号を表し、θijはi番目のセグメントの中のj番目のシンボルのコンステレーション位相を表し、φijはθijが調整される位相を表し、i、j、Ri、及びMiは全て整数であり、Mi≧２であり、
N個のセグメントの中の１≦i≦N且つj=Riを満たすシンボルについて、該シンボルのコンステレーション位相をφij=θijに従い調整する、よう構成される。
【０１７５】
任意で、調整モジュール９０５は、
N個のセグメントの各々の中のセグメント内基準シンボルを決定し、セグメント内基準シンボルは２≦Ri≦Mi−１を満たし、
N個のセグメントの中の１≦i≦Nを満たすセグメント内基準シンボルについて、該セグメント内基準シンボルのコンステレーション位相をφiRi=θiRi+θ(i−１)(Ri−１)+・・・θ２R２+θ１R１に従い調整し、Nはセグメントの数を表し、iはセグメントのシーケンス番号を表し、Riはi番目のセグメントの中のセグメント内基準シンボルのシーケンス番号を表し、θiRiはi番目のセグメントの中の基準シンボルのコンステレーション位相を表し、φiRiはθiRiが調整されるセグメント内基準シンボルの位相を表し、
N個のセグメントの中の１≦i≦N且つRi<j≦Miを満たすシンボルについて、該シンボルのコンステレーション位相をφij=θij+θi(j−１)+・・・θi(Ri−１)+φiRiに従い調整し、Miはi番目のセグメントの中のシンボルの数を表し、M１+M２+・・・MN=M、MはN個のセグメントの中のシンボルの総数を表し、jはN個のセグメントの中のシンボルのシーケンス番号を表し、θijはi番目のセグメントの中のj番目のシンボルのコンステレーション位相を表し、φijはθijがプリセット位相調整ルールに従い調整される位相を表し、i、j、Ri、及びMiは全て整数であり、Mi≧２であり、
N個のセグメントの中の１≦i≦N且つ１≦j<Riを満たすシンボルについて、該シンボルのコンステレーション位相をφij=θij+θi(j+１)+・・・+φiRiに従い調整し、
N個のセグメントの中の１≦i≦N且つj=Riを満たすシンボルについて、該シンボルの位相をφij=θijに従い調整する、よう構成される。
【０１７６】
任意で、調整モジュール９０５は、
N個のセグメントの各々の中のセグメント内基準シンボルを決定し、セグメント内基準シンボルはRi=１を満たし、
N個のセグメントの中の１≦i≦Nを満たすセグメント内基準シンボルについて、該セグメント内基準シンボルのコンステレーション位相をφiRi=θiRi+θ(i−１)(Ri−１)+・・・θ２R２+θ１R１に従い調整し、Nはセグメントの数を表し、iはセグメントのシーケンス番号を表し、Riはi番目のセグメントの中のセグメント内基準シンボルのシーケンス番号を表し、θiRiはi番目のセグメントの中の基準シンボルのコンステレーション位相を表し、φiRiはθiRiが調整されるセグメント内基準シンボルの位相を表し、
N個のセグメントの中の１≦i≦N且つ１<j≦Miを満たすシンボルについて、該シンボルのコンステレーション位相をφij=θij+θi(j−１)+・・・θi(Ri−１)+φiRiに従い調整し、Miはi番目のセグメントの中のシンボルの数を表し、M１+M２+・・・MN=M、MはN個のセグメントの中のシンボルの総数を表し、jはN個のセグメントの中のシンボルのシーケンス番号を表し、θijはi番目のセグメントの中のj番目のシンボルのコンステレーション位相を表し、φijはθijがプリセット位相調整ルールに従い調整される位相を表し、i、j、Ri、及びMiは全て整数であり、Mi≧２であり、
N個のセグメントの中の１≦i≦N且つj=Riを満たすシンボルについて、該シンボルの位相をφij=θijに従い調整する、よう構成される。
【０１７７】
任意で、調整モジュール９０５は、
N個のセグメントの各シンボルの中のセグメント内基準シンボルを決定し、セグメント内基準シンボルは２≦Ri≦Mi−１を満たし、
N個のセグメントの中の１≦i≦Nを満たすセグメント内基準シンボルについて、該セグメント内基準シンボルのコンステレーション位相をφiRi=θiRi+θ(i−１)(Ri−１)+・・・θ２R２+θ１R１に従い調整し、Nはセグメントの数を表し、iはセグメントのシーケンス番号を表し、Riはi番目のセグメントの中のセグメント内基準シンボルのシーケンス番号を表し、θiRiはi番目のセグメントの中の基準シンボルのコンステレーション位相を表し、φiRiはθiRiが調整されるセグメント内基準シンボルの位相を表し、
N個のセグメントの中の１≦i≦N、１≦j≦Ri、且つj≠Riを満たすシンボルについて、該シンボルのコンステレーション位相をφij=θij+φiRiに従い調整し、Miはi番目のセグメントの中のシンボルの数を表し、M１+M２+・・・MN=M、MはN個のセグメントの中のシンボルの総数を表し、jはN個のセグメントの中のシンボルのシーケンス番号を表し、θijはi番目のセグメントの中のj番目のシンボルのコンステレーション位相を表し、φijはθijがプリセット位相調整ルールに従い調整される位相を表し、i、j、Mi、及びRiは全て整数であり、Mi≧３であり、
N個のセグメントの中の１≦i≦N且つj=Riを満たすシンボルについて、該シンボルの位相をφij=θijに従い調整する、よう構成される。
【０１７８】
任意で、調整モジュール９０５は、
N個のセグメントの各シンボルの中のセグメント内基準シンボルを決定し、セグメント内基準シンボルはRi=１を満たし、
N個のセグメントの中の１≦i≦Nを満たすセグメント内基準シンボルについて、該セグメント内基準シンボルのコンステレーション位相をφiRi=θiRi+θ(i−１)(Ri−１)+・・・θ２R２+θ１R１に従い調整し、Nはセグメントの数を表し、iはセグメントのシーケンス番号を表し、Riはi番目のセグメントの中のセグメント内基準シンボルのシーケンス番号を表し、θiRiはi番目のセグメントの中の基準シンボルのコンステレーション位相を表し、φiRiはθiRiが調整されるセグメント内基準シンボルの位相を表し、
N個のセグメントの中の１≦i≦N且つ１<j≦Miを満たすシンボルについて、該シンボルのコンステレーション位相をφij=θij+φiRiに従い調整し、Miはi番目のセグメントの中のシンボルの数を表し、M１+M２+・・・MN=M、MはN個のセグメントの中のシンボルの総数を表し、jはシンボルのシーケンス番号を表し、θijはi番目のセグメントの中のj番目のシンボルのコンステレーション位相を表し、φijはθijがプリセット位相調整ルールに従い調整される位相を表し、i、j、Ri、及びMiは全て整数であり、Mi≧２であり、
N個のセグメントの中の１≦i≦N且つj=１を満たすシンボルについて、該シンボルの位相をφij=θijに従い調整する、よう構成される。
【０１７９】
任意で、セグメント内基準シンボルはパイロットシンボルである。
【０１８０】
留意すべきことに、本発明の本実施形態では、各ユニットの特定の実装について、図１に示される方法の実施形態の対応する記載への対応する参照が更に行われて良い。
【０１８１】
図９に記載の送信装置によると、セグメントを同時に処理する方法で処理遅延が低減され、位相累算方法を用いて位相ノイズの影響が抑制される。
【０１８２】
図１０は、本発明の一実施形態による受信装置の概略構造図である。受信装置１０は、受信モジュール１００１、再グルーピングモジュール１００２、位相取得モジュール１００３、逆調整モジュール１００４、逆マッピングモジュール１００５、及び復号モジュール１００６を含み得る。ユニットの詳細な説明は以下の通りである。
【０１８３】
受信モジュール１００１は、変調信号を受信し、調整信号を復調してM個のシンボルを取得するよう構成される。
【０１８４】
再グルーピングモジュール１００２は、M個のシンボルをN個のグループに分割するよう構成される。ここで、Nは１より大きい整数である。
【０１８５】
位相取得モジュール１００３は、N個のセグメントの中の各シンボルの位相を取得するよう構成される。
【０１８６】
逆調整モジュール１００４は、各セグメント内のシンボルの位相を、プリセット位相逆調整ルールに従い調整するよう構成される。ここで、位相調整はN個のセグメントに対して同時に実行される。
【０１８７】
逆マッピングモジュール１００５は、プリセットコンステレーション図に基づき、コンステレーション逆マッピングを位相調整を通じて取得されたM個のシンボルに対して実行して、符号化シーケンスを取得するよう構成される。
【０１８８】
復号モジュール１００６は、復号処理を符号化シーケンスに対して実行して、生データを取得するよう構成される。
【０１８９】
任意で、逆調整モジュール１００４は、
N個のセグメントの各々の中のセグメント内基準シンボルを決定し、セグメント内基準シンボルは２≦Ri≦Mi−１を満たし、
N個のセグメントの中の１≦i≦N且つRi<j≦Miを満たすシンボルについて、該シンボルの位相をθij=φij−φi(j−１)に従い調整し、Nはセグメントの数を表し、iはセグメントのシーケンス番号を表し、Miはi番目のセグメントの中のシンボルの数を表し、M１+M２+・・・MN=M、MはN個のセグメントの中のシンボルの総数を表し、Riはi番目のセグメントの中のセグメント内基準シンボルのシーケンス番号を表し、jはシンボルのシーケンス番号を表し、φijはi番目のセグメントの中のj番目のシンボルの位相を表し、θijはφijが調整される位相を表し、i、j、Ri、及びMiは全て整数であり、Mi≧３であり、
N個のセグメントの中の１≦i≦N且つ１≦j<Riを満たすシンボルについて、該シンボルの位相をθij=φij−φi(j+１)に従い調整し、
N個のセグメントの中の１≦i≦N且つj=Riを満たすシンボルについて、該シンボルの位相をθij=φijに従い調整する、よう構成される。
【０１９０】
任意で、逆調整モジュール１００４は、
N個のセグメントの各々の中のセグメント内基準シンボルを決定し、セグメント内基準シンボルはRi=１を満たし、
N個のセグメントの中の１≦i≦N且つ１<j≦Miを満たすシンボルについて、該シンボルの位相をθij=φij−φi(j−１)に従い調整し、Nはセグメントの数を表し、iはセグメントのシーケンス番号を表し、Miはi番目のセグメントの中のシンボルの数を表し、M１+M２+・・・MN=M、MはN個のセグメントの中のシンボルの総数を表し、Riはi番目のセグメントの中のセグメント内基準シンボルのシーケンス番号を表し、jはシンボルのシーケンス番号を表し、φijはi番目のセグメントの中のj番目のシンボルの位相を表し、θijはφijが調整される位相を表し、i、j、Ri、及びMiは全て整数であり、Mi≧２であり、
N個のセグメントの中の１≦i≦N且つj=１を満たすシンボルについて、該シンボルの位相をθij=φijに従い調整する、よう構成される。
【０１９１】
任意で、逆調整モジュール１００４は、
N個のセグメントの各々の中のセグメント内基準シンボルを決定し、セグメント内基準シンボルは２≦Ri≦Mi−１を満たし、
N個のセグメントの中の１≦i≦N、１≦j≦Mi、且つj≠Riを満たすシンボルについて、該シンボルの位相をθij=φij−φiRiに従い調整し、Nはセグメントの数を表し、iはセグメントのシーケンス番号を表し、Miはi番目のセグメントの中のシンボルの数を表し、M１+M２+・・・MN=M、MはN個のセグメントの中のシンボルの総数を表し、Riはi番目のセグメントの中のセグメント内基準シンボルのシーケンス番号を表し、jはシンボルのシーケンス番号を表し、φijはi番目のセグメントの中のj番目のシンボルの位相を表し、θijはφijが調整される位相を表し、i、j、Ri、及びMiは全て整数であり、Mi≧２であり、
N個のセグメントの中の１≦i≦N且つj=Riを満たすシンボルについて、該シンボルの位相をθij=φijに従い調整する、よう構成される。
【０１９２】
任意で、逆調整モジュール１００４は、
N個のセグメントの各々の中のセグメント内基準シンボルを決定し、セグメント内基準シンボルはRi=１を満たし、
N個のセグメントの中の１≦i≦N且つ１<j≦Miを満たすシンボルについて、該シンボルの位相をθij=φij−φiRiに従い調整し、Nはセグメントの数を表し、iはセグメントのシーケンス番号を表し、Miはi番目のセグメントの中のシンボルの数を表し、M１+M２+・・・MN=M、MはN個のセグメントの中のシンボルの総数を表し、Riはi番目のセグメントの中のセグメント内基準シンボルのシーケンス番号を表し、jはシンボルのシーケンス番号を表し、φijはi番目のセグメントの中のj番目のシンボルの位相を表し、θijはφijが調整される位相を表し、i、j、Ri、及びMiは全て整数であり、Mi≧２であり、
N個のセグメントの中の１≦i≦N且つj=１を満たすシンボルについて、該シンボルの位相をθij=φijに従い調整する、よう構成される。
【０１９３】
任意で、逆調整モジュール１００４は、
N個のセグメントの各々の中のセグメント内基準シンボルを決定し、セグメント内基準シンボルは２≦Ri≦Mi−１を満たし、
N個のセグメントの中の１≦i≦Nを満たすセグメント内基準シンボルについて、該セグメント内基準シンボルの位相をθiRi=φiRi−φ(i−１)(Ri−１)に従い調整し、Nはセグメントの数を表し、iはセグメントのシーケンス番号を表し、Riはi番目のセグメントの中のセグメント内基準シンボルのシーケンス番号を表し、φiRiはi番目のセグメントの中の基準シンボルの位相を表し、θiRiはφiRiが調整される位相を表し、
N個のセグメントの中のRi+１<j≦Miを満たすシンボルについて、該シンボルのコンステレーション位相をθij=φij−φi(j−１)に従い調整し、Miはi番目のセグメントの中のシンボルの数を表し、M１+M２+・・・MN=M、MはN個のセグメントの中のシンボルの総数を表し、jはシンボルのシーケンス番号を表し、φijはi番目のセグメントの中のj番目のシンボルのコンステレーション位相を表し、θijはφijが調整される位相を表し、i、j、Ri、及びMiは全て整数であり、Mi≧３であり、
N個のセグメントの中の１≦i≦N且つj=Ri+１を満たすシンボルについて、該シンボルの位相をθi(Ri+１)=φi(Ri+１)−θiRiに従い調整し、
N個のセグメントの中の１≦i≦N且つ１≦j<Ri−１を満たすシンボルについて、該シンボルの位相をθij=φij−φi(j+１)に従い調整し、
N個のセグメントの中の１≦i≦N且つj=Ri−１を満たすシンボルについて、該シンボルの位相をθi(Ri−１)=φi(Ri−１)−θiRiに従い調整し、
N個のセグメントの中の１≦i≦N且つj=Riを満たすシンボルについて、該シンボルの位相をθij=φijに従い調整する、よう構成される。
【０１９４】
任意で、逆調整モジュール１００４は、
N個のセグメントの各々の中のセグメント内基準シンボルを決定し、セグメント内基準シンボルはRi=１を満たし、
N個のセグメントの中の１≦i≦Nを満たすセグメント内基準シンボルについて、該セグメント内基準シンボルの位相をθiRi=φiRi−φ(i−１)(Ri−１)に従い調整し、Nはセグメントの数を表し、iはセグメントのシーケンス番号を表し、Riはi番目のセグメントの中のセグメント内基準シンボルのシーケンス番号を表し、φiRiはi番目のセグメントの中の基準シンボルの位相を表し、θiRiはφiRiが調整される位相を表し、
N個のセグメントの中の２<j≦Miを満たすシンボルについて、該シンボルのコンステレーション位相をθij=φij−φi(j−１)に従い調整し、Miはi番目のセグメントの中のシンボルの数を表し、M１+M２+・・・MN=M、MはN個のセグメントの中のシンボルの総数を表し、jはシンボルのシーケンス番号を表し、φijはi番目のセグメントの中のj番目のシンボルのコンステレーション位相を表し、θijはφijが調整される位相を表し、i、j、Ri、及びMiは全て整数であり、Mi≧３であり、
N個のセグメントの中の１≦i≦N且つj=２を満たすシンボルについて、該シンボルの位相をθi(Ri+１)=φi(Ri+１)−θiRiに従い調整し、
N個のセグメントの中の１≦i≦N且つj=１を満たすシンボルについて、該シンボルの位相をθij=φijに従い調整する、よう構成される。
【０１９５】
任意で、逆調整モジュール１００４は、
N個のセグメントの各シンボルの中のセグメント内基準シンボルを決定し、セグメント内基準シンボルは２≦Ri≦Mi−１を満たし、
N個のセグメントの中の１≦i≦Nを満たすセグメント内基準シンボルについて、該セグメント内基準シンボルの位相をθiRi=φiRi−φ(i−１)(Ri−１)に従い調整し、Nはセグメントの数を表し、iはセグメントのシーケンス番号を表し、Riはi番目のセグメントの中のセグメント内基準シンボルのシーケンス番号を表し、φiRiはi番目のセグメントの中の基準シンボルのコンステレーション位相を表し、θiRiはφiRiが調整されるセグメント内基準シンボルの位相を表し、
N個のセグメントの中の１≦i≦N、１≦j≦Mi、且つj≠Riを満たすシンボルについて、該シンボルの位相をθij=φij−θiRiに従い調整し、Miはi番目のセグメントの中のシンボルの数を表し、M１+M２+・・・MN=M、MはN個のセグメントの中のシンボルの総数を表し、jはシンボルのシーケンス番号を表し、φijはi番目のセグメントの中のj番目のシンボルのコンステレーション位相を表し、θijはφijが調整される位相を表し、i、j、Ri、及びMiは全て整数であり、Mi≧３であり、
N個のセグメントの中の１≦i≦N且つj=Riを満たすシンボルについて、該シンボルの位相をθij=φijに従い調整する、よう構成される。
【０１９６】
任意で、逆調整モジュール１００４は、
N個のセグメントの各シンボルの中のセグメント内基準シンボルを決定し、セグメント内基準シンボルはRi=１を満たし、
N個のセグメントの中の１≦i≦Nを満たすセグメント内基準シンボルについて、該セグメント内基準シンボルの位相をθiRi=φiRi−φ(i−１)(Ri−１)に従い調整し、Nはセグメントの数を表し、iはセグメントのシーケンス番号を表し、Riはi番目のセグメントの中のセグメント内基準シンボルのシーケンス番号を表し、φiRiはi番目のセグメントの中の基準シンボルのコンステレーション位相を表し、θiRiはφiRiが調整されるセグメント内基準シンボルの位相を表し、
N個のセグメントの中の１≦i≦N且つ１<j≦Miを満たすシンボルについて、該シンボルの位相をθij=φij−θiRiに従い調整し、Miはi番目のセグメントの中のシンボルの数を表し、M１+M２+・・・MN=M、MはN個のセグメントの中のシンボルの総数を表し、jはシンボルのシーケンス番号を表し、φijはi番目のセグメントの中のj番目のシンボルのコンステレーション位相を表し、θijはφijが調整される位相を表し、i、j、Ri、及びMiは全て整数であり、Mi≧２であり、
N個のセグメントの中の１≦i≦N且つj=１を満たすシンボルについて、該シンボルの位相をθij=φijに従い調整する、よう構成される。
【０１９７】
留意すべきことに、本発明の本実施形態では、各ユニットの特定の実装について、図８に示される方法の実施形態の対応する記載への対応する参照が更に行われて良い。
【０１９８】
図８に記載の受信方法によると、セグメントを同時に処理する方法で処理遅延が低減され、位相差分方法を用いて位相ノイズの影響が抑制される。
【０１９９】
図１１は、本発明の一実施形態による送信装置の別の概略構造図である。本発明の本実施形態では、送信装置１１は、プロセッサ１１０１、メモリ１１０２、及び通信インタフェース１１０３を含む。１又は複数のプロセッサ１１０１が送信装置１１の中に存在して良い。本発明の幾つかの実施形態では、プロセッサ１１０１、メモリ１１０２、及び通信インタフェース１１０３は、バスシステムを用いて又は別の方法で接続されて良い。プロセッサ１１０１、メモリ１１０２、及び通信インタフェース１１０３は、互いに有線方法で接続されて良く、又は無線送信又は別の手段を通じ通信を実施して良い。送信装置１１は、図２に示す方法を実行するよう構成されて良い。本実施形態における用語の意味及び例については、図２に対応する実施形態を参照する。詳細は、ここで再び記載されない。
【０２００】
メモリ１１０２はプログラムコードを格納する。プロセッサ１１０１は、以下の動作を実行するために、メモリ１１０２に格納されたプログラムコードを呼び出すよう構成される：
符号化処理を生データに対して実行して、符号化シーケンスを取得するステップと、
コンステレーションマッピングを符号化シーケンスに対してプリセットコンステレーション図に基づき実行して、M個のシンボルを取得するステップであって、Mは１より大きい整数である、ステップと、
M個のシンボルをN個のセグメントに分割するステップであって、Nは１より大きい整数である、ステップと、
N個のセグメントの中の各シンボルのコンステレーション位相を取得するステップと、
各セグメント内のシンボルのコンステレーション位相を、プリセット位相調整ルールに従い調整するステップであって、N個のセグメントは同時に調整される、ステップと、
位相調整を通じて取得されたM個のシンボルを変調して、変調信号を取得し、変調信号を送信するステップ。
【０２０１】
任意で、プロセッサ１１０１が各セグメント内のシンボルのコンステレーション位相を、プリセット位相調整ルールに従い調整するステップを実行することは、
N個のセグメントの各々の中のセグメント内基準シンボルを決定するステップであって、セグメント内基準シンボルは２≦Ri≦Mi−１を満たす、ステップと、
N個のセグメントの中の１≦i≦N且つRi<j≦Miを満たすシンボルについて、該シンボルのコンステレーション位相をφij=θij+θi(j−１)+・・・θi(Ri−１)+θiRiに従い調整するステップであって、iはセグメントのシーケンス番号を表し、jはN個のセグメントの中のシンボルのシーケンス番号を表し、Miはi番目のセグメントの中のシンボルの数を表し、つまりM１+M２+・・・MN=Mが満たされ、Riはi番目のセグメントの中のセグメント内基準シンボルのシーケンス番号を表し、θijはi番目のセグメントの中のj番目のシンボルのコンステレーション位相を表し、φijはθijが調整される位相を表し、i、j、Ri、及びMiは全て整数であり、Mi≧３である、ステップと、
N個のセグメントの中の１≦i≦N且つ１≦j<Riを満たすシンボルについて、該シンボルのコンステレーション位相をφij=θij+θi(j+１)+・・・θiRiに従い調整するステップと、
N個のセグメントの中の１≦i≦N且つj=Riを満たすシンボルについて、該シンボルのコンステレーション位相をφij=θijに従い調整するステップと、を含む。
【０２０２】
任意で、プロセッサ１１０１が各セグメント内のシンボルのコンステレーション位相を、プリセット位相調整ルールに従い調整するステップを実行することは、
N個のセグメントの各々の中のセグメント内基準シンボルを決定するステップであって、セグメント内基準シンボルはRi=１を満たす、ステップと、
N個のセグメントの中の１≦i≦N且つ１<j≦Miを満たすシンボルについて、該シンボルのコンステレーション位相をφij=θij+θi(j-1)+・・・+θi(Ri-1)+θiRiに従い調整するステップであって、iはセグメントのシーケンス番号を表し、jはN個のセグメントの中のシンボルのシーケンス番号を表し、Miはi番目のセグメントの中のシンボルの数を表し、つまり、M１+M２+・・・MN=Mが満たされ、Riはi番目のセグメントの中のセグメント内基準シンボルのシーケンス番号を表し、θijはi番目のセグメントの中のj番目のシンボルのコンステレーション位相を表し、φijはθijが調整される位相を表し、i、j、Ri、及びMiは全て整数であり、Mi≧２である、ステップと、
N個のセグメントの中の１≦i≦N且つj=１を満たすシンボルについて、該シンボルのコンステレーション位相をφij=θijに従い調整するステップと、を含む。
【０２０３】
任意で、プロセッサ１１０１が各セグメント内のシンボルのコンステレーション位相を、プリセット位相調整ルールに従い調整するステップを実行することは、
N個のセグメントの各々の中のセグメント内基準シンボルを決定するステップであって、セグメント内基準シンボルは２≦Ri≦Mi−１を満たす、ステップと、
N個のセグメントの中の１≦i≦N、１≦j≦Mi、且つj≠Riを満たすシンボルについて、該シンボルのコンステレーション位相をφij=θij+θiRiに従い調整するステップであって、Nはセグメントの数を表し、iはセグメントのシーケンス番号を表し、Miはi番目のセグメントの中のシンボルの数を表し、M１+M２+・・・MN=M、MはN個のセグメントの中のシンボルの総数を表し、Riはi番目のセグメントの中のセグメント内基準シンボルのシーケンス番号を表し、jはN個のセグメントの中のシンボルのシーケンス番号を表し、θijはi番目のセグメントの中のj番目のシンボルのコンステレーション位相を表し、φijはθijが調整される位相を表し、i、j、Ri、及びMiは全て整数であり、Mi≧３である、ステップと、
N個のセグメントの中の１≦i≦N且つj=Riを満たすシンボルについて、該シンボルのコンステレーション位相をφij=θijに従い調整するステップと、を含む。
【０２０４】
任意で、プロセッサ１１０１が各セグメント内のシンボルのコンステレーション位相を、プリセット位相調整ルールに従い調整するステップを実行することは、
N個のセグメントの各々の中のセグメント内基準シンボルを決定するステップであって、セグメント内基準シンボルはRi=１を満たす、ステップと、
N個のセグメントの中の１≦i≦N且つ１<j≦Miを満たすシンボルについて、該シンボルのコンステレーション位相をφij=θij+θiRiに従い調整するステップであって、Nはセグメントの数を表し、iはセグメントのシーケンス番号を表し、Miはi番目のセグメントの中のシンボルの数を表し、M１+M２+・・・MN=M、MはN個のセグメントの中のシンボルの総数を表し、Riはi番目のセグメントの中のセグメント内基準シンボルのシーケンス番号を表し、jはN個のセグメントの中のシンボルのシーケンス番号を表し、θijはi番目のセグメントの中のj番目のシンボルのコンステレーション位相を表し、φijはθijが調整される位相を表し、i、j、Ri、及びMiは全て整数であり、Mi≧２である、ステップと、
N個のセグメントの中の１≦i≦N且つj=Riを満たすシンボルについて、該シンボルのコンステレーション位相をφij=θijに従い調整するステップと、を含む。
【０２０５】
任意で、プロセッサ１１０１が各セグメント内のシンボルのコンステレーション位相を、プリセット位相調整ルールに従い調整するステップを実行することは、
N個のセグメントの各々の中のセグメント内基準シンボルを決定するステップであって、セグメント内基準シンボルは２≦Ri≦Mi−１を満たす、ステップと、
N個のセグメントの中の１≦i≦Nを満たすセグメント内基準シンボルについて、該セグメント内基準シンボルのコンステレーション位相をφiRi=θiRi+θ(i−１)(Ri−１)+・・・θ２R２+θ１R１に従い調整するステップであって、Nはセグメントの数を表し、iはセグメントのシーケンス番号を表し、Riはi番目のセグメントの中のセグメント内基準シンボルのシーケンス番号を表し、θiRiはi番目のセグメントの中の基準シンボルのコンステレーション位相を表し、φiRiはθiRiが調整されるセグメント内基準シンボルの位相を表す、ステップと、
N個のセグメントの中の１≦i≦N且つRi<j≦Miを満たすシンボルについて、該シンボルのコンステレーション位相をφij=θij+θi(j−１)+・・・θi(Ri−１)+φiRiに従い調整するステップであって、Miはi番目のセグメントの中のシンボルの数を表し、M１+M２+・・・MN=M、MはN個のセグメントの中のシンボルの総数を表し、jはN個のセグメントの中のシンボルのシーケンス番号を表し、θijはi番目のセグメントの中のj番目のシンボルのコンステレーション位相を表し、φijはθijがプリセット位相調整ルールに従い調整される位相を表し、i、j、Ri、及びMiは全て整数であり、Mi≧２である、ステップと、
N個のセグメントの中の１≦i≦N且つ１≦j<Riを満たすシンボルについて、該シンボルのコンステレーション位相を式φij=θij+θi(j+１)+・・・+φiRiに従い調整するステップと、
N個のセグメントの中の１≦i≦N且つj=Riを満たすシンボルについて、該シンボルの位相をφij=θijに従い調整するステップと、を含む。
【０２０６】
任意で、プロセッサ１１０１が各セグメント内のシンボルのコンステレーション位相を、プリセット位相調整ルールに従い調整するステップを実行することは、
N個のセグメントの各々の中のセグメント内基準シンボルを決定するステップであって、セグメント内基準シンボルはRi=１を満たす、ステップと、
N個のセグメントの中の１≦i≦Nを満たすセグメント内基準シンボルについて、該セグメント内基準シンボルのコンステレーション位相をφiRi=θiRi+θ(i−１)(Ri−１)+・・・θ２R２+θ１R１に従い調整するステップであって、Nはセグメントの数を表し、iはセグメントのシーケンス番号を表し、Riはi番目のセグメントの中のセグメント内基準シンボルのシーケンス番号を表し、θiRiはi番目のセグメントの中の基準シンボルのコンステレーション位相を表し、φiRiはθiRiが調整されるセグメント内基準シンボルの位相を表す、ステップと、
N個のセグメントの中の１≦i≦N且つ１<j≦Miを満たすシンボルについて、該シンボルのコンステレーション位相をφij=θij+θi(j−１)+・・・θi(Ri−１)+φiRiに従い調整するステップであって、Miはi番目のセグメントの中のシンボルの数を表し、M１+M２+・・・MN=M、MはN個のセグメントの中のシンボルの総数を表し、jはN個のセグメントの中のシンボルのシーケンス番号を表し、θijはi番目のセグメントの中のj番目のシンボルのコンステレーション位相を表し、φijはθijがプリセット位相調整ルールに従い調整される位相を表し、i、j、Ri、及びMiは全て整数であり、Mi≧２である、ステップと、
N個のセグメントの中の１≦i≦N且つj=Riを満たすシンボルについて、該シンボルの位相をφij=θijに従い調整するステップと、を含む。
【０２０７】
任意で、プロセッサ１１０１が各セグメント内のシンボルのコンステレーション位相を、プリセット位相調整ルールに従い調整するステップを実行することは、
N個のセグメントの中の各シンボルの中のセグメント内基準シンボルを決定するステップであって、セグメント内基準シンボルは２≦Ri≦Mi−１を満たす、ステップと、
N個のセグメントの中の１≦i≦Nを満たすセグメント内基準シンボルについて、該セグメント内基準シンボルのコンステレーション位相をφiRi=θiRi+θ(i−１)(Ri−１)+・・・θ２R２+θ１R１に従い調整するステップであって、Nはセグメントの数を表し、iはセグメントのシーケンス番号を表し、Riはi番目のセグメントの中のセグメント内基準シンボルのシーケンス番号を表し、θiRiはi番目のセグメントの中の基準シンボルのコンステレーション位相を表し、φiRiはθiRiが調整されるセグメント内基準シンボルの位相を表す、ステップと、
N個のセグメントの中の１≦i≦N、１≦j≦Ri、且つj≠Riを満たすシンボルについて、該シンボルのコンステレーション位相をφij=θij+φiRiに従い調整するステップであって、Miはi番目のセグメントの中のシンボルの数を表し、M１+M２+・・・MN=M、MはN個のセグメントの中のシンボルの総数を表し、jはN個のセグメントの中のシンボルのシーケンス番号を表し、θijはi番目のセグメントの中のj番目のシンボルのコンステレーション位相を表し、φijはθijがプリセット位相調整ルールに従い調整される位相を表し、i、j、Ri、及びMiは全て整数であり、Mi≧３である、ステップと、
N個のセグメントの中の１≦i≦N且つj=Riを満たすシンボルについて、該シンボルの位相をφij=θijに従い調整するステップと、を含む。
【０２０８】
任意で、プロセッサ１１０１が各セグメント内のシンボルのコンステレーション位相を、プリセット位相調整ルールに従い調整するステップを実行することは、
N個のセグメントの中の各シンボルの中のセグメント内基準シンボルを決定するステップであって、セグメント内基準シンボルはRi=１を満たす、ステップと、
N個のセグメントの中の１≦i≦Nを満たすセグメント内基準シンボルについて、該セグメント内基準シンボルのコンステレーション位相をφiRi=θiRi+θ(i−１)(Ri−１)+・・・θ２R２+θ１R１に従い調整するステップであって、Nはセグメントの数を表し、iはセグメントのシーケンス番号を表し、Riはi番目のセグメントの中のセグメント内基準シンボルのシーケンス番号を表し、θiRiはi番目のセグメントの中の基準シンボルのコンステレーション位相を表し、φiRiはθiRiが調整されるセグメント内基準シンボルの位相を表す、ステップと、
N個のセグメントの中の１≦i≦N且つ１<j≦Miを満たすシンボルについて、該シンボルのコンステレーション位相をφij=θij+φiRiに従い調整するステップであって、Miはi番目のセグメントの中のシンボルの数を表し、M１+M２+・・・MN=M、MはN個のセグメントの中のシンボルの総数を表し、jはシンボルのシーケンス番号を表し、θijはi番目のセグメントの中のj番目のシンボルのコンステレーション位相を表し、φijはθijがプリセット位相調整ルールに従い調整される位相を表し、i、j、Ri、及びMiは全て整数であり、Mi≧２である、ステップと、
N個のセグメントの中の１≦i≦N且つj=１を満たすシンボルについて、該シンボルの位相をφij=θijに従い調整するステップと、を含む。
【０２０９】
任意で、セグメント内基準シンボルはパイロットシンボルである。
【０２１０】
図１２は、本発明の一実施形態による受信装置の別の概略構造図である。本発明の本実施形態では、受信装置１２は、プロセッサ１２０１、メモリ１２０２、及び通信インタフェース１２０３を含む。１又は複数のプロセッサ１２０１が受信装置１２の中に存在して良い。本発明の幾つかの実施形態では、プロセッサ１２０１、メモリ１２０２、及び通信インタフェース１２０３は、バスシステムを用いて又は別の方法で接続されて良い。プロセッサ１２０１、メモリ１２０２、及び通信インタフェース１２０３は、互いに有線方法で接続されて良く、又は無線送信又は別の手段を通じ通信を実施して良い。受信装置１２は、図８に示す方法を実行するよう構成されて良い。本実施形態における用語の意味及び例については、図８に対応する実施形態を参照する。詳細は、ここで再び記載されない。
【０２１１】
メモリ１２０２はプログラムコードを格納する。プロセッサ１２０１は、以下の動作を実行するために、メモリ１２０２に格納されたプログラムコードを呼び出すよう構成される：
変調信号を受信し、調整信号を復調してM個のシンボルを取得するステップと、
M個のシンボルをN個のグループに分割するステップであって、Nは１より大きい整数である、ステップと、
N個のセグメントの中の各シンボルの位相を取得するステップと、
各セグメント内のシンボルの位相を、プリセット位相逆調整ルールに従い調整するステップであって、位相調整はN個のセグメントに対して同時に実行される、ステップと、
プリセットコンステレーション図に基づき、コンステレーション逆マッピングを位相調整を通じて取得されたM個のシンボルに対して実行して、符号化シーケンスを取得するステップと、
復号処理を符号化シーケンスに対して実行して、生データを取得するステップ。
【０２１２】
本願の可能な実装では、プロセッサ１２０１が各セグメント内のシンボルの位相を、プリセット位相逆調整ルールに従い調整するステップを実行することは、
N個のセグメントの各々の中のセグメント内基準シンボルを決定するステップであって、セグメント内基準シンボルは２≦Ri≦Mi−１を満たす、ステップと、
N個のセグメントの中の１≦i≦N且つRi<j≦Miを満たすシンボルについて、該シンボルの位相をθij=φij−φi(j−１)に従い調整するステップであって、Nはセグメントの数を表し、iはセグメントのシーケンス番号を表し、Miはi番目のセグメントの中のシンボルの数を表し、M１+M２+・・・MN=M、MはN個のセグメントの中のシンボルの総数を表し、Riはi番目のセグメントの中のセグメント内基準シンボルのシーケンス番号を表し、jはシンボルのシーケンス番号を表し、φijはi番目のセグメントの中のj番目のシンボルの位相を表し、θijはφijが調整される位相を表し、i、j、Ri、及びMiは全て整数であり、Mi≧３であり、
N個のセグメントの中の１≦i≦N且つ１≦j<Riを満たすシンボルについて、該シンボルの位相をθij=φij−φi(j+１)に従い調整するステップと、
N個のセグメントの中の１≦i≦N且つj=Riを満たすシンボルについて、該シンボルの位相をθij=φijに従い調整するステップと、を含む。
【０２１３】
本願の可能な実装では、プロセッサ１２０１が各セグメント内のシンボルの位相を、プリセット位相逆調整ルールに従い調整するステップを実行することは、
N個のセグメントの各々の中のセグメント内基準シンボルを決定するステップであって、セグメント内基準シンボルはRi=Miを満たす、ステップと、
N個のセグメントの中の１≦i≦N且つ１≦j<Miを満たすシンボルについて、該シンボルの位相をθij=φij−φi(j+１)に従い調整するステップであって、Nはセグメントの数を表し、iはセグメントのシーケンス番号を表し、Miはi番目のセグメントの中のシンボルの数を表し、M１+M２+・・・MN=M、MはN個のセグメントの中のシンボルの総数を表し、Riはi番目のセグメントの中のセグメント内基準シンボルのシーケンス番号を表し、jはシンボルのシーケンス番号を表し、φijはi番目のセグメントの中のj番目のシンボルの位相を表し、θijはφijが調整される位相を表し、i、j、Ri、及びMiは全て整数であり、Mi≧２である、ステップと、
N個のセグメントの中の１≦i≦N且つj=Miを満たすシンボルについて、該シンボルの位相をθij=φijに従い調整するステップと、を含む。
【０２１４】
本願の可能な実装では、プロセッサ１２０１が各セグメント内のシンボルの位相を、プリセット位相逆調整ルールに従い調整するステップを実行することは、
N個のセグメントの各々の中のセグメント内基準シンボルを決定するステップであって、セグメント内基準シンボルはRi=１を満たす、ステップと、
N個のセグメントの中の１≦i≦N且つ１<j≦Miを満たすシンボルについて、該シンボルの位相をθij=φij−φi(j−１)に従い調整するステップであって、Nはセグメントの数を表し、iはセグメントのシーケンス番号を表し、Miはi番目のセグメントの中のシンボルの数を表し、M１+M２+・・・MN=M、MはN個のセグメントの中のシンボルの総数を表し、Riはi番目のセグメントの中のセグメント内基準シンボルのシーケンス番号を表し、jはシンボルのシーケンス番号を表し、φijはi番目のセグメントの中のj番目のシンボルの位相を表し、θijはφijが調整される位相を表し、i、j、Ri、及びMiは全て整数であり、Mi≧２である、ステップと、
N個のセグメントの中の１≦i≦N且つj=１を満たすシンボルについて、該シンボルの位相をθij=φijに従い調整するステップと、を含む。
【０２１５】
本願の可能な実装では、プロセッサ１２０１が各セグメント内のシンボルの位相を、プリセット位相逆調整ルールに従い調整するステップを実行することは、
N個のセグメントの各々の中のセグメント内基準シンボルを決定するステップであって、セグメント内基準シンボルは２≦Ri≦Mi−１を満たす、ステップと、
N個のセグメントの中の１≦i≦N、１≦j≦Mi、且つj≠Riを満たすシンボルについて、該シンボルの位相をθij=φij−φiRiに従い調整し、Nはセグメントの数を表し、iはセグメントのシーケンス番号を表し、Miはi番目のセグメントの中のシンボルの数を表し、M１+M２+・・・MN=M、MはN個のセグメントの中のシンボルの総数を表し、Riはi番目のセグメントの中のセグメント内基準シンボルのシーケンス番号を表し、jはシンボルのシーケンス番号を表し、φijはi番目のセグメントの中のj番目のシンボルの位相を表し、θijはφijが調整される位相を表し、i、j、Ri、及びMiは全て整数であり、Mi≧２であり、
N個のセグメントの中の１≦i≦N且つj=Riを満たすシンボルについて、該シンボルの位相をθij=φijに従い調整するステップと、を含む。
【０２１６】
本願の可能な実装では、プロセッサ１２０１が各セグメント内のシンボルの位相を、プリセット位相逆調整ルールに従い調整するステップを実行することは、
N個のセグメントの各々の中のセグメント内基準シンボルを決定するステップであって、セグメント内基準シンボルはRi=Miを満たす、ステップと、
N個のセグメントの中の１≦i≦N且つ１≦j<Miを満たすシンボルについて、該シンボルの位相をθij=φij−φiRiに従い調整するステップであって、Nはセグメントの数を表し、iはセグメントのシーケンス番号を表し、Miはi番目のセグメントの中のシンボルの数を表し、M１+M２+・・・MN=M、MはN個のセグメントの中のシンボルの総数を表し、Riはi番目のセグメントの中のセグメント内基準シンボルのシーケンス番号を表し、jはシンボルのシーケンス番号を表し、φijはi番目のセグメントの中のj番目のシンボルの位相を表し、θijはφijが調整される位相を表し、i、j、Ri、及びMiは全て整数であり、Mi≧２である、ステップと、
N個のセグメントの中の１≦i≦N且つj=Miを満たすシンボルについて、該シンボルの位相をθij=φijに従い調整するステップと、を含む。
【０２１７】
本願の可能な実装では、プロセッサ１２０１が各セグメント内のシンボルの位相を、プリセット位相逆調整ルールに従い調整するステップを実行することは、
N個のセグメントの各々の中のセグメント内基準シンボルを決定するステップであって、セグメント内基準シンボルはRi=１を満たす、ステップと、
N個のセグメントの中の１≦i≦N且つ１<j≦Miを満たすシンボルについて、該シンボルの位相をθij=φij−φiRiに従い調整するステップであって、Nはセグメントの数を表し、iはセグメントのシーケンス番号を表し、Miはi番目のセグメントの中のシンボルの数を表し、M１+M２+・・・MN=M、MはN個のセグメントの中のシンボルの総数を表し、Riはi番目のセグメントの中のセグメント内基準シンボルのシーケンス番号を表し、jはシンボルのシーケンス番号を表し、φijはi番目のセグメントの中のj番目のシンボルの位相を表し、θijはφijが調整される位相を表し、i、j、Ri、及びMiは全て整数であり、Mi≧２である、ステップと、
N個のセグメントの中の１≦i≦N且つj=１を満たすシンボルについて、該シンボルの位相をθij=φijに従い調整するステップと、を含む。
【０２１８】
本願の可能な実装では、プロセッサ１２０１が各セグメント内のシンボルの位相を、プリセット位相逆調整ルールに従い調整するステップを実行することは、
N個のセグメントの各々の中のセグメント内基準シンボルを決定するステップであって、セグメント内基準シンボルは２≦Ri≦Mi−１を満たす、ステップと、
N個のセグメントの中の１≦i≦Nを満たすセグメント内基準シンボルについて、該セグメント内基準シンボルの位相をθiRi=φiRi−φ(i−１)(Ri−１)に従い調整するステップであって、Nはセグメントの数を表し、iはセグメントのシーケンス番号を表し、Riはi番目のセグメントの中のセグメント内基準シンボルのシーケンス番号を表し、φiRiはi番目のセグメントの中の基準シンボルの位相を表し、θiRiはφiRiが調整される位相を表す、ステップと、
N個のセグメントの中のRi+１<j≦Miを満たすシンボルについて、該シンボルのコンステレーション位相をθij=φij−φi(j−１)に従い調整し、Miはi番目のセグメントの中のシンボルの数を表し、M１+M２+・・・MN=M、MはN個のセグメントの中のシンボルの総数を表し、jはシンボルのシーケンス番号を表し、φijはi番目のセグメントの中のj番目のシンボルのコンステレーション位相を表し、θijはφijが調整される位相を表し、i、j、Ri、及びMiは全て整数であり、Mi≧３であり、
N個のセグメントの中の１≦i≦N且つj=Ri+１を満たすシンボルについて、該シンボルの位相をθi(Ri+１)=φi(Ri+１)−θiRiに従い調整するステップと、
N個のセグメントの中の１≦i≦N且つ１≦j<Ri−１を満たすシンボルについて、該シンボルの位相をθij=φij−φi(j+１)に従い調整するステップと、
N個のセグメントの中の１≦i≦N且つj=Ri−１を満たすシンボルについて、該シンボルの位相をθi(Ri−１)=φi(Ri−１)−θiRiに従い調整するステップと、
N個のセグメントの中の１≦i≦N且つj=Riを満たすシンボルについて、該シンボルの位相をθij=φijに従い調整するステップと、を含む。
【０２１９】
本願の可能な実装では、プロセッサ１２０１が各セグメント内のシンボルの位相を、プリセット位相逆調整ルールに従い調整するステップを実行することは、
N個のセグメントの各々の中のセグメント内基準シンボルを決定するステップであって、セグメント内基準シンボルはRi=Miを満たす、ステップと、
N個のセグメントの中の１≦i≦Nを満たすセグメント内基準シンボルについて、該セグメント内基準シンボルの位相をθiRi=φiRi−φ(i−１)(Ri−１)に従い調整するステップであって、Nはセグメントの数を表し、iはセグメントのシーケンス番号を表し、Riはi番目のセグメントの中のセグメント内基準シンボルのシーケンス番号を表し、φiRiはi番目のセグメントの中の基準シンボルの位相を表し、θiRiはφiRiが調整される位相を表す、ステップと、
N個のセグメントの中の１≦i≦N且つ１≦j<Mi−１を満たすシンボルについて、該シンボルの位相をθij=φij−φi(j+１)に従い調整するステップであって、Miはi番目のセグメントの中のシンボルの数を表し、M１+M２+・・・MN=M、MはN個のセグメントの中のシンボルの総数を表し、jはシンボルのシーケンス番号を表し、φijはi番目のセグメントの中のj番目のシンボルのコンステレーション位相を表し、θijはφijが調整される位相を表し、i、j、Ri、及びMiは全て整数であり、Mi≧３である、ステップと、
N個のセグメントの中の１≦i≦N且つj=Mi−１を満たすシンボルについて、該シンボルの位相をθi(Ri−１)=φi(Ri−１)−θiRiに従い調整するステップと、
N個のセグメントの中の１≦i≦N且つj=Miを満たすシンボルについて、該シンボルの位相をθij=φijに従い調整するステップと、を含む。
【０２２０】
本願の可能な実装では、プロセッサ１２０１が各セグメント内のシンボルの位相を、プリセット位相逆調整ルールに従い調整するステップを実行することは、
N個のセグメントの各々の中のセグメント内基準シンボルを決定するステップであって、セグメント内基準シンボルはRi=１を満たす、ステップと、
N個のセグメントの中の１≦i≦Nを満たすセグメント内基準シンボルについて、該セグメント内基準シンボルの位相をθiRi=φiRi−φ(i−１)(Ri−１)に従い調整するステップであって、Nはセグメントの数を表し、iはセグメントのシーケンス番号を表し、Riはi番目のセグメントの中のセグメント内基準シンボルのシーケンス番号を表し、φiRiはi番目のセグメントの中の基準シンボルの位相を表し、θiRiはφiRiが調整される位相を表す、ステップと、
N個のセグメントの中の２<j≦Miを満たすシンボルについて、該シンボルのコンステレーション位相をθij=φij−φi(j−１)に従い調整し、Miはi番目のセグメントの中のシンボルの数を表し、M１+M２+・・・MN=M、MはN個のセグメントの中のシンボルの総数を表し、jはシンボルのシーケンス番号を表し、φijはi番目のセグメントの中のj番目のシンボルのコンステレーション位相を表し、θijはφijが調整される位相を表し、i、j、Ri、及びMiは全て整数であり、Mi≧３であり、
N個のセグメントの中の１≦i≦N且つj=２を満たすシンボルについて、該シンボルの位相をθi(Ri+１)=φi(Ri+１)−θiRiに従い調整するステップと、
N個のセグメントの中の１≦i≦N且つj=１を満たすシンボルについて、該シンボルの位相をθij=φijに従い調整するステップと、を含む。
【０２２１】
本願の可能な実装では、プロセッサ１２０１が各セグメント内のシンボルの位相を、プリセット位相逆調整ルールに従い調整するステップを実行することは、
N個のセグメントの中の各シンボルの中のセグメント内基準シンボルを決定するステップであって、セグメント内基準シンボルは２≦Ri≦Mi−１を満たす、ステップと、
N個のセグメントの中の１≦i≦Nを満たすセグメント内基準シンボルについて、該セグメント内基準シンボルの位相をθiRi=φiRi−φ(i−１)(Ri−１)に従い調整するステップであって、Nはセグメントの数を表し、iはセグメントのシーケンス番号を表し、Riはi番目のセグメントの中のセグメント内基準シンボルのシーケンス番号を表し、φiRiはi番目のセグメントの中の基準シンボルのコンステレーション位相を表し、θiRiはφiRiが調整されるセグメント内基準シンボルの位相を表す、ステップと、
N個のセグメントの中の１≦i≦N、１≦j≦Mi、且つj≠Riを満たすシンボルについて、該シンボルの位相をθij=φij−θiRiに従い調整するステップであって、Miはi番目のセグメントの中のシンボルの数を表し、M１+M２+・・・MN=M、MはN個のセグメントの中のシンボルの総数を表し、jはシンボルのシーケンス番号を表し、φijはi番目のセグメントの中のj番目のシンボルのコンステレーション位相を表し、θijはφijが調整される位相を表し、i、j、Ri、及びMiは全て整数であり、Mi≧３である、ステップと、
N個のセグメントの中の１≦i≦N且つj=Riを満たすシンボルについて、該シンボルの位相をθij=φijに従い調整するステップと、を含む。
【０２２２】
本願の可能な実装では、プロセッサ１２０１が各セグメント内のシンボルの位相を、プリセット位相逆調整ルールに従い調整するステップを実行することは、
N個のセグメントの中の各シンボルの中のセグメント内基準シンボルを決定するステップであって、セグメント内基準シンボルはRi=Miを満たす、ステップと、
N個のセグメントの中の１≦i≦Nを満たすセグメント内基準シンボルについて、該セグメント内基準シンボルの位相をθiRi=φiRi−φ(i−１)(Ri−１)に従い調整するステップであって、Nはセグメントの数を表し、iはセグメントのシーケンス番号を表し、Riはi番目のセグメントの中のセグメント内基準シンボルのシーケンス番号を表し、φiRiはi番目のセグメントの中の基準シンボルのコンステレーション位相を表し、θiRiはφiRiが調整されるセグメント内基準シンボルの位相を表す、ステップと、
N個のセグメントの中の１≦i≦N且つ１≦j<Miを満たすシンボルについて、該シンボルの位相をθij=φij−θiRiに従い調整するステップであって、Miはi番目のセグメントの中のシンボルの数を表し、M１+M２+・・・MN=M、MはN個のセグメントの中のシンボルの総数を表し、jはシンボルのシーケンス番号を表し、φijはi番目のセグメントの中のj番目のシンボルのコンステレーション位相を表し、θijはφijが調整される位相を表し、i、j、Ri、及びMiは全て整数であり、Mi≧２である、ステップと、
N個のセグメントの中の１≦i≦N且つj=Miを満たすシンボルについて、該シンボルの位相をθij=φijに従い調整するステップと、を含む。
【０２２３】
本願の可能な実装では、プロセッサ１２０１が各セグメント内のシンボルの位相を、プリセット位相逆調整ルールに従い調整するステップを実行することは、
N個のセグメントの中の各シンボルの中のセグメント内基準シンボルを決定するステップであって、セグメント内基準シンボルはRi=１を満たす、ステップと、
N個のセグメントの中の１≦i≦Nを満たすセグメント内基準シンボルについて、該セグメント内基準シンボルの位相をθiRi=φiRi−φ(i−１)(Ri−１)に従い調整するステップであって、Nはセグメントの数を表し、iはセグメントのシーケンス番号を表し、Riはi番目のセグメントの中のセグメント内基準シンボルのシーケンス番号を表し、φiRiはi番目のセグメントの中の基準シンボルのコンステレーション位相を表し、θiRiはφiRiが調整されるセグメント内基準シンボルの位相を表す、ステップと、
N個のセグメントの中の１≦i≦N且つ１<j≦Miを満たすシンボルについて、該シンボルの位相をθij=φij−θiRiに従い調整するステップであって、Miはi番目のセグメントの中のシンボルの数を表し、M１+M２+・・・MN=M、MはN個のセグメントの中のシンボルの総数を表し、jはシンボルのシーケンス番号を表し、φijはi番目のセグメントの中のj番目のシンボルのコンステレーション位相を表し、θijはφijが調整される位相を表し、i、j、Ri、及びMiは全て整数であり、Mi≧２である、ステップと、
N個のセグメントの中の１≦i≦N且つj=１を満たすシンボルについて、該シンボルの位相をθij=φijに従い調整するステップと、を含む。
【０２２４】
纏めると、本発明の実施形態によると、受信装置の信号の位相ノイズ抑制能力が向上される必要のあるとき、受信装置は受信したシンボルをセグメントに分割する。シンボルの位相は、セグメントに対して同時に調整される。それにより、受信装置の復調効率を向上し、処理時間を削減する。
【０２２５】
当業者は、前述の方法の実施形態の処理の全部又は一部が関連するハードウェアに指示するコンピュータプログラムにより実装されて良いことを理解し得る。プログラムは、コンピュータ可読記憶媒体に格納されて良い。プログラムが実行すると、実施形態の方法の処理が実行される。前述の記憶媒体は、ROM、RAM、磁気ディスク又は光ディスクのようなプログラムコードを格納可能な任意の媒体を含む。
【０２２６】
上述の実施形態は、本発明の単なる例示的な実施形態であり、本発明の保護範囲はこれにより限定され得ない。当業者は、前述の実施形態を実装する処理の全部又は一部及び本発明の請求項に従い生成される均等な変形が本発明の範囲内に含まれることを理解し得る。
【図１】
2019537853.tif 000003
【図２】
2019537853.tif 000004
【図３Ａ】
2019537853.tif 000005
【図３Ｂ】
2019537853.tif 000006
【図３Ｃ】
2019537853.tif 000007
【図４Ａ】
2019537853.tif 000008
【図４Ｂ】
2019537853.tif 000009
【図４Ｃ】
2019537853.tif 000010
【図５Ａ】
2019537853.tif 000011
【図５Ｂ】
2019537853.tif 000012
【図５Ｃ】
2019537853.tif 000013
【図６Ａ】
2019537853.tif 000014
【図６Ｂ】
2019537853.tif 000015
【図６Ｃ】
2019537853.tif 000016
【図７】
2019537853.tif 000017
【図８】
2019537853.tif 000018
【図９】
2019537853.tif 000019
【図１０】
2019537853.tif 000020
【図１１】
2019537853.tif 000021
【図１２】
2019537853.tif 000022
【手続補正書】
【提出日】平成31年4月16日(2019.4.16)
【手続補正１】
【補正対象書類名】明細書
【補正対象項目名】全文
【補正方法】変更
【補正の内容】
【発明の詳細な説明】
【技術分野】
【０００１】
本発明は、通信分野に関し、特に変調方法、復調方法、関連装置、及びシステムに関する。
【背景技術】
【０００２】
非線形チャネルのために使用される必要のある変調方法は、比較的小さな包絡線変動を有する。スペクトル帯域幅利用を向上するために、信号送信は、一般的に、振幅及び位相を組み合わせるより高次の変調方法を使用する。キャリアの周波数及び変調次数が比較的高いとき、位相ノイズは比較的大きな影響を変調方法に与える。
【０００３】
例えば、IEEE（Institute  of  Electrical  and  Electronics  Engineers、電気電子技術者協会、略称：IEEE）８０２．１１ad通信プロトコルでは、キャリアの動作帯域は６０GHz（ギガヘルツ）である。SC  PHY（single  carrier  physics、シングルキャリア物理レイヤ、略称：SC  PHY）及びOFDM  PHY（Orthogonal  Frequency  Division  Multiplexing  Physical  Layer、直交周波数分割多重物理レイヤ、略称：OFDM  PHY）は、IEEE８０２．１１ad通信プロトコルで定められる。比較的高いPAPR（Peak  to  Average  Power  Ratio、ピーク対平均電力比、略称：PAPR）により、OFDM  PHYは電力増幅器に対して高い要件を有し、工業化されていない。電力増幅器に対する要件を低減するために、SC  PHYは、最大１６QAM（Quadrature  Amplitude  Modulation、直交振幅変調、略称：QAM）の変調方法しかサポートしない。変調次数が増大される場合、位相ノイズは大きな干渉を引き起こすことがあり、復号後に、ビット誤り率がデータ送信要件に適合しないことがある。
【０００４】
従来技術では、送信処理に導入される位相ノイズを抑制するために、位相調整が、パイロット推定位相ノイズ制御アルゴリズム、例えば線形PNC（Phase  Noise  Cancel、位相ノイズ除去、略称：PNC）アルゴリズムを用いて、データシンボルに対して更に実行されて、変調信号の位相ノイズ抑制能力を拡張する。しかしながら、このような方法では、位相ノイズ抑制能力は限られ、より高次の変調要件を満たすことができない。
【発明の概要】
【０００５】
本発明の実施形態は、変調処理速度を向上するために、変調方法、復調方法、関連装置、及びシステムを開示する。
【０００６】
第１の態様によると、本願は、信号ソースにより、生データを生成するステップであって、前記生データはデジタル信号又はアナログ信号であって良い、ステップと、ビット変換を前記生データに対して実行して、バイナリビットシーケンスを生成するステップと、送信装置により、符号化処理を前記生成したビットシーケンスに対して実行するステップであって、前記符号化処理は限定ではないがソース符号化、チャネル符号化処理、インターリービング符号化、等を含み、符号化シーケンスは前記符号化処理を通じて取得される、ステップと、を含む変調方法を提供する。本願の送信装置は、基地局、移動局、ルータ、ゲートウェイ、又は別のネットワーク装置を含むが、これらに限定されない。送信装置は、符号化シーケンスを変調次数に基づきグループ化してM個のグループを取得する。ここで、各グループ内のビットはシンボル（symbol）であり、各グループ内のビットの数は変調次数に等しい。送信装置は、コンステレーションマッピングを各グループに対してプリセットコンステレーション図により実行する。ここで、コンステレーション図は、ビットグループと振幅との間のマッピング関係、及びビットグループと位相との間のマッピング関係を表す。例えば、コンステレーション図は６４QAMコンステレーション図、１２８APSKコンステレーション図、等であって良い。コンステレーションマッピングを通じて取得されたM個のシンボルのコンステレーション位相及び振幅は、全て知られている。送信装置は、コンステレーションマッピングを通じて取得したM個のシンボルをN個のセグメントに分割する。ここで、Nは１より大きい整数であり、全てのセグメントの中のシンボルの数は同じであって良い。次に、送信装置は、各セグメントに対応するセグメント内基準シンボルを決定する。ここで、各セグメントは１つのセグメント内基準シンボルに対応する。例えば、セグメント内基準シンボルは、セグメントの中の先頭シンボル、最終シンボル、又は中間シンボルである。送信装置は、各セグメント内のシンボルのコンステレーション位相を、前述のコンステレーションマッピングの結果に基づきプリセット位相調整ルールに従い調整する。位相調整ルールは位相ノイズ抑制能力を拡張するために使用される。位相調整は、N個のセグメントに対して同時に実行される。例えば、４個のセグメントが存在する場合、送信装置は、４個のスレッドを同時に開始して、位相調整を４個のセグメントに対して同時に実行する。位相調整を完了した後に、送信装置は、M個のシンボルを高周波数キャリアにロードし、M個のシンボルを受信装置へ送信して良い。前述の実施形態によると、送信装置の信号の位相ノイズ抑制能力が向上される必要のあるとき、送信装置はコンステレーションマッピングを通じて取得されたシンボルをセグメントに分割する。シンボルの位相は、セグメントに対して同時に調整される。それにより、送信装置の変調効率を向上し、処理時間を削減する。
【０００７】
可能な実装では、送信装置はN個のセグメントの各々の中のセグメント内基準シンボルを決定する。セグメント内基準シンボルはセグメント内の任意の位置にあるシンボルであって良い。例えば、セグメント内の先頭シンボルがセグメント内基準シンボルとして使用され、セグメント内の中間シンボルがセグメント内基準シンボルとして使用され、又はセグメント内の最終シンボルがセグメント内基準シンボルとして使用される。N個のセグメントのいずれか１つについて、送信装置は、セグメント内のシンボルのコンステレーション位相をプリセット位相調整ルールに従い調整する必要がある。調整方法は、セグメント内のセグメント内基準シンボルのコンステレーション位相を不変に保つステップと、セグメント内のシンボルを２つの部分：セグメント内基準シンボルの前のシンボル及びセグメント内基準シンボルの後のシンボルに分割するステップと、セグメント内基準シンボルの前のシンボルについて、該シンボルからセグメント内基準シンボルまで全てのシンボルのコンステレーション位相を加算して該シンボルの新しい位相を取得するステップと、セグメント内基準シンボルの後のシンボルついて、該シンボルからセグメント内基準シンボルまで全てのシンボルのコンステレーション位相を加算して該シンボルの新しい位相を取得するステップと、である。例えば、セグメントは５個のシンボル：Ｓ１、Ｓ２、Ｓ３、Ｓ４、及びＳ５を有し、送信装置によりコンステレーションマッピングを通じて取得された該５個のシンボルのコンステレーション位相は、θ１、θ２、θ３、θ４、及びθ５である。送信装置が、シンボルＳ３はセグメント内基準シンボルであると決定すると仮定すると、シンボルＳ３のコンステレーション位相は不変のままである。シンボルＳ３の後のシンボルＳ４及びシンボルＳ５について、送信装置は、シンボルＳ４のコンステレーション位相を新しい位相φ４＝θ４＋θ３に調整し、送信装置は、シンボルＳ５のコンステレーション位相を新しい位相φ５＝θ５＋θ４＋θ３に調整する。シンボルＳ３の前のシンボルＳ２及びシンボルＳ１について、送信装置は、シンボルＳ２のコンステレーション位相を新しい位相φ２＝θ２＋θ３に調整し、送信装置は、シンボルＳ１のコンステレーション位相を新しい位相φ１＝θ１＋θ２＋θ３に調整する。留意すべきことに、送信装置は、位相調整をセグメント内基準シンボルの前のシンボル及びセグメント内基準シンボルの後のシンボルに対して同時に実行して良い。セグメント内基準シンボルがセグメント内の先頭シンボルであるとき、送信装置は、先頭シンボルの後のシンボルの位相を調整する必要があるだけであり、或いは、セグメント内基準シンボルがセグメント内の最終シンボルであるとき、送信装置は、最終シンボルの前のシンボルの位相を調整する必要があるだけであることが理解され得る。前述の位相調整ルールは、２つの特別な場合にも適用可能である。前述の実施形態によると、セグメントの数が比較的多いとき、変調信号の位相ノイズ抑制性能に与える影響は小さい。
【０００８】
本願の可能な実装では、送信装置はN個のセグメントの各々の中のセグメント内基準シンボルを決定する。セグメント内基準シンボルはセグメント内の任意の位置に配置されて良い。例えば、セグメント内基準シンボルは、セグメントの中の先頭シンボル、中間シンボル、又は最終シンボルである。N個のセグメントのいずれか１つについて、送信装置は、セグメント内のシンボルのコンステレーション位相をプリセット位相調整ルールに従い調整する必要がある。調整方法は、セグメント内のセグメント内基準シンボルのコンステレーション位相を不変に保つステップと、セグメント内基準シンボルと異なるシンボルについて、該シンボルのコンステレーション位相及びセグメント内基準シンボルのコンステレーション位相を加算して、該シンボルの新しい位相を取得するステップと、である。例えば、セグメントは５個のシンボル：Ｓ１、Ｓ２、Ｓ３、Ｓ４、及びＳ５を含み、送信装置によりコンステレーションマッピングを通じて取得された該５個のシンボルのコンステレーション位相は、それぞれθ１、θ２、θ３、θ４、及びθ５である。送信装置は、Ｓ３がセグメント内基準シンボルであると決定すると仮定すると、セグメント内基準シンボルＳ３と異なる他のシンボルＳ１、Ｓ２、Ｓ４、及びＳ５について、送信装置は、シンボルＳ１のコンステレーション位相を新しい位相φ１＝θ１＋θ３に調整し、送信装置は、シンボルＳ２のコンステレーション位相を新しい位相φ２＝θ２＋θ３に調整し、送信装置は、シンボルＳ４のコンステレーション位相を新しい位相φ４＝θ４＋θ３に調整し、送信装置は、シンボルＳ５のコンステレーション位相を新しい位相φ５＝θ５＋θ３に調整する。留意すべきことに、送信装置は、セグメント内のセグメント内基準シンボルと異なるシンボルの位相を、シンボルを粒度として用いて同時に調整して良い。前述の実施形態によると、送信装置は、セグメント内のシンボルのコンステレーション位相を、セグメントを粒度として用いて同時に調整し、各セグメント内のシンボルのコンステレーション位相を、シンボルを粒度として用いて調整して、処理速度及び処理効率を更に向上する。
【０００９】
本願の可能な実装では、送信装置が、各セグメント内のシンボルのコンステレーション位相を、プリセット位相調整ルールに従い調整することは、以下を含む：送信装置はN個のセグメントの各々の中のセグメント内基準シンボルを決定する。セグメント内基準シンボルは、セグメントの中の先頭シンボル、中間シンボル、又は最終シンボルであって良い。送信装置は先ず、N個のセグメントの各々の中のセグメント内基準シンボルの位相を調整する必要がある。セグメント内基準シンボルの位相を調整する方法は、第１セグメント内基準シンボルのコンステレーション位相を不変に保つステップと、第１セグメント内基準シンボルの後の別のセグメント内基準シンボルについて、送信装置により、該別のセグメント内基準シンボルのコンステレーション位相及び該別のセグメント内基準シンボルの前のセグメント内基準シンボルのコンステレーション位相を加算し、和を新しい位相として使用するステップと、である。セグメント内基準シンボルに対する位相調整の後に、送信装置は、各セグメント内にあり且つセグメント内基準シンボルと異なる別のシンボルのコンステレーション位相を調整する。N個のセグメントのうちの任意の１つを一例として用いると、セグメント内にあり且つセグメント内基準シンボルと異なる他のシンボルの位相を調整する方法は、セグメント内のシンボルを２つの部分：セグメント内基準シンボルの後のシンボルを含む第１部分、及びセグメント内基準シンボルの前のシンボルを含む第２部分に分割するステップであって、セグメント内基準シンボルがセグメント内の先頭シンボル又は最終シンボルである特別な場合があり、これはセグメント内基準シンボルの前のシンボルの数が０であり、又はセグメント内基準シンボルの後のシンボルの数が０であることと等しい、ステップと、第１部分の中のシンボルについて、送信装置により、該シンボルからセグメント内基準シンボルまで全てのシンボルのコンステレーション位相を加算して該シンボルの新しい位相を取得するステップと、第２部分の中のシンボルについて、送信装置により、該シンボルからセグメント内基準シンボルまで全てのシンボルのコンステレーション位相を加算して該シンボルの新しい位相を取得するステップと、である。例えば、送信装置は１６個のシンボルを４個のセグメントに分割する。ここで、各セグメントは４個のシンボルを含み、セグメント１はＳ１１、Ｓ１２、Ｓ１３、及びＳ１４を含み、シンボルのコンステレーション位相はそれぞれθ１１、θ１２、θ１３、及びθ１４であり、セグメント２はＳ２１、Ｓ２２、Ｓ２３、及びＳ２４を含み、シンボルのコンステレーション位相はそれぞれθ２１、θ２２、θ２３、及びθ２４であり、セグメント３はＳ３１、Ｓ３２、Ｓ３３、及びＳ３４を含み、シンボルのコンステレーション位相はそれぞれθ３１、θ３２、θ３３、及びθ３４であり、セグメント４はＳ４１、Ｓ４２、Ｓ４３、及びＳ４４を含み、シンボルのコンステレーション位相はそれぞれθ４１、θ４２、θ４３、及びθ４４である。送信装置は、４個のセグメントの各々の中のセグメント内基準シンボルが第２シンボルであると決定する。具体的に言うと、セグメント１内のセグメント内基準シンボルはＳ１���であり、セグメント２内のセグメント内基準シンボルはＳ２２であり、セグメント３内のセグメント内基準シンボルはＳ３２であり、セグメント４内のセグメント内基準シンボルはＳ４２である。送信装置は、先ず、４個のセグメント内基準シンボルのコンステレーション位相を調整する。ここで、第１セグメント内基準シンボルＳ１２のコンステレーション位相θ１２は不変のままであり、つまりφ１２＝θ１２である。位相調整後の第２セグメント内基準シンボルＳ２２の新しい位相はφ２２＝θ２２+θ１２である。位相調整後の第３セグメント内基準シンボルＳ３２の新しい位相はφ３２＝θ３２+θ２２+θ１２である。位相調整後の第４セグメント内基準シンボルＳ４２の新しい位相はφ４２＝θ４２+θ３２+θ２２+θ１２である。次に、送信装置は、他のシンボルの位相を、セグメント内基準シンボルの新しい位相に基づき調整する。ここで、セグメント１はφ１１＝θ１１+φ１２、φ１３＝θ１３+φ１２、φ１４＝θ１４+θ１３+φ１２に従い調整される。セグメント２はφ２１＝θ２１+φ２２、φ２３＝θ２３+φ２２、φ２４＝θ２４+θ２３+φ２２に従い調整される。セグメント３はφ３１＝θ３１+φ３２、φ３３＝θ３３+φ３２、φ３４＝θ３４+θ３３+φ３２に従い調整される。セグメント４はφ４１＝θ４１+φ４２、φ４３＝θ４３+φ４２、φ４４＝θ４４+θ４３+φ４２に従い調整される。位相調整は、セグメント１、セグメント２、セグメント３、及びセグメント４に対して同時に実行されて良い。前述の実施形態によると、セグメント内基準シンボルの位相は加算され、位相調整はセグメントに対して同時に実行される。変調信号に対する位相ノイズ抑制能力が更に向上され、同時に効率が考慮される。
【００１０】
本願の可能な実装では、送信装置が、各セグメント内のシンボルのコンステレーション位相を、プリセット位相調整ルールに従い調整することは、N個のセグメントの各々の中のセグメント内基準シンボルを決定することを含む。ここで、セグメント内基準シンボルはセグメント内の任意の位置にあるシンボル、例えばセグメント内の先頭シンボル、中間シンボル、又は最終シンボルであって良く、全てのセグメント内のセグメント内基準シンボルの位置は同じ又は異なって良い。本願においていかなる限定も課されない。送信装置は先ず、N個のセグメントの各々の中のセグメント内基準シンボルのコンステレーション位相を調整する必要がある。調整方法は、第１セグメント内基準シンボルのコンステレーション位相を不変に保つステップと、第１セグメント内基準シンボルと異なる別のセグメント内基準シンボルについて、セグメント内基準シンボルから第１セグメント内基準シンボルまで全てのセグメント内基準シンボルのコンステレーション位相を加算して、セグメント内基準シンボルの新しい位相を取得するステップと、である。セグメント内基準シンボルのコンステレーション位相を調整した後に、送信装置は、調整した新しい位相に基づき、セグメント内にあり且つセグメント内基準シンボルと異なる別のシンボルのコンステレーション位相を調整する。任意のセグメントを説明のための一例として用いると、調整方法は、シンボルについて、シンボルのコンステレーション位相及びセグメント内基準シンボルの位相を加算して、シンボルの新しい位相を取得するステップであって、位相調整はセグメントに対して同時に実行され、位相調整もセグメント内のシンボルに対して同時に実行される、ステップであって良い。例えば、送信装置は、１２個のシンボルを３個のセグメントに分割する。ここで、各セグメントは４個のシンボルを含み、セグメント１はＳ１１、Ｓ１２、Ｓ１３、及びＳ１４を含み、シンボルのコンステレーション位相はそれぞれθ１１、θ１２、θ１３、及びθ１４であり、セグメント２はＳ２１、Ｓ２２、Ｓ２３、及びＳ２４を含み、シンボルのコンステレーション位相はそれぞれθ２１、θ２２、θ２３、及びθ２４であり、セグメント３はシンボルＳ３１、Ｓ３２、Ｓ３３、及びＳ３４を含む。送信装置は、セグメント１内のセグメント内基準シンボルがS１１であり、セグメント２内のセグメント内基準シンボルがＳ２２であり、セグメント３内のセグメント内基準シンボルがＳ３３であることを決定する。送信装置は、先ず、セグメント内基準シンボルのコンステレーション位相を調整する。調整方法は、第１セグメント内基準シンボルのコンステレーション位相を不変に、つまりφ１１＝θ１１を保つステップと、送信装置により、位相調整を第２セグメント内基準シンボルＳ２２に対して実行して、新しい位相φ２２=θ２２+θ１１を取得するステップと、送信装置により、位相調整を第３セグメント内基準シンボルＳ３３に対して実行して、新しい位相φ３３=θ３３+θ２２+θ１１を取得するステップと、である。セグメント内基準シンボルの新しい位相に基づき、送信装置は、次に、位相調整をセグメント内の他のシンボルに対して実行する。ここで、セグメント１はφ１２=θ１２+φ１１、��１３=θ１３+φ１１、φ１４=θ１４+φ１１に従い調整され、セグメント２はφ２１=θ２１+φ２２、φ２３=θ２３+φ２２、φ２４=θ２４+φ２２に従い調整され、セグメント３はφ３２=θ３２+φ３３、φ３１=θ３１+φ３３に従い調整される。前述の実施形態によると、送信装置は、位相調整をセグメント内基準シンボルに対して実行して、調整信号の位相ノイズ抑制能力を更に向上する。さらに、位相調整は、セグメントに対して同時に実行可能であり、位相調整は、セグメント内のシンボルに対しても同時に実行可能である。位相ノイズ抑制能力及び変調速度の両方が考慮される。
【００１１】
本願の可能な実装では、N個のセグメントの各々の中のセグメント内基準シンボルは先頭シンボルである。言い換えると、セグメント内のセグメント内基準シンボルのシンボルシーケンス番号は１である。
【００１２】
本願の可能な実装では、セグメント内基準シンボルはパイロットシンボルである。したがって、位相ノイズ抑制性能に与える影響は軽減され得る。
【００１３】
可能な実装では、各セグメント内のシンボルのコンステレーション位相を、プリセット位相調整ルールに従い調整するステップは、
N個のセグメントの各々の中のセグメント内基準シンボルを決定するステップであって、セグメント内基準シンボルはRi=Miを満たす、ステップと、
N個のセグメントの中の１≦i≦N且つ１≦j<Miを満たすシンボルについて、該シンボルのコンステレーション位相をφij=θij+θi(j+１)+・・・θi(Ri+１)+θiRiに従い調整するステップであって、iはセグメントのシーケンス番号を表し、jはN個のセグメントの各々の中のシンボルのシーケンス番号を表し、Miはi番目のセグメントの中のシンボルの数を表し、つまりM１+M２+・・・MN=Mが満たされ、Riはi番目のセグメントの中のセグメント内基準シンボルのシーケンス番号を表し、θijはi番目のセグメントの中のj番目のシンボルのコンステレーション位相を表し、φijはθijが調整される位相を表し、i、j、Ri、及びMiは全て整数であり、Mi≧２である、ステップと、
N個のセグメントの中の１≦i≦N且つj=Miを満たすシンボルについて、該シンボルのコンステレーション位相をφij=θijに従い調整するステップと、を含む。
【００１４】
本願の可能な実装では、各セグメント内のシンボルのコンステレーション位相を、プリセット位相調整ルールに従い調整するステップは、
N個のセグメントの各々の中のセグメント内基準シンボルを決定するステップであって、セグメント内基準シンボルはRi=Miを満たす、ステップと、
N個のセグメントの中の１≦i≦N且つ１≦j<Miを満たすシンボルについて、該シンボルのコンステレーション位相をφij=θij+θiRiに従い調整するステップであって、Nはセグメントの数を表し、iはセグメントのシーケンス番号を表し、Miはi番目のセグメントの中のシンボルの数を表し、M１+M２+・・・MN=M、MはN個のセグメントの中のシンボルの総数を表し、Riはi番目のセグメントの中のセグメント内基準シンボルのシーケンス番号を表し、jはN個のセグメントの中のシンボルのシーケンス番号を表し、θijはi番目のセグメントの中のj番目のシンボルのコンステレーション位相を表し、φijはθijが調整される位相を表し、i、j、Ri、及びMiは全て整数であり、Mi≧２である、ステップと、
N個のセグメントの中の１≦i≦N且つj=Riを満たすシンボルについて、該シンボルのコンステレーション位相をφij=θijに従い調整するステップと、を含む。
【００１５】
本願の可能な実装では、各セグメント内のシンボルのコンステレーション位相を、プリセット位相調整ルールに従い調整するステップは、
N個のセグメントの各々の中のセグメント内基準シンボルを決定するステップであって、セグメント内基準シンボルはRi=Miを満たす、ステップと、
N個のセグメントの中の１≦i≦Nを満たすセグメント内基準シンボルについて、該セグメント内基準シンボルのコンステレーション位相をφiRi=θiRi+θ(i−１)(Ri−１)+・・・θ２R２+θ１R１に従い調整するステップであって、Nはセグメントの数を表し、iはセグメントのシーケンス番号を表し、Riはi番目のセグメントの中のセグメント内基準シンボルのシーケンス番号を表し、θiRiはi番目のセグメントの中の基準シンボルのコンステレーション位相を表し、φiRiはθiRiが調整されるセグメント内基準シンボルの位相を表す、ステップと、
N個のセグメントの中の１≦i≦N且つ１≦j<Miを満たすシンボルについて、該シンボルのコンステレーション位相を式φij=θij+θi(j+１)+・・・+φiRiに従い調整するステップであって、Miはi番目のセグメントの中のシンボルの数を表し、M１+M２+・・・MN=M、MはN個のセグメントの中のシンボルの総数を表し、jはN個のセグメントの中のシンボルのシーケンス番号を表し、θijはi番目のセグメントの中のj番目のシンボルのコンステレーション位相を表し、φijはθijがプリセット位相調整ルールに従い調整される位相を表し、i、j、Ri、及びMiは全て整数であり、Mi≧２である、ステップと、
N個のセグメントの中の１≦i≦N且つj=Riを満たすシンボルについて、該シンボルの位相をφij=θijに従い調整するステップと、を含む。
【００１６】
本願の可能な実装では、各セグメント内のシンボルのコンステレーション位相を、プリセット位相調整ルールに従い調整するステップは、
N個のセグメントの中の各シンボルの中のセグメント内基準シンボルを決定するステップであって、セグメント内基準シンボルはRi=Miを満たす、ステップと、
N個のセグメントの中の１≦i≦Nを満たすセグメント内基準シンボルについて、該セグメント内基準シンボルのコンステレーション位相をφiRi=θiRi+θ(i−１)(Ri−１)+・・・θ２R２+θ１R１に従い調整するステップであって、Nはセグメントの数を表し、iはセグメントのシーケンス番号を表し、Riはi番目のセグメントの中のセグメント内基準シンボルのシーケンス番号を表し、θiRiはi番目のセグメントの中の基準シンボルのコンステレーション位相を表し、φiRiはθiRiが調整されるセグメント内基準シンボルの位相を表す、ステップと、
N個のセグメントの中の１≦i≦N且つ１≦j<Miを満たすシンボルについて、該シンボルのコンステレーション位相をφij=θij+φiRiに従い調整するステップであって、Miはi番目のセグメントの中のシンボルの数を表し、M１+M２+・・・MN=M、MはN個のセグメントの中のシンボルの総数を表し、jはシンボルのシーケンス番号を表し、θijはi番目のセグメントの中のj番目のシンボルのコンステレーション位相を表し、φijはθijがプリセット位相調整ルールに従い調整される位相を表し、i、j、Ri、及びMiは全て整数であり、Mi≧２である、ステップと、
N個のセグメントの中の１≦i≦N且つj=Miを満たすシンボルについて、該シンボルの位相をφij=θijに従い調整するステップと、を含む。
【００１７】
第２の態様によると、本願は、受信装置により、送信装置により送信された変調信号を受信するステップであって、前記変調信号のチャネル上の送信処理において、ノイズ干渉がシンボルの位相により引き起こされることがある、ステップと、前記受信装置により、前記変調信号をパースして、M個のシンボルの位相を取得するステップであって、前記受信装置は前記M個のシンボルをN個のセグメントに所定ルールに従い分割して良く、前記所定ルールは前記送信装置のものと同じである、ステップと、前記受信装置により、位相差分を各セグメント内のシンボルの位相に対してプリセット位相逆調整ルールに従い実行するステップであって、位相差分は前記N個のセグメントに対して同時に実行される、ステップと、前記受信装置により、コンステレーション逆マッピングを位相差分を通じて取得した前記M個のシンボルに対して実行して、符号化シーケンスを取得するステップであって、各シンボルに対応するビットの数はコンステレーション図次数に等しい、ステップと、前記受信装置により、復号処理を前記符号化シーケンスに対して実行して、生データを取得するステップと、を含む復調方法を提供する。前述の実施形態によると、セグメントを同時に処理する方法で処理遅延が低減され、位相差分方法を用いて位相ノイズの影響が抑制される。
【００１８】
可能な実装では、受信装置により、位相差分を各セグメント内のシンボルの位相に対してプリセット位相逆調整ルールに従い実行するステップは、N個のセグメントの各々の中のセグメント内基準シンボルを決定するステップであって、セグメント内基準シンボルの位置は、送信装置及び受信装置の予め合意したルールに従い定められて良く、セグメント内基準シンボルはセグメント内の先頭シンボル、中間シンボル、又は最終シンボルであって良い、ステップを含む。N個のセグメントのいずれか１つについて、位相調整をセグメント内のシンボルに対して実行する方法は、セグメント内基準シンボルの位相を不変に保つステップと、セグメント内基準シンボルの後のシンボルについて、受信装置により、シンボルの位相を前の隣接シンボルの位相から減算して、シンボルの新しい位相を取得するステップと、セグメント内基準シンボルの前のシンボルについて、受信装置により、シンボルの位相を後の隣接シンボルの位相から減算して、シンボルの新しい位相を取得するステップと、である。例えば、第１分割セグメントは４個のシンボル：Ｓ１１、Ｓ１２、Ｓ１３、及びＳ１４を含み、シンボルの位相はそれぞれφ１１、φ１２、φ１３、及びφ１４である。セグメント１内のセグメント内基準シンボルがＳ１２であると仮定すると、Ｓ１２の位相は不変のままである。つまりθ１２=φ１２。送信装置は、位相差分をＳ１１に対して実行して、新しい位相θ１１=φ１１−φ１２を取得し、位相差分をＳ１３の位相に対して実行して新しい位相θ１３=φ１３−φ１２を取得し、位相差分をＳ１４の位相に対して実行して新しい位相θ１４=φ１４−φ１３を取得する。前述の実施形態によると、信号の位相ノイズ抑制能力は、位相差分方法を用いて向上される。さらに、位相調整はセグメントに対して同時に実行される。それにより処理効率を向上する。
【００１９】
本願の可能な実装では、受信装置により、位相差分を各セグメント内のシンボルの位相に対してプリセット位相逆調整ルールに従い実行するステップは、受信装置により、N個のセグメントの各々の中のセグメント内基準シンボルを決定するステップであって、受信装置は、セグメント内基準シンボルを、受信装置及び送信装置の予め合意したルールにより決定して良く、セグメント内基準シンボルはセグメント内の先頭シンボル、中間シンボル、又は最終シンボルであって良い、ステップを含む。N個のセグメントのうちのいずれか１つの中のシンボルについて、位相差分方法は、セグメント内のセグメント内基準シンボルの位相を不変に保つステップと、セグメント内基準シンボルと異なる別のシンボルについて、該シンボルの位相及びセグメント内基準シンボルの位相との間の位相差分を、該シンボルの新しい位相として用いるステップと、である。例えば、受信装置により分割された第１セグメントは４個のシンボル：Ｓ１１、Ｓ１２、Ｓ１３、及びＳ１４を含み、シンボルの位相はそれぞれφ１１、φ１２、φ１３、及びφ１４である。セグメント内のセグメント内基準シンボルがＳ１２であると仮定すると、Ｓ１２の位相は不変のままである。つまりθ１２=φ１２。受信装置は、位相差分をＳ１１の位相に対して実行して、新しい位相θ１１=φ１１−φ１２を取得し、位相差分をＳ１３の位相に対して実行して新しい位相θ１３=φ１３−φ１２を取得し、位相差分をＳ１４の位相に対して実行して新しい位相θ１４=φ１４−φ１２を取得する。前述の実施形態によると、位相調整はセグメントに対して同時に実行され、位相調整はシンボルに対しても実行されて、処理効率を更に向上する。
【００２０】
本願の可能な実装では、受信装置により、位相差分を各セグメント内のシンボルの位相に対してプリセット位相逆調整ルールに従い実行するステップは、受信装置により、N個のセグメントの各々の中のセグメント内基準シンボルを所定ルールに従い決定するステップであって、各セグメント内基準シンボルについて、受信装置は先ず差分をセグメント内基準シンボルの位相に対して実行する、ステップを含んで良い。差分方法は、第１セグメント内基準シンボルの位相を不変に保つステップと、後のセグメント内基準シンボルについて、位相差分を現在のセグメント内基準シンボルの位相及び前のセグメント内基準シンボルの位相に対して実行して、新しい位相を取得するステップ、である。セグメント内基準シンボルに対する前述の位相差分に基づき、受信装置は、次に、位相差分をセグメント内の他のシンボルに対して実行する。N個のセグメントのいずれか１つの中のシンボルに対する位相差分方法は、セグメント内基準シンボルを境界として使用するステップと、セグメント内基準シンボルの後のシンボルについて、位相差分をシンボルの位相及び前の隣接シンボルの位相に対して実行して、シンボルの新しい位相を取得するステップと、セグメント内基準シンボルの前のシンボルについて、位相差分をシンボルの位相及び後の隣接シンボルの位相に対して実行して、シンボルの新しい位相を取得するステップと、である。例えば、受信装置は、１２個のシンボルを４個のグループに分割する。ここで、各グループは４個のシンボルを含み、グループ１はＳ１１、Ｓ１２、Ｓ１３、及びＳ１４を含み、シンボルの位相はそれぞれφ１１、φ１２、φ１３、及びφ１４であり、グループ２はＳ２１、Ｓ２２、Ｓ２３、及びＳ２４を含み、シンボルの位相はそれぞれφ２１、φ２２、φ２３、及びφ２４であり、グループ３はＳ３１、Ｓ３２、Ｓ３３、及びＳ３４を含み、シンボルの位相はそれぞれφ３１、φ３２、φ３３、及びφ３４であり、グループ４はＳ４１、Ｓ４２、Ｓ４３、及びＳ４４を含み、シンボルの位相はそれぞれφ４１、φ４２、φ４３、及びφ４４である。セグメント内基準シンボルは第２シンボルであると仮定する。具体的に言うと、セグメント１内のセグメント内基準シンボルはＳ１２であり、セグメント２内のセグメント内基準シンボルはＳ２２であり、セグメント３内のセグメント内基準シンボルはＳ３２であり、セグメント４内のセグメント内基準シンボルはＳ４２である。セグメント内基準シンボルの間で受信装置により実行される位相差分は次の通りである。第１セグメント内基準シンボルの新しい位相はθ１２=φ１２であり、第２セグメント内基準シンボルの新しい位相はθ２２=φ２２−φ１２であり、第３セグメント内基準シンボルの新しい位相はθ３２=φ３２−φ２２であり、第４セグメント内基準シンボルの新しい位相はθ４２=φ４２−φ３２である。位相差分を通じて取得されたセグメント内基準シンボルの位相に基づき、受信装置は他のシンボルの位相を以下の通り調整する。セグメント１では、Ｓ１１の新しい位相はθ１１=φ１１−θ１２であり、Ｓ１３の新しい位相はθ１３=φ１３−θ１２であり、Ｓ１４の新しい位相はθ１４=φ１４−φ１３である。セグメント２では、Ｓ２１の新しい位相はθ���１=φ２１−θ２２であり、Ｓ２３の新しい位相はθ２３=φ２３−θ２２であり、Ｓ２４の新しい位相はθ２４=φ２４−φ２３である。セグメント４では、Ｓ４１の新しい位相はθ４１=φ４１−θ４２であり、Ｓ４３の新しい位相はθ４３=φ４３−θ４２であり、Ｓ４４の新しい位相はθ４４=φ４４−φ４３である。位相差分は、各セグメント内のシンボルに対して同時に実行されて良い。前述の実施形態によると、位相差分は、セグメント内基準シンボルに対して実行されて、位相ノイズ抑制能力を更に向上する。
【００２１】
本願の可能な実装では、受信装置により、位相差分を各セグメント内のシンボルの位相に対してプリセット位相逆調整ルールに従い実行するステップは、N個のセグメントの各々の中のセグメント内基準シンボルを決定するステップであって、受信装置により、N個のセグメントの各々の中のセグメント内基準シンボルを所定ルールに従い決定し、セグメント内基準シンボルはセグメント内の先頭シンボル、中間シンボル、又は最終シンボルとして定められて良い、ステップを含む。各セグメント内基準シンボルについて、受信装置は、先ず、差分をセグメント内基準シンボルの位相に対して実行する。差分方法は、第１セグメント内基準シンボルの位相を不変に保つステップと、後のセグメント内基準シンボルについて、位相差分を現在のセグメント内基準シンボルの位相及び前のセグメント内基準シンボルの位相に対して実行して、新しい位相を取得するステップ、である。セグメント内基準シンボルに対する前述の位相差分に基づき、受信装置は、次に、位相差分をセグメント内のセグメント内基準シンボル以外のシンボルに対して実行する。N個のセグメントのうちのいずれか１つの中のシンボルに対する位相差分方法は、差分をシンボルの位相とセグメント内基準シンボルの新しい位相との間で実行して、シンボルの新しい位相を取得するステップである。例えば、受信装置は、１２個のシンボルを４個のグループに分割する。ここで、各グループは４個のシンボルを含み、グループ１はＳ１１、Ｓ１２、Ｓ１３、及びＳ１４を含み、シンボルの位相はそれぞれφ１１、φ１２、φ１３、及びφ１４であり、グループ２はＳ２１、Ｓ２２、Ｓ２３、及びＳ２４を含み、シンボルの位相はそれぞれφ２１、φ２２、φ２３、及びφ２４であり、グループ３はＳ３１、Ｓ３２、Ｓ３３、及びＳ３４を含み、シンボルの位相はそれぞれφ３１、φ３２、φ３３、及びφ３４であり、グループ４はＳ４１、Ｓ４２、Ｓ４３、及びＳ４４を含み、シンボルの位相はそれぞれφ４１、φ４２、φ４３、及びφ４４である。セグメント内基準シンボルは第２シンボルであると仮定する。具体的に言うと、セグメント１内のセグメント内基準シンボルはＳ１２であり、セグメント２内のセグメント内基準シンボルはＳ２２であり、セグメント３内のセグメント内基準シンボルはＳ３２であり、セグメント４内のセグメント内基準シンボルはＳ４２である。セグメント内基準シンボルの間で受信装置により実行される位相差分は次の通りである。第１セグメント内基準シンボルの新しい位相はθ１２=φ１２であり、第２セグメント内基準シンボルの新しい位相はθ２２=φ２２−φ１２であり、第３セグメント内基準シンボルの新しい位相はθ３２=φ３２−φ２２であり、第４セグメント内基準シンボルの新しい位相はθ４２=φ４２−φ３２である。位相差分を通じて取得されたセグメント内基準シンボルの位相に基づき、受信装置は他のシンボルの位相を以下の通り調整する。セグメント１では、Ｓ１１の新しい位相はθ１１=φ１１−θ１２であり、Ｓ１３の新しい位相はθ１３=φ１３−θ１２であり、Ｓ１４の新しい位相はθ１４=φ１４−θ１２である。セグメント２では、Ｓ２１の新しい位相はθ２１=φ２１−θ２２であり、Ｓ２３の新しい位相はθ２３=φ２３−θ２２であり、Ｓ２４の新しい位相はθ２４=φ２４−θ２２である。セグメント４では、Ｓ４１の新しい位相はθ４１=φ４１−θ４２であり、Ｓ４３の新しい位相はθ４３=φ４３−θ４２であり、Ｓ４４の新しい位相はθ４４=φ４４−θ４２である。位相差分は、各セグメント内のシンボルの間で同時に実行されて良い。前述の実施形態によると、処理効率が更に向上され、さらに、位相差分はセグメント内基準シンボルの間で実行されて、ある程度、位相ノイズ抑制能力を更に考慮する。
【００２２】
本願の可能な実装では、N個のセグメントの各々の中のセグメント内基準シンボルは先頭シンボルである。
【００２３】
本願の可能な実装では、セグメント内基準シンボルはパイロットシンボルである。
【００２４】
本願の可能な実装では、プリセットコンステレーション図は、QAM、APSK、又はMASKを含むが、これらに限定されず、変調次数は限定されない。
【００２５】
本願の可能な実装では、各セグメント内のシンボルの位相を、プリセット位相逆調整ルールに従い調整するステップは、
N個のセグメントの各々の中のセグメント内基準シンボルを決定するステップであって、セグメント内基準シンボルは２≦Ri≦Mi−１を満たす、ステップと、
N個のセグメントの中の１≦i≦N且つRi<j≦Miを満たすシンボルについて、該シンボルの位相をθij=φij−φi(j−１)に従い調整するステップであって、Nはセグメントの数を表し、iはセグメントのシーケンス番号を表し、Miはi番目のセグメントの中のシンボルの数を表し、M１+M２+・・・MN=M、MはN個のセグメントの中のシンボルの総数を表し、Riはi番目のセグメントの中のセグメント内基準シンボルのシーケンス番号を表し、jはシンボルのシーケンス番号を表し、φijはi番目のセグメントの中のj番目のシンボルの位相を表し、θijはφijがプリセット位相調整ルールに従い調整される位相を表し、i、j、Ri、及びMiは全て整数であり、Mi≧３である、ステップと、
N個のセグメントの中の１≦i≦N且つ１≦j<Riを満たすシンボルについて、該シンボルの位相をθij=φij−φi(j+１)に従い調整するステップと、
N個のセグメントの中の１≦i≦N且つj=Riを満たすシンボルについて、該シンボルの位相をθij=φijに従い調整するステップと、を含む。
【００２６】
本願の可能な実装では、各セグメント内のシンボルの位相を、プリセット位相逆調整ルールに従い調整するステップは、
N個のセグメントの各々の中のセグメント内基準シンボルを決定するステップであって、セグメント内基準シンボルはRi=Miを満たす、ステップと、
N個のセグメントの中の１≦i≦N且つ１≦j<Miを満たすシンボルについて、該シンボルの位相をθij=φij−φi(j+１)に従い調整するステップであって、Nはセグメントの数を表し、iはセグメントのシーケンス番号を表し、Miはi番目のセグメントの中のシンボルの数を表し、M１+M２+・・・MN=M、MはN個のセグメントの中のシンボルの総数を表し、Riはi番目のセグメントの中のセグメント内基準シンボルのシーケンス番号を表し、jはシンボルのシーケンス番号を表し、φijはi番目のセグメントの中のj番目のシンボルの位相を表し、θijはφijがプリセット位相調整ルールに従い調整される位相を表し、i、j、Ri、及びMiは全て整数であり、Mi≧２である、ステップと、
N個のセグメントの中の１≦i≦N且つj=Miを満たすシンボルについて、該シンボルの位相をθij=φijに従い調整するステップと、を含む。
【００２７】
本願の可能な実装では、各セグメント内のシンボルの位相を、プリセット位相逆調整ルールに従い調整するステップは、
N個のセグメントの各々の中のセグメント内基準シンボルを決定するステップであって、セグメント内基準シンボルはRi=１を満たす、ステップと、
N個のセグメントの中の１≦i≦N且つ１<j≦Miを満たすシンボルについて、該シンボルの位相をθij=φij−φi(j−１)に従い調整するステップであって、Nはセグメントの数を表し、iはセグメントのシーケンス番号を表し、Miはi番目のセグメントの中のシンボルの数を表し、M１+M２+・・・MN=M、MはN個のセグメントの中のシンボルの総数を表し、Riはi番目のセグメントの中のセグメント内基準シンボルのシーケンス番号を表し、jはシンボルのシーケンス番号を表し、φijはi番目のセグメントの中のj番目のシンボルの位相を表し、θijはφijがプリセット位相調整ルールに従い調整される位相を表し、i、j、Ri、及びMiは全て整数であり、Mi≧２である、ステップと、
N個のセグメントの中の１≦i≦N且つj=１を満たすシンボルについて、該シンボルの位相をθij=φijに従い調整するステップと、を含む。
【００２８】
本願の可能な実装では、各セグメント内のシンボルの位相を、プリセット位相逆調整ルールに従い調整するステップは、
N個のセグメントの各々の中のセグメント内基準シンボルを決定するステップであって、セグメント内基準シンボルは２≦Ri≦Mi−１を満たす、ステップと、
N個のセグメントの中の１≦i≦N、１≦j≦Mi、且つj≠Riを満たすシンボルについて、該シンボルの位相をθij=φij−φiRiに従い調整するステップであって、Nはセグメントの数を表し、iはセグメントのシーケンス番号を表し、Miはi番目のセグメントの中のシンボルの数を表し、M１+M２+・・・MN=M、MはN個のセグメントの中のシンボルの総数を表し、Riはi番目のセグメントの中のセグメント内基準シンボルのシーケンス番号を表し、jはシンボルのシーケンス番号を表し、φijはi番目のセグメントの中のj番目のシンボルの位相を表し、θijはφijが調整される位相を表し、i、j、Ri、及びMiは全て整数であり、Mi≧２である、ステップと、
N個のセグメントの中の１≦i≦N且つj=Riを満たすシンボルについて、該シンボルの位相をθij=φijに従い調整するステップと、を含む。
【００２９】
本願の可能な実装では、各セグメント内のシンボルの位相を、プリセット位相逆調整ルールに従い調整するステップは、
N個のセグメントの各々の中のセグメント内基準シンボルを決定するステップであって、セグメント内基準シンボルはRi=Miを満たす、ステップと、
N個のセグメントの中の１≦i≦N且つ１≦j<Miを満たすシンボルについて、該シンボルの位相をθij=φij−φiRiに従い調整するステップであって、Nはセグメントの数を表し、iはセグメントのシーケンス番号を表し、Miはi番目のセグメントの中のシンボルの数を表し、M１+M２+・・・MN=M、MはN個のセグメントの中のシンボルの総数を表し、Riはi番目のセグメントの中のセグメント内基準シンボルのシーケンス番号を表し、jはシンボルのシーケンス番号を表し、φijはi番目のセグメントの中のj番目のシンボルの位相を表し、θijはφijが調整される位相を表し、i、j、Ri、及びMiは全て整数であり、Mi≧２である、ステップと、
N個のセグメントの中の１≦i≦N且つj=Miを満たすシンボルについて、該シンボルの位相をθij=φijに従い調整するステップと、を含む。
【００３０】
本願の可能な実装では、各セグメント内のシンボルの位相を、プリセット位相逆調整ルールに従い調整するステップは、
N個のセグメントの各々の中のセグメント内基準シンボルを決定するステップであって、セグメント内基準シンボルはRi=１を満たす、ステップと、
N個のセグメントの中の１≦i≦N且つ１<j≦Miを満たすシンボルについて、該シンボルの位相をθij=φij−φiRiに従い調整するステップであって、Nはセグメントの数を表し、iはセグメントのシーケンス番号を表し、Miはi番目のセグメントの中のシンボルの数を表し、M１+M２+・・・MN=M、MはN個のセグメントの中のシンボルの総数を表し、Riはi番目のセグメントの中のセグメント内基準シンボルのシーケンス番号を表し、jはシンボルのシーケンス番号を表し、φijはi番目のセグメントの中のj番目のシンボルの位相を表し、θijはφijが調整される位相を表し、i、j、Ri、及びMiは全て整数であり、Mi≧２である、ステップと、
N個のセグメントの中の１≦i≦N且つj=１を満たすシンボルについて、該シンボルの位相をθij=φijに従い調整するステップと、を含む。
【００３１】
本願の可能な実装では、各セグメント内のシンボルの位相を、プリセット位相逆調整ルールに従い調整するステップは、
N個のセグメントの各々の中のセグメント内基準シンボルを決定するステップであって、セグメント内基準シンボルは２≦Ri≦Mi−１を満たす、ステップと、
N個のセグメントの中の１≦i≦Nを満たすセグメント内基準シンボルについて、該セグメント内基準シンボルの位相をθiRi=φiRi−φ(i−１)(Ri−１)に従い調整するステップであって、Nはセグメントの数を表し、iはセグメントのシーケンス番号を表し、Riはi番目のセグメントの中のセグメント内基準シンボルのシーケンス番号を表し、φiRiはi番目のセグメントの中の基準シンボルの位相を表し、θiRiはφiRiが調整される位相を表すステップと、
N個のセグメントの中のRi+１<j≦Miを満たすシンボルについて、該シンボルのコンステレーション位相をθij=φij−φi(j−１)に従い調整するステップであって、Miはi番目のセグメントの中のシンボルの数を表し、M１+M２+・・・MN=M、MはN個のセグメントの中のシンボルの総数を表し、jはシンボルのシーケンス番号を表し、φijはi番目のセグメントの中のj番目のシンボルのコンステレーション位相を表し、θijはφijがプリセット位相調整ルールに従い調整される位相を表し、i、j、Ri、及びMiは全て整数であり、Mi≧３である、ステップと、
N個のセグメントの中の１≦i≦N且つj=Ri+１を満たすシンボルについて、該シンボルの位相をθi(Ri+１)=φi(Ri+１)−θiRiに従い調整するステップと、
N個のセグメントの中の１≦i≦N且つ１≦j<Ri−１を満たすシンボルについて、該シンボルの位相をθij=φij−φi(j+１)に従い調整するステップと、
N個のセグメントの中の１≦i≦N且つj=Ri−１を満たすシンボルについて、該シンボルの位相をθi(Ri−１)=φi(Ri−１)−θiRiに従い調整するステップと、
N個のセグメントの中の１≦i≦N且つj=Riを満たすシンボルについて、該シンボルの位相をθij=φijに従い調整するステップと、を含む。
【００３２】
本願の可能な実装では、各セグメント内のシンボルの位相を、プリセット位相逆調整ルールに従い調整するステップは、
N個のセグメントの中のセグメント内基準シンボルを決定するステップであって、セグメント内基準シンボルはRi=Miを満たす、ステップと、
N個のセグメントの中の１≦i≦Nを満たすセグメント内基準シンボルについて、該セグメント内基準シンボルの位相をθiRi=φiRi−φ(i−１)(Ri−１)に従い調整するステップであって、Nはセグメントの数を表し、iはセグメントのシーケンス番号を表し、Riはi番目のセグメントの中のセグメント内基準シンボルのシーケンス番号を表し、φiRiはi番目のセグメントの中の基準シンボルの位相を表し、θiRiはφiRiが調整される位相を表すステップと、
N個のセグメントの中の１≦i≦N且つ１≦j<Mi−１を満たすシンボルについて、該シンボルの位相をθij=φij−φi(j+１)に従い調整するステップであって、Miはi番目のセグメントの中のシンボルの数を表し、M１+M２+・・・MN=M、MはN個のセグメントの中のシンボルの総数を表し、jはシンボルのシーケンス番号を表し、φijはi番目のセグメントの中のj番目のシンボルのコンステレーション位相を表し、θijはφijがプリセット位相調整ルールに従い調整される位相を表し、i、j、Ri、及びMiは全て整数であり、Mi≧３である、ステップと、
N個のセグメントの中の１≦i≦N且つj=Mi−１を満たすシンボルについて、該シンボルの位相をθi(Ri−１)=φi(Ri−１)−θiRiに従い調整するステップと、
N個のセグメントの中の１≦i≦N且つj=Miを満たすシンボルについて、該シンボルの位相をθij=φijに従い調整するステップと、を含む。
【００３３】
本願の可能な実装では、各セグメント内のシンボルの位相を、プリセット位相逆調整ルールに従い調整するステップは、
N個のセグメントの各々の中のセグメント内基準シンボルを決定するステップであって、セグメント内基準シンボルはRi=１を満たす、ステップと、
N個のセグメントの中の１≦i≦Nを満たすセグメント内基準シンボルについて、該セグメント内基準シンボルの位相をθiRi=φiRi−φ(i−１)(Ri−１)に従い調整するステップであって、Nはセグメントの数を表し、iはセグメントのシーケンス番号を表し、Riはi番目のセグメントの中のセグメント内基準シンボルのシーケンス番号を表し、φiRiはi番目のセグメントの中の基準シンボルの位相を表し、θiRiはφiRiが調整される位相を表す、ステップと、
N個のセグメントの中の２<j≦Miを満たすシンボルについて、該シンボルのコンステレーション位相をθij=φij−φi(j−１)に従い調整するステップであって、Miはi番目のセグメントの中のシンボルの数を表し、M１+M２+・・・MN=M、MはN個のセグメントの中のシンボルの総数を表し、jはシンボルのシーケンス番号を表し、φijはi番目のセグメントの中のj番目のシンボルのコンステレーション位相を表し、θijはφijがプリセット位相調整ルールに従い調整される位相を表し、i、j、Ri、及びMiは全て整数であり、Mi≧３である、ステップと、
N個のセグメントの中の１≦i≦N且つj=２を満たすシンボルについて、該シンボルの位相をθi(Ri+１)=φi(Ri+１)−θiRiに従い調整するステップと、
N個のセグメントの中の１≦i≦N且つj=１を満たすシンボルについて、該シンボルの位相をθij=φijに従い調整するステップと、を含む。
【００３４】
本願の可能な実装では、各セグメント内のシンボルの位相を、プリセット位相逆調整ルールに従い調整するステップは、
N個のセグメントの中の各シンボルの中のセグメント内基準シンボルを決定するステップであって、セグメント内基準シンボルは２≦Ri≦Mi−１を満たす、ステップと、
N個のセグメントの中の１≦i≦Nを満たすセグメント内基準シンボルについて、該セグメント内基準シンボルの位相をθiRi=φiRi−φ(i−１)(Ri−１)に従い調整するステップであって、Nはセグメントの数を表し、iはセグメントのシーケンス番号を表し、Riはi番目のセグメントの中のセグメント内基準シンボルのシーケンス番号を表し、φiRiはi番目のセグメントの中の基準シンボルのコンステレーション位相を表し、θiRiはφiRiが調整されるセグメント内基準シンボルの位相を表す、ステップと、
N個のセグメントの中の１≦i≦N、１≦j≦Mi、且つj≠Riを満たすシンボルについて、該シンボルの位相をθij=φij−θiRiに従い調整するステップであって、Miはi番目のセグメントの中のシンボルの数を表し、M１+M２+・・・MN=M、MはN個のセグメントの中のシンボルの総数を表し、jはシンボルのシーケンス番号を表し、φijはi番目のセグメントの中のj番目のシンボルのコンステレーション位相を表し、θijはφijが調整される位相を表し、i、j、Ri、及びMiは全て整数であり、Mi≧３である、ステップと、
N個のセグメントの中の１≦i≦N且つj=Riを満たすシンボルについて、該シンボルの位相をθij=φijに従い調整するステップと、を含む。
【００３５】
本願の可能な実装では、各セグメント内のシンボルの位相を、プリセット位相逆調整ルールに従い調整するステップは、
N個のセグメントの中の各シンボルの中のセグメント内基準シンボルを決定するステップであって、セグメント内基準シンボルはRi=Miを満たす、ステップと、
N個のセグメントの中の１≦i≦Nを満たすセグメント内基準シンボルについて、該セグメント内基準シンボルの位相をθiRi=φiRi−φ(i−１)(Ri−１)に従い調整するステップであって、Nはセグメントの数を表し、iはセグメントのシーケンス番号を表し、Riはi番目のセグメントの中のセグメント内基準シンボルのシーケンス番号を表し、φiRiはi番目のセグメントの中の基準シンボルのコンステレーション位相を表し、θiRiはφiRiが調整されるセグメント内基準シンボルの位相を表す、ステップと、
N個のセグメントの中の１≦i≦N且つ１≦j<Miを満たすシンボルについて、該シンボルの位相をθij=φij−θiRiに従い調整するステップであって、Miはi番目のセグメントの中のシンボルの数を表し、M１+M２+・・・MN=M、MはN個のセグメントの中のシンボルの総数を表し、jはシンボルのシーケンス番号を表し、φijはi番目のセグメントの中のj番目のシンボルのコンステレーション位相を表し、θijはφijが調整される位相を表し、i、j、Ri、及びMiは全て整数であり、Mi≧２である、ステップと、
N個のセグメントの中の１≦i≦N且つj=Miを満たすシンボルについて、該シンボルの位相をθij=φijに従い調整するステップと、を含む。
【００３６】
本願の可能な実装では、各セグメント内のシンボルの位相を、プリセット位相逆調整ルールに従い調整するステップは、
N個のセグメントの中の各シンボルの中のセグメント内基準シンボルを決定するステップであって、セグメント内基準シンボルはRi=１を満たす、ステップと、
N個のセグメントの中の１≦i≦Nを満たすセグメント内基準シンボルについて、該セグメント内基準シンボルの位相をθiRi=φiRi−φ(i−１)(Ri−１)に従い調整するステップであって、Nはセグメントの数を表し、iはセグメントのシーケンス番号を表し、Riはi番目のセグメントの中のセグメント内基準シンボルのシーケンス番号を表し、φiRiはi番目のセグメントの中の基準シンボルのコンステレーション位相を表し、θiRiはφiRiが調整されるセグメント内基準シンボルの位相を表す、ステップと、
N個のセグメントの中の１≦i≦N且つ１<j≦Miを満たすシンボルについて、該シンボルの位相をθij=φij−θiRiに従い調整するステップであって、Miはi番目のセグメントの中のシンボルの数を表し、M１+M２+・・・MN=M、MはN個のセグメントの中のシンボルの総数を表し、jはシンボルのシーケンス番号を表し、φijはi番目のセグメントの中のj番目のシンボルのコンステレーション位相を表し、θijはφijが調整される位相を表し、i、j、Ri、及びMiは全て整数であり、Mi≧２である、ステップと、
N個のセグメントの中の１≦i≦N且つj=１を満たすシンボルについて、該シンボルの位相をθij=φijに従い調整するステップと、を含む。
【００３７】
第３の態様によると、本願は、
符号化処理を生データに対して実行して、符号化シーケンスを取得するよう構成される符号化モジュールと、
コンステレーションマッピングを前記符号化シーケンスに対してプリセットコンステレーション図に基づき実行して、M個のシンボルを取得するよう構成され、Mは１より大きい整数である、マッピングモジュールと、
前記M個のシンボルをN個のセグメントに分割するよう構成され、Nは１より大きい整数である、グルーピングモジュールと、
前記N個のセグメントの中の各シンボルのコンステレーション位相を取得するよう構成される取得モジュールと、
各セグメント内のシンボルのコンステレーション位相を、プリセット位相調整ルールに従い調整するよう構成され、前記N個のセグメントは同時に調整される、調整モジュールと、
位相調整を通じて取得されたM個のシンボルを変調して、変調信号を取得し、前記変調信号を送信するよう構成される変調モジュールと、を含む送信装置を提供する。
【００３８】
本願の可能な実装では、調整モジュールは、
N個のセグメントの各々の中のセグメント内基準シンボルを決定し、セグメント内基準シンボルは２≦Ri≦Mi−１を満たし、
N個のセグメントの中の１≦i≦N且つRi<j≦Miを満たすシンボルについて、該シンボルのコンステレーション位相をφij=θij+θi(j−１)+・・・θi(Ri−１)+θiRiに従い調整し、iはセグメントのシーケンス番号を表し、jはN個のセグメントの中のシンボルのシーケンス番号を表し、Miはi番目のセグメントの中のシンボルの数を表し、つまりM１+M２+・・・MN=Mが満たされ、Riはi番目のセグメントの中のセグメント内基準シンボルのシーケンス番号を表し、θijはi番目のセグメントの中のj番目のシンボルのコンステレーション位相を表し、φijはθijが調整される位相を表し、i、j、Ri、及びMiは全て整数であり、Mi≧３であり、
N個のセグメントの中の１≦i≦N且つ１≦j<Riを満たすシンボルについて、該シンボルのコンステレーション位相をφij=θij+θi(j+１)+・・・θiRiに従い調整し、
N個のセグメントの中の１≦i≦N且つj=Riを満たすシンボルについて、該シンボルのコンステレーション位相をφij=θijに従い調整する、よう構成される。
【００３９】
本願の可能な実装では、調整モジュールは、
N個のセグメントの各々の中のセグメント内基準シンボルを決定し、セグメント内基準シンボルはRi=１を満たし、
N個のセグメントの中の１≦i≦N且つ１<j≦Miを満たすシンボルについて、該シンボルのコンステレーション位相をφij=θij+θi(j−１)+・・・θi(Ri−１)+θiRiに従い調整し、iはセグメントのシーケンス番号を表し、jはN個のセグメントの中のシンボルのシーケンス番号を表し、Miはi番目のセグメントの中のシンボルの数を表し、つまりM１+M２+・・・MN=Mが満たされ、Riはi番目のセグメントの中のセグメント内基準シンボルのシーケンス番号を表し、θijはi番目のセグメントの中のj番目のシンボルのコンステレーション位相を表し、φijはθijが調整される位相を表し、i、j、Ri、及びMiは全て整数であり、Mi≧２であり、
N個のセグメントの中の１≦i≦N且つj=１を満たすシンボルについて、該シンボルのコンステレーション位相をφij=θijに従い調整する、よう構成される。
【００４０】
本願の可能な実装では、調整モジュールは、
N個のセグメントの各々の中のセグメント内基準シンボルを決定し、セグメント内基準シンボルは２≦Ri≦Mi−１を満たし、
N個のセグメントの中の１≦i≦N、１≦j≦Mi、且つj≠Riを満たすシンボルについて、該シンボルのコンステレーション位相をφij=θij+θiRiに従い調整し、Nはセグメントの数を表し、iはセグメントのシーケンス番号を表し、Miはi番目のセグメントの中のシンボルの数を表し、M１+M２+・・・MN=M、MはN個のセグメントの中のシンボルの総数を表し、Riはi番目のセグメントの中のセグメント内基準シンボルのシーケンス番号を表し、jはN個のセグメントの中のシンボルのシーケンス番号を表し、θijはi番目のセグメントの中のj番目のシンボルのコンステレーション位相を表し、φijはθijが調整される位相を表し、i、j、Ri、及びMiは全て整数であり、Mi≧３であり、
N個のセグメントの中の１≦i≦N且つj=Riを満たすシンボルについて、該シンボルのコンステレーション位相をφij=θijに従い調整する、よう構成される。
【００４１】
本願の可能な実装では、調整モジュールは、
N個のセグメントの各々の中のセグメント内基準シンボルを決定し、セグメント内基準シンボルはRi=１を満たし、
N個のセグメントの中の１≦i≦N且つ１<j≦Miを満たすシンボルについて、該シンボルのコンステレーション位相をφij=θij+θiRiに従い調整し、Nはセグメントの数を表し、iはセグメントのシーケンス番号を表し、Miはi番目のセグメントの中のシンボルの数を表し、M１+M２+・・・MN=M、MはN個のセグメントの中のシンボルの総数を表し、Riはi番目のセグメントの中のセグメント内基準シンボルのシーケンス番号を表し、jはN個のセグメントの中のシンボルのシーケンス番号を表し、θijはi番目のセグメントの中のj番目のシンボルのコンステレーション位相を表し、φijはθijが調整される位相を表し、i、j、Ri、及びMiは全て整数であり、Mi≧２であり、
N個のセグメントの中の１≦i≦N且つj=Riを満たすシンボルについて、該シンボルのコンステレーション位相をφij=θijに従い調整する、よう構成される。
【００４２】
本願の可能な実装では、調整モジュールは、
N個のセグメントの各々の中のセグメント内基準シンボルを決定し、セグメント内基準シンボルは２≦Ri≦Mi−１を満たし、
N個のセグメントの中の１≦i≦Nを満たすセグメント内基準シンボルについて、該セグメント内基準シンボルのコンステレーション位相をφiRi=θiRi+θ(i−１)(Ri−１)+・・・θ２R２+θ１R１に従い調整し、Nはセグメントの数を表し、iはセグメントのシーケンス番号を表し、Riはi番目のセグメントの中のセグメント内基準シンボルのシーケンス番号を表し、θiRiはi番目のセグメントの中の基準シンボルのコンステレーション位相を表し、φiRiはθiRiが調整されるセグメント内基準シンボルの位相を表し、
N個のセグメントの中の１≦i≦N且つRi<j≦Miを満たすシンボルについて、該シンボルのコンステレーション位相をφij=θij+θi(j−１)+・・・θi(Ri−１)+φiRiに従い調整し、Miはi番目のセグメントの中のシンボルの数を表し、M１+M２+・・・MN=M、MはN個のセグメントの中のシンボルの総数を表し、jはN個のセグメントの中のシンボルのシーケンス番号を表し、θijはi番目のセグメントの中のj番目のシンボルのコンステレーション位相を表し、φijはθijがプリセット位相調整ルールに従い調整される位相を表し、i、j、Ri、及びMiは全て整数であり、Mi≧２であり、
N個のセグメントの中の１≦i≦N且つ１≦j<Riを満たすシンボルについて、該シンボルのコンステレーション位相を式φij=θij+θi(j+１)+・・・+φiRiに従い調整し、
N個のセグメントの中の１≦i≦N且つj=Riを満たすシンボルについて、該シンボルの位相をφij=θijに従い調整する、よう構成される。
【００４３】
本願の可能な実装では、調整モジュールは、
N個のセグメントの各々の中のセグメント内基準シンボルを決定し、セグメント内基準シンボルはRi=１を満たし、
N個のセグメントの中の１≦i≦Nを満たすセグメント内基準シンボルについて、該セグメント内基準シンボルのコンステレーション位相をφiRi=θiRi+θ(i−１)(Ri−１)+・・・θ２R２+θ１R１に従い調整し、Nはセグメントの数を表し、iはセグメントのシーケンス番号を表し、Riはi番目のセグメントの中のセグメント内基準シンボルのシーケンス番号を表し、θiRiはi番目のセグメントの中の基準シンボルのコンステレーション位相を表し、φiRiはθiRiが調整されるセグメント内基準シンボルの位相を表し、
N個のセグメントの中の１≦i≦N且つ１<j≦Miを満たすシンボルについて、該シンボルのコンステレーション位相をφij=θij+θi(j−１)+・・・θi(Ri−１)+φiRiに従い調整し、Miはi番目のセグメントの中のシンボルの数を表し、M１+M２+・・・MN=M、MはN個のセグメントの中のシンボルの総数を表し、jはN個のセグメントの中のシンボルのシーケンス番号を表し、θijはi番目のセグメントの中のj番目のシンボルのコンステレーション位相を表し、φijはθijがプリセット位相調整ルールに従い調整される位相を表し、i、j、Ri、及びMiは全て整数であり、Mi≧２であり、
N個のセグメントの中の１≦i≦N且つj=Riを満たすシンボルについて、該シンボルの位相をφij=θijに従い調整する、よう構成される。
【００４４】
本願の可能な実装では、調整モジュールは、
N個のセグメントの中の各シンボルの中のセグメント内基準シンボルを決定し、セグメント内基準シンボルは２≦Ri≦Mi−１を満たし、
N個のセグメントの中の１≦i≦Nを満たすセグメント内基準シンボルについて、該セグメント内基準シンボルのコンステレーション位相をφiRi=θiRi+θ(i−１)(Ri−１)+・・・θ２R２+θ１R１に従い調整し、Nはセグメントの数を表し、iはセグメントのシーケンス番号を表し、Riはi番目のセグメントの中のセグメント内基準シンボルのシーケンス番号を表し、θiRiはi番目のセグメントの中の基準シンボルのコンステレーション位相を表し、φiRiはθiRiが調整されるセグメント内基準シンボルの位相を表し、
N個のセグメントの中の１≦i≦N、１≦j≦Ri、且つj≠Riを満たすシンボルについて、該シンボルのコンステレーション位相をφij=θij+φiRiに従い調整し、Miはi番目のセグメントの中のシンボルの数を表し、M１+M２+・・・MN=M、MはN個のセグメントの中のシンボルの総数を表し、jはN個のセグメントの中のシンボルのシーケンス番号を表し、θijはi番目のセグメントの中のj番目のシンボルのコンステレーション位相を表し、φijはθijがプリセット位相調整ルールに従い調整される位相を表し、i、j、Ri、及びMiは全て整数であり、Mi≧３であり、
N個のセグメントの中の１≦i≦N且つj=Riを満たすシンボルについて、該シンボルの位相をφij=θijに従い調整する、よう構成される。
【００４５】
本願の可能な実装では、調整モジュールは、
N個のセグメントの各シンボルの中のセグメント内基準シンボルを決定し、セグメント内基準シンボルはRi=１を満たし、
N個のセグメントの中の１≦i≦Nを満たすセグメント内基準シンボルについて、該セグメント内基準シンボルのコンステレーション位相をφiRi=θiRi+θ(i−１)(Ri−１)+・・・θ２R２+θ１R１に従い調整し、Nはセグメントの数を表し、iはセグメントのシーケンス番号を表し、Riはi番目のセグメントの中のセグメント内基準シンボルのシーケンス番号を表し、θiRiはi番目のセグメントの中の基準シンボルのコンステレーション位相を表し、φiRiはθiRiが調整されるセグメント内基準シンボルの位相を表し、
N個のセグメントの中の１≦i≦N且つ１<j≦Miを満たすシンボルについて、該シンボルのコンステレーション位相をφij=θij+φiRiに従い調整し、Miはi番目のセグメントの中のシンボルの数を表し、M１+M２+・・・MN=M、MはN個のセグメントの中のシンボルの総数を表し、jはシンボルのシーケンス番号を表し、θijはi番目のセグメントの中のj番目のシンボルのコンステレーション位相を表し、φijはθijがプリセット位相調整ルールに従い調整される位相を表し、i、j、Ri、及びMiは全て整数であり、Mi≧２であり、
N個のセグメントの中の１≦i≦N且つj=１を満たすシンボルについて、該シンボルの位相をφij=θijに従い調整する、よう構成される。
【００４６】
本願の可能な実装では、セグメント内基準シンボルはパイロットシンボルである。
【００４７】
第４の態様によると、本願は、
変調信号を受信し、調整信号を復調してM個のシンボルを取得するよう構成される受信モジュールと、
前記M個のシンボルをN個のグループに分割するよう構成され、Nは１より大きい整数である、グルーピングモジュールと、
前記N個のセグメントの中の各シンボルの位相を取得するよう構成される位相取得モジュールと、
各セグメント内のシンボルの位相を、プリセット位相逆調整ルールに従い調整するよう構成され、位相調整は前記N個のセグメントに対して同時に実行される、逆調整モジュールと、
プリセットコンステレーション図に基づき、コンステレーション逆マッピングを位相調整を通じて取得されたM個のシンボルに対して実行して、符号化シーケンスを取得するよう構成される逆マッピングモジュールと、
復号処理を前記符号化シーケンスに対して実行して、生データを取得するよう構成される復号モジュールと、を含む受信装置を提供する。
【００４８】
本願の可能な実装では、逆調整モジュールは、
N個のセグメントの各々の中のセグメント内基準シンボルを決定し、セグメント内基準シンボルは２≦Ri≦Mi−１を満たし、
N個のセグメントの中の１≦i≦N且つRi<j≦Miを満たすシンボルについて、該シンボルの位相をθij=φij−φi(j−１)に従い調整し、Nはセグメントの数を表し、iはセグメントのシーケンス番号を表し、Miはi番目のセグメントの中のシンボルの数を表し、M１+M２+・・・MN=M、MはN個のセグメントの中のシンボルの総数を表し、Riはi番目のセグメントの中のセグメント内基準シンボルのシーケンス番号を表し、jはシンボルのシーケンス番号を表し、φijはi番目のセグメントの中のj番目のシンボルの位相を表し、θijはφijがプリセット位相調整ルールに従い調整される位相を表し、i、j、Ri、及びMiは全て整数であり、Mi≧３であり、
N個のセグメントの中の１≦i≦N且つ１≦j<Riを満たすシンボルについて、該シンボルの位相をθij=φij−φi(j+１)に従い調整し、
N個のセグメントの中の１≦i≦N且つj=Riを満たすシンボルについて、該シンボルの位相をθij=φijに従い調整する、よう構成される。
【００４９】
本願の可能な実装では、逆調整モジュールは、
N個のセグメントの各々の中のセグメント内基準シンボルを決定し、セグメント内基準シンボルはRi=１を満たし、
N個のセグメントの中の１≦i≦N且つ１<j≦Miを満たすシンボルについて、該シンボルの位相をθij=φij−φi(j−１)に従い調整し、Nはセグメントの数を表し、iはセグメントのシーケンス番号を表し、Miはi番目のセグメントの中のシンボルの数を表し、M１+M２+・・・MN=M、MはN個のセグメントの中のシンボルの総数を表し、Riはi番目のセグメントの中のセグメント内基準シンボルのシーケンス番号を表し、jはシンボルのシーケンス番号を表し、φijはi番目のセグメントの中のj番目のシンボルの位相を表し、θijはφijがプリセット位相調整ルールに従い調整される位相を表し、i、j、Ri、及びMiは全て整数であり、Mi≧２であり、
N個のセグメントの中の１≦i≦N且つj=１を満たすシンボルについて、該シンボルの位相をθij=φijに従い調整する、よう構成される。
【００５０】
本願の可能な実装では、逆調整モジュールは、
N個のセグメントの各々の中のセグメント内基準シンボルを決定し、セグメント内基準シンボルは２≦Ri≦Mi−１を満たし、
N個のセグメントの中の１≦i≦N、１≦j≦Mi、且つj≠Riを満たすシンボルについて、該シンボルの位相をθij=φij−φiRiに従い調整し、Nはセグメントの数を表し、iはセグメントのシーケンス番号を表し、Miはi番目のセグメントの中のシンボルの数を表し、M１+M２+・・・MN=M、MはN個のセグメントの中のシンボルの総数を表し、Riはi番目のセグメントの中のセグメント内基準シンボルのシーケンス番号を表し、jはシンボルのシーケンス番号を表し、φijはi番目のセグメントの中のj番目のシンボルの位相を表し、θijはφijが調整される位相を表し、i、j、Ri、及びMiは全て整数であり、Mi≧２であり、
N個のセグメントの中の１≦i≦N且つj=Riを満たすシンボルについて、該シンボルの位相をθij=φijに従い調整する、よう構成される。
【００５１】
本願の可能な実装では、逆調整モジュールは、
N個のセグメントの各々の中のセグメント内基準シンボルを決定し、セグメント内基準シンボルはRi=１を満たし、
N個のセグメントの中の１≦i≦N且つ１<j≦Miを満たすシンボルについて、該シンボルの位相をθij=φij−φiRiに従い調整し、Nはセグメントの数を表し、iはセグメントのシーケンス番号を表し、Miはi番目のセグメントの中のシンボルの数を表し、M１+M２+・・・MN=M、MはN個のセグメントの中のシンボルの総数を表し、Riはi番目のセグメントの中のセグメント内基準シンボルのシーケンス番号を表し、jはシンボルのシーケンス番号を表し、φijはi番目のセグメントの中のj番目のシンボルの位相を表し、θijはφijが調整される位相を表し、i、j、Ri、及びMiは全て整数であり、Mi≧２であり、
N個のセグメントの中の１≦i≦N且つj=１を満たすシンボルについて、該シンボルの位相をθij=φijに従い調整する、よう構成される。
【００５２】
本願の可能な実装では、逆調整モジュールは、
N個のセグメントの各々の中のセグメント内基準シンボルを決定し、セグメント内基準シンボルは２≦Ri≦Mi−１を満たし、
N個のセグメントの中の１≦i≦Nを満たすセグメント内基準シンボルについて、該セグメント内基準シンボルの位相をθiRi=φiRi−φ(i−１)(Ri−１)に従い調整し、Nはセグメントの数を表し、iはセグメントのシーケンス番号を表し、Riはi番目のセグメントの中のセグメント内基準シンボルのシーケンス番号を表し、φiRiはi番目のセグメントの中の基準シンボルの位相を表し、θiRiはφiRiが調整される位相を表し、
N個のセグメントの中のRi+１<j≦Miを満たすシンボルについて、該シンボルのコンステレーション位相をθij=φij−φi(j−１)に従い調整し、Miはi番目のセグメントの中のシンボルの数を表し、M１+M２+・・・MN=M、MはN個のセグメントの中のシンボルの総数を表し、jはシンボルのシーケンス番号を表し、φijはi番目のセグメントの中のj番目のシンボルのコンステレーション位相を表し、θijはφijがプリセット位相調整ルールに従い調整される位相を表し、i、j、Ri、及びMiは全て整数であり、Mi≧３であり、
N個のセグメントの中の１≦i≦N且つj=Ri+１を満たすシンボルについて、該シンボルの位相をθi(Ri+１)=φi(Ri+１)−θijに従い調整し、
N個のセグメントの中の１≦i≦N且つ１≦j<Ri−１を満たすシンボルについて、該シンボルの位相をθij=φij−φi(j+１)に従い調整し、
N個のセグメントの中の１≦i≦N且つj=Ri−１を満たすシンボルについて、該シンボルの位相をθi(Ri−１)=φi(Ri−１)−θiRiに従い調整し、
N個のセグメントの中の１≦i≦N且つj=Riを満たすシンボルについて、該シンボルの位相をθij=φijに従い調整する、よう構成される。
【００５３】
本願の可能な実装では、逆調整モジュールは、
N個のセグメントの各々の中のセグメント内基準シンボルを決定し、セグメント内基準シンボルはRi=１を満たし、
N個のセグメントの中の１≦i≦Nを満たすセグメント内基準シンボルについて、該セグメント内基準シンボルの位相をθiRi=φiRi−φ(i−１)(Ri−１)に従い調整し、Nはセグメントの数を表し、iはセグメントのシーケンス番号を表し、Riはi番目のセグメントの中のセグメント内基準シンボルのシーケンス番号を表し、φiRiはi番目のセグメントの中の基準シンボルの位相を表し、θiRiはφiRiが調整される位相を表し、
N個のセグメントの中の２<j≦Miを満たすシンボルについて、該シンボルのコンステレーション位相をθij=φij−φi(j−１)に従い調整し、Miはi番目のセグメントの中のシンボルの数を表し、M１+M２+・・・MN=M、MはN個のセグメントの中のシンボルの総数を表し、jはシンボルのシーケンス番号を表し、φijはi番目のセグメントの中のj番目のシンボルのコンステレーション位相を表し、θijはφijがプリセット位相調整ルールに従い調整される位相を表し、i、j、Ri、及びMiは全て整数であり、Mi≧３であり、
N個のセグメントの中の１≦i≦N且つj=２を満たすシンボルについて、該シンボルの位相をθi(Ri+１)=φi(Ri+１)−θiRiに従い調整し、
N個のセグメントの中の１≦i≦N且つj=１を満たすシンボルについて、該シンボルの位相をθij=φijに従い調整する、よう構成される。
【００５４】
本願の可能な実装では、逆調整モジュールは、
N個のセグメントの各シンボルの中のセグメント内基準シンボルを決定し、セグメント内基準シンボルは２≦Ri≦Mi−１を満たし、
N個のセグメントの中の１≦i≦Nを満たすセグメント内基準シンボルについて、該セグメント内基準シンボルの位相をθiRi=φiRi−φ(i−１)(Ri−１)に従い調整し、Nはセグメントの数を表し、iはセグメントのシーケンス番号を表し、Riはi番目のセグメントの中のセグメント内基準シンボルのシーケンス番号を表し、φiRiはi番目のセグメントの中の基準シンボルのコンステレーション位相を表し、θiRiはφiRiが調整されるセグメント内基準シンボルの位相を表し、
N個のセグメントの中の１≦i≦N、１≦j≦Mi、且つj≠Riを満たすシンボルについて、該シンボルの位相をθij=φij−θiRiに従い調整し、Miはi番目のセグメントの中のシンボルの数を表し、M１+M２+・・・MN=M、MはN個のセグメントの中のシンボルの総数を表し、jはシンボルのシーケンス番号を表し、φijはi番目のセグメントの中のj番目のシンボルのコンステレーション位相を表し、θijはφijが調整される位相を表し、i、j、Ri、及びMiは全て整数であり、Mi≧３であり、
N個のセグメントの中の１≦i≦N且つj=Riを満たすシンボルについて、該シンボルの位相をθij=φijに従い調整する、よう構成される。
【００５５】
本願の可能な実装では、逆調整モジュールは、
N個のセグメントの各シンボルの中のセグメント内基準シンボルを決定し、セグメント内基準シンボルはRi=１を満たし、
N個のセグメントの中の１≦i≦Nを満たすセグメント内基準シンボルについて、該セグメント内基準シンボルの位相をθiRi=φiRi−φ(i−１)(Ri−１)に従い調整し、Nはセグメントの数を表し、iはセグメントのシーケンス番号を表し、Riはi番目のセグメントの中のセグメント内基準シンボルのシーケンス番号を表し、φiRiはi番目のセグメントの中の基準シンボルのコンステレーション位相を表し、θiRiはφiRiが調整されるセグメント内基準シンボルの位相を表し、
N個のセグメントの中の１≦i≦N且つ１<j≦Miを満たすシンボルについて、該シンボルの位相をθij=φij−θiRiに従い調整し、Miはi番目のセグメントの中のシンボルの数を表し、M１+M２+・・・MN=M、MはN個のセグメントの中のシンボルの総数を表し、jはシンボルのシーケンス番号を表し、φijはi番目のセグメントの中のj番目のシンボルのコンステレーション位相を表し、θijはφijが調整される位相を表し、i、j、Ri、及びMiは全て整数であり、Mi≧２であり、
N個のセグメントの中の１≦i≦N且つj=１を満たすシンボルについて、該シンボルの位相をθij=φijに従い調整する、よう構成される。
【００５６】
第５の態様によると、本願は、送信装置と受信装置とを含むデジタル通信システムであって、前記送信装置は符号化処理を生データに対して実行して、符号化シーケンスを取得し、前記送信装置はコンステレーションマッピングを前記符号化シーケンスに対してプリセットコンステレーション図に基づき実行して、M個のシンボルを取得し、Mは１より大きい整数であり、前記送信装置は前記M個のシンボルをN個のセグメントに分割し、Nは１より大きい整数であり、前記送信装置は前記N個のセグメントの中の各シンボルのコンステレーション位相を取得し、前記送信装置は各セグメント内のシンボルのコンステレーション位相を、プリセット位相調整ルールに従い調整し、前記N個のセグメントは同時に調整され、前記送信装置は位相調整を通じて取得されたM個のシンボルを変調して、変調信号を取得し、前記変調信号を送信する、デジタル通信システムを提供する。前記受信装置は、前記送信装置により送信された前記変調信号を受信し、前記調整信号を復調してM個のシンボルを取得し、前記受信装置は前記M個のシンボルをN個のグループに分割し、前記受信装置が前記M個のシンボルを分割する方法は前記送信装置の方法と同じであり、Nは１より大きい整数であり、前記受信装置は前記N個のセグメント内の各シンボルの位相を取得し、前記受信装置は各セグメント内のシンボルの位相をプリセット位相逆調整ルールに従い調整し、前記受信装置の前記位相逆調整ルールは前記送信装置の位相調整ルールの逆処理であり、位相調整は前記N個のセグメントに対して同時に実行され、前記受信装置はプリセットコンステレーション図に基づき、位相調整を通じて取得された前記M個のシンボルに対してコンステレーション逆マッピングを実行して、符号化シーケンスを取得し、前記受信装置により使用される前記コンステレーション図は前記送信装置により使用されるものと同じであり、前記受信装置は復号処理を前記符号化シーケンスに対して実行して、前記生データを取得する。前述の実施形態によると、送信装置及び受信装置は、位相ノイズ抑制のための調整を同時に実行し、それにより処理効率を向上する。
【図面の簡単な説明】
【００５７】
本発明の実施形態の又は従来技術の技術的ソリューションをより明確に説明するために、以下は、実施形態又は従来技術を説明するために必要な添付の図面を簡単に記載する。明らかに、以下の説明中の添付の図面は、本発明の一部の実施形態を示し、当業者は、これらの添付の図面から創造的労力を有しないで他の図面を更に導出し得る。
【００５８】
【図１】本発明の一実施形態によるデジタル通信システムの概略構造図である。
【００５９】
【図２】本発明の一実施形態による変調方法の概略フローチャートである。
【００６０】
【図３Ａ】本発明の一実施形態によるシンボルをグループ化する概略図である。
【００６１】
【図３Ｂ】本発明の一実施形態によるシンボルをグループ化する別の概略図である。
【００６２】
【図３Ｃ】本発明の一実施形態によるシンボルをグループ化する更に別の概略図である。
【００６３】
【図４Ａ】本発明の一実施形態によるシンボルをグループ化する概略図である。
【００６４】
【図４Ｂ】本発明の一実施形態によるシンボルをグループ化する別の概略図である。
【００６５】
【図４Ｃ】本発明の一実施形態によるシンボルをグループ化する更に別の概略図である。
【００６６】
【図５Ａ】本発明の一実施形態によるシンボルをグループ化する概略図である。
【００６７】
【図５Ｂ】本発明の一実施形態によるシンボルをグループ化する別の概略図である。
【００６８】
【図５Ｃ】本発明の一実施形態によるシンボルをグループ化する更に別の概略図である。
【００６９】
【図６Ａ】本発明の一実施形態によるシンボルをグループ化する概略図である。
【００７０】
【図６Ｂ】本発明の一実施形態によるシンボルをグループ化する別の概略図である。
【００７１】
【図６Ｃ】本発明の一実施形態によるシンボルをグループ化する更に別の概略図である。
【００７２】
【図７】本発明の一実施形態によるコンステレーション図の概略図である。
【００７３】
【図８】本発明の一実施形態による復調方法の概略フローチャートである。
【００７４】
【図９】本発明の一実施形態による送信装置の概略構造図である。
【００７５】
【図１０】本発明の一実施形態による受信装置の概略構造図である。
【００７６】
【図１１】本発明の一実施形態による別の送信装置の概略構造図である。
【００７７】
【図１２】本発明の一実施形態による別の受信装置の概略構造図である。
【発明を実施するための形態】
【００７８】
留意すべきことに、本発明の実施形態で使用される用語は、特定の実施形態を記載する目的のためであり、本発明を限定することを意図しない。本発明の実施形態及び添付の請求項で使用される単数形の用語「１つの」、「前述の」、及び「該」は、文脈上明確に特に指定されない限り、複数形も含むことを意図する。また、明細書中の用語「及び／又は」は、１又は複数の関連する列挙された項目のうちの任意の又は全ての可能な組合せを示し及び含むことが理解されるべきである。さらに、本発明の明細書、請求項、及び添付の図面において、用語「第１」、「第２」、「第３」、「第４」等は、異なるオブジェクト間を区別することを意図し、特定の順序を示さない。さらに、用語「含む」、「有する」、又はそれらの任意の変形は、非排他的包含をカバーすることを意図する。例えば、一連のステップ若しくはユニットを含む処理、方法、システム、プロダクト、又は装置は、列挙されたステップ又はユニットに限定されず、任意で、列挙されないステップ又はユニットを更に含み、或いは任意で、処理、方法、プロダクト、若しくは装置のような別の固有のステップ又はユニットを更に含む。
【００７９】
実装で提供されるデジタル変調方法及びデジタル復調方法は、GSM（Global  System  of  Mobile  communication、グローバルシステム・フォー・モバイルコミュニケーションズ）又はCDMA（Code  Division  Multiple  Access、符号分割多重接続）を含むがそれらに限定されない複数の通信標準に適用されて良く、又はWCDMA（Wideband  Code  Division  Multiple  Access、広帯域符号分割多重接続）、LTE（Long  Term  Evolution、ロングタームエボリューション）、将来の５Gネットワーク標準、又は無線ローカルエリアネットワーク（Wireless  Local  Area  Networks、WLAN）、ワールドワイド・インターオペラビリティ・フォー・マイクロウェイブ・アクセス（Worldwide  Interoperability  for  Microwave  Access、WiMAX）、ブルートゥース、又は赤外線のような別の通信標準であって良い。
【００８０】
図１は、本発明の一実施形態によるデジタル通信システムの概略構造図である。本発明の本実施形態では、デジタル通信システムは、送信装置１１及び受信装置１２を含む。デジタル通信システムの動作処理は次の通りである。
【００８１】
送信装置１１は、符号化処理、シンボルグループ化、同時セグメント内位相調整符号化処理、及びシンボル変調を実行する。符号化処理：送信装置１１は、符号化処理を生データに対して実行して、符号化シーケンスを取得する。ここで、生データは、バイナリ形式のデータであって良い。送信装置は、ソース符号化、チャネル符号化処理、及びインターリービング符号化のような処理を、生データに対して実行する。送信装置は、符号化処理の後に、バイナリビットシーケンスを取得する。送信装置は、ビットシーケンスをM個のビットグループに、変調次数に基づき分割する。ここで、符号化シーケンスはM個のビットグループを含み、各ビットグループに含まれるビットの数は、変調次数と同じである。コンステレーションマッピング：送信装置は、コンステレーションマッピングをM個のビットグループに対してプリセットコンステレーション図に基づき実行して、M個のシンボルを取得する。ここで、Mは１より大きい整数である。シンボルグループ化：送信装置は、M個のシンボルをN個のセグメントに分割する。ここで、Nは１より大きい整数である。セグメント内位相調整：送信装置は、N個のセグメントの中の各シンボルのコンステレーション位相を取得する。送信装置は、各セグメント内のシンボルのコンステレーション位相を、プリセット位相調整ルールに基づき調整する。ここで、N個のセグメントは同時に調整される。同時の方法は、具体的に、ソフトウェア方法又はハードウェア方法であって良い。ソフトウェア方法：マルチスレッド方法は、位相調整をN個のセグメントに対して実行するために使用される。ここで、生成されるスレッドの数はセグメントの数Nに等しく、各スレッドは対応するセグメント内のシンボルのコンステレーション位相を調整するために使用される。ハードウェア方法：直列−並列変換が、N個のセグメントに対して実行されて、N個の並列シンボルストリームを取得する。N個の並列シンボルストリームは、それぞれN個の位相調整回路に入力される。ここで、各シンボルストリームは、１つの位相調整回路に一意に対応する。位相調整回路は、入力シンボルのコンステレーション位相をプリセット位相調整ルールに従い調整するよう構成される。シンボル変調：送信装置は、位相調整を通じて取得されたM個のシンボルを変調して、変調信号を取得し、変調信号を送信する。
【００８２】
受信装置１２の処理過程は、シンボル復調、シンボル再グループ化、セグメント内位相逆調整、コンステレーション逆マッピング、及び復号処理を含む。シンボル復調：受信装置は、送信装置により送信された変調信号を受信し、調整信号を復調して、M個のシンボルを取得する。シンボル再グループ化：受信装置は、M個のシンボルをN個のグループに分割する。ここで、受信装置がM個のシンボルを分割する方法は、送信装置の方法と同じであり、Nは１より大きい整数である。セグメント内位相逆調整：受信装置は、N個のセグメント内の各シンボルの位相を取得し、受信装置は、各セグメント内のシンボルの位相をプリセット位相逆調整ルールに従い調整する。ここで、受信装置の位相逆調整ルールは、送信装置の位相調整ルールの逆過程である。位相調整は、N個のセグメントに対して同時に実行される。コンステレーション逆マッピング：受信装置は、プリセットコンステレーション図に基づき、コンステレーション逆マッピングを、位相調整を通じて取得されたM個のシンボルに対して実行して、符号化シーケンスを取得する。ここで、受信装置により使用されるコンステレーション図は、送信装置により使用されるものと同じである。復号処理：受信装置は、復号処理を符号化シーケンスに対して実行して、生データを取得する。前述の実施形態では、送信装置の信号の位相ノイズ抑制能力が向上される必要のあるとき、送信装置はコンステレーションマッピングを通じて取得されたシンボルをセグメントに分割する。シンボルの位相は、セグメントに対して同時に調整される。それにより、送信装置の変調効率を向上し、処理時間を削減する。
【００８３】
図２は、本発明の一実施形態による変調方法の概略フローチャートである。方法は、以下のステップを含むが、これに限定されない。
【００８４】
Ｓ２０１。符号化処理を生データに対して実行して、符号化シーケンスを取得する。
【００８５】
具体的に、送信装置は、信号ソースにより出力される生データを取得する。送信装置は、基地局、移動局、ルータ、サイト、ゲートウェイ、又は別のネットワーク装置を含むが、これらに限定されない。生データは、バイナリ形式のデータであって良い。送信装置は、ソース符号化、チャネル符号化処理、又はインターリービング符号化のような処理を生データに対して実行する。ここで、ソース符号化方法は、シャノン符号化、ファノ符号化、ハフマン符号化を含むがこれらに限定されず、チャネル符号化方法は、パリティチェック符号化、CRC符号化、Turbo符号化、等を含むがこれらに限定されない。送信装置は、符号化処理の後に、バイナリビットシーケンスを取得する。送信装置は、ビットシーケンスをM個のビットグループに、変調次数に基づき分割する。ここで、符号化シーケンスはM個のビットグループを含み、各ビットグループに含まれるビットの数は、変調次数と同じである。例えば、ビットシーケンスは、１６ビットを含み、変調次数は２であり、送信装置は１６ビットを８個のビットグループに分割し、各ビットグループは２ビットを含む。
【００８６】
Ｓ２０２。コンステレーションマッピングを符号化シーケンスに対して、プリセットコンステレーション図に基づき実行して、M個のシンボルを取得する。
【００８７】
具体的に、符号化シーケンスは、M個のビットグループを含み、ビットグループはそれぞれ同数のビットを含み、ビットの数は変調次数に等しい。コンステレーション図は、変調次数に基づきプリセットされる。例えば、変調次数N=２のときコンステレーション図は４点コンステレーション図であり、変調次数が４のときコンステレーション図は１６点コンステレーション図であり、又は、変調次数が６のときコンステレーション図は６４点コンステレーション図である。コンステレーション図は、標準APSKコンステレーション図又はQAMコンステレーション図、又は別の形式の対称コンステレーション図、又はカスタマイズされた非対称コンステレーション図であって良い。コンステレーション図中のコンステレーション点の位置は、本発明の本実施形態において限定されない。コンステレーション図は、ビットグループとコンステレーション点の座標との間のマッピング関係を表すために使用される。ビットグループとコンステレーション点の座標との間のマッピング関係も、本発明の本実施形態において限定されない。コンステレーション点の座標は、振幅及びコンステレーション位相を含む。任意で、グレイ符号マッピング方法がQAMコンステレーション図のために使用され、準グレイ符号マッピング方法が、APSKコンステレーション図のために使用される。
【００８８】
Ｓ２０３。M個のシンボルをN個のセグメントに分割する。
【００８９】
具体的に、M及びNは１より大きい整数であり、N個のセグメントの各々に含まれるシンボルの数は同じ又は異なって良い。例えば、無線ローカルエリアネットワークでは、M個のシンボルは無線フレームであり、無線フレームは５１２個のシンボルを含み、送信装置は無線フレームを８個のセグメントに分割し、８個のセグメントの各々は６４個のシンボルを含む。
【００９０】
Ｓ２０４。N個のセグメントの中の各シンボルのコンステレーション位相を取得する。
【００９１】
具体的に、コンステレーション図は、シンボルとコンステレーション座標との間のマッピング関係を表す。送信装置は、M個のシンボルのコンステレーション位相を、Ｓ２０３におけるコンステレーション図上のシンボルの位置を用いて学習して良い。
【００９２】
Ｓ２０５。各セグメント内のシンボルのコンステレーション位相を、プリセット位相調整ルールに従い同時に調整する。
【００９３】
具体的に、位相調整ルールは位相ノイズを抑制するために使用される。送信装置が位相調整をN個のセグメントの各々に対してプリセット位相調整ルールに従い実行するとき、位相調整はセグメントに対して同時に実行される。同時の方法は、具体的に、ソフトウェア方法又はハードウェア方法であって良い。ソフトウェア方法：マルチスレッド方法は、位相調整をN個のセグメントに対して実行するために使用される。ここで、生成されるスレッドの数はセグメントの数Nに等しく、各スレッドは対応するセグメント内のシンボルのコンステレーション位相を調整するために使用される。ハードウェア方法：直列−並列変換が、N個のセグメントに対して実行されて、N個の並列シンボルストリームを取得する。N個の並列シンボルストリームは、それぞれN個の位相調整回路に入力される。ここで、各シンボルストリームは、１つの位相調整回路に一意に対応する。位相調整回路は、入力シンボルのコンステレーション位相をプリセット位相調整ルールに従い調整して、変調効率を向上し及び処理期間を短縮するよう構成される。
【００９４】
可能な実装では、送信装置により、各セグメント内のシンボルのコンステレーション位相を、プリセット位相調整ルールに従い調整するステップは、
N個のセグメントの各々の中のセグメント内基準シンボルを決定するステップであって、セグメント内基準シンボルは２≦Ri≦Mi−１を満たすステップと、
N個のセグメントの中の１≦i≦N且つRi<j≦Miを満たすシンボルについて、該シンボルのコンステレーション位相をφij=θij＋θi(j−１)＋・・・θi(Ri−１)+θiRiに従い調整するステップであって、iはセグメントのシーケンス番号を表し、jはN個のセグメントの中のシンボルのシーケンス番号を表し、Miはi番目のセグメントの中のシンボルの数を表し、つまりM１+M２+・・・MN=Mが満たされ、Riはi番目のセグメントの中のセグメント内基準シンボルのシーケンス番号を表し、θijはi番目のセグメントの中のj番目のシンボルのコンステレーション位相を表し、φijはθijが調整される位相を表し、i、j、Ri、及びMiは全て整数であり、Mi≧３である、ステップと、
N個のセグメントの中の１≦i≦N且つ１≦j<Riを満たすシンボルについて、該シンボルのコンステレーション位相をφij=θij＋θi(j+１)＋・・・+θiRiに従い調整するステップと、
N個のセグメントの中の１≦i≦N且つj=Riを満たすシンボルについて、該シンボルのコンステレーション位相をφij=θijに従い調整するステップと、を含む。
【００９５】
具体的に、セグメント内基準シンボルはセグメントの中の中間シンボルであって良く、セグメント内基準シンボルは２≦Ri≦Mi−１を満たす。言い換えると、セグメント内基準シンボルは、セグメントの中の先頭シンボル又は最終シンボルであり得ない。全てのセグメントの中のセグメント内基準シンボルの位置は、同じ又は異なって良い。あるセグメントでは、セグメント内基準シンボルは、セグメントの中のシンボルを２種類：セグメント内基準シンボルの前のシンボル及びセグメント内基準シンボルの後のシンボルに分割するために境界として使用される。コンステレーションマッピングの後に、N個のセグメントの各々の中のシンボルのコンステレーション位相は以下のように表される。第１セグメントの中のシンボルのコンステレーション位相はθ１１、θ１２、θ１３、．．．、θ１R１、．．．、θ１(M１−１)、θ１M１であり、第２セグメントの中のシンボルのコンステレーション位相はθ２１、θ２２、θ２３、．．．、θ２R２、．．．、θ２(M２−１)、θ２M２であり、第３セグメントの中のシンボルのコンステレーション位相はθ３１、θ３２、θ３３、．．．、θ３R３、．．．、θ３(M３−１)、θ３M３であり、同様に、第Nセグメントの中のシンボルのコンステレーション位相はθN１、θN２、θN３、．．．、θNRN、．．．、θN(MN−１)、θNMN、である。ここで、θijはN個のセグメントの中の任意のシンボルのコンステレーション位相であり、Nはセグメントの数を表し、iはセグメントのシーケンス番号を表し、Miはi番目のセグメントの中のシンボルの数を表し、M１+M２+・・・MN=M、MはN個のセグメントの中のシンボルの総数を表し、Riはi番目のセグメントの中のセグメント内基準シンボルのシーケンス番号を表し、jはシンボルのシーケンス番号を表し、φijはθijに対する位相調整を通じて取得される。１≦i≦N且つj=Ri、つまり被調整シンボルがセグメント内基準シンボルであるとき、φiRi=θiRiであり、１≦i≦N且つRi<j≦Miのとき、φij=θij+θi(j−１)+・・・θi(Ri−１)+θiRiであり、又は、１≦i≦N且つ１≦j<Riのとき、φij=θij+θi(j+１)+・・・+θiRiである。
【００９６】
例えば、図３Ａのグループ化方法を参照すると、N=４である。セグメント１に含まれるシンボルはS１１、S１２、S１３、S１４及びS１５であり、前述のシンボルのコンステレーション位相はそれぞれθ１１、θ１２、θ１３、θ１４及びθ１５である。セグメント２に含まれるシンボルはS２１、S２２、S２３及びS２４であり、前述のシンボルのコンステレーション位相はそれぞれθ２１、θ２２、θ２３及びθ２４である。セグメント３に含まれるシンボルはS３１、S３２、S３３及びS３４であり、前述のシンボルのコンステレーション位相はそれぞれθ３１、θ３２、θ３３及びθ３４である。セグメント４に含まれるシンボルはS４１、S４２、S４３及びS４４であり、前述の４個のシンボルのコンステレーション位相はそれぞれθ４１、θ４２、θ４３及びθ４４である。図３Ａで太線ボックスを有するシンボルは、セグメント内基準シンボルであり、セグメント内基準シンボルはセグメントの中の中間シンボルである。送信装置は、セグメント１内のセグメント内基準シンボルがS１３であり、セグメント２内のセグメント内基準シンボルがS２２であり、セグメント３内のセグメント内基準シンボルがS３３であり、セグメント４内のセグメント内基準シンボルがS４３であることを決定する。送信装置により、４個のセグメント内の１７個のシンボルのコンステレーション位相をプリセット位相調整ルールに従い調整する方法は、４個のセグメント内のセグメント内基準シンボルのコンステレーション位相を不変に保つステップ、つまり、φ１３=θ１３、φ２２=θ２２、φ３３=θ３３、及びφ４３=θ４３を保つステップと、送信装置により、セグメント内のセグメント内基準シンボル以外のシンボルのコンステレーション位相を以下の通り調整するステップと、である：セグメント１ではφ１１=θ１１+θ１２+θ１３、φ１２=θ１２+θ１３、φ１４=θ１４+θ１３、及びφ１５=θ１５+θ１４+θ１３、セグメント２ではφ２１=θ２１+θ２２、φ２３=θ２３+θ２２、及びφ２４=θ２４+θ２３+θ２２、セグメント３ではφ３１=θ３１+θ３２+θ３３、φ３２=θ３２+θ３３、及びφ３４=θ３４+θ３３、セグメント４ではφ４４=θ４４+θ４３、φ４２=θ４２+θ４３+θ４４、及びφ４１=θ４１+θ４２+θ４３+θ４４。
【００９７】
可能な実装では、各セグメント内のシンボルのコンステレーション位相を、プリセット位相調整ルールに従い調整するステップは、N個のセグメントの各々の中のセグメント内基準シンボルを決定するステップであって、セグメント内基準シンボルはRi=Miを満たす、ステップと、
N個のセグメントの中の１≦i≦N且つ１≦j<Miを満たすシンボルについて、該シンボルのコンステレーション位相をφij=θij+θi(j+１)+・・・θi(Ri+１)+θiRiに従い調整するステップであって、iはセグメントのシーケンス番号を表し、jはN個のセグメントの中のシンボルのシーケンス番号を表し、Miはi番目のセグメントの中のシンボルの数を表し、つまりM１+M２+・・・MN=Mが満たされ、Riはi番目のセグメントの中のセグメント内基準シンボルのシーケンス番号を表し、θijはi番目のセグメントの中のj番目のシンボルのコンステレーション位相を表し、φijはθijが調整される位相を表し、i、j、Ri、及びMiは全て整数であり、Mi≧２である、ステップと、
N個のセグメントの中の１≦i≦N且つj=Miを満たすシンボルについて、該シンボルのコンステレーション位相をφij=θijに従い調整するステップと、を含む。
【００９８】
本願の可能な実装では、各セグメント内のシンボルのコンステレーション位相を、プリセット位相調整ルールに従い調整するステップは、
N個のセグメントの各々の中のセグメント内基準シンボルを決定するステップであって、セグメント内基準シンボルはRi=Miを満たす、ステップと、
N個のセグメントの中の１≦i≦N且つ１≦j<Miを満たすシンボルについて、該シンボルのコンステレーション位相をφij=θij+θiRiに従い調整するステップであって、Nはセグメントの数を表し、iはセグメントのシーケンス番号を表し、Miはi番目のセグメントの中のシンボルの数を表し、M１+M２+・・・MN=M、MはN個のセグメントの中のシンボルの総数を表し、Riはi番目のセグメントの中のセグメント内基準シンボルのシーケンス番号を表し、jはN個のセグメントの中のシンボルのシーケンス番号を表し、θijはi番目のセグメントの中のj番目のシンボルのコンステレーション位相を表し、φijはθijが調整される位相を表し、i、j、Ri、及びMiは全て整数であり、Mi≧２である、ステップと、
N個のセグメントの中の１≦i≦N且つj=Riを満たすシンボルについて、該シンボルのコンステレーション位相をφij=θijに従い調整するステップと、を含む。
【００９９】
例えば、図３Ｂのグループ化方法を参照すると、N=４である。セグメント１に含まれるシンボルはS１１、S１２、S１３、S１４及びS１５であり、前述のシンボルのコンステレーション位相はそれぞれθ１１、θ１２、θ１３、θ１４及びθ１５である。セグメント２に含まれるシンボルはS２１、S２２、S２３及びS２４であり、前述のシンボルのコンステレーション位相はそれぞれθ２１、θ２２、θ２３及びθ２４である。セグメント３に含まれるシンボルはS３１、S３２、S３３及びS３４であり、前述のシンボルのコンステレーション位相はそれぞれθ３１、θ３２、θ３３及びθ３４である。セグメント４に含まれるシンボルはS４１、S４２、S４３及びS４４であり、前述の４個のシンボルのコンステレーション位相はそれぞれθ４１、θ４２、θ４３及びθ４４である。図３Ｂで太線ボックスを有するシンボルは、セグメント内基準シンボルであり、セグメント内基準シンボルはセグメントの中の最終シンボルである。送信装置は、セグメント１内のセグメント内基準シンボルがS１５であり、セグメント２内のセグメント内基準シンボルがS２４であり、セグメント３内のセグメント内基準シンボルがS３４であり、セグメント４内のセグメント内基準シンボルがS４４であることを決定する。送信装置により、４個のセグメント内の１７個のシンボルのコンステレーション位相をプリセット位相調整ルールに従い調整する方法は、４個のセグメント内のセグメント内基準シンボルのコンステレーション位相を不変に保つステップ、つまり、φ１５=θ１５、φ２４=θ２４、φ３４=θ３４、及びφ４４=θ４４を保つステップと、送信装置により、セグメント内のセグメント内基準シンボル以外のシンボルのコンステレーション位相を以下の通り調整するステップと、である：セグメント１ではφ１１=θ１１+θ１２+θ１３+θ１４+θ１５、φ１２=θ１２+θ１３+θ１４+θ１５、φ１３=θ１３+θ１４+θ１５、及びφ１４=θ１４+θ１５、セグメント２ではφ２１=θ２１+θ２２+θ２３+θ２４、φ２２=θ２２+θ２３+θ２４、及びφ２３=θ２３+θ２４、セグメント３ではφ３１=θ３１+θ３２+θ３３+θ３４、φ３２=θ３２+θ３３+θ３４、及びφ３３=θ３３+θ３４、セグメント４ではφ４１=θ４１+θ４２+θ４３+θ４４、φ４２=θ４２+θ４３+θ４４、及びφ４３=θ４３+θ４４。
【０１００】
本願の可能な実装では、各セグメント内のシンボルのコンステレーション位相を、プリセット位相調整ルールに従い調整するステップは、
N個のセグメントの各々の中のセグメント内基準シンボルを決定するステップであって、セグメント内基準シンボルはRi=１を満たす、ステップと、
N個のセグメントの中の１≦i≦N且つ１<j≦Miを満たすシンボルについて、該シンボルのコンステレーション位相をφij=θij+θi(j−１)+・・・θi(Ri−１)+θiRiに従い調整するステップであって、iはセグメントのシーケンス番号を表し、jはN個のセグメントの中のシンボルのシーケンス番号を表し、Miはi番目のセグメントの中のシンボルの数を表し、つまりM１+M２+・・・MN=Mが満たされ、Riはi番目のセグメントの中のセグメント内基準シンボルのシーケンス番号を表し、θijはi番目のセグメントの中のj番目のシンボルのコンステレーション位相を表し、φijはθijが調整される位相を表し、i、j、Ri、及びMiは全て整数であり、Mi≧２である、ステップと、
N個のセグメントの中の１≦i≦N且つj=１を満たすシンボルについて、該シンボルのコンステレーション位相をφij=θijに従い調整するステップと、を含む。
【０１０１】
例えば、図３Ｃのグループ化方法を参照すると、N=４である。セグメント１に含まれるシンボルはS１１、S１２、S１３、S１４及びS１５であり、前述のシンボルのコンステレーション位相はそれぞれθ１１、θ１２、θ１３、θ１４及びθ１５である。セグメント２に含まれるシンボルはS２１、S２２、S２３及びS２４であり、前述のシンボルのコンステレーション位相はそれぞれθ２１、θ２２、θ２３及びθ２４である。セグメント３に含まれるシンボルはS３１、S３２、S３３及びS３４であり、前述のシンボルのコンステレーション位相はそれぞれθ３１、θ３２、θ３３及びθ３４である。セグメント４に含まれるシンボルはS４１、S４２、S４３及びS４４であり、前述の４個のシンボルのコンステレーション位相はそれぞれθ４１、θ４２、θ４３及びθ４４である。図３Ｃで太線ボックスを有するシンボルは、セグメント内基準シンボルであり、セグメント内基準シンボルはセグメントの中の先頭シンボルである。送信装置は、セグメント１内のセグメント内基準シンボルがS１１であり、セグメント２内のセグメント内基準シンボルがS２１であり、セグメント３内のセグメント内基準シンボルがS３１であり、セグメント４内のセグメント内基準シンボルがS４１であることを決定する。送信装置により、４個のセグメント内の１７個のシンボルのコンステレーション位相をプリセット位相調整ルールに従い調整する方法は、４個のセグメント内のセグメント内基準シンボルのコンステレーション位相を不変に保つステップ、つまり、φ１１=θ１１、φ２１=θ２１、φ３１=θ３１、及びφ４１=θ４１を保つステップと、送信装置により、セグメント内のセグメント内基準シンボル以外のシンボルのコンステレーション位相を以下の通り調整するステップと、である：セグメント１ではφ１２=θ１２+θ１１、φ１３=θ１３+θ１２+θ１１、φ１４=θ１４+θ１３+θ１２+θ１１、及びφ１５=θ１５+θ１４+θ１３+θ１２+θ１１、セグメント２ではφ２２=θ２２+θ２１、φ２３=θ２３+θ２２+θ２１、及びφ２４=θ２４+θ２３+θ２２+θ２１、セグメント３ではφ３２=θ３２+θ３１、φ３３=θ３３+θ３２+θ３１、及びφ３４=θ３４+θ３３+θ３２+θ３１、セグメント４ではφ４２=θ４２+θ４１、φ４３=θ４３+θ４２+θ４１、及びφ４４=θ４４+θ４３+θ４２+θ４１。
【０１０２】
本願の可能な実装では、各セグメント内のシンボルのコンステレーション位相を、プリセット位相調整ルールに従い調整するステップは、
N個のセグメントの各々の中のセグメント内基準シンボルを決定するステップであって、セグメント内基準シンボルは２≦Ri≦Mi−１を満たす、ステップと、
N個のセグメントの中の１≦i≦N、１≦j≦Mi、且つj≦Riを満たすシンボルについて、該シンボルのコンステレーション位相をφij=θij+θiRiに従い調整するステップであって、Nはセグメントの数を表し、iはセグメントのシーケンス番号を表し、Miはi番目のセグメントの中のシンボルの数を表し、M１+M２+・・・MN=M、MはN個のセグメントの中のシンボルの総数を表し、Riはi番目のセグメントの中のセグメント内基準シンボルのシーケンス番号を表し、jはN個のセグメントの中のシンボルのシーケンス番号を表し、θijはi番目のセグメントの中のj番目のシンボルのコンステレーション位相を表し、φijはθijが調整される位相を表し、i、j、Ri、及びMiは全て整数であり、Mi≧３である、ステップと、
N個のセグメントの中の１≦i≦N且つj=Riを満たすシンボルについて、該シンボルのコンステレーション位相をφij=θijに従い調整するステップと、を含む。
【０１０３】
具体的に、セグメント内基準シンボルはセグメントの中の中間シンボルであって良く、セグメント内基準シンボルは２≦Ri≦Mi−１を満たす。言い換えると、セグメント内基準シンボルは、セグメントの中の先頭シンボル又は最終シンボルであり得ない。N個のセグメントの中のセグメント内基準シンボルの位置は、同じ又は異なって良く、これは本願において限定されない。全てのセグメントに含まれるシンボルの数も同じ又は異なって良く、これは本願において限定されない。コンステレーションマッピングの後に、N個のセグメントの各々の中のシンボルのコンステレーション位相は以下のように表されて良い。第１セグメントの中のシンボルのコンステレーション位相はθ１１、θ１２、θ１３、．．．、θ１R１、．．．、θ１(M１−１)、θ１M１であり、第２セグメントの中のシンボルのコンステレーション位相はθ２１、θ２２、θ２３、．．．、θ２R２、．．．、θ２(M２−１)、θ２M２であり、第３セグメントの中のシンボルのコンステレーション位相はθ３１、θ３２、θ３３、．．．、θ３R３、．．．、θ３(M３−１)、θ３M３であり、同様に、第Nセグメントの中のシンボルのコンステレーション位相はθN１、θN２、θN３、．．．、θNRN、．．．、θN(MN−１)、θNMN、である。ここで、θijはN個のセグメントの中の任意のシンボルのコンステレーション位相であり、Nはセグメントの数を表し、iはセグメントのシーケンス番号を表し、Miはi番目のセグメントの中のシンボルの数を表し、M１+M２+・・・MN=M、MはN個のセグメントの中のシンボルの総数を表し、Riはi番目のセグメントの中のセグメント内基準シンボルのシーケンス番号を表し、jはシンボルのシーケンス番号を表し、φijはθijに対する位相調整を通じて取得される。１≦i≦N且つj=Ri、つまり被調整シンボルがセグメント内基準シンボルであるとき、φiRi=θiRiであり、又は１≦i≦N、１≦j≦Mi、且つj≠Riのとき、φij=θij+θiRiである。
【０１０４】
例えば、図４Ａのグループ化方法を参照すると、N=４であり、各セグメントは４個のシンボルを含む。セグメント１に含まれるシンボルはS１１、S１２、S１３、及びS１４であり、前述のシンボルのコンステレーション位相はそれぞれθ１１、θ１２、θ１３、及びθ１４である。セグメント２に含まれるシンボルはS２１、S２２、S２３及びS２４であり、前述のシンボルのコンステレーション位相はそれぞれθ２１、θ２２、θ２３及びθ２４である。セグメント３に含まれるシンボルはS３１、S３２、S３３及びS３４であり、前述のシンボルのコンステレーション位相はそれぞれθ３１、θ３２、θ３３及びθ３４である。セグメント４に含まれるシンボルはS４１、S４２、S４３及びS４４であり、前述の４個のシンボルのコンステレーション位相はそれぞれθ４１、θ４２、θ４３及びθ４４である。図４Ａで太線ボックスを有するシンボルは、セグメント内基準シンボルであり、セグメント内基準シンボルはセグメントの中の中間シンボルである。送信装置は、セグメント１内のセグメント内基準シンボルがS１２であり、セグメント２内のセグメント内基準シンボルがS２２であり、セグメント３内のセグメント内基準シンボルがS３３であり、セグメント４内のセグメント内基準シンボルがS４３であることを決定する。送信装置により、４個のセグメント内の１６個のシンボルのコンステレーション位相をプリセット位相調整ルールに従い調整する方法は、４個のセグメント内のセグメント内基準シンボルのコンステレーション位相を不変に保つステップ、つまり、φ１２=θ１２、φ２２=θ２２、φ３３=θ３３、及びφ４３=θ４３を保つステップと、送信装置により、セグメント内のセグメント内基準シンボル以外のシンボルのコンステレーション位相を以下の通り調整するステップと、である：セグメント１ではφ１１=θ１１+θ１２、φ１３=θ１３+θ１２、及びφ１４=θ１４+θ１２、セグメント２ではφ２１=θ２１+θ２２、φ２３=θ２３+θ２２、及びφ２４=θ２４+θ２２、セグメント３ではφ３２=θ３２+θ３３、φ３１=θ３１+θ３３、及びφ３４=θ３４+θ３３、セグメント４ではφ４４=θ４４+θ４３、φ４２=θ４２+θ４３、及びφ４１=θ４１+θ４３。
【０１０５】
本願の可能な実装では、各セグメント内のシンボルのコンステレーション位相を、プリセット位相調整ルールに従い調整するステップは、
N個のセグメントの各々の中のセグメント内基準シンボルを決定するステップであって、セグメント内基準シンボルはRi=１を満たす、ステップと、
N個のセグメントの中の１≦i≦N且つ１<j≦Miを満たすシンボルについて、該シンボルのコンステレーション位相をφij=θij+θiRiに従い調整するステップであって、Nはセグメントの数を表し、iはセグメントのシーケンス番号を表し、Miはi番目のセグメントの中のシンボルの数を表し、M１+M２+・・・MN=M、MはN個のセグメントの中のシンボルの総数を表し、Riはi番目のセグメントの中のセグメント内基準シンボルのシーケンス番号を表し、jはN個のセグメントの中のシンボルのシーケンス番号を表し、θijはi番目のセグメントの中のj番目のシンボルのコンステレーション位相を表し、φijはθijが調整される位相を表し、i、j、Ri、及びMiは全て整数であり、Mi≧２である、ステップと、
N個のセグメントの中の１≦i≦N且つj=Riを満たすシンボルについて、該シンボルのコンステレーション位相をφij=θijに従い調整するステップと、を含む。
【０１０６】
例えば、図４Ｂのグループ化方法を参照すると、N=４であり、各セグメントは４個のシンボルを含む。セグメント１に含まれるシンボルはS１１、S１２、S１３、及びS１４であり、前述のシンボルのコンステレーション位相はそれぞれθ１１、θ１２、θ１３、及びθ１４である。セグメント２に含まれるシンボルはS２１、S２２、S２３及びS２４であり、前述のシンボルのコンステレーション位相はそれぞれθ２１、θ２２、θ２３及びθ２４である。セグメント３に含まれるシンボルはS３１、S３２、S３３及びS３４であり、前述のシンボルのコンステレーション位相はそれぞれθ３１、θ３２、θ３３及びθ３４である。セグメント４に含まれるシンボルはS４１、S４２、S４３及びS４４であり、前述の４個のシンボルのコンステレーション位相はそれぞれθ４１、θ４２、θ４３及びθ４４である。図４Ｂで太線ボックスを有するシンボルは、セグメント内基準シンボルであり、セグメント内基準シンボルはセグメントの中の先頭シンボルである。送信装置は、セグメント１内のセグメント内基準シンボルがS１１であり、セグメント２内のセグメント内基準シンボルがS２１であり、セグメント３内のセグメント内基準シンボルがS３１であり、セグメント４内のセグメント内基準シンボルがS４１であることを決定する。送信装置により、４個のセグメント内の１６個のシンボルのコンステレーション位相をプリセット位相調整ルールに従い調整する方法は、４個のセグメント内のセグメント内基準シンボルのコンステレーション位相を不変に保つステップ、つまり、φ１１=θ１１、φ２１=θ２１、φ３１=θ３１、及びφ４１=θ４１を保つステップと、送信装置により、セグメント内のセグメント内基準シンボル以外のシンボルのコンステレーション位相を以下の通り調整するステップと、である：セグメント１ではφ１２=θ１２+θ１１、φ１３=θ１３+θ１１、及びφ１４=θ１４+θ１１、セグメント２ではφ２２=θ２２+θ２１、φ２３=θ２３+θ２１、及びφ２４=θ２４+θ２１、セグメント３ではφ３２=θ３２+θ３１、φ３３=θ３３+θ３１、及びφ３４=θ３４+θ３１、セグメント４ではφ４２=θ４２+θ４１、φ４３=θ４３+θ４１、及びφ４４=θ４４+θ４１。
【０１０７】
本願の可能な実装では、各セグメント内のシンボルのコンステレーション位相を、プリセット位相調整ルールに従い調整するステップは、
N個のセグメントの各々の中のセグメント内基準シンボルを決定するステップであって、セグメント内基準シンボルはRi=Miを満たす、ステップと、
N個のセグメントの中の１≦i≦N且つ１≦j<Miを満たすシンボルについて、該シンボルのコンステレーション位相をφij=θij+θiRiに従い調整するステップであって、Nはセグメントの数を表し、iはセグメントのシーケンス番号を表し、Miはi番目のセグメントの中のシンボルの数を表し、M１+M２+・・・MN=M、MはN個のセグメントの中のシンボルの総数を表し、Riはi番目のセグメントの中のセグメント内基準シンボルのシーケンス番号を表し、jはN個のセグメントの中のシンボルのシーケンス番号を表し、θijはi番目のセグメントの中のj番目のシンボルのコンステレーション位相を表し、φijはθijが調整される位相を表し、i、j、Ri、及びMiは全て整数であり、Mi≧２である、ステップと、
N個のセグメントの中の１≦i≦N且つj=Riを満たすシンボルについて、該シンボルのコンステレーション位相をφij=θijに従い調整するステップと、を含む。
【０１０８】
例えば、図４Ｃのグループ化方法を参照すると、N=４であり、各セグメントは４個のシンボルを含む。セグメント１に含まれるシンボルはS１１、S１２、S１３、及びS１４であり、前述のシンボルのコンステレーション位相はそれぞれθ１１、θ１２、θ１３、及びθ１４である。セグメント２に含まれるシンボルはS２１、S２２、S２３及びS２４であり、前述のシンボルのコンステレーション位相はそれぞれθ２１、θ２２、θ２３及びθ２４である。セグメント３に含まれるシンボルはS３１、S３２、S３３及びS３４であり、前述のシンボルのコンステレーション位相はそれぞれθ３１、θ３２、θ３３及びθ３４である。セグメント４に含まれるシンボルはS４１、S４２、S４３及びS４４であり、前述の４個のシンボルのコンステレーション位相はそれぞれθ４１、θ４２、θ４３及びθ４４である。図４Ｃで太線ボックスを有するシンボルは、セグメント内基準シンボルであり、セグメント内基準シンボルはセグメントの中の最終シンボルである。送信装置は、セグメント１内のセグメント内基準シンボルがS１４であり、セグメント２内のセグメント内基準シンボルがS２４であり、セグメント３内のセグメント内基準シンボルがS３４であり、セグメント４内のセグメント内基準シンボルがS４４であることを決定する。送信装置により、４個のセグメント内の１６個のシンボルのコンステレーション位相をプリセット位相調整ルールに従い調整する方法は、４個のセグメント内のセグメント内基準シンボルのコンステレーション位相を不変に保つステップ、つまり、φ１４=θ１４、φ２４=θ２４、φ３４=θ３４、及びφ４４=θ４４を保つステップと、送信装置により、セグメント内のセグメント内基準シンボル以外のシンボルのコンステレーション位相を以下の通り調整するステップと、である：セグメント１ではφ１１=θ１１+θ１４、φ１２=θ１２+θ１４、及びφ１３=θ１３+θ１４、セグメント２ではφ２１=θ２１+θ２４、φ２２=θ２２+θ２４、及びφ２３=θ２３+θ２４、セグメント３ではφ３１=θ３１+θ３４、φ３２=θ３２+θ３４、及びφ３３=θ３３+θ３４、セグメント４ではφ４１=θ４１+θ４４、φ４２=θ４２+θ４４、及びφ４３=θ４３+θ４４。
【０１０９】
本願の可能な実装では、各セグメント内のシンボルのコンステレーション位相を、プリセット位相調整ルールに従い調整するステップは、
N個のセグメントの各々の中のセグメント内基準シンボルを決定するステップであって、セグメント内基準シンボルは２≦Ri≦Mi−１を満たす、ステップと、
N個のセグメントの中の１≦i≦Nを満たすセグメント内基準シンボルについて、該セグメント内基準シンボルのコンステレーション位相をφiRi=θiRi+θ(i−１)(Ri−１)+・・・θ２R２+θ１R１に従い調整するステップであって、Nはセグメントの数を表し、iはセグメントのシーケンス番号を表し、Riはi番目のセグメントの中のセグメント内基準シンボルのシーケンス番号を表し、θiRiはi番目のセグメントの中の基準シンボルのコンステレーション位相を表し、φiRiはθiRiが調整されるセグメント内基準シンボルの位相を表す、ステップと、
N個のセグメントの中の１≦i≦N且つRi<j≦Miを満たすシンボルについて、該シンボルのコンステレーション位相をφij=θij+θi(j−１)+・・・θi(Ri−１)+φiRiに従い調整するステップであって、Miはi番目のセグメントの中のシンボルの数を表し、M１+M２+・・・MN=M、MはN個のセグメントの中のシンボルの総数を表し、jはN個のセグメントの中のシンボルのシーケンス番号を表し、θijはi番目のセグメントの中のj番目のシンボルのコンステレーション位相を表し、φijはθijがプリセット位相調整ルールに従い調整される位相を表し、i、j、Ri、及びMiは全て整数であり、Mi≧２である、ステップと、
N個のセグメントの中の１≦i≦N且つ１≦j<Riを満たすシンボルについて、該シンボルのコンステレーション位相を式φij=θij+θi(j+１)+・・・+φiRiに従い調整するステップと、
N個のセグメントの中の１≦i≦N且つj=Riを満たすシンボルについて、該シンボルの位相をφij=θijに従い調整するステップと、を含む。
【０１１０】
具体的に、セグメント内基準シンボルはセグメントの中の中間シンボルであって良く、セグメント内基準シンボルは２≦Ri≦Mi−１を満たす。言い換えると、セグメント内基準シンボルは、セグメントの中の先頭シンボル又は最終シンボルのいずれでもない。セグメントの中のセグメント内基準シンボルの位置は、同じ又は異なって良い。コンステレーションマッピングが符号化シーケンスに含まれるM個のビットグループに対して実行された後に、N個のセグメントの各々の中のシンボルのコンステレーション位相は以下のように表される。第１セグメントの中のシンボルのコンステレーション位相はθ１１、θ１２、θ１３、．．．、θ１R１、．．．、θ１(M１−１)、θ１M１であり、第２セグメントの中のシンボルのコンステレーション位相はθ２１、θ２２、θ２３、．．．、θ２R２、．．．、θ２(M２−１)、θ２M２であり、第３セグメントの中のシンボルのコンステレーション位相はθ３１、θ３２、θ３３、．．．、θ３R３、．．．、θ３(M３−１)、θ３M３であり、同様に、第Nセグメントの中のシンボルのコンステレーション位相はθN１、θN２、θN３、．．．、θNRN、．．．、θN(MN−１)、θNMNである。ここで、θijはN個のセグメントの中の任意のシンボルのコンステレーション位相であり、Nはセグメントの数を表し、iはセグメントのシーケンス番号を表し、Miはi番目のセグメントの中のシンボルの数を表し、M１+M２+・・・MN=M、MはN個のセグメントの中のシンボルの総数を表し、Riはi番目のセグメントの中のセグメント内基準シンボルのシーケンス番号を表し、jはシンボルのシーケンス番号を表し、φijはθijに対する位相調整を通じて取得される。１≦i≦N且つj=Ri、つまり被調整シンボルがセグメント内基準シンボルであるとき、φiRi=θiRi+θ(i−１)(Ri−１)+・・・θ２R２+θ１R１である。セグメント内基準シンボルは、セグメントの中のシンボルを２種類：セグメント内基準シンボルの前のシンボル及びセグメント内基準シンボルの後のシンボルに分割するために境界として使用される。セグメント内基準シンボルの後のシンボルは１≦i≦N且つRi<j≦Miを満たし、該シンボルのコンステレーション位相は式φij=θij+θi(j−１)+・・・θi(Ri−１)+φiRiに従い調整される。セグメント内基準シンボルの前のシンボルは１≦i≦N且つ１≦j<Riを満たし、該シンボルのコンステレーション位相は式φij=θij+θi(j+１)+・・・+φiRiに従い調整される。
【０１１１】
例えば、図５Ａのグループ化方法を参照すると、N=３である。セグメント１に含まれるシンボルはS１１、S１２、S１３、S１４及びS１５であり、前述のシンボルのコンステレーション位相はそれぞれθ１１、θ１２、θ１３、θ１４及びθ１５である。セグメント２に含まれるシンボルはS２１、S２２、S２３、S２４及びS２５であり、前述のシンボルのコンステレーション位相はそれぞれθ２１、θ２２、θ２３、θ２４及びθ２５である。セグメント３に含まれるシンボルはS３１、S３２、S３３、S３４及びS３５であり、前述のシンボルのコンステレーション位相はそれぞれθ３１、θ３２、θ３３、θ３４及びθ３５である。図５Ａで太線ボックスを有するシンボルは、セグメント内基準シンボルであり、セグメント内基準シンボルは中間シンボルである。送信装置は、セグメント１内のセグメント内基準シンボルがS１３であり、セグメント２内のセグメント内基準シンボルがS２３であり、セグメント３内のセグメント内基準シンボルがS３３であることを決定する。送信装置により、３個のセグメント内の１５個のシンボルのコンステレーション位相をプリセット位相調整ルールに従い調整する方法は、先ず、送信装置により、３個のセグメント内のセグメント内基準シンボルのコンステレーション位相をφ１３=θ１３、φ２３=θ２３+θ１３、及びφ３３=θ３３+θ２３+θ１３に従い調整するステップと、次に、送信装置により、セグメント内のセグメント内基準シンボル以外のシンボルのコンステレーション位相を以下の通り調整するステップと、である：セグメント１ではφ１１=θ１１+θ１２+φ１３、φ１２=θ１２+φ１３、φ１４=θ１４+φ１３、及びφ１５=θ１５+θ１４+φ１３、セグメント２ではφ２１=θ２１+θ２２+φ２３、φ２２=θ２２+φ２３、φ２４=θ２４+φ２３、及びφ２５=θ２５+θ２４+φ２３、セグメント３ではφ３１=θ３１+θ３２+φ３３、φ３２=θ３２+φ３３、φ３４=θ３４+φ３３、及びφ３５=θ３５+θ３４+φ３３。
【０１１２】
本願の可能な実装では、各セグメント内のシンボルのコンステレーション位相を、プリセット位相調整ルールに従い調整するステップは、
N個のセグメントの各々の中のセグメント内基準シンボルを決定するステップであって、セグメント内基準シンボルはRi=１を満たす、ステップと、
N個のセグメントの中の１≦i≦Nを満たすセグメント内基準シンボルについて、該セグメント内基準シンボルのコンステレーション位相をφiRi=θiRi+θ(i−１)(Ri−１)+・・・θ２R２+θ１R１に従い調整するステップであって、Nはセグメントの数を表し、iはセグメントのシーケンス番号を表し、Riはi番目のセグメントの中のセグメント内基準シンボルのシーケンス番号を表し、θiRiはi番目のセグメントの中の基準シンボルのコンステレーション位相を表し、φiRiはθiRiが調整されるセグメント内基準シンボルの位相を表す、ステップと、
N個のセグメントの中の１≦i≦N且つ１<j≦Miを満たすシンボルについて、該シンボルのコンステレーション位相をφij=θij+θi(j−１)+・・・θi(Ri−１)+φiRiに従い調整するステップであって、Miはi番目のセグメントの中のシンボルの数を表し、M１+M２+・・・MN=M、MはN個のセグメントの中のシンボルの総数を表し、jはN個のセグメントの中のシンボルのシーケンス番号を表し、θijはi番目のセグメントの中のj番目のシンボルのコンステレーション位相を表し、φijはθijがプリセット位相調整ルールに従い調整される位相を表し、i、j、Ri、及びMiは全て整数であり、Mi≧２である、ステップと、
N個のセグメントの中の１≦i≦N且つj=Riを満たすシンボルについて、該シンボルの位相をφij=θijに従い調整するステップと、を含む。
【０１１３】
例えば、図５Ｂのグループ化方法を参照すると、N=３である。セグメント１に含まれるシンボルはS１１、S１２、S１３、S１４及びS１５であり、前述のシンボルのコンステレーション位相はそれぞれθ１１、θ１２、θ１３、θ１４及びθ１５である。セグメント２に含まれるシンボルはS２１、S２２、S２３、S２４及びS２５であり、前述のシンボルのコンステレーション位相はそれぞれθ２１、θ２２、θ２３、θ２４及びθ２５である。セグメント３に含まれるシンボルはS３１、S３２、S３３、S３４及びS３５であり、前述のシンボルのコンステレーション位相はそれぞれθ３１、θ３２、θ３３、θ３４及びθ３５である。図５Ｂで太線ボックスを有するシンボルは、セグメント内基準シンボルであり、セグメント内基準シンボルは先頭シンボルである。送信装置は、セグメント１内のセグメント内基準シンボルがS１１であり、セグメント２内のセグメント内基準シンボルがS２１であり、セグメント３内のセグメント内基準シンボルがS３１であることを決定する。送信装置により、３個のセグメント内の１５個のシンボルのコンステレーション位相をプリセット位相調整ルールに従い調整する方法は、先ず、送信装置により、３個のセグメント内のセグメント内基準シンボルのコンステレーション位相をφ１１=θ１１、φ２１=θ２１+θ１１、及びφ３１=θ３１+θ２１+θ１１に従い調整するステップと、次に、送信装置により、セグメント内のセグメント内基準シンボル以外のシンボルのコンステレーション位相を以下の通り調整するステップと、である：セグメント１ではφ１２=θ１２+φ１１、φ１３=θ１３+θ１２+φ１１、φ１４=θ１４+θ１３+θ１２+φ１１、及びφ１５=θ１５+θ１４+θ１３+θ１２+φ１１、セグメント２ではφ２２=θ２２+φ２１、φ２３=θ２３+θ２２+φ２１、φ２４=θ２４+θ２３+θ２２+φ２１、及びφ２５=θ２５+θ２４+θ２３+θ２２+φ２１、セグメント３ではφ３２=θ３２+φ３１、φ３３=θ３３+θ３２+φ３１、φ３４=θ３４+θ３３+θ３２+φ３１、及びφ３５=θ３５+θ３４+θ３３+θ３２+φ３１。
【０１１４】
本願の可能な実装では、各セグメント内のシンボルのコンステレーション位相を、プリセット位相調整ルールに従い調整するステップは、N個のセグメントの各々の中のセグメント内基準シンボルを決定するステップであって、セグメント内基準シンボルはRi=Miを満たす、ステップと、
N個のセグメントの中の１≦i≦Nを満たすセグメント内基準シンボルについて、該セグメント内基準シンボルのコンステレーション位相をφiRi=θiRi+θ(i−１)(Ri−１)+・・・θ２R２+θ１R１に従い調整するステップであって、Nはセグメントの数を表し、iはセグメントのシーケンス番号を表し、Riはi番目のセグメントの中のセグメント内基準シンボルのシーケンス番号を表し、θiRiはi番目のセグメントの中の基準シンボルのコンステレーション位相を表し、φiRiはθiRiが調整されるセグメント内基準シンボルの位相を表す、ステップと、
N個のセグメントの中の１≦i≦N且つ１≦j<Miを満たすシンボルについて、該シンボルのコンステレーション位相を式φij=θij+θi(j+１)+・・・+φiRiに従い調整するステップであって、Miはi番目のセグメントの中のシンボルの数を表し、M１+M２+・・・MN=M、MはN個のセグメントの中のシンボルの総数を表し、jはN個のセグメントの中のシンボルのシーケンス番号を表し、θijはi番目のセグメントの中のj番目のシンボルのコンステレーション位相を表し、φijはθijがプリセット位相調整ルールに従い調整される位相を表し、i、j、Ri、及びMiは全て整数であり、Mi≧２である、ステップと、
N個のセグメントの中の１≦i≦N且つj=Riを満たすシンボルについて、該シンボルの位相をφij=θijに従い調整するステップと、を含む。
【０１１５】
例えば、図５Ｃのグループ化方法を参照すると、N=３である。セグメント１に含まれるシンボルはS１１、S１２、S１３、S１４及びS１５であり、前述のシンボルのコンステレーション位相はそれぞれθ１１、θ１２、θ１３、θ１４及びθ１５である。セグメント２に含まれるシンボルはS２１、S２２、S２３、S２４及びS２５であり、前述のシンボルのコンステレーション位相はそれぞれθ２１、θ２２、θ２３、θ２４及びθ２５である。セグメント３に含まれるシンボルはS３１、S３２、S３３、S３４及びS３５であり、前述のシンボルのコンステレーション位相はそれぞれθ３１、θ３２、θ３３、θ３４及びθ３５である。図５Ｃで太線ボックスを有するシンボルは、セグメント内基準シンボルであり、セグメント内基準シンボルは最終シンボルである。送信装置は、セグメント１内のセグメント内基準シンボルがS１５であり、セグメント２内のセグメント内基準シンボルがS２５であり、セグメント３内のセグメント内基準シンボルがS３５であることを決定する。送信装置により、３個のセグメント内の１５個のシンボルのコンステレーション位相をプリセット位相調整ルールに従い調整する方法は、先ず、送信装置により、３個のセグメント内のセグメント内基準シンボルのコンステレーション位相をφ１５=θ１５、φ２５=θ２５+θ１５、及びφ３５=θ３５+θ２５+θ１５に従い調整するステップと、次に、送信装置により、セグメント内のセグメント内基準シンボル以外のシンボルのコンステレーション位相を以下の通り調整するステップと、である：セグメント１ではφ１４=θ１４+φ１５、φ１３=θ１３+θ１４+φ１５、φ１２=θ１２+θ１３+θ１４+φ１５、及びφ１１=θ１１+θ１２+θ１３+θ１４+φ１５、セグメント２ではφ２４=θ２４+φ２５、φ２３=θ２３+θ２４+φ２５、φ２２=θ２２+θ２３+θ２４+φ２５、及びφ２１=θ２１+θ２２+θ２３+θ２４+φ２５、セグメント３ではφ３４=θ３４+φ３５、φ３３=θ３３+θ３４+φ３５、φ３２=θ３２+θ３３+θ３４+φ３５、及びφ３１=θ３１+θ３２+θ３３+θ３４+φ３５。
【０１１６】
本願の可能な実装では、各セグメント内のシンボルのコンステレーション位相を、プリセット位相調整ルールに従い調整するステップは、
N個のセグメントの中の各シンボルの中のセグメント内基準シンボルを決定するステップであって、セグメント内基準シンボルは２≦Ri≦Mi−１を満たす、ステップと、
N個のセグメントの中の１≦i≦Nを満たすセグメント内基準シンボルについて、該セグメント内基準シンボルのコンステレーション位相をφiRi=θiRi+θ(i−１)(Ri−１)+・・・θ２R２+θ１R１に従い調整するステップであって、Nはセグメントの数を表し、iはセグメントのシーケンス番号を表し、Riはi番目のセグメントの中のセグメント内基準シンボルのシーケンス番号を表し、θiRiはi番目のセグメントの中の基準シンボルのコンステレーション位相を表し、φiRiはθiRiが調整されるセグメント内基準シンボルの位相を表す、ステップと、
N個のセグメントの中の１≦i≦N、１≦j≦Ri、且つj≠Riを満たすシンボルについて、該シンボルのコンステレーション位相をφij=θij+φiRiに従い調整するステップであって、Miはi番目のセグメントの中のシンボルの数を表し、M１+M２+・・・MN=M、MはN個のセグメントの中のシンボルの総数を表し、jはN個のセグメントの中のシンボルのシーケンス番号を表し、θijはi番目のセグメントの中のj番目のシンボルのコンステレーション位相を表し、φijはθijがプリセット位相調整ルールに従い調整される位相を表し、i、j、Ri、及びMiは全て整数であり、Mi≧３である、ステップと、
N個のセグメントの中の１≦i≦N且つj=Riを満たすシンボルについて、該シンボルの位相をφij=θijに従い調整するステップと、を含む。
【０１１７】
具体的に、セグメント内基準シンボルはセグメントの中の中間シンボルであって良く、セグメント内基準シンボルは２≦Ri≦Mi−１を満たす。言い換えると、セグメント内基準シンボルは、セグメントの中の先頭シンボル又は最終シンボルのいずれでもない。N個のセグメントの中のセグメント内基準シンボルの位置は、同じ又は異なって良く、これは本願において限定されない。全てのセグメントに含まれるシンボルの数も同じ又は異なって良く、これは本願において限定されない。コンステレーションマッピングの後に、N個のセグメントの各々の中のシンボルのコンステレーション位相は以下のように表されて良い。第１セグメントの中のシンボルのコンステレーション位相はθ１１、θ１２、θ１３、．．．、θ１R１、．．．、θ１(M１−１)、θ１M１であり、第２セグメントの中のシンボルのコンステレーション位相はθ２１、θ２２、θ２３、．．．、θ２R２、．．．、θ２(M２−１)、θ２M２であり、第３セグメントの中のシンボルのコンステレーション位相はθ３１、θ３２、θ３３、．．．、θ３R３、．．．、θ３(M３−１)、θ３M３であり、同様に、第Nセグメントの中のシンボルのコンステレーション位相はθN１、θN２、θN３、．．．、θNRN、．．．、θN(MN−１)、θNMNである。ここで、θijはN個のセグメントの中の任意のシンボルのコンステレーション位相であり、Nはセグメントの数を表し、iはセグメントのシーケンス番号を表し、Miはi番目のセグメントの中のシンボルの数を表し、M１+M２+・・・MN=M、MはN個のセグメントの中のシンボルの総数を表し、Riはi番目のセグメントの中のセグメント内基準シンボルのシーケンス番号を表し、jはシンボルのシーケンス番号を表し、φijはθijに対する位相調整を通じて取得される。１≦i≦N且つj=Ri、つまり被調整シンボルがセグメント内基準シンボルであるとき、φiRi=θiRi+θ(i−１)(Ri−１)+・・・θ２R２+θ１R１である。N個のセグメントの中の１≦i≦N、１≦j≦Ri、且つj≠Riを満たすシンボルについて、該シンボルのコンステレーション位相は式φij=θij+φiRiに従い調整される。
【０１１８】
例えば、図６Ａのグループ化方法を参照すると、N=３である。セグメント１に含まれるシンボルはS１１、S１２、S１３、S１４及びS１５であり、前述のシンボルのコンステレーション位相はそれぞれθ１１、θ１２、θ１３、θ１４及びθ１５である。セグメント２に含まれるシンボルはS２１、S２２、S２３、S２４及びS２５であり、前述のシンボルのコンステレーション位相はそれぞれθ２１、θ２２、θ２３、θ２４及びθ２５である。セグメント３に含まれるシンボルはS３１、S３２、S３３、S３４及びS３５であり、前述のシンボルのコンステレーション位相はそれぞれθ３１、θ３２、θ３３、θ３４及びθ３５である。図６Ａで太線ボックスを有するシンボルは、セグメント内基準シンボルである。送信装置は、セグメント１内のセグメント内基準シンボルがS１３であり、セグメント２内のセグメント内基準シンボルがS２３であり、セグメント３内のセグメント内基準シンボルがS３３であることを決定する。送信装置により、３個のセグメント内の１５個のシンボルのコンステレーション位相をプリセット位相調整ルールに従い調整する方法は、先ず、送信装置により、３個のセグメント内のセグメント内基準シンボルのコンステレーション位相をφ１３=θ１３、φ２３=θ２３+θ１３、及びφ３３=θ３３+θ２３+θ１３に従い調整するステップと、次に、送信装置により、セグメント内のセグメント内基準シンボル以外のシンボルのコンステレーション位相を以下の通り調整するステップと、である：セグメント１ではφ１１=θ１１+φ１３、φ１２=θ１２+φ１３、φ１４=θ１４+φ１３、及びφ１５=θ１５+φ１３、セグメント２ではφ２１=θ２１+φ２３、φ２２=θ２２+φ２３、φ２４=θ２４+φ２３、及びφ２５=θ２５+φ２３、セグメント３ではφ３１=θ３１+φ３３、φ３２=θ３２+φ３３、φ３４=θ３４+φ３３、及びφ３５=θ３５+φ３３。
【０１１９】
本願の可能な実装では、各セグメント内のシンボルのコンステレーション位相を、プリセット位相調整ルールに従い調整するステップは、
N個のセグメントの中の各シンボルの中のセグメント内基準シンボルを決定するステップであって、セグメント内基準シンボルはRi=１を満たす、ステップと、
N個のセグメントの中の１≦i≦Nを満たすセグメント内基準シンボルについて、該セグメント内基準シンボルのコンステレーション位相をφiRi=θiRi+θ(i−１)(Ri−１)+・・・θ２R２+θ１R１に従い調整するステップであって、Nはセグメントの数を表し、iはセグメントのシーケンス番号を表し、Riはi番目のセグメントの中のセグメント内基準シンボルのシーケンス番号を表し、θiRiはi番目のセグメントの中の基準シンボルのコンステレーション位相を表し、φiRiはθiRiが調整されるセグメント内基準シンボルの位相を表す、ステップと、
N個のセグメントの中の１≦i≦N且つ１<j≦Miを満たすシンボルについて、該シンボルのコンステレーション位相をφij=θij+φiRiに従い調整するステップであって、Miはi番目のセグメントの中のシンボルの数を表し、M１+M２+・・・MN=M、MはN個のセグメントの中のシンボルの総数を表し、jはシンボルのシーケンス番号を表し、θijはi番目のセグメントの中のj番目のシンボルのコンステレーション位相を表し、φijはθijがプリセット位相調整ルールに従い調整される位相を表し、i、j、Ri、及びMiは全て整数であり、Mi≧２である、ステップと、
N個のセグメントの中の１≦i≦N且つj=１を満たすシンボルについて、該シンボルの位相をφij=θijに従い調整するステップと、を含む。
【０１２０】
例えば、図６Ｂのグループ化方法を参照すると、N=３である。セグメント１に含まれるシンボルはS１１、S１２、S１３、S１４及びS１５であり、前述のシンボルのコンステレーション位相はそれぞれθ１１、θ１２、θ